(57)【要約】      （修正有）【課題】眼に電子デバイスを設けるための方法及びデバイスを提供する。【解決手段】眼に挿入されるように構成されている人工カプセルデバイス５８００は、筐体構造５８１２および環状構造５８２０Ａを含む。筐体構造は、第１の側部、第１の側部の反対側にある第２の側部、第３の側部、第３の側部の反対側にある第４の側部、屈折面を含む後側部５８０４、後側部の反対側にある前側部５８０２、および縦軸を含む。第１の側部、第２の側部、第３の側部、第４の側部、後側部、および前側部は、眼内デバイス（例えばＩＯＬ）を含有するように構成されている空洞を少なくとも部分的に規定する。前側部は、開口５８０８を含む。環状構造は、第１の側部の端部および第２の側部の端部のうち直近の１つから径方向外側に延在する環状構造部分を含む。【選択図】図５８Ａ
2019130329.tif 000002
【特許請求の範囲】
【請求項１】
第１の素材を含む筐体構造であって、
第１の端部と、
第２の端部と
を含む第１の平坦側部；
第１の端部と、
第２の端部と
を含む、前記第１の平坦側部の反対側にある第２の平坦側部；
前記第１の平坦側部の前記第１の端部から前記第２の平坦側部の前記第１の端部の間に延在する、第３のアーチ側部；
前記第１の平坦側部の前記第２の端部から前記第２の平坦側部の前記第２の端部の間に延在する、前記第３のアーチ側部の反対側にある第４のアーチ側部；
屈折面と、
後部フィンと
を含む、後側部；
開口と、
前記開口の周囲の円形リップと
を含む、前記後側部の反対側にある前側部；および
縦軸
を含み、前記第１の平坦側部、前記第２の平坦側部、前記第３のアーチ側部、前記第４のアーチ側部、前記後側部、および前記前側部が、眼内デバイスを含有するように構成されている空洞を少なくとも部分的に規定する、筐体構造；ならびに
前記第１の素材とは異なる第２の素材を含み、前記縦軸を横切りかつ前記縦軸に沿う位置にある環状構造であって、
前記第１の平坦側部の前記第１の端部の直近から径方向外側に前記第１の平坦側部の前記第２の端部に向かって延在し、前記第１の平坦側部および前記第３のアーチ側部に固定されている、第１の環状構造部分；
前記第１の平坦側部の前記第２の端部の直近から径方向外側に前記第１の平坦側部の前記第１の端部に向かって延在し、前記第１の平坦側部および前記第４のアーチ側部に固定されている、第２の環状構造部分；
前記第２の平坦側部の前記第１の端部の直近から径方向外側に前記第２の平坦側部の前記第１の端部に向かって延在し、前記第２の平坦側部および前記第３のアーチ側部に固定されている、第３の環状構造部分；ならびに
前記第２の平坦側部の前記第２の端部の直近から径方向外側に前記第２の平坦側部の前記第１の端部に向かって延在し、前記第２の平坦側部および前記第４のアーチ側部に固定されている、第４の環状構造部分
を含み、前記第１の環状構造部分、前記第２の環状構造部分、前記第３の環状構造部分、および前記第４の環状構造部分のそれぞれは、末端部の直近に前方−後方の開口を含む、環状構造、
を含む、眼に挿入されるように構成されている人工カプセルデバイスであって、
前記筐体構造は、前記環状構造の固定点から径方向外側に延在する膨出をさらに含み、
前記第１の平坦側部、前記第２の平坦側部、前記第３のアーチ側部、および前記第４のアーチ側部のそれぞれは、
前記後側部から前記前側部に向かって少なくとも縦軸に沿う前記環状構造の位置まで前記縦軸と平行に延在する第１の部分と、
前記第１の部分から前記前側部のリップに向かって径方向内側に延在する第２の部分と
を含む、人工カプセルデバイス。
【請求項２】
前記第１の素材は、シリコーンを含み、前記第２の素材は、ポリイミドを含む、請求項１に記載のデバイス。
【請求項３】
前記屈折面は、−３５Ｄから＋３５Ｄの間の屈折出力を有する、請求項１に記載のデバイス。
【請求項４】
前記開口は、細長である、請求項１に記載のデバイス。
【請求項５】
第１の端部と
第２の端部と
を含む第１の平坦側部；
第１の端部と、
第２の端部と
を含む、前記第１の平坦側部の反対側にある第２の平坦側部；
前記第１の平坦側部の前記第１の端部から前記第２の平坦側部の前記第１の端部の間に延在する、第３のアーチ側部；
前記第１の平坦側部の前記第２の端部から前記第２の平坦側部の前記第２の端部の間に延在する、前記第３のアーチ側部の反対側にある第４のアーチ側部；
屈折面を含む後側部；
開口を含む、前記後側部の反対側にある前側部；ならびに
縦軸
を含み、前記第１の平坦側部、前記第２の平坦側部、前記第３のアーチ側部、前記第４のアーチ側部、前記後側部、および前記前側部が、眼内デバイスを含有するように構成されている空洞を少なくとも部分的に規定する、筐体構造；ならびに
前記第１の平坦側部の前記第１の端部の直近から径方向外側に前記第１の平坦側部の前記第２の端部に向かって延在する、第１の環状構造部分；
前記第１の平坦側部の前記第２の端部の直近から径方向外側に前記第１の平坦側部の前記第１の端部に向かって延在する、第２の環状構造部分；
前記第２の平坦側部の前記第１の端部の直近から径方向外側に前記第２の平坦側部の前記第１の端部に向かって延在する、第３の環状構造部分；および
前記第２の平坦側部の前記第２の端部の直近から径方向外側に前記第２の平坦側部の前記第１の端部に向かって延在する、第４の環状構造部分
を含む、環状構造
を含む、眼に挿入されるように構成されている人工カプセルデバイス。
【請求項６】
前記筐体構造は、第１の素材を含み、前記環状構造は、前記第１の素材とは異なる第２の素材を含む、請求項５に記載のデバイス。
【請求項７】
前記第１の素材は、シリコーンを含み、前記第２の素材は、ポリイミドを含む、請求項６に記載のデバイス。
【請求項８】
前記屈折面は、−３５Ｄから＋３５Ｄの間の屈折出力を有する、請求項５に記載のデバイス。
【請求項９】
前記第１の平坦側部、前記第２の平坦側部、前記第３のアーチ側部、および前記第４のアーチ側部のそれぞれは、前記後側部から前記前側部に向かって前記縦軸と平行に延在する部分を含む、請求項５に記載のデバイス。
【請求項１０】
前記第１の平坦側部、前記第２の平坦側部、前記第３のアーチ側部、および前記第４のアーチ側部のそれぞれは、前記第１の部分から径方向内側に前記前側部の開口に向かって延在する第２の部分をさらに含む、請求項９に記載のデバイス。
【請求項１１】
前記筐体構造は、前記環状構造の固定点から径方向外側に延在する膨出部を含む、請求項５に記載のデバイス。
【請求項１２】
前記第１の環状構造部分、前記第２の環状構造部分、前記第３の環状構造部分、および第４の環状構造部分のそれぞれは、末端部の直近に前方−後方の開口を含む、請求項５に記載のデバイス。
【請求項１３】
第１の端部と
第２の端部と
を含む第１の側部；
第１の端部と、
第２の端部と
を含む、前記第１の側部の反対側にある第２の側部；;
前記第１の側部の前記第１の端部から前記第２の側部の前記第１の端部の間に延在する、第３の側部；
前記第１の側部の前記第２の端部から前記第２の側部の前記第２の端部の間に延在する、前記第３の側部の反対側にある第４の側部；
屈折面を含む後側部；
開口を含む、前記後側部の反対側にある前側部；ならびに
縦軸
を含み、前記第１の側部、前記第２の側部、前記第３の側部、前記第４の側部、前記後側部、および前記前側部が、眼内デバイスを含有するように構成されている空洞を少なくとも部分的に規定する、筐体構造；ならびに
前記第１の側部の前記第１の端部、前記第１の側部の第２の端部、前記第２の側部の前記第１の端部、および第２の側部の第２の端部のうち直近の１つから径方向外側に延在する環状構造部分を含む、環状構造
を含む、眼に挿入されるように構成されている人工カプセルデバイス。
【請求項１４】
前記筐体構造は、第１の素材を含み、前記環状構造は、前記第１の素材とは異なる第２の素材を含む、請求項１３に記載のデバイス。
【請求項１５】
前記第１の素材は、シリコーンを含み、前記第２の素材は、ポリイミドを含む、請求項１４に記載のデバイス。
【請求項１６】
前記屈折面は、３５Ｄから＋３５Ｄの間の屈折出力を有する、請求項１３に記載のデバイス。
【請求項１７】
前記開口は、細長である、請求項１３に記載のデバイス。
【請求項１８】
前記開口の周囲にリップをさらに含む、請求項１３に記載のデバイス。
【請求項１９】
前記第１の側部、前記第２の側部、前記第３の側部、および前記第４の側部のそれぞれは、前記後側部から前記前側部に向かって前記縦軸と平行に延在する部分を含む、請求項１３に記載のデバイス。
【請求項２０】
前記第１の側部、前記第２の側部、前記第３の側部、および前記第４の側部のそれぞれは、前記第１の部分から径方向内側に前記前側部の開口に向かって延在する第２の部分をさらに含む、請求項１９に記載のデバイス。
【請求項２１】
前記後側部は、後部フィンを含む、請求項１３に記載のデバイス。
【請求項２２】
前記筐体構造は、前記環状構造の固定点から径方向外側に延在する膨出部を含む、請求項１３に記載のデバイス。
【請求項２３】
前記環状構造は、前記環状構造部分を含む複数の環状構造部分を含む、請求項１３に記載のデバイス。
【請求項２４】
前記環状構造部分は、前記第１の平坦側部の前記第１の端部の直近から径方向外側に前記第１の平坦側部の前記第２の端部に向かって延在する、第１の環状構造部分であって、前記複数の環状構造部分は、
前記第１の平坦側部の前記第２の端部の直近から径方向外側に前記第１の平坦側部の前記第１の端部に向かって延在する、第２の環状構造部分；
前記第２の平坦側部の前記第１の端部の直近から径方向外側に前記第２の平坦側部の前記第１の端部に向かって延在する、第３の環状構造部分；および
前記第２の平坦側部の前記第２の端部の直近から径方向外側に前記第２の平坦側部の前記第１の端部に向かって延在する、第４の環状構造部分
をさらに含む、請求項２３に記載のデバイス。
【請求項２５】
前記構造部分は、末端部の直近に前方−後方の開口を含む、請求項１３に記載のデバイス。
【発明の詳細な説明】
【技術分野】
【０００１】
任意の優先権出願への参照による組み込み
本願は、２０１５年１２月１４日に出願の米国特許出願第１４/９６８,７２７号、２０１５年９月１０日出願の米国仮特許出願第６２/２１６,５９１、２０１５年５月２９日出願の米国仮特許出願第６２/１６８,４９３および２０１５年２月１０日出願の米国仮特許出願６２／１１４，２３１の優先権の利益を主張するものであり、そのそれぞれは、本明細書に参照によりその全体が組み入れられる。国外または国内の優先権に係る特許請求の範囲に関するいかなるおよびあらゆる出願は、本出願と共に提出される出願データシートにて特定され、３７Ｃ．Ｆ．Ｒ１.５７条の下、ここに参照により組み入れられる。
【０００２】
本出願は、眼内に挿入するための装用可能な電子式技術デバイス（複数可）および方法を含む、人工カプセルデバイスに関する。
【背景技術】
【０００３】
白内障手術は、米国で最も成功裏にかつ最も頻繁に実施される外科的な処置の１つである。この処置の恩恵により、毎年、数百万人が劇的な視覚機能の改善を実現している。米国で退職年齢に差し掛かる人口の割合が増加するのに伴い、白内障手術の需要は、今後２０年間にわたって３３０万人から６００万人超へと年々ほぼ倍加することが予想されている。この需要の増加に応えて、さらに多くの眼科医が、白内障手術を実施するために訓練を受け、認証されよう。また、訓練を受けかつ認証された眼科医は、その各々が毎年、さらに多くの白内障手術を実施するものと思われる。
【０００４】
白内障手術の需要の増加に加えて、技術的な進展が、この手術に対する患者の期待感を高めている。この処置には、実施するための時間が短く、患者は、速やかな視覚機能の回復を期待する。患者はまた、眼鏡のない、さらに若々しい視覚の回復をもたらすよう眼科医に要求し、それは、いくつかの例を挙げれば、多焦点の眼内レンズ、老眼矯正レンズ、円環状レンズ、および単眼用のものを使用することに因る。術前に正確に測定され、かつ優れた外科的技術があるとしても、制御されない非常に多くの変動要素が関与することから、所望の屈折結果を得るにはある程度の運が必要である。手術後の白内障患者の２０〜５０％もが、所望の屈折のエンドポイントを実現するために、眼鏡またはフォローアップの外科的な屈折の増強による恩恵を受けるものと思われる。このように屈折の予測不能性が高い理由は、眼の中における埋め込みレンズが最終的に置かれる位置、すなわち数学的には有効レンズ位置（ＥＬＰ）と表される位置であると考えられており、白内障手術の現状にあっては、非常に変動し易く予測不能であることがある。最近、ＥＬＰの変動性を下げること、およびそれゆえより良い屈折結果をもたらす助けとすることを目標として表明した上で、嚢切開および角膜切開のサイズおよび形状をさらに正確に制御することのできる、極めて高性能なフェムト秒レーザーシステムの開発に、何億ドルもが投資されている。残念なことに、フェムト秒レーザーシステムの精度の向上では、ＥＬＰの変動性に害をなす主要な課題に対応することができてはいないが、この課題とは、混濁部と、天然のカプセルバッグと眼内埋め込みレンズ（ＩＯＬ）との間の体積差である。
【０００５】
白内障手術において所望の屈折のエンドポイントを提供する助けとなるデバイスおよび方法は、本明細書に参照によりその全体を組み入れられる、２０１３年８月２９日公開のＷｏｒｔｚのＰＣＴ国際出願公開公報ＷＯ２０１３／１２６３８０に記載されている。
【０００６】
本願に参照される全ての特許および他の文書は、その全体を参照により本明細書に組み入れられる。
【発明の概要】
【０００７】
ここ数年にわたって、スマートフォンなどの小型電子デバイスおよび関連の装用技術の存在感と依存度が大きく高まっており、それらは、インターネット接続、演算能、コンピュータの機能性、ｅ−メール、ゲームや、全地球測位システム（ＧＰＳ）機能などの機能を、ユーザに提供することができる。これらのデバイスのうち、あるものは小型化されており、時には身体にて装用される。そのようなものとしては、Ｇｏｏｇｌｅ  Ｇｌａｓｓ、Ｍｉｃｒｏｓｏｆｔ  Ｈｏｌｏｌｅｎｓや、他のヘッドマウント・ディスプレイなどがある。さらに、血液グルコースレベル、電解質バランス、心拍数、心電図（ＥＫＧ）、眼内圧、順応刺激のための感覚性毛様体筋収縮、動力学的な瞳孔変化や、人工網膜などの生体認証データを提供する装用技術が、技術支援型医療を支援するために開発されている。そのような身体装着型デバイスは、装用するにはぎこちないものとなることがあるため、体内にデバイスを配置したいと考えるユーザもいるものと思われる。本明細書に記載のある種の実装例は、眼に電子デバイスを設けるための方法およびデバイスを提供することができる。
【０００８】
本明細書に記載されるある種の実装例は、眼内に挿入することのできる人工カプセルデバイス（例えば、ＷＯ２０１３／１２６３８０に規定されたバッグ）に関する。人工カプセルデバイスは、開口を含む前表面、および後表面を含んでいてもよい。少なくとも後表面の一部は、屈折面を含むか、または屈折面である。デバイスは、装用可能な電子式技術デバイス（例えば技術デバイス）を含む。人工カプセルデバイスまたは人工カプセルデバイスを含むシステムは、眼内レンズまたはＩＯＬに類似した特徴を含んでいてもよく、例えば、白内障手術で天然のレンズと置き換えるために使用されてもよい。技術デバイスおよび眼内レンズは、技術デバイスが眼内レンズを通じて視線に干渉しない（例えば遮断しない、歪ませない）ように、配置されてもよい（例えば、人工カプセルデバイスの中や周囲など）。
【０００９】
人工網膜は、人工カプセルデバイスに配置されてもよく、この人工装具によって収集されるデータは、例えばワイヤレスで、視神経および／または視覚野に遠隔送信されてもよい。人工網膜が光の終端受容体として機能することができる、ある実装例では、人工網膜は、ＩＯＬを通じて視線に干渉する（例えば遮断する、歪ませる）ものであってもよい。
【００１０】
患者の眼内に装用技術デバイス（例えば技術デバイス）を挿入するための方法は、天然のカプセルからレンズまたは混濁部を外科的に除去すること、天然のカプセルを空の状態にすること、患者の眼内に人工カプセルデバイスを挿入すること（例えば、開口を有した前表面、および後表面を含み、かつ少なくとも後表面の一部が屈折面を含むか、または屈折面である、人工カプセルデバイス）、および電子技術デバイスを人工カプセルデバイスに挿入すること含んでいてもよい。
【００１１】
眼内レンズはまた、任意選択で人工網膜の場合を除いて、技術デバイスが眼内レンズを通じて視線に干渉しない（例えば遮断しない、歪ませない）ように、人工カプセルデバイス内に挿入されてもよく、人工カプセルデバイスに設けられてもよい。
【００１２】
実施形態によっては、眼に挿入されるように構成されている人工カプセルデバイスは、筐体構造および環状構造を含む。筐体構造は、第１の素材を含む。筐体構造は、第１の平坦側部、第１の平坦側部の反対側にある第２の平坦側部、第１の平坦側部の第１の端部から第２の平坦側部の第１の端部の間に延在する第３のアーチ側部、第１の平坦側部の第２の端部から第２の平坦側部の第２の端部の間に延在しかつ第３のアーチ側部の反対側にある第４のアーチ側部、後側部、後側部の反対側にある前側部、および縦軸を含む。第１の平坦側部は、第１の端部および第２の端部を含む。第２の平坦側部は、第１の端部および第２の端部を含む。後側部は、屈折面および後部フィンを含む。前側部は、開口、およびその開口の周囲の円形リップを含む。第１の平坦側部、第２の平坦側部、第３のアーチ側部、第４のアーチ側部、後側部、および前側部は、眼内デバイス（例えばＩＯＬ）を含有するように構成されている空洞を少なくとも部分的に規定する。環状構造は、第１の素材とは異なる第２の素材を含む。環状構造は、縦軸を横切り、かつ縦軸に沿う位置にある。環状構造は、第１の平坦側部の第１の端部の直近から径方向外側に第１の平坦側部の第２の端部に向かって延在する第１の環状構造部分、第１の平坦側部の第２の端部の直近から径方向外側に第１の平坦側部の第１の端部に向かって延在する第２の環状構造部分、第２の平坦側部の第１の端部の直近から径方向外側に第２の平坦側部の第１の端部に向かって延在する第３の環状構造部分、および第２の平坦側部の第２の端部から径方向外側に第２の平坦側部の第１の端部に向かって延在する第４の環状構造部分を含む。第１の環状構造部分は、第１の平坦側部および第３のアーチ側部に固定されている。第２の環状構造部分は、第１の平坦側部および第４のアーチ側部に固定されている。第３の環状構造部分は、第２の平坦側部および第３のアーチ側部に固定されている。第４の環状構造部分は、第２の平坦側部および第４のアーチ側部に固定されている。第１の環状構造部分、第２の環状構造部分、第３の環状構造部分、および第４の環状構造部分のそれぞれは、末端部の直近に前方−後方の開口（例えば小穴）を含む。筐体構造は、環状構造の固定点から径方向外側に延在する膨出部をさらに含む。第１の平坦側部、第２の平坦側部、第３のアーチ側部、および第４のアーチ側部のそれぞれは、後側部から前側部に向かって少なくとも縦軸に沿う環状構造の位置まで縦軸と平行に延在する第１の部分と、第１の部分から径方向内側に前側部のリップに向かって延在する第２の部分とをさらに含む。第１の素材は、シリコーンを含んでいてもよい。第２の素材は、ポリイミドを含んでいてもよい。屈折面は、−３５Ｄから＋３５Ｄの間の屈折出力を有していてもよい。開口は、細長としてもよい。
【００１３】
実施形態によっては、眼に挿入されるように構成されている人工カプセルデバイスは、筐体構造および環状構造を含む。筐体構造は、第１の平坦側部、第１の側部の反対側にある第２の平坦側部、第１の平坦側部の第１の端部から第２の平坦側部の第１の端部の間に延在する第３のアーチ側部、第１の平坦側部の第２の端部から第２の平坦側部の第２の端部の間に延在しかつ第３のアーチ側部の反対側にある第４のアーチ側部、屈折面を含む後側部、後側部の反対側にある前側部、および縦軸を含む。第１の平坦側部は、第１の端部および第２の端部を含む。第２の平坦側部は、第１の端部および第２の端部を含む。前側部は、開口を含む。第１の平坦側部、第２の平坦側部、第３のアーチ側部、第４のアーチ側部、後側部、および前側部は、眼内デバイス（例えばＩＯＬ）を含有するように構成されている空洞を少なくとも部分的に規定する。環状構造は、第１の平坦側部の第１の端部の直近から径方向外側にかつ第１の平坦側部の第２の端部に向かって延在する第１の環状構造部分、第１の平坦側部の第２の端部の直近から径方向外側に第１の平坦側部の第１の端部に向かって延在する第２の環状構造部分、第２の平坦側部の第１の端部の直近から径方向外側にかつ第１の平坦側部の第１の端部に向かって延在する第３の環状構造部分、および第２の平坦側部の第２の端部から径方向外側に第２の平坦側部の第１の端部に向かって延在する第４の環状構造部分を含む。筐体構造は、第１の素材を含んでいてもよい。環状構造は、前記第１の素材とは異なる第２の素材を含んでいてもよい。第１の素材は、シリコーンを含んでいてもよい。第２の素材は、ポリイミドを含んでいてもよい。屈折面は、−３５Ｄから＋３５Ｄの間の屈折出力を有していてもよい。第１の平坦側部、第２の平坦側部、第３のアーチ側部、および第４のアーチ側部のうち１つ、２つ、３つ、またはそれぞれが、後側部から前側部に向かって縦軸と平行に延在する部分を含んでいてもよい。第１の平坦側部、第２の平坦側部、第３のアーチ側部、および第４のアーチ側部のうち１つ、２つ、３つ、またはそれぞれが、第１の部分から径方向内側に前側部の開口に向かって延在する第２の部分を含んでいてもよい。筐体構造は、環状構造の固定点から径方向外側に延在する膨出部を含んでいてもよい。第１の環状構造部分、第２の環状構造部分、第３の環状構造部分、および第４の環状構造部分のうち１つ、２つ、３つ、またはそれぞれが、末端部の直近に前方−後方の開口（例えば小穴）を含んでいてもよい。
【００１４】
実施形態によっては、眼に挿入されるように構成されている人工カプセルデバイスは、筐体構造および環状構造を含む。筐体構造は、第１の側部、第１の側部の反対側にある第２の側部、第１の側部の第１の端部から第２の側部の第１の端部の間に延在する第３の側部、第１の側部の第２の端部から第２の側部の第２の端部の間に延在しかつ第３の側部の反対側にある第４の側部、屈折面を含む後側部、後側部の反対側にある前側部、および縦軸を含む。第１の側部は、第１の端部および第２の端部を含む。第２の側部は、第１の端部および第２の端部を含む。前側部は、開口を含む。第１の側部、第２の側部、第３の側部、第４の側部、後側部、および前側部は、眼内デバイス（例えばＩＯＬ）を含有するように構成されている空洞を少なくとも部分的に規定する。環状構造は、前記第１の側部の前記第１の端部、前記第１の側部の第２の端部、前記第２の側部の前記第１の端部、および第２の側部の第２の端部のうち直近の１つから径方向外側に延在する環状構造部分を含む。筐体構造は、第１の素材を含んでいてもよい。環状構造は、前記第１の素材とは異なる第２の素材を含んでいてもよい。第１の素材は、シリコーンを含んでいてもよい。第２の素材は、ポリイミドを含んでいてもよい。屈折面は、−３５Ｄから＋３５Ｄの間の屈折出力を有していてもよい。開口は、細長としてもよい。デバイスは、開口の周囲にリップをさらに含む。第１の側部、第２の側部、第３の側部、および第４の側部のうち１つ、２つ、３つ、またはそれぞれが、後側部から前側部に向かって縦軸と平行に延在する部分を含んでいてもよい。第１の側部、第２の側部、第３の側部、および第４の側部のうち１つ、２つ、３つ、またはそれぞれが、第１の部分から径方向内側に前側部の開口に向かって延在する第２の部分を含んでいてもよい。後側部は、後部フィンを含んでいてもよい。筐体構造は、環状構造の固定点から径方向外側に延在する膨出部を含んでいてもよい。環状構造は、前記環状構造部分を含む複数の環状構造部分を含んでいてもよい。環状構造部分は、第１の平坦側部の第１の端部の直近から径方向外側にかつ第１の平坦側部の前記第２の端部に向かって延在する、第１の環状構造部分としてもよい。複数の環状構造部分は、第１の平坦側部の第２の端部の直近から径方向外側に第１の平坦側部の第１の端部に向かって延在する、第２の環状構造部分、第２の平坦側部の第１の端部の直近から径方向外側に第２の平坦側部の第１の端部に向かって延在する、第３の環状構造部分、および第２の平坦側部の第２の端部の直近から径方向外側に第２の平坦側部の第１の端部に向かって延在する、第４の環状構造部分を含んでいてもよい。環状構造部分は、末端部の直近に前方−後方の開口（例えば）を含んでいてもよい。
【００１５】
上記に概要を示し、以下にさらに詳細に記載する方法は、施術者が行うある種の行動を表すことがある。しかし、これらのステップは、第三者による上記の行動の指示を含む場合もあることを理解するべきである。そのため、「眼内レンズを人工カプセルデバイス内に挿入すること」などの行動は、「人工カプセルデバイス内への眼内レンズの挿入を指示すること」を含む。
【００１６】
本明細書に記載のデバイスおよび方法のより良い理解は、添付の図面と併せて、以下の記載を参照して認識される。
【図面の簡単な説明】
【００１７】
【図１】ＩＯＬを含む人工カプセルデバイスの一例を含む眼の垂直断面図である。
【００１８】
【図２】図１に示す人工カプセルデバイス例の側面図である。；
【００１９】
【図３】図１に示す人工カプセルデバイス例の前方の平面図である。
【００２０】
【図４Ａ】眼内に人工カプセルデバイスを挿入し配置するための方法例のフローチャートである。
【００２１】
【図４Ｂ】眼内に人工カプセルデバイスを挿入し配置するための方法例の写真である。
【図４Ｃ】眼内に人工カプセルデバイスを挿入し配置するための方法例の写真である。
【図４Ｄ】眼内に人工カプセルデバイスを挿入し配置するための方法例の写真である。
【図４Ｅ】眼内に人工カプセルデバイスを挿入し配置するための方法例の写真である。
【図４Ｆ】眼内に人工カプセルデバイスを挿入し配置するための方法例の写真である。
【図４Ｇ】眼内に人工カプセルデバイスを挿入し配置するための方法例の写真である。
【００２２】
【図４Ｈ】人工カプセルデバイス例の側面図である。
【００２３】
【図４Ｉ】図４Ｈの人工カプセルデバイスの前方図である。
【００２４】
【図４Ｊ】図４Ｉの線４Ｊ−４Ｊに沿った、図４Ｈの人工カプセルデバイスの断面図である。
【００２５】
【図５】ＩＯＬを含有し、かつ含む人工カプセルデバイスの別の例を含む眼の垂直断面図を示す。
【００２６】
【図６】図５に示す人工カプセルデバイス例の側面図を示す。
【００２７】
【図７】図５に示す人工カプセルデバイス例の前方の平面図を示す。
【００２８】
【図８】人工カプセルデバイス例の側面図を示す。このデバイスは、外表面の外周を一回りする連続したタブの外縁（例えばシリコーンを含む）を含み、かつそのタブのそれぞれが、開口をタブの中央に含む外表面と、IOLの触角を保持するように構成された内部リップを含むカプセルデバイスとを備える。
【００２９】
【図９Ａ】別の人工カプセルデバイス例の側面図を示す。
【００３０】
【図９Ｂ】図９Ａの人工カプセルデバイスの垂直断面図を示す。
【００３１】
【図９Ｃ】図９Ａの人工カプセルデバイスの後方の平面図を示す。
【００３２】
【図９Ｄ】図９Ａの人工カプセルデバイスの前方の側面斜視図を示す。
【００３３】
【図１０Ａ】さらに別の人工カプセルデバイス例の側面図を示す。
【００３４】
【図１０Ｂ】図１０Ａの人工カプセルデバイスの垂直断面図を示す。
【００３５】
【図１０Ｃ】図１０Ａの人工カプセルデバイスの後方の平面図を示す。
【００３６】
【図１０Ｄ】図１０Ａの人工カプセルデバイスの前方の側面斜視図を示す。
【００３７】
【図１１Ａ】さらに別の人工カプセルデバイス例の側面図を示す。
【００３８】
【図１１Ｂ】図１１Ａの人工カプセルデバイスの垂直断面図を示す。
【００３９】
【図１１Ｃ】図１１Ａの人工カプセルデバイスの後方の平面図を示す。
【００４０】
【図１１Ｄ】さらに別の人工カプセルデバイス例の後方の平面図を示す。
【００４１】
【図１１Ｅ】図１１Ａの人工カプセルデバイスの前方の側面斜視図を示す。
【００４２】
【図１２Ａ】技術デバイスおよびIOLの両方を含有し、かつ含む人工カプセルデバイス例を備える眼の断面図を示す。
【００４３】
【図１２Ｂ】図１２Ａに示される人工カプセルデバイス例で使用することができる、眼内レンズ例の正面図を示す。このレンズでは、ＩＯＬの外縁を技術デバイスが取り囲む（例えば、ＩＯＬの光学面の外縁を取り囲む）。
【００４４】
【図１２Ｃ】図１２Ｂの眼内レンズ例の最上部の正面斜視図を示す。
【００４５】
【図１３】人工カプセルデバイスおよびＩＯＬの例を含む、眼の側部垂直断面図である。
【００４６】
【図１４Ａ】任意選択的な二次ＩＯＬが人工カプセルデバイスの内部に配置されている、図１３の人工カプセルデバイス例の前方平面図である。
【００４７】
【図１４Ｂ】任意選択的な二次ＩＯＬが人工カプセルデバイスの内部に配置されている、別の人工カプセルデバイス例の前方平面図である。
【００４８】
【図１５】図１３の人工デバイス例の側面斜視図である。
【００４９】
【図１６】別の人工カプセルデバイス例の側面斜視図である。
【００５０】
【図１７】さらに別の人工カプセルデバイス例の側面斜視図である。
【００５１】
【図１８】さらに別の人工カプセルデバイス例の側面斜視図である。
【００５２】
【図１９】任意選択的な二次ＩＯＬが人工カプセルデバイスの内部に配置されている、さらに別の人工カプセルデバイスの例の前方平面図である。
【００５３】
【図２０】任意選択的な二次ＩＯＬが人工カプセルデバイスの内部に配置されている、別の人工カプセルデバイスの例の前方平面図である。
【００５４】
【図２１】任意選択的な二次ＩＯＬが人工カプセルデバイスの内部に配置されている、さらに別の人工カプセルデバイスの例の前方平面図である。
【００５５】
【図２２Ａ】任意選択的な二次ＩＯＬが人工カプセルデバイスの内部に配置されている、さらに別の人工カプセルデバイスの例の前方平面図である。
【００５６】
【図２２Ｂ】任意選択的な二次ＩＯＬが人工カプセルデバイスの内部に配置されている、さらに別の人工カプセルデバイスの例の前方平面図である。
【００５７】
【図２２Ｃ】任意選択的な二次ＩＯＬが人工カプセルデバイスの内部に配置されている、図２２Ｂの人工カプセルデバイス例の側面斜視図である。
【００５８】
【図２３】人工カプセルデバイスおよびＩＯＬの例を含む眼の側面垂直断面図である。
【００５９】
【図２４】任意選択的な二次ＩＯＬが人工カプセルデバイスの内部に配置されている、図２３の人工カプセルデバイス例の前方平面図である。
【００６０】
【図２５】任意選択的な二次ＩＯＬが人工カプセルデバイスの内部に配置されている、図２３の人工カプセルデバイス例の側面斜視図である。
【００６１】
【図２６】人工カプセルデバイスおよびＩＯＬの別の例を含む眼の側面垂直断面図である。
【００６２】
【図２７】任意選択的な二次ＩＯＬが人工カプセルデバイスの内部に配置されている、図２６の人工カプセルデバイス例の前方平面図である。
【００６３】
【図２８】任意選択的な二次ＩＯＬが人工カプセルデバイスの内部に配置されている、図２６の人工カプセルデバイス例の側面斜視図である。
【００６４】
【図２９】任意選択的な二次ＩＯＬが人工カプセルデバイスの内部に配置されている、別の人工カプセルデバイスの例の前方平面図である。
【００６５】
【図３０】任意選択的な二次ＩＯＬが人工カプセルデバイスの内部に配置されている、図２９の人工カプセルデバイス例の側面斜視図である。
【００６６】
【図３１】人工カプセルデバイスおよびＩＯＬの例を含む眼の側面垂直断面図である。
【００６７】
【図３２】図３１の人工カプセルデバイス例の前方平面図である。
【００６８】
【図３３】図３１の人工カプセルデバイス例の側面斜視図である。
【００６９】
【図３４】別の人工カプセルデバイスの例の前方平面図である。
【００７０】
【図３５】さらに別の人工カプセルデバイスの例の前方平面図である。
【００７１】
【図３６】さらに別の人工カプセルデバイスの例の分解側面斜視図である。
【００７２】
【図３７Ａ】さらに別の人工カプセルデバイスの例の分解前方平面図である。
【００７３】
【図３７Ｂ】図３７Ａの人工カプセルデバイス例の分解側面斜視図である。
【００７４】
【図３８Ａ】別の人工カプセルデバイスの例の分解前方平面図である。
【００７５】
【図３８Ｂ】図３８Ａの人工カプセルデバイス例の分解側面斜視図である。
【００７６】
【図３９】人工デバイスの例を含む眼の側面垂直断面図である。
【００７７】
【図４０】人工デバイスおよびＩＯＬの別の例を含む眼の側面垂直断面図である。
【００７８】
【図４１】人工デバイスおよびＩＯＬのさらに別の例を含む眼の側面垂直断面図である。
【００７９】
【図４２】人工デバイスおよびＩＯＬのさらに別の例を含む眼の側面垂直断面図である。
【００８０】
【図４３Ａ】人工カプセルデバイスの例の前部側面斜視図である。
【００８１】
【図４３Ｂ】図４３Ａの人工カプセルデバイス例の前方平面図である。
【００８２】
【図４３Ｃ】図４３Ｂの線４３Ｃ−４３Ｃに沿った図４３Ａの人工カプセルデバイス例の断面図である。
【００８３】
【図４３Ｄ】図４３Ｂの線４３Ｄ−４３Ｄに沿った図４３Ａの人工カプセルデバイス例の断面図である。
【００８４】
【図４３Ｅ】人工カプセルデバイスシステムの例の前部側面斜視図である。
【００８５】
【図４３Ｆ】図４３Ｅの人工カプセルデバイスシステム例の前方平面図である。
【００８６】
【図４３Ｇ】図４３Ｆの線４３Ｇ−４３Ｇに沿った図４３Ｅの人工カプセルデバイス例の断面図である。
【００８７】
【図４３Ｈ】図４３Ｅの人工カプセルデバイス例の側面図である。
【００８８】
【図４４Ａ】いくらかの特徴を目立たせるよう注記を付した動物試験結果の写真である。
【図４４Ｂ】いくらかの特徴を目立たせるよう注記を付した動物試験結果の写真である。
【００８９】
【図４５Ａ】１番目のウサギの右眼に関する動物試験の結果の写真である。
【図４５Ｂ】１番目のウサギの右眼に関する動物試験の結果の写真である。
【図４５Ｃ】１番目のウサギの右眼に関する動物試験の結果の写真である。
【図４５Ｄ】１番目のウサギの右眼に関する動物試験の結果の写真である。
【図４５Ｅ】１番目のウサギの右眼に関する動物試験の結果の写真である。
【００９０】
【図４６Ａ】１番目のウサギの左眼に関する動物試験の結果の写真である。
【図４６Ｂ】１番目のウサギの左眼に関する動物試験の結果の写真である。
【図４６Ｃ】１番目のウサギの左眼に関する動物試験の結果の写真である。
【図４６Ｄ】１番目のウサギの左眼に関する動物試験の結果の写真である。
【図４６Ｅ】１番目のウサギの左眼に関する動物試験の結果の写真である。
【００９１】
【図４７Ａ】２番目のウサギの右眼に関する動物試験の結果の写真である。
【図４７Ｂ】２番目のウサギの右眼に関する動物試験の結果の写真である。
【図４７Ｃ】２番目のウサギの右眼に関する動物試験の結果の写真である。
【図４７Ｄ】２番目のウサギの右眼に関する動物試験の結果の写真である。
【図４７Ｅ】２番目のウサギの右眼に関する動物試験の結果の写真である。
【００９２】
【図４８Ａ】２番目のウサギの左眼に関する動物試験の結果の写真である。
【図４８Ｂ】２番目のウサギの左眼に関する動物試験の結果の写真である。
【図４８Ｃ】２番目のウサギの左眼に関する動物試験の結果の写真である。
【図４８Ｄ】２番目のウサギの左眼に関する動物試験の結果の写真である。
【図４８Ｅ】２番目のウサギの左眼に関する動物試験の結果の写真である。
【００９３】
【図４９Ａ】３番目のウサギの右眼に関する動物試験の結果の写真である。
【図４９Ｂ】３番目のウサギの右眼に関する動物試験の結果の写真である。
【図４９Ｃ】３番目のウサギの右眼に関する動物試験の結果の写真である。
【図４９Ｄ】３番目のウサギの右眼に関する動物試験の結果の写真である。
【図４９Ｅ】３番目のウサギの右眼に関する動物試験の結果の写真である。
【００９４】
【図５０Ａ】３番目のウサギの左眼に関する動物試験の結果の写真である。
【図５０Ｂ】３番目のウサギの左眼に関する動物試験の結果の写真である。
【図５０Ｃ】３番目のウサギの左眼に関する動物試験の結果の写真である。
【図５０Ｄ】３番目のウサギの左眼に関する動物試験の結果の写真である。
【図５０Ｅ】３番目のウサギの左眼に関する動物試験の結果の写真である。
【００９５】
【図５１Ａ】４番目のウサギの右眼に関する動物試験の結果の写真である。
【図５１Ｂ】４番目のウサギの右眼に関する動物試験の結果の写真である。
【図５１Ｃ】４番目のウサギの右眼に関する動物試験の結果の写真である。
【図５１Ｄ】４番目のウサギの右眼に関する動物試験の結果の写真である。
【図５１Ｅ】４番目のウサギの右眼に関する動物試験の結果の写真である。
【００９６】
【図５２Ａ】４番目のウサギの左眼に関する動物試験の結果の写真である。
【図５２Ｂ】４番目のウサギの左眼に関する動物試験の結果の写真である。
【図５２Ｃ】４番目のウサギの左眼に関する動物試験の結果の写真である。
【図５２Ｄ】４番目のウサギの左眼に関する動物試験の結果の写真である。
【図５２Ｅ】４番目のウサギの左眼に関する動物試験の結果の写真である。
【００９７】
【図５３Ａ】５番目のウサギの右眼に関する動物試験の結果の写真である。
【図５３Ｂ】５番目のウサギの右眼に関する動物試験の結果の写真である。
【図５３Ｃ】５番目のウサギの右眼に関する動物試験の結果の写真である。
【図５３Ｄ】５番目のウサギの右眼に関する動物試験の結果の写真である。
【図５３Ｅ】５番目のウサギの右眼に関する動物試験の結果の写真である。
【００９８】
【図５４Ａ】５番目のウサギの左眼に関する動物試験の結果の写真である。
【図５４Ｂ】５番目のウサギの左眼に関する動物試験の結果の写真である。
【図５４Ｃ】５番目のウサギの左眼に関する動物試験の結果の写真である。
【図５４Ｄ】５番目のウサギの左眼に関する動物試験の結果の写真である。
【図５４Ｅ】５番目のウサギの左眼に関する動物試験の結果の写真である。
【００９９】
【図５５Ａ】外部デバイスを使用してＩＯＬの焦点を制御する、一例のフローチャートである。
【０１００】
【図５５Ｂ】外部デバイスを使用して電子デバイスを制御するためのシステムの概略図である。
【０１０１】
【図５５Ｃ】外部デバイスを使用して電子デバイスを制御する、一例のフローチャートである。
【０１０２】
【図５５Ｄ】外部デバイスを使用して電子デバイスを制御する、別の一例のフローチャートである。
【０１０３】
【図５５Ｅ】外部デバイスを使用して電子デバイスを制御する、別の一例のフローチャートである。
【０１０４】
【図５５Ｆ】外部デバイスを使用して電子デバイスを制御する、別の一例のフローチャートである。
【０１０５】
【図５６】本明細書に開示される電子デバイスの制御に関する１つまたは複数の実施形態を実装するためのソフトウェアを実行するように構成される、コンピュータ・ハードウェア・システム例を示すブロック図である。
【０１０６】
【図５７Ａ】人工カプセルデバイスを含むキット例の分解斜視図である。
【０１０７】
【図５７Ｂ】図５７Ａのキット例の上面図である。
【０１０８】
【図５７Ｃ】図５７Ｂの線５７Ｃ−５７Ｃに沿った図５７Ａのキット例の断面図である。
【０１０９】
【図５７Ｄ】図５７Ｂの線５７Ｄ−５７Ｄに沿った図５７Ａのキット例の断面図である。
【０１１０】
【図５７Ｅ】図５７Ｂの線５７Ｅ−５７Ｅに沿った図５７Ａのキット例の断面図である。
【０１１１】
【図５７Ｆ】図５７Ａキット例の構成要素の上面図である。
【０１１２】
【図５８Ａ】人工カプセルデバイスの例の前部側面斜視図である。
【０１１３】
【図５８Ｂ】図５８Ａの人工カプセルデバイス例の前方平面図である。
【０１１４】
【図５８Ｃ】図５８Ｂの線５８Ｃ−５８Ｃに沿った図５８Ａの人工カプセルデバイス例の断面図である。
【０１１５】
【図５８Ｄ】図５８Ｂの線５８Ｄ−５８Ｄに沿った図５８Ａの人工カプセルデバイス例の断面図である。
【０１１６】
【図５８Ｅ】人工カプセルデバイス例の前方平面図である。
【０１１７】
【図５８Ｆ】人工カプセルデバイス例の前方平面図である。
【０１１８】
【図５８Ｇ】人工カプセルデバイスシステム例の前方平面図である。
【０１１９】
【図５８Ｈ】人工カプセルデバイス例の前方平面図である。
【図５８Ｉ】人工カプセルデバイス例の前方平面図である。
【図５８Ｊ】人工カプセルデバイス例の前方平面図である。
【図５８Ｋ】人工カプセルデバイス例の前方平面図である。
【図５８Ｌ】人工カプセルデバイス例の前方平面図である。
【０１２０】
【図５９Ａ】人工カプセルデバイス例の側面図である。
【０１２１】
【図５９Ｂ】図５９Ａの人工カプセルデバイス例の使用方法例を示す図である。
【図５９Ｃ】図５９Ａの人工カプセルデバイス例の使用方法例を示す図である。
【０１２２】
【図６０Ａ】図５８Ｅの人工カプセルデバイス例を装填および排出する方法の例を示す図である。
【図６０Ｂ】図５８Ｅの人工カプセルデバイス例を装填および排出する方法の例を示す図である。
【図６０Ｃ】図５８Ｅの人工カプセルデバイス例を装填および排出する方法の例を示す図である。
【図６０Ｄ】図５８Ｅの人工カプセルデバイス例を装填および排出する方法の例を示す図である。
【図６０Ｅ】図５８Ｅの人工カプセルデバイス例を装填および排出する方法の例を示す図である。
【図６０Ｆ】図５８Ｅの人工カプセルデバイス例を装填および排出する方法の例を示す図である。
【図６０Ｇ】図５８Ｅの人工カプセルデバイス例を装填および排出する方法の例を示す図である。
【図６０Ｈ】図５８Ｅの人工カプセルデバイス例を装填および排出する方法の例を示す図である。
【図６０Ｉ】図５８Ｅの人工カプセルデバイス例を装填および排出する方法の例を示す図である。
【図６０Ｊ】図５８Ｅの人工カプセルデバイス例を装填および排出する方法の例を示す図である。
【図６０Ｋ】図５８Ｅの人工カプセルデバイス例を装填および排出する方法の例を示す図である。
【図６０Ｌ】図５８Ｅの人工カプセルデバイス例を装填および排出する方法の例を示す図である。
【図６０Ｍ】図５８Ｅの人工カプセルデバイス例を装填および排出する方法の例を示す図である。
【図６０Ｌ】図５８Ｅの人工カプセルデバイス例を装填および排出する方法の例を示す図である。
【０１２３】
【図６１Ａ】人工カプセルデバイス例の前部側面斜視図である。
【０１２４】
【図６１Ｂ】図６１Ａの人工カプセルデバイス例の前方平面図である。
【０１２５】
【図６１Ｃ】図６１Ａの人工カプセルデバイス例の側面図である。
【０１２６】
【図６１Ｄ】人工カプセルデバイス例の側面図である。
【０１２７】
【図６２Ａ】人工カプセルデバイス例の前部側面斜視図である。
【０１２８】
【図６２Ｂ】図６２Ａの人工カプセルデバイス例の前方平面図である。
【０１２９】
【図６２Ｃ】図６２Ａの人工カプセルデバイス例の側面図である。
【０１３０】
【図６３Ａ】人工カプセルデバイス例の前部側面斜視図である。
【０１３１】
【図６３Ｂ】図６３Ａの人工カプセルデバイス例の前方平面図である。
【０１３２】
【図６３Ｃ】図６３Ａの人工カプセルデバイス例の側面図である。
【０１３３】
【図６４Ａ】人工カプセルデバイス例の前部側面斜視図である。
【０１３４】
【図６４Ｂ】図６４Ａの人工カプセルデバイス例の前方平面図である。
【０１３５】
【図６４Ｃ】図６４Ａの人工カプセルデバイス例の側面図である。
【０１３６】
【図６５Ａ】人工カプセルデバイス例の前部側面斜視図である。
【０１３７】
【図６５Ｂ】図６５Ａの人工カプセルデバイス例前方平面図である。
【０１３８】
【図６５Ｃ】図６５Ａの人工カプセルデバイス例の側面図である。
【０１３９】
【図６６Ａ】人工カプセルデバイス例の前部側面斜視図である。
【０１４０】
【図６６Ｂ】図６６Ａの人工カプセルデバイス例の前方平面図である。
【０１４１】
【図６６Ｃ】図６６Ａの人工カプセルデバイス例の側面図である。
【０１４２】
【図６７Ａ】人工カプセルデバイス例の前部側面斜視図である。
【０１４３】
【図６７Ｂ】図６７Ａの人工カプセルデバイス例の前方平面図である。
【０１４４】
【図６７Ｃ】図６７Ａの人工カプセルデバイス例の側面図である。
【０１４５】
【図６８Ａ】人工カプセルデバイス例の前部側面斜視図である。
【０１４６】
【図６８Ｂ】図６８Ａの人工カプセルデバイス例の前方平面図である。
【０１４７】
【図６８Ｃ】図６８Ａの人工カプセルデバイス例の側面図である。
【０１４８】
【図６８Ｄ】図６８Ａの人工カプセルデバイス例を含む人工カプセルデバイスシステム例の側面図である。
【０１４９】
【図６９Ａ】人工カプセルデバイス例の前部側面斜視図である。
【０１５０】
【図６９Ｂ】図６９Ａの人工カプセルデバイス例の前方平面図である。
【０１５１】
【図６９Ｃ】図６９Ａの人工カプセルデバイス例の側面図である。
【０１５２】
【図６９Ｄ】図６９Ａの人工カプセルデバイス例を含む人工カプセルデバイスシステム例の側面図である。
【０１５３】
【図７０Ａ】人工カプセルデバイス例の前部側面斜視図である。
【０１５４】
【図７０Ｂ】図７０Ａの人工カプセルデバイス例の前方平面図である。
【０１５５】
【図７０Ｃ】図７０Ａの人工カプセルデバイス例の側面図である。
【０１５６】
【図７１Ａ】人工カプセルデバイスに連結するためのデバイス例の斜視図である。
【０１５７】
【図７１Ｂ】人工カプセルデバイスの部分例を有する図７１Ａのデバイス例の連結例を示す図である。
【０１５８】
【図７１Ｃ】人工カプセルデバイスの部分例を有するデバイス例の連結例を示す図である。
【０１５９】
【図７１Ｄ】人工カプセルデバイスの部分例を有するデバイス例の連結例を示す図である。
【０１６０】
【図７２Ａ】人工カプセルデバイス例の前部側面斜視図である。
【０１６１】
【図７２Ｂ】図７１Ｂの人工カプセルデバイス例の部分例の拡大側面図である。
【０１６２】
【図７３Ａ】折り畳まれていない状態の人工カプセルデバイス例の前部側面斜視図である。
【０１６３】
【図７３Ｂ】折り畳まれていない状態の図７３Ａの人工カプセルデバイス例の前方平面図である。
【０１６４】
【図７３Ｃ】折り畳まれていない状態の図７３Ａの人工カプセルデバイス例の側面図である。
【０１６５】
【図７３Ｄ】折り畳まれていない状態の図７３Ａの人工カプセルデバイス例の前方平面図である。
【０１６６】
【図７３Ｅ】折り畳まれていない状態の図７３Ａの人工カプセルデバイス例の前部側面斜視図である。
【０１６７】
【図７４Ａ】眼内レンズ例の前部側面斜視図である。
【０１６８】
【図７４Ｂ】図７４Ａの眼内レンズを含有する人工カプセルデバイス例の前部側面斜視図である。
【０１６９】
【図７４Ｃ】眼内レンズ例を含有する人工カプセルデバイス例の前部側面斜視図である。
【０１７０】
【図７４Ｄ】眼内レンズ例を含有する人工カプセルデバイス例の前部側面斜視図である。
【０１７１】
【図７４Ｅ】眼内レンズ例を含有する人工カプセルデバイス例の前部側面斜視図である。
【０１７２】
【図７５Ａ】人工カプセルデバイスシステム例の前方平面図である。
【０１７３】
【図７５Ｂ】図７５Ａの人工カプセルデバイスシステムの医薬デリバリデバイス例の前方平面図である。
【０１７４】
【図７５Ｃ】人工カプセルデバイスシステムの別の医薬デリバリデバイス例の前方平面図である。
【０１７５】
【図７５Ｄ】人工カプセルデバイスシステムの別の医薬デリバリデバイス例の前部側面斜視図である。
【０１７６】
【図７５Ｅ】図７５Ｄの医薬デリバリデバイスを含む人工カプセルデバイスシステム例の前部側面斜視図である。
【０１７７】
【図７６Ａ】人工カプセルデバイス例の前方平面図である。
【０１７８】
【図７６Ｂ】人工カプセルデバイス例の前方平面図である。
【０１７９】
【図７６Ｃ】人工カプセルデバイス例の前方平面図である。
【０１８０】
【図７６Ｄ】人工カプセルデバイス例の前方平面図である。
【０１８１】
【図７６Ｅ】人工カプセルデバイス例の前方平面図である。
【０１８２】
【図７６Ｆ】人工カプセルデバイス例の前方平面図である。
【０１８３】
【図７７Ａ】人工虹彩デバイス例の前方平面図である。
【０１８４】
【図７７Ｂ】図７７Ａの人工虹彩デバイス例の後部平面図である。
【０１８５】
【図７７Ｃ】本明細書に開示される人工カプセルデバイス例に連結される、図７７Ａの人工虹彩デバイス例の平面図である。
【０１８６】
【図７７Ｄ】本明細書に開示される人工カプセルデバイス例に連結される、人工虹彩デバイス例の平面図である。
【０１８７】
【図７７Ｅ】人工虹彩デバイス例の前方平面図である。
【０１８８】
【図７７Ｆ】図７７Ｅの人工虹彩デバイス例の後部平面図である。
【０１８９】
【図７７Ｇ】人工虹彩デバイス例の前方平面図である。
【０１９０】
【図７７Ｈ】図７７Ｇの人工虹彩デバイス例の後部平面図である。
【０１９１】
【図７７Ｉ】本明細書に開示される人工カプセルデバイス例に連結される、図７７Ｇの人工虹彩デバイス例の平面図である。
【０１９２】
特許または出願ファイルは、彩色して作成された図面を少なくとも含む。色図面（複数可）の付された本特許または特許出願の公報の複写物は、要請および必要な費用の納付の下、庁によって提供される。
【０１９３】
眼で使用することが可能ないくつかの人工カプセル囲壁デバイス（例えば人工カプセルバッグ）は、少なくとも1つの技術デバイス（例えば電子技術デバイス（例えば装用可能な電子技術デバイス（例えば小型化された装用可能な電子技術デバイス）））および眼内レンズを保持することができる。
【０１９４】
本明細書に記載されるある種の実装例に適合する、好適な人工カプセルデバイスの例は、本明細書に参照によりその全体を組み込まれるＰＣＴ特許出願公開ＷＯ２０１３／１２６３８０に開示されている。いくつかの好適な人工カプセルデバイスは、本明細書に記載されている。
【０１９５】
図１〜３を参照すると、天然のヒトのレンズのサイズ、形状、および体積とほぼ同じ人工カプセルデバイスまたはＰＰＬ−Ｃ１０が示されている。人工カプセルデバイス１０の寸法は可変とすることができるので、医師は、施術する眼１２のレンズに最も密に適合する埋め込み物を発注することができる。ヒトのレンズは、約３．５ミリメートル（ｍｍ）から約５．５ｍｍまでの厚さで変わる。天然のレンズは、遠視眼であるほど厚く、近視眼であるほど薄いという傾向がある。天然のレンズは、時間の経過と共に厚くなることから、概して加齢は、厚いレンズに関連する。ヒトのレンズの直径は、約９ｍｍである。ある実装においては、人工カプセルデバイス１０は、実質的に円盤状の（例えば実質的に平らな、実質的に円形の円板）および／または楕円体（例えば長形の楕円体、扁平の楕円体）の形状、約１．５ｍｍから約５．５ｍｍの間の（例えば約２．５ｍｍ）の厚さ、および約８．５ｍｍから約１０ｍｍの間（例えば約９ｍｍ）の直径を備える。明確化のために、人工カプセルデバイス１０の厚さとは、人工カプセルデバイス１０の前表面１４および後表面１６との間の視軸１５に沿った距離であり（図２）、例えばデバイス１０の壁の厚さとは大きく異なる。前表面１４は、直径約５ｍｍから約７ｍｍの間（例えば約６ｍｍ）の直径を有するアーチ状（例えば環状、長円状）の開口１８を含み、例えばフランジ２０（例えば約０．５ｍｍから約１．５ｍｍの間（例えば約１ｍｍ）の厚さで、開口１８を実質的に取り囲んで（例えば取り囲み）、径方向外側に延びる）といった外側輪郭を有する。フランジ２０は、毛様体溝２２の内部に延びて適合することによって、人工カプセルデバイス１０の安定化および／または中心合わせを支援することができる（図１）。フランジ２０は、穿孔がないかまたは実質的に穿孔を持たなくとも良く、フランジ２０の安定性と付着面積とを増加させる。人工カプセルデバイス１０は、フェムト秒レーザーによって作製された嚢切開部に正確に適合するように寸法を合わせてもよい。
【０１９６】
人工カプセルデバイス１０の後表面もしくはその一部分１６の内面または内側面１７の少なくとも一部は、屈折面を含んでいてもよい。その屈折面は、例えば、眼１２の内部にある既知のレンズ、例えば後部屈折面１９を用いて、手術中に偽水晶体的な屈折をなすことを可能にすることができる。図１〜３に示される実装例では、内面１７全体は、低出力の屈折面（例えば約＋１ジオプトリー（Ｄ））を実質的に含む。後部屈折面１９が、＋１Ｄ面について本明細書に概ね議論されている一方で、後部屈折面１９は、眼内レンズの技術分野で現在公知の任意のまたは全てのレンズの出力およびデザインを含みうるが、そのようなものとしては、以下に限定されないが、球状、非球面、波面、凸状、凹状、多焦点（回折性、屈折性、帯状）、円環状、調節性、紫外（ＵＶ）フィルタリング、回折性の色収差低減レンズ、光調整可能レンズ（紫外光調整、フェムト秒位相ラッピング）および任意の正のジオプトリー値（例えば＋３５Ｄ以上を含める）から任意の負のジオプトリー値（例えば−３５Ｄ以下を含める）までに及ぶ光学出力を挙げることができる。
【０１９７】
後部屈折面１９は、デバイス１０に設けられるＩＯＬの屈折出力を有利に低減させることもある。例えば、デバイスが後表面を含まない（例えば単純なまたは改変された環から構成される）場合、１つまたは複数のＩＯＬデバイスが、全ての屈折出力を与えることになるが、このことは、ＩＯＬの体積を増やし、さらに大きな切開とそれに伴う複雑さとを招きかねない。眼に埋め込まれた前方の屈折面は、第２の屈折性のデバイスを後方の屈折面と係合させる（例えば内部に、隣に、および／または上に設けられる）ことを、有利に可能にすることがある。後部屈折面１９は、任意の残りの屈折異常と併せて眼のＥＬＰを決定することを可能にすることができる。いかなる別の屈折異常が発見された際も、第２の屈折性のデバイスを、後部屈折面１９に追加することができ（例えば直ちに）、これによって不足を中立化し、所望の結果を実現することを確かなものとする助けとすることができる。デバイス１０の残余部分と一体にして形成される後部屈折面１９は、正確に設けかつ繋留することができるものであり、視覚の劣化につながりかねない後部屈折面１９の横および／または前後の位置の移動、回転、傾斜などを阻止または防止することができる。前方の開口１８を除くあらゆる面における連続したデバイス１０の性質は、レンズ上皮細胞の内方成長を阻害、低減、または防止することができ、またそれによって、水晶体内の混濁形成を阻止または防止することができる。
【０１９８】
環の貫通穴ではなく、屈折面１９を含むデバイス１０は、例えば、中に挿入されるＩＯＬの体積を低減することができ、このことは、切開部のサイズを有利に低減する場合がある。後部屈折面１９は、ＩＯＬを設ける間に、天然カプセルバッグ２４に保護を与えることがある。例えば、ＩＯＬは、天然カプセルバッグ２４との直接的な接触を阻止または防止されるが、これは、ＩＯＬが、代わりにデバイス１０に接触するためである。別の例としては、硝子体が、ＩＯＬとの接触を阻止または防止される。ＩＯＬの一部分（例えば触角）が脱出するのに充分な大きさの開口を含まないデバイス１０の側壁は、ＩＯＬを設ける間に、天然カプセルバッグ２４に保護を与えることがあるが、これは、例えば、ＩＯＬが天然カプセルバッグ２４との直接的な接触を阻止または防止するためである。
【０１９９】
人工カプセルデバイス１０は、眼１２に埋め込まれるように適合される。人工カプセルデバイス１０は、眼１２の内部に挿入される、生体適合性のある素材を好ましくは含む。人工カプセルデバイス１０は、好ましくは、折り畳まれて、角膜切開部を通じて注射システムを介して挿入されるように、変形させることが可能であり、その切開部は、約０.１ｍｍから約１０ｍｍの間、好ましくは約１.５ｍｍから約３ｍｍの間の範囲である。角膜切開部のサイズは、複数の要因に基づき変わるが、そのような要因としては例えば、人工カプセルデバイス１０の体積、人工カプセルデバイス１０の可塑性、人工カプセルデバイス１０を通して送り込む注射カートリッジの体積、摩擦力、それらの組み合わせなどがある。嚢切開部は、好ましくは約４ｍｍから約７ｍｍの間（例えば約６ｍｍ）であるが、フェムト秒レーザーが使用される場合、概してフェムト秒レーザーは、虹彩を通じて嚢切開を作製できないことから、嚢切開部は、患者の瞳孔の散大直径よりも小さいものとするべきである。手作業で作製される嚢切開部は、フェムト秒レーザーで作製される嚢切開部とほぼ同じサイズであることがあるが、これは、作製プロセスを通じて、開裂の境界を直接的に可視化することが適切であるためである。嚢切開部は、約３ｍｍから約８ｍｍの間、好ましくは約４ｍｍと約７ｍｍの間の範囲である。埋め込みの間、折り畳まれた人工カプセルデバイス１０は、角膜切開部を通り、嚢切開部を通って、患者の天然カプセルバッグ２４の内部に至る（図１）。天然カプセルバッグ２４は、完全にもしくは部分的に無傷であるか、または無傷ではないか、または欠けているかもしくは僅かに残っていることがある。もっとも、無傷の天然カプセルバッグ２４には、天然のレンズ素材を含めず、かつ無傷の毛様小体を含めた上で、連続した曲線の嚢切開部以外にデバイス１０を設けることが好適である。天然カプセルバッグ２４が充分な無傷ではない場合、代替の手法が採用されてもよく、例えば、デバイス１０を後房に固定する（例えばデバイス１０を強膜壁に縫合する）。人工カプセルデバイス１０は、好ましくは充分な弾性を有し、ひとたび眼１２の内部に配置されると、予め折り畳まれたそれ自体の形状を、例えば自己展開によって再び開くことができる。シリコーン、ポリイミド、コラマー、およびアクリルを含む素材を含む眼内レンズは、１つまたは複数のこれらの能力を有することが可能である。実装例によっては、人工カプセルデバイス１０は、生体適合性のある光学的に澄んだ素材を含み、このような素材は、折りたたみ可能な眼内レンズに使用されるものと同様かまたは一致する。
【０２００】
人工カプセルデバイス１０は、好ましくは、注射システムを使用することによって患者の眼１２の天然カプセルバッグ２４に挿入される。注射システムによって、人工カプセルデバイス１０は、より小さな形状に折り畳まれるか、または自動で折り畳まれることが可能となるが、それは、人工カプセルデバイス１０が、折り畳まれていない人工カプセルデバイス１０の直径よりもはるかに小さな切開部を通して適合することが可能になるように、人工カプセルデバイス１０を、注射システムを通じて前に進めるためである。ＩＯＬを眼内に注入するために通す注射システム、例えば、ねじ型前進システムの円筒状カートリッジおよび前進ロッド、またはプランジャ前進システムは、人工カプセルデバイス１０を用いる使用に適するものと思われる。他の注射システムも可能である。
【０２０１】
人工カプセルデバイス１０は、好ましくは、嚢切開部を作製するためにレーザー（例えばフェムト秒レーザー）の使用を伴う白内障手術を受けた患者の眼１２の天然カプセルバッグ２４に挿入される。もっとも、嚢切開部を手作業で作製した後に天然カプセルバッグ２４内へ挿入することも可能である。フェムト秒レーザーは、嚢切開部を作製するために使用されることがあり、例えば、同一のフェムト秒レーザーまた異なるフェムト秒レーザーまたは異なるデバイスを使用して、主要な創傷部、穿刺部、および任意の角膜または角膜縁の滅張切開部を含めた他の切開部を作った後などがある。患者の天然のレンズ、例えば、混濁部によって曇っており、それゆえそれ自体を「白内障」と称されることがあるものは、本技術分野で公知の技術を使用して除去される。例えば、天然のレンズ素材を粉砕して真空で吸引し、天然カプセルバッグ２４を部分的に、完全に、または無傷で残すか、または欠けたものもしくは残渣としてもよい。灌注／吸引を介するなどの本技術分野で公知の技術を使用して、残りの皮質を除去してもよい。無水晶体の屈折は、例えばテキサス州フォートワースのＡｌｃｏｎ  Ｓｕｒｇｉｃａｌ（カリフォルニア州アリソ・ビエホの旧ＷａｖｅＴｅｃ）から入手可能なＯＲＡシステムまたはカリフォルニア州プレザントンのＣｌａｒｉｔｙ  Ｍｅｄｉｃａｌ  Ｓｙｓｔｅｍｓ，  Ｉｎｃ．から入手可能なＨｏｌｏｓ  ＩｎｔｒａＯｐシステムなどの眼球内の屈折デバイスを使用して、完成させてもよい。ＩＯＬの算出は、例えばＭａｃｋｏｏｌアルゴリズムなどのアルゴリズムを使用して、実施してもよい。患者の天然カプセルバッグ２４および前眼部２６は、ヒアルロン酸ナトリウム（例えばＰｒｏｖｉｓｃ、Ｈｅａｌｏｎ、Ｖｉｓｃｏａｔ）などの粘弾性の素材により膨らませてもよい。人工カプセルデバイス１０は、例えば小さな筒状の形状に折り畳むことによって、注射デバイス内に装填し、かつ天然カプセルバッグ２４内に注入してもよい。粘弾性の素材は、人工カプセルデバイス１０の背後から、および前眼部２６から除去してもよい。偽水晶体の屈折は、標準的な自動屈折器または手術中屈折システムと同様のシステムを用いて実施してもよい。この計算は、好ましくは、承認されたプロトコルを使用して実施される。ＲｅＳｃａｎ７００を備えたＺｅｉｓｓ  ＯＭＰＩ  Ｌｕｍｅｒａ７００などの手術中の光干渉断層撮影システムは、角膜および網膜に対する眼１２における人工カプセルデバイス１０の正確な位置を測定するために使用することができる。術前の角膜および眼軸の長さの測定と併せて、ＯＣＴ測定によって決定される人工カプセルデバイス１０の位置は、外科医がバージェンスの式を使用して、所望の屈折を与えるレンズの出力を決定することを可能にすることができる。
【０２０２】
承認されたプロトコルを使用した屈折例およびそれに伴う背景情報を本明細書にて議論する。本技術分野の現時点の状況では、有効レンズ位置の従属変数を見積もることができるように、複数の独立変数を測定することが必要である。Ｈｏｌｌａｄａｙ２式（最も一般的な現代の式の１つ）中の７つの独立変数は、重要度の高いものから順に（１）眼軸長、（２）平均角膜屈折出力、（３）角膜横径、（４）屈折、（５）前眼部の深度、（６）レンズ厚さ、および（７）年齢である。これらの変数は、次いで、有効レンズ位置を見積もるために使用される。しかし、この位置は、単なる見積もりまたは予測にすぎない。この位置の見積もりまたは予測が誤っている場合、術後の屈折結果が損なわれることになる。そのため、重きを置くべきことは、ＥＬＰを見積もることというより、ＥＬＰを決定する能力である。人工カプセルデバイス１０は、本明細書に記載されるように、１つ、２つまたはそれよりも多くの異なる方法で、ＥＬＰを決定する助けとすることができる。
【０２０３】
図４Ａは、人工カプセルデバイス１０を患者の眼１２の内部に挿入し配置するための方法例のフローチャートであり、図１〜３に引き続き参照される。まず、公知の技術を使用して、患者の天然のレンズのレンズ厚さを術前に決定する。次に、患者の天然のレンズの厚さと同様の厚さを有する人工カプセルデバイス１０を選択する。人工カプセルデバイス１０の内面１７が、患者の天然のレンズの後表面と同じ場所にあるようにサイズを合わせた、人工カプセルデバイス１０を選択することが好適であり、その結果、ＩＯＬ２８が人工カプセルデバイス１０に挿入された際に、ＩＯＬ２８は、患者の天然のレンズで既に占められているところに一致する場所に実質的に配置されることになる。天然カプセルバッグ２４は開いたままではあるが、角膜からレンズまでの表面、または背面から網膜の測定の通りに、非常に薄いレンズを組合せて使用して、天然のレンズとはわずかに異なるところにレンズが配置されるようにしてもよい。理想通りの出力を有した人工レンズが、適切に特定されて眼１２内に挿入され、所望の屈折のエンドポイントをもたらすことができる。
【０２０４】
フェムト秒レーザーおよび／または手動の角膜曲率計を使用して、主要な創傷部、穿刺部、および任意の角膜または角膜縁の滅張切開部を形成してもよい。フェムト秒レーザーおよび／または手作業の技術を使用して、嚢切開部を作製してもよい。次いで、本技術分野で公知の技術を使用して、患者の天然のレンズまたは混濁部を除去する。灌注／吸引を介するなどの本技術分野で公知の技術を使用して、残りの皮質を除去する。患者の天然カプセルバッグ２４および前眼部２６を、粘弾性の素材で充填し、人工カプセルデバイス１０を、天然カプセルバッグ２４内に挿入する。次いで、偽水晶体の屈折を実施するための準備の際に、粘弾性の素材を、人工カプセルデバイス１０の背後から、および前眼部２６から除去する。
【０２０５】
ＩＯＬ２８の位置を特定および制御することを可能にすることによって、ＩＯＬ２８の選択を、Ｈｏｌｌａｄａｙ２式中でＥＬＰのために使用する７つの変数とは無関係としてもよい。むしろ、バージェンスの理論式を介して、角膜屈折出力、有効レンズ位置、および眼軸長を使用して、所望の屈折結果を与えることができる正確なＩＯＬ２８を具体的に算出することができる。現状使用されている式の弱点は、ＥＬＰを正確に見積もることも予測することもできないことである。術前の理論計算が正しいことを確認するために、手術中屈折システム、網膜検影法を介して、または他の公知の方法によって、人工カプセルデバイス１０を患者の眼に埋め込んだら、屈折を手術室で実施してもよい。屈折は、技術的には偽水晶体の屈折となり、それは、人工カプセルデバイス１０の後部屈折面１９が、例えば＋１ジオプトリーなどの屈折出力を有することである。
【０２０６】
ピギーバックレンズの正しい眼球内での出力を決定するための方法は、数式１を使用して埋め込まれるＩＯＬ２８の出力を最初に決定することによって計算されてもよい。
【数１】
2019130329.tif 000003
上式で、ＩＯＬｅ＝ＩＯＬ出力であり、ＥＬＰｏ＝有効レンズ位置であり、Ｋｏ＝正味の角膜の出力であり、Ｖ＝頂間距離であり、ＰｒｅＲｘ＝術前の屈折（人工カプセルデバイスを設けた後の術中の屈折も表すことができる）であり、ＤＰｏｓｔＲｘ＝所望の術後の屈折である。
【０２０７】
有効レンズ位置（ＥＬＰまたはＥＬＰｏ）は、角膜の第２の主平面から薄型ＩＯＬ同等物の主平面までの距離である。角膜の角膜屈折出力（Ｋｋ）は、式２を使用して、正味の角膜の光学出力（Ｋｏ）に変換することができる。
【数２】
2019130329.tif 000004
例えば、Ｋｋが４４．５０Ｄである場合、Ｋｏ＝４４．５０Ｄ×０．９８７６５４３１＝４３．９５Ｄである。その際に、角膜の正味の光学出力は、４３．９５Ｄとなる。
【０２０８】
術前の理論上のＩＯＬ計算を無水晶体の屈折、人工カプセルデバイスの屈折、およびＩＯＬ埋め込み後の屈折と比較することによって、外科医は、術後の屈折結果の精度を大きく向上させることができる。
【０２０９】
さらに図４Ａを参照れば、ひとたび適切なＩＯＬ２８を選択すると、人工カプセルデバイス１０および前眼部２６を、粘弾性の素材で再充填し、残りの屈折エラーに基づいて適切なＩＯＬ２８を選択して人工カプセルデバイス１０内に挿入する。次いで、粘弾性の素材を眼１２から除去し、水分補給や縫合などの標準的な方法によって、創傷を閉じる。眼１２の内部の人工カプセルデバイス１０およびＩＯＬ２８の位置に影響を及ぼすことのできる正常な眼圧を確保すると共に、最後の確認のための屈折を完成させてもよい。この時点で重大なエラーが見いだされた場合、外科医は、埋め込まれたＩＯＬを除去して、その埋め込まれたＩＯＬをより望ましい（例えば、より望ましい屈折出力を有する）ＩＯＬに置き換えてもよく、その際、ＩＯＬ２８が人工カプセルデバイス１０に含有されるという保護的な性質により、壊れやすい天然カプセルバッグ２４を傷つけるリスクは実質的にはない。ＩＯＬを除去および挿入するという、天然のカプセルデバイス１０によってもたらされる能力は、本明細書にさらに記載されている。
【０２１０】
デバイス１０は、独立型の眼内レンズとして、無水晶体の一次補正に使用されてもよい。術前の測定および／または理論式に基づいて、特殊なレンズを含むデバイス１０を選んでもよい。無水晶体の方式では、術中の収差測定を使用し、それ自体のレンズまたは後部屈折面１９を含むデバイス１０を選択する際の助けとすることもできる。この技術および実装は、必ずしもＥＬＰの予測および特定を向上させるのに活用される訳ではないが、一方で、独立型眼内レンズは、将来的な実装のために様々なタイプの他の技術を含む能力を有し、デバイス１０を独立型眼内レンズとして使用することは、合理的な解決策である。
【０２１１】
本明細書に記載されるような人工カプセルデバイスを埋め込むための以下の方法または外科的処置は、同性かつ体重が２．４ｋｇから３．２ｋｇの間の３頭のニュージーランドシロウサギを使用した動物試験で、および同性かつ体重が３．２ｋｇから３．６ｋｇの間の５頭のニュージーランドシロウサギを使用した動物試験で、成功裏に使用されている。動物を、少なくとも７日間隔離し、処置を始める前に、異常の有無について念入りに検査した。手術のため、それぞれの動物を、１％シクロペントラート塩酸塩および２．５％フェニレフリンの液滴を各５分間隔で３回、局所的に適用することで瞳孔散大することによって準備した。７：１でそれぞれ混合したケタミン塩酸塩（５０ｍｇ／ｋｇ）およびキシラジン（７ｍｇ／Ｋｇ）を筋肉内注射することで、麻酔した。１滴のプロパラカイン塩酸塩による局所麻酔も、手術を始める前にそれぞれの眼に施した。眼の動きおよび動物の呼吸を術中にモニターして、適切なレベルの麻酔の維持を確保した。手術の間に、必要に応じて、追加の麻酔を筋肉内に行った。眼の周りの範囲を、無菌方式にて布で覆った。瞼を引き込むために、開瞼器を設けた。手術を始める直前に、１滴の５％ポビドンヨード（ＰＶＰ−Ｉ）および１滴の抗生物質を眼の表面に施した。無菌技術およびＺｅｉｓｓの外科用顕微鏡を使用して、円蓋ベースの結膜被覆を成形した。三日月刃を使用して、角膜−強膜の切開部を作製し、３．０ｍｍの角膜切開刃を使用して、前房に入るための最初の３．０ｍｍの角膜縁の切開部を作製した。嚢切開鉗子を使用して、約５．０ｍｍから約５．５ｍｍの直径を有し、かつ中心に位置した連続曲線からなる嚢切開（ＣＣＣ）を作製した。
【０２１２】
ハイドロダイセクション後、水晶体超音波吸引ハンドピース（ＡｌｃｏｎＩｎｆｉｎｉｔｉシステム）を後房内に挿入して、レンズ核および皮質物質を除去した。１ミリリットル（ｍＬ）のエピフリン１：１０００および０．５ｍＬのヘパリン（１０，０００ＵＳＰユニット／ｍＬ）を各灌注溶液５００ｍＬに添加して、瞳孔散大を促進し。炎症を制御した。嚢内での手技を、天然のカプセルバッグ内全体にわたって起こるように、水晶体超音波吸引と共に使用した。次いで、残りの皮質を、灌注／吸引（Ｉ／Ａ）ハンドピースで除去した。天然のレンズを除去した後、眼粘弾性手術デバイス（ＯＶＤ）（ＡｍｖｉｓｃＰｌｕｓ、Ｂａｕｓｃｈ＆Ｌｏｍｂ）を使用して、天然のカプセルバッグを膨らませた。
【０２１３】
図４Ｂ〜４Ｄに示すように、次いで、外科医は、切開部サイズを少し増やした後、適切なインジェクタシステム（Ａｌｃｏｎ  Ｌａｂｏｒａｔｏｒｉｅｓの「Ａ」カートリッジおよびＭｏｎａｒｃｈＩＩインジェクタ；ＭｅｄｉｃｅｌのＡｃｃｕｊｅｃｔ２．２−１Ｐインジェクタ）を使用して人工カプセルバッグを注射した。人工カプセルデバイスの注射器への装填は、順調であったことが見出された。人工カプセルデバイスが、部分的に天然のカプセルバッグから注出された場合（例えばフィブリンの形成、縮瞳、インジェクタの制約などのために）、人工カプセルデバイスを、鍔のボタンフックで操作して、バッグ内の固定を完了させることが可能であった。インジェクタを注意深く制御することによって、インジェクタからの急速なまたは制御されない人工カプセルデバイスの放出を抑制または防止することがある。インジェクタのプランジャが、人工カプセルデバイスに乗り上げた時でさえ、天然のカプセルバッグにおける注射が可能であった。
【０２１４】
図４Ｅ〜４Ｇに示すように、これに続いて、ＭｏｎａｒｃｈＩＩインジェクタおよび「Ｃ」カートリッジを使用して、ＩＯＬ（ＡｃｒｙＳｏｆＳＮ６０ＡＴ、Ａｌｃｏｎ製の一体型疎水性アクリルＩＯＬ）を挿入した。すべての事例において、人工カプセルデバイス内で、ＡｃｒｙＳｏｆレンズが完全に固定されていた。装填／注入プロセスの間に発生した可能性のある損傷について、デバイスおよびＩＯＬを、高倍率下で注意深く検査した。人工カプセルデバイスおよび人工カプセルデバイスの内部のＩＯＬを中心に据えることは、全ての場合において優れていることが見出された。３つの眼において、人工カプセルデバイスを含有する天然のカプセルバッグとＡｃｒｙＳｏｆレンズは、やや楕円形であった。
【０２１５】
手術後に、抗生物質／ステロイド軟膏（ネオマイシンおよびポリミキシンＢ硫酸塩、およびデキサメタゾン）の組み合わせを。眼に塗布した。術後最初の１週間目には、同じ軟膏を１日当たり４回、眼に配した。１週間後に軟膏を中止した。術後２週目には、各動物に、酢酸プレドニゾロンの液滴を１日４回局所的に与えた。術後３週目には、各動物に、酢酸プレドニゾロンの液滴を１日２回局所的に与え、術後３週目以降には滴下を中止した。
【０２１６】
眼を１日目に念入りに評価し、また、スリット光試験にて術後１、２、３および４週目（±２日）に眼の炎症応答についてスコア化することによって評価し、写真を撮影した（下記を参照）。これらの試験のそれぞれにおいて、シクロペントラート塩酸塩溶液とフェニレフリンの組み合わせを用いて、ウサギの眼を散大させた。１１の特定のカテゴリーでの標準的なスコア化方法が、各試験で使用され、そのような方法には、角膜の浮腫、ならびに細胞の存在および前房内の発赤の評価が含まれた。ＣＣＣサイズ、前部カプセルの混濁形成（ＡＣＯ）、後部カプセルの混濁形成（ＰＣＯ）、および観察された任意の嚢状線維症に関して、研究責任者の裁量で写真を文書化することを目的として、完全に散大させた瞳孔を用いた球後照射像を得た。画像を提供し、本明細書にさらに詳細に議論する。
【０２１７】
臨床試験４週目の後、ケタミン塩酸塩とキシラジンの７：１混合物の１〜２ｃｍ３（ｃｃ）の筋肉内注射を使用して、動物を麻酔し、次いで、１ｍＬの静脈ペントバルビタールナトリウム／フェニトインナトリウムの腹腔内注射を用いて、人道的に安楽死させた。眼球を摘出し、１０％中性ホルマリン緩衝液中に置いた。次いで、眼球を赤道の直前で冠状に二等分した。ＡＣＯやＰＣＯの発達ならびにＩＯＬの固定を評価するために、後表面（Ｍｉｙａｋｅ−Ａｐｐｌｅ  ｖｉｅｗ）からの精査および写真撮影を実施した。確立された方法に従って、ＡＣＯおよびＰＣＯの程度および重症度をスコア化した。
【０２１８】
精査および写真撮影の後、全ての眼球を切片とし、カプセルバッグを含む前眼部を、標準光学顕微鏡用に処理し、ヘマトキシリンおよびエオシン（Ｈ＆Ｅ）で染色した。細胞のタイプ、成長の程度および経路などの特徴を、連続的な顕微鏡写真によって添付した。
【０２１９】
図４Ｈ〜４Ｊは、別の人工カプセルデバイス例４００を説明し、ここでは、図４Ｈは側面図であり、図４Ｉは前方平面図であり、図４Ｊは図４Ｉの線４Ｊ〜４Ｊに沿った断面図である。デバイス４００は、本明細書に記載の動物試験に使用した人工カプセルデバイスの例示であり、示したものにいくらかの修正を加えている。
【０２２０】
デバイス４００は、後側部４０２と前側部４０４とを含む。後側部４０２は、約５ｍｍから約１０ｍｍの間の直径４０８を有する（例えば約９．５ｍｍ）。前側部４０４は、約５ｍｍから約１０ｍｍの間の直径４１０を有する（例えば約９ｍｍ）。前側部４０４の直径４１０は、後側部の直径４０８よりも約０．２５ｍｍから約１ｍｍ（例え約０．５ｍｍ）の間で小さいことがある。デバイス４００は、後側部４０２からフランジ４０６までの直径４０８を有したほぼ円筒形の部材と、フランジ４０６の前方の直径４０８から直径４１０まで先細くなったテーパ部分と、テーパ部分から前側部４０４まで直径４１０を有する別のほぼ円筒形の部材とを含む。テーパ部分は、まっすぐ、アーチ状および／またはそれらの組み合わせであってもよい。
【０２２１】
後側部４０２は、概ね平坦端の形状と、後側部４０２の端部から内部へ入り込む円形の屈折性部分４１４とを有し、図４Jに最も良好に見ることができる。屈折性部分４１４は、デバイス４００に屈折性の特性を与える。屈折性部分４１４は、約４ｍｍから約９ｍｍ（例えば約５．９ｍｍ）の間の直径４２４を有する。図示された屈折性の部分４１４は、約１９．３２ｍｍの曲率半径４２６がある）、５Ｄの屈折出力を有するが、他の屈折出力（例えば０Ｄ、＜０Ｄ、＞０Ｄ、±３５Ｄなど）および曲率半径（例えば少なくとも部分的に１つまたは複数の屈折出力、直径４２４、素材などに依存する）もまた可能である。
【０２２２】
前側部４０４は、開口４１０を含み、その開口は、本明細書に議論されるようなＩＯＬの挿入を可能にする。開口４１０は、約５ｍｍから約１０ｍｍ（例えば約９ｍｍ）の直径４１８を有することがある。デバイス４００の側壁は、任意で径方向内側に延び、その結果、開口４１０は、大直径でまたは最大直径（例えば、デバイス４００の側壁の打ち表面の直径に基づく）を有することがある。開口４１０がさらに大きいならば、ＩＯＬの挿入の助けとなるおよび／または体積および／もしくは量を低減させることがあり、小さな切開部内への挿入の助けとすることができる（例えば、注射デバイスを通じてさらに簡単に内部に詰め込むおよび／または前に進めることによって）。開口４１０がさらに小さいならば、ＩＯＬを封入する助けとなることがある（例えばデバイス４００の内部容積をより良く限定するおよび／または挿入されたＩＯＬ上での前方へのドリフトを防止する）。前側部４０４および／または後側部４０２は、径方向の外部にリップまたは隆起４３２を含んでいてもよい。
【０２２３】
フランジ４０６から屈折性部分４１４の間の距離４３０は、約０．５ｍｍから約２ｍｍ（例えば約１ｍｍ）とすることができる。前端４０４から屈折性部分４１４の間の距離４２０は、約１ｍｍから約５ｍｍ（例えば約２．５ｍｍ）とすることができる。本明細書に記載されるように、フランジを含むデバイスでは、フランジは、デバイスの縦軸に沿ってどこにあってもよい。
【０２２４】
デバイス４００は、後端４０２および前端４０４の間に側壁を含む。側壁は、約０．１ｍｍから約０．５ｍｍ（例えば約０．２６ｍｍ）の間の径方向厚さ４２２を有することがある。側壁は、任意で、屈折性部分４１４の後方および／または前方もしくは実質的に開口４１２と長手方向に等しくなるように延びていてもよい。側壁は、前側部４０４および／または後側部４０２に向かって延び、リップまたは隆起４３２形成してもよい。
【０２２５】
図４Ｈ〜４Ｊに図示されるデバイス４００は、約０．３ｍｍの前部−後部厚さ４２８と、約０．２５ｍｍの径方向厚さ（（直径４１６−直径４０８）／２）とを有するフランジまたは輪４０６を含むが、デバイスの外径が直径４０８となるよう動物試験で使用したデバイスから、フランジ４０６を除いた。フランジ４０６を除く場合、他の厚さも可能である。例えば、フランジ４０６がさらに厚い寸法を有するならば、デリバリシリンジに装填および／または眼に挿入すると裂けてしまうという傾向が少なくなることがある。
【０２２６】
人工カプセルデバイス１０は、安全性が増すという副次的な効果を備えた所望の屈折目標を実現する能力を高めることができる。本明細書に記載の人工カプセルデバイス（例えば人工カプセルデバイス１０および／またはその変形物）は、１つまたは複数のこれらの利点を、いくつかの方法のうち１つまたは複数で与えることができる。様々な可能な利点を付番して挙げるが、それぞれの利点は、下位の利点または代替の利点を含むことがあり、全てのデバイス１０は、各列挙物あるいは記載した可能な利点を達成することを必要とする訳ではない。
【０２２７】
第１に、図１〜３を再度参照すると、人工カプセルデバイス１０は、視軸１５に沿ってＩＯＬ２８を中心に配置させることができる。フェムト秒白内障レーザーシステムは、混濁部の光学中心というよりむしろ患者の視軸１５の周囲で、嚢切開部を中心に配置することができる。嚢切開部とは、結局のところは人工カプセルデバイス１０を中心に据える物であり、これは、嚢切開部が、人工カプセルデバイス１０が挿入される際に通る開口であるためである。嚢切開部は、人工カプセルデバイス１０の中心に近接して配置され、人工カプセルデバイス１０を中心に据える。人工カプセルデバイス１０は、任意で、毛様体溝２２内に延びて中に適合するフランジ２０を介して、安定化されることがある。フランジ２０は、人工カプセルデバイス１０を患者の視軸１５の中心に据えて機械的に保ち、以後の人工カプセルデバイス１０の移動または転位を阻止または防止することができる。もっとも、中心への配置および移動の阻害は、フランジ２０がなくても可能でもある。
【０２２８】
視軸１５上でＩＯＬ２８を中心に配置させることは、ＩＯＬ２８の視覚機能および患者が受ける恩恵には重要となる可能性がある。非球面レンズは、認容性の高い中心ずれを生じているが、中心への配置を改善することは、多焦点の眼内レンズの視覚性能を増加させるかまたは最適にするのに有利となる可能性がある。１ｍｍ未満までの中心ずれは、重大な病状を引き起こすことがあり、その結果、多くの場合、レーザー瞳孔形成術、ＩＯＬ再配置術、およびＩＯＬ交換術を含めた外科的な介入が実施される。人工カプセルデバイス１０は、嚢切開部を介して、視軸１５に沿って中心に配置される。ＩＯＬ２８は、一般に触角３０を含み、この触角は、人工カプセルデバイス１０内の対向する内表面を係合して、ＩＯＬ２８の位置を中心に据えて維持することができる。ＩＯＬ２８の外径は、折り畳まれずかつ触角３０を含む際に、実質的に人工カプセルデバイス１０の内径と等しいかそれよりも小さくてもよい。ＩＯＬ２８は、視軸１５中で中心に配置された人工カプセルデバイス１０の周縁部内表面と物理的に接触させることよって、中心に配置させることができ、これによって、人工カプセルデバイス１０において、および視軸１５においても、ＩＯＬ２８の位置は中心に据えられ維持される。
【０２２９】
第２に、人工カプセルデバイス１０は、天然カプセルバッグ２４の後表面を不注意により開裂させた場合、または予定されたネオジム−ドープ・イットリウム・アルミニウム・ガーネット（Ｎｄ：ＹＡＧ）レーザー後嚢切開術の後に、眼１２の前眼部２６と後眼部３２との間に人工バリアを提供することができる。白内障手術は全体的に成功しているとはいえ、最新の技術を利用した手術による合併症率が依然として約２％存在する。もっとも、これは、外科医各人の間で違いがある。眼科のトレーニングプログラム下にある研修医は、これまでに４〜７％前後の合併症率を有してきた。白内障手術に由来する多くの合併症は、混濁部を囲繞する天然カプセルバッグ２４を不注意により開裂することに起因する。天然カプセルバッグ２４はまた、前眼部２６を後眼部３２から隔てることによって、重要な解剖学的バリアを眼１２内に与える。後眼部３２は、硝子体、網膜、視神経、ならびに網膜中心動脈および静脈を含有する。天然カプセルバッグ２４によってもたらされるバリアの保全性が破られることで、前眼部２６と後眼部３２との間に、可能性としては眼表面との間に、流体連通が生じる。硝子体が、圧力の勾配に従って後眼部３２から流出することがあり、高圧（例えば後眼部３２）から低圧（例えば前眼部２６）の方へ流れる。圧力の勾配は、低圧の前眼部２６で、硝子体を手術切開部位へ直接的に流出させる原因となる可能性がある。硝子体は、創傷が手術切開部にある場合にその治癒を阻止または防止しかねず、さらに重要なことに、後眼部３２に直接続く微生物感染のための導管を提供しかねない。硝子体によって引き起こされる問題に加えて、天然カプセルバッグ２４のひびまたは裂け目は、後眼部３２におけるＩＯＬ２８の安定な埋め込みを阻止または防止することがある。外科医は、ＩＯＬ２８を毛様体溝２２または前房に設けることができるが、これら代替物のそれぞれは、それ自体で、それらに関連する合併症を生じる可能性がある。天然カプセルバッグ２４は、望ましくは無傷で維持されるが、それは、現在のところ、ひとたび損なわれれば、天然カプセルバッグ２４の保全性を一貫して回復させる方法はないためである。天然カプセルバッグ２４が損なわれた場合、人工カプセルデバイス１０は、前眼部２６と後眼部３２との間の人工バリアとして機能することがある。
【０２３０】
埋め込まれる眼内レンズ全体の約３０％で、視覚的に重大な後嚢の混濁化が発達する。これが発達した場合、Ｎｄ：ＹＡＧレーザーを使用し、天然カプセルバッグ２４の後表面に開口を作製して不透明な膜を除去してもよい。Ｎｄ：ＹＡＧレーザー後嚢切開術を実施した後にＩＯＬ２８を除去する場合、天然カプセルバッグ２４の後表面にＮｄ：ＹＡＧで作製した開口のため、硝子体と前眼部２６との間のバリアが失われていることから、重篤な合併症が生じる機会が劇的に上がる。人工カプセルデバイス１０を天然カプセルバッグ２４に設け、Ｎｄ：ＹＡＧレーザー後嚢切開術を実施する場合、人工カプセルデバイス１０は、適切なバリアを硝子体に提供することができ、後眼部３２の外へ硝子体が流出するのを阻止または防止する。触角３０は、人工カプセルデバイス１０の内部の場所にＩＯＬ２８を支持し、天然カプセルバッグ２４というより人工カプセルデバイス１０に接触することから、傷痕形成または線維症を生じる傾向を持たず、このことによって、将来的にレンズを除去することを容易にし、かつＩＯＬ２８を交換する間の合併症のリスクを低下させることができる。人工カプセルデバイス１０は、本明細書にさらに記載されるように、ＩＯＬ２８の交換を日常的に行うためのプラットフォームを提供することができる。
【０２３１】
第３に、人工カプセルデバイス１０は、慢性的な嚢の混濁形成を制限することができる。この混濁形成は、天然カプセルバッグ２４で起こり、ＥＬＰの変化、前嚢の被包形成、および視覚上重大な後嚢の混濁化のために屈折シフトを引き起こす可能性がある。白内障手術が実施された後、天然カプセルバッグ２４は、慢性的な変化に遭う。これらの変化は、手術後に天然カプセルバッグ２４上に残るレンズ上皮細胞の存在に大きく起因する。これらの上皮細胞は、成長を続け、問題を引き起こす可能性がある。例えば、天然カプセルバッグ２４の前表面が、時間と共に線維化して萎縮し、レンズの上の開き口を次第に小型化させる原因となることがある。天然カプセルバッグ２４全体が線維化され、かつ被包形成が持続する場合には、時間と共に小帯断裂と有効レンズ位置への変化が生じる可能性がある。約３０％の確率で、天然カプセルバッグ２４の後表面は、大きく混濁化してゆき、この混濁化は、Ｎｄ：ＹＡＧレーザー後嚢切開術で治療されることがある。上皮細胞の転位および増殖を制限することの効果は、人工カプセルデバイス１０が含む素材のタイプ（例えば、疎水性アクリル材であり、使用される現在公知のＩＯＬ材の中でも最も効果が高いという傾向がある）によって媒介される可能性がある。
【０２３２】
第４に、人工カプセルデバイス１０は、眼１２内に埋め込まれたＩＯＬ２８の有効レンズ位置を維持する助けとすることができる。術前の混濁部の寸法を人工カプセルデバイス１０に精確に適合させることによって、埋め込みレンズ２８のＥＬＰを予測する能力を高めることができる。現在のところ、ＩＯＬ２８のＥＬＰは、要因の数に基づき見積もられるかまたは予測され、そのような要因としては、中でも、前眼部２６の深度、レンズ厚さ、および角膜径が挙げられる。予測の正確性は、実際には極めて低く、結果として、患者が白内障手術後の屈折の目標として許容しうるレベル以内にあるのは、５０％に過ぎない。標準的なＩＯＬ計算に必要な眼の他の寸法が、極めて精確かつ正確に測定される一方で、ＥＬＰは、依然として、最後に残された捉えどころのない大きな変数のままである。白内障手術のための高い正確性を有しかつ予測可能なＩＯＬ計算を追求する際に克服するべきものである。
【０２３３】
ＥＬＰが大きく変動する理由は、混濁部とＩＯＬ２８との間の体積差のためである。６５歳のヒトの混濁部の平均厚さは、およそ４．５ｍｍであるが、患者によって変わる。これに対して、ＩＯＬ２８は、典型的には、１ｍｍ未満の厚さを有する、および／または天然カプセルバッグの内部の前方−後方（Ｚ軸）の安定性を何も生じないもしくは実質的に何も生じない。ＩＯＬの厚さは、デリバリ可否の問題から、概して混濁部の厚さに適合せず、これは、概してより厚いＩＯＬであるほど、より大きい切開部を使用するためである。結果として得られる体積差は、後眼部３２と前眼部２６との間の圧力差ならびに天然カプセルバッグ２４の収縮を生じさせる。天然カプセルバッグ２４の収縮は、ＩＯＬ２８の最終的に置かれる位置をシフトさせる可能性がある。レンズ厚さを術前に測定してもよく、相当する体積および厚さを有する人工カプセルデバイス１０を埋め込んでもよい。人工カプセルデバイス１０を埋め込むことによって、天然カプセルバッグ２４の体積を、絶え間なくおよび／または混濁部に従って効果的に支持してもよい。天然カプセルバッグ２４は、人工カプセルデバイス１０によって強化されており、そうでなければ天然カプセルバッグ２４およびその内容物を前後にシフトさせることになる力に、対抗することができる。このレンズカプセル体積の安定性および／または人工カプセルバッグおよび天然カプセルバッグの内部のレンズのＺ軸方向の安定性によって、ＩＯＬ計算の正確性を増加または大幅に増加させることができる。
【０２３４】
第５に、人工カプセルデバイス１０は、術中に偽水晶体の屈折を生じさせることができ、その一方で、さらに、元々埋め込まれていたレンズを取り出すことなく別のＩＯＬの埋め込みを可能にする。最近、ＩＯＬ計算の方法論に進展があり、その方法論は、ＷａｖｅＴｅｃ  ＯＲＡシステム、ＷａｖｅＴｅｃ  ＯｒａｎｇｅシステムやＣｌａｒｉｔｙ  Ｍｅｄｉｃａｌ  Ｓｙｓｔｅｍｓ，Ｉｎｃ．からのＨＯＬＯＳ  ＩｎｔｒａＯｐなど、術中の屈折デバイスを使用して、良好な屈折結果を与えている。これらのデバイスは、無水晶体の屈折、偽水晶体の屈折、円環状ＩＯＬ２８の位置合わせを伴う補助、Ｌｉｍｂａｌ  Ｒｅｌａｘｉｎｇ  Ｉｎｃｉｓｉｏｎｓを伴う補助を実施することができる。無水晶体の屈折は、眼の内部にあるレンズを利用しないことから、ＥＬＰは、さらに、このデータが説明することができない変数である。偽水晶体の屈折は、有用である可能性があるが、ＩＯＬ２８が埋め込まれた後にのみ情報を提供するに過ぎない。種々のＩＯＬ２８がさらに有益であることをデータが示す場合、医師は、有益性の低いＩＯＬ２８を取り出して、より有益なＩＯＬ２８を埋め込むことになる。ＩＯＬ２８の取り出しは、時間、手間、および技能を要し、天然カプセルバッグ２４、小帯、角膜、および／または眼１２内の他の構造体に損傷を与える原因となる可能性がある。人工カプセルデバイス１０を、その後表面（例えば後部屈折面１９）内に組み込んだ低出力レンズと共に使用することによって、医師が、この屈折面内での偽水晶体の屈折を実施することを可能にすることができ、さらに、医師が、人工カプセルデバイス１０内に二次レンズ（例えばＩＯＬ２８）を埋め込むことを可能にする。この二次レンズは、ＷａｖｅＴｅｃ  ＯＲＡシステムやＣｌａｒｉｔｙ  ＨＯＬＯＳなどの術中の屈折デバイスによって測定された通りに屈折差を作り出す。
【０２３５】
人工カプセルデバイス１０の挿入によって天然カプセルバッグ２４を安定化することを活かして、術中の光干渉断層撮影（ＯＣＴ）測定および／またはＡまたはＢスキャン超音波法を実施することができ、例えば使用してＺｅｉｓｓ  ＲＥＳＩＧＨＴ  ＯＣＴなどの市販のシステムおよび／または数多くの眼科用Ａ／Ｂスキャン超音波システムのいずれかを使用して実施する。ひとたび人工カプセルデバイス１０が天然カプセルバッグ２４内に挿入されると、前嚢および後嚢は、安定配置するステント留置する空間となり、これによって術後に大幅な変化が起こり得ないはずである。角膜の出力を知ることによって、角膜から人工カプセルデバイス１０の屈折面までの距離、および人工カプセルデバイス１０の屈折面から網膜の表面までの距離、つまりＥＬＰを決定することができる。ＥＬＰ、角膜の出力、人工カプセルデバイス１０の後面に備え付けられた屈折出力、および眼１２の眼軸長［例えば、角膜上皮の表面から内境界膜（ＩＬＭ）まで（超音波技術）、網膜色素上皮（ＲＰＥ）層（レーザー干渉技術）、角膜から網膜まで］を知ることによって、適切な二次レンズ（例えばＩＯＬのもの）を選択し、人工カプセルデバイス１０の開かれた空間内に埋め込んで、所望の屈折結果を与えることができる。
【０２３６】
第６に、人工カプセルデバイス１０は、医薬デリバリの手段として役立ててもよい。医薬、薬剤、および薬物、例えば徐放性の完全もしくは部分的に可溶性の埋め込み錠薬、徐放性の医薬薬剤で被覆された不溶性の人工装具および／または眼１２内への導入を意図された他の物質などは、膜の形成による隔離に遭わない場所で、視軸１５外の人工カプセルデバイス１０の中および／または上に設けられてもよい。白内障手術後の点眼剤の必要性を本質的に排除する、徐放性の埋め込み具の研究および需要は、膨大な数がある。人工カプセルデバイス１０は、そのような埋め込み具に適した容器となるが、これは、人工カプセルデバイス１０の内部の周縁が視軸１５外の場所を提供し、その場所は房水に常時接触し、かつ傷痕により被包化されてゆくリスクが実質的にないためである。人工カプセルデバイス１０の人工装具材のため、膜形成または被包化のリスクは、殆どないかまたはないものとなる。溶解または懸濁された医薬は、患者の視覚に影響を及ぼすことはなく、埋め込み手術の間に、人工カプセルデバイス１０内に直接的に導入することができる。さらに大きな医薬、例えば徐放性の埋め込み錠薬などを、人工カプセルデバイス１０に対する位置を機械的に維持するために成形してもよい。例えば、概ねドーナツ型の形状を有する徐放性の埋め込み錠薬を構築してもよく、それは、周縁の空間を残しかつ視軸１５を遮らないものであると共に、人工カプセルデバイス１０内に適合するようにサイズを合わせたものである。あるいは、人工カプセルデバイスの内部に適合するよう機械的に構成されている担体の内部に、徐放性の医薬薬剤を配置して、薬剤を定位置に確実に留まらせ、かつ実質的に解離した後であっても視軸の内部へおよび／または人工デバイスの外部へ転位させないようにしてもよい。
【０２３７】
第７に、人工カプセルデバイス１０は、医師がレンズの交換を将来的に実施することを可能にすることがあり、このことは、天然カプセルバッグ２４および小帯への損傷のリスクを低減または最小にすることができる。それによって、結局は、視覚を脅かす重篤な後遺症、例えば黄斑浮腫、黄斑円孔、網膜裂孔、網膜剥離、増殖性硝子体網膜症、および／またはあまり好ましくないレンズ埋め込み技術（例えば縫合または接着されたＩＯＬ２８、前房のＩＯＬ２８、後房のＩＯＬ２８など）につながる嚢の支えの喪失などのリスクを、実質的に低減または最小にすることができる。上記に述べたように、人工カプセルデバイス１０を天然カプセルバッグ２４に設け、Ｎｄ：ＹＡＧレーザー後嚢切開術を実施している場合、人工カプセルデバイス１０は、硝子体に適切なバリアを与える。人工カプセルデバイス１０の内部の場所でＩＯＬ２８を支持する触角３０は、傷痕を形成する傾向を持たず、このことによって、ＩＯＬ２８の将来的な除去および／または交換が容易となる。
【０２３８】
図５〜７は、別の人工カプセルデバイス１１０の例を示す。人工カプセルデバイス１１０は、約２．５ｍｍから約４．５ｍｍまでの厚さと、約９ｍｍの直径とを有する実質的に円盤状の形状であるが、他の寸法、すなわち人工カプセルデバイス１０に関して本明細書に記載されるような例として４００もまた可能である。人工カプセルデバイス１１０の厚さは、人工カプセルデバイス１１０の前表面１１４から後表面１１６の間の視軸１５に沿った距離である。前表面１１４は、約６ｍｍの直径を有する環状の開口１１８を含有する。人工カプセルデバイス１１０の後表面１１６の内面１１７の少なくとも一部は、屈折面、例えば後方の屈折面１１９を含む。人工カプセルデバイス１１０は、嚢切開部上に人工カプセルデバイス１１０を機械的に固定または中心に配置することができる、フランジ２０を（人工カプセルデバイス１０中に）欠いているかまたは含まない。嚢切開部の開口に対する相対的な人工カプセルデバイス１１０の体積によって、件の一体成型のＩＯＬ２８が折り畳まれて天然カプセルバッグ２４内に設けられるような方式と類似した所定の場所で、デバイスを保持してもよい。
【０２３９】
人工カプセルデバイス１１０は、フランジ２０を含む人工カプセルデバイス１０に比較して、ある程度の安定性を犠牲にしてもよい。フランジがない場合、人工カプセルデバイス１１０は、非フェムト秒レーザー白内障除去術（例えば従来の手作業による水晶体超音波吸引）に使用可能であることがあり、フェムト秒レーザーへのアクセスを欠いた外科医が用いるのに部分的に使用可能であることがある。
【０２４０】
人工カプセルデバイスの後面上にあるレンズ表面は、度のないレンズを有していてもよい。ある種の極度の近視は、＋１Ｄ屈折面からの恩恵を受けることはないが、これは、負のＩＯＬ２８の出力からの恩恵を受けるためである。これらの条件を有した患者のために、度のない、またはゼロ出力の後部レンズ表面を備えた人工カプセルデバイスを使用してもよい。
【０２４１】
人工カプセルデバイスは、後部の屈折レンズ表面（例えば−１Ｄ、−２Ｄ、−３Ｄ、−４Ｄ、−５Ｄ、−６Ｄ、−７Ｄ、−８Ｄ、−９Ｄ、−１０Ｄ、またはそれ以上）を有することがあるが、これは、ある種の極度の軸性近視（約３０ｍｍおよびそれを超える）が、このタイプのレンズから恩恵を受けることがあるためである。
【０２４２】
人工カプセルデバイスの後方の屈折面は、老眼の修正の助けとすることができる、多焦点のレンズ表面を含んでいてもよい。この多焦点のレンズ表面は、以下に限定されないが、屈折型、回折型、および分節型の多焦点屈折技術を含む。多焦点のレンズは、眼鏡平面において概ね度のないもの（例えば０Ｄ）から＋３Ｄ以上に及ぶ多焦点を与えるように設計してもよい。
【０２４３】
人工カプセルデバイスの後方の屈折面は、事前に存在した、および手術によって誘発された角膜乱視を修正する際の助けとなるように、球状、非球面状、および／または円筒状（乱視用）のレンズ表面を含んでいてもよい。多くの外科医が、白内障手術に必要な角膜切開により、−０．２５Ｄから−０．５０Ｄの間の乱視を導入することから、球状の角膜を有した多くの患者にさえ、この中和は有益であるものと思われる。円環状レンズの修正によるジオプトリー出力は、いっそうさらに高い程度の乱視を有する患者には、６ジオプトリーまで増加させることができる。
【０２４４】
本明細書に記載される実装例によっては（例えば図６に示される人工カプセルデバイス１１０、フランジ４０６が除去されているか決して形成されない人工カプセルデバイス４００）、人工カプセルデバイス（例えばバッグ、ボウル、筐体、構造、ケージ、フレーム）は、フランジを含まないか、またはフランジフリーである。ある種のそのような実装例としては、人工カプセルデバイス２１０の外周の周囲にタブまたは触角２０５を備える外縁が挙げられる。このへりは、連続していてもよく、接したタブ２０５は、連続すると考えられることもある。連続するタブ２０５は、天然のカプセルバッグにより良い付着を与えることがある、および／またはタブ２０５が連続していないデバイスよりも良いフィッティングを形成する。タブ２０５は、デバイス２１０を所望の位置（例えば中央）に配置させることもある。いくつかまたは全てのタブ２０５は、開口または穴２２０を、例えばタブ２０５のほぼ中央に含んでいてもよい。タブ２０５を備えた連続した外縁を備え、かつタブのそれぞれが開口または穴２２０を含む人工カプセルデバイス例２１０を、図８に図示する。へり、タブ２０５、および／または開口２２０は、人工カプセルデバイス２１０を様々なサイズおよび形状を持つ、天然のカプセルバッグの内部に適合する助けとすることができる。人工カプセルデバイス２１０は、好ましくは、開口２２０を通じていくらかの線維形成を可能にし、それによって、Ｎｄ：ＹＡＧレーザー後嚢切開術の場合にカプセル２１０を安定化させることができる。タブ２０５は、例えばシリコーン、シリコーン誘導体、アクリル、アクリル誘導体、生体適合性メタクリラート［例えばポリ（メタクリル酸メチル）（ＰＭＭＡ）］、コラマー、オレフィン類（例えばポリプロピレン）、ポリイミド、それらの組み合わせなどを含むことができる。タブ２０５は、デバイス２１０の残余部分と同じ素材を含んで（例えば一体にして形成されて）いてもよいし、またはデバイス２１０の残余部分とは異なる素材を含んで（例えばデバイス２１０の残余部分の上を覆って成型されて）いてもよい。デバイス２１０は、本明細書に記載の他の人工カプセルバッグと同様に、複数の部分および／または素材を含んでいてもよい。このことは、複数の機能を折衷した適性を有する素材を選択または使用することとは対照的に、そのコンポーネントの機能に適した素材を選択または使用することを有利に可能にする場合がある。デバイス２１０の残余部分が不透明な素材を含む際には、タブ２０５は、不透明および／または透明な素材を含んでいてもよいが、これは、例えば、光がタブ２０５に届かないように、デバイス２１０の残余部分の不透明な素材は、眼球内の散乱および／または目映さを低減または最小にすることができるためである。人工カプセルデバイス２１０は、内部リップ２３０を含むことができる。内部リップ２３０は、人工カプセルデバイス２１０の内部を一回りするように、部分的に、断続的に、または完全に巡らせることができる。リップ２３０は、ＩＯＬの触角を安定に保持して、眼が動く間にレンズが回転するまたは揺れ動くのを阻止または防止するように設計されてもよい。
【０２４５】
実装例によっては、人工カプセルデバイスは、意図的に、デバイスの後面の天然の形状に適合する形態から離れる。このことによって、人工カプセルデバイスの後面が、さらに大きな直径（例えば、生理学的に可能な最大の直径）を有することを可能にすることができ、それゆえさらに広い直径の埋め込み具を埋め込むことを可能にし、かつデバイスが支持するレンズにさらに多くの安定化効果を与えることを可能にする。
【０２４６】
実装例によっては、人工カプセルデバイス２１０は、少なくとも以下を含む：外部形態嵌合部品（例えば図８に示すタブ２０５）；外部形態嵌合部品の開口、すなわちこの開口により線維増多を起こすことができ、それによってデバイスの配置を安定化させることが可能になる（例えば図８に示すタブ２０５内の開口２２０）；および内部リップ／溝、すなわち標準的なＩＯＬの触角を固定するように構成されるリップ／溝（例えば図８に示すリップ２３０）である。
【０２４７】
図９Ａ〜９Ｄは、別の人工カプセルデバイス９００の例を図説するものであり、ここでは、図９Ａは、側面図であり、図９Ｂは垂直断面図であり、図９Ｃは、後方の平面図であり、図９Ｄは、前方の側面斜視図である。人工カプセルデバイス（例えばバッグ、ボウル、筐体、構造体、ケージ、フレーム）９００は、フランジを含まないか、またはフランジフリーであるが、フランジ（例えばフランジ２０）と組み合わせることも可能である。デバイス９００は、後側部９０２および前側部９０４を含む。後側部９０２は、概ね丸い形状を有する。図９Ｂに示されるように、後側部９０２は、屈折性部分を含み、屈折性部分は、デバイス９００に屈折特性を与える。
【０２４８】
図９Ｂおよび９Ｄに示されるように、前側部９０４は、開口９１０を含み、この開口は、本明細書に議論されるようなＩＯＬの挿入を可能にする。開口９１０は、鋭い縁（例えば図９Ｂおよび９Ｄに示されるような）、丸い縁（例えば本明細書の他の実装例に示されるような）などを有していてもよい。鋭い縁は、素材の体積を低減し、より小さな切開を通じてデバイス９００を挿入することを可能にする。開口９１０は、約５ｍｍから約１０ｍｍの間の直径（例えば約６ｍｍと約９ｍｍの間）を有していてもよい。デバイス９００の側壁は、任意で、径方向内側に延びておらず、その結果、開口９１０は、大きなまたは最大の直径（例えばデバイス９００の側壁の内表面の直径に基づく）を有していてもよい。さらに大きな開口９１０は、ＩＯＬを挿入する助けとなり、および／または体積および／もしくは質量を低減させることがあり、このことを、小さな切開部内へ挿入する助けとすることができる（例えば、注射デバイスを通じて内部に押し込むおよび／または前に進めることをさらに容易にすることによって）。開口９１０がさらに小さいならば、ＩＯＬを封入する助けとなることがある（例えばデバイス９００の内部容積をより良く限定するおよび／または挿入されたＩＯＬ上での前方へのドリフトを防止する）。
【０２４９】
図９Ｂおよび９Ｄに示されるように、デバイス９００は、内部リップ９１２を含む。内部リップ９１２は、人工カプセルデバイス２１０の内部を一回りするように、部分的に、断続的に、または完全に巡らせることができる。リップ９１２は、ＩＯＬの触角を安定に保持して、眼が動く間にレンズが回転するまたは揺れ動くのを阻止または防止するように設計されてもよい。リップ９１２は、デバイス９００の中点の直近にあり、例えば、後側部９０２から前側部９０４の間のほぼ半分にある平面の直近にある。リップ９１２は、前側部９０２の直近や前側部９０４の直近などにあり、デバイス９００の内部に挿入されるＩＯＬに基づいて設計および／または選択することができる。デバイス９００は、複数のリップ９１２を含んでいてもよく、そのリップは、例えば、複数のＩＯＬを係合するように、および／または１つのＩＯＬを係合するために複数の代替の位置を与えるように構成される。リップ９１２は、筒状構造を含んでいてもよく、例えば、ＩＯＬの触角をロック式に係合するように構成される（例えば、筒状構造の管腔内に、１つまたは複数の触角の末端部分を挿入することによって、触角で弾力的に筒状構造を押し込むことによってなど）。径方向内側に延びるのではなく（例えば図９Ｂおよび９Ｄに示されるように）、リップ９１２は、径方向外側に延ばすことができ、その際に例えば、デバイス９００の内部側壁に溝を含む。溝を含むリップ９１２は、一体成形されてもよい（例えばデバイス９００を成型する間に）および／または後で成形されてもよい（例えばレーザー・ミリングまたはダイヤモンド旋盤切削）。本明細書に記載のリップ９１２を組み合わせることも可能である。例えば、リップ９１２は、１つまたは複数のリップ９１２；表面および／または中点の直近の位置（複数可）；連続性および／または断続性；充填型および／または筒状；デバイス９００の側壁の内部に延びる溝；およびそれらの組み合わせを含むことができる。
【０２５０】
デバイス９００は、外周を一回りするｏｆデバイス９００の外周を一回りして、複数のタブまたは触角９０６を含む。タブ９０６は、接触しておらず、また連続していないと考えられることがある。連続していないタブ９０６は、さらに少ない素材を使用し、デバイス９００にさらに少ない体積および／または質量をもたらすことがあり、デバイス９００を小さな切開部にさらに容易に挿入することを可能にする。素材をさらに少なく使用することで、素材の使用がより少量になるためにコストが低減されることがある。上記に議論されたように、連続したタブは、天然のカプセルバッグにより良好な付着をもたらす、および／またはよりぴったりと合うが、より大きな体積および／または質量をデバイスに与えて、小さな開口への挿入を阻害することがある。用途に応じて、タブを含む本明細書に記載のデバイスは、タブを連続して、連続せずに、およびそれらの組み合わせで（例えば、外周の一部にわたってタブを連続して含む）含んでいてもよい。
【０２５１】
タブ９０６は、開口または穴または開口９０８を含む。図９Ａ〜９Ｄに図説される開口９０８は、タブ９０６全体を貫いて延びるが、タブ９０６を部分的にのみ貫いて伸展することができる。開口９０８は、デバイス９０８を縫合する際に、それ自体を通じて線維増多の発生を可能にすることなど、役立つことがある。タブ９０６には、前方に偏りのあるタブ９０６ａと後方に偏りのあるタブ９０６ｂとを含む。偏りのあるタブ９０６（例えば、交互の偏りを有するタブ９０６ａ、９０６ｂ）は、選択的にトルクやチルトが起こるのを阻害することができる。異なる偏りを持たせることに加えておよび／またはその代わりに、タブ９０６は、他の違い（例えば形状、素材、開口９０８がないこと、前方−後方の位置、方位、それらの組み合わせなど）を有してもよい。
【０２５２】
図１０Ａ〜１０Ｄは、人工カプセルデバイス１０００のさらに別の例を図説するものであり、ここでは、図１０Ａは側面図であり、図１０Ｂは垂直断面図であり、図１０Ｃは後方の平面図であり、図１０Ｄは前方の側面斜視図である。人工カプセルデバイス（例えばバッグ、ボウル、筐体、構造体、ケージ、フレーム）１０００は、フランジを含まないか、またはフランジフリーであるが、フランジ（例えばフランジ２０）と組み合わせることも可能である。デバイス１０００は、後側部１００２および前側部１００４を含む。後側部１００２は、概ね平らの形状を有する。図１０Ｂに示されるように、後側部１００２は、密な表面を含むが、実質的に一定な厚さと平行平面の表面は、屈折性部分を欠いていることを示し、このことは、ＩＯＬが充分な屈折出力を与える場合に（例えばジオプトリー値が低い場合に）有用であることがある。後側部１００２は、平面であるが、デバイス１０００の後方部の内表面は、湾曲したものとすることができ、その結果、外表面が平らであっても、デバイス１０００は、屈折出力をもたらすことができる。
【０２５３】
図１０Ｂおよび１０Ｄに示されるように、前側部１００４は、開口１０１０を含み、この開口は、本明細書に議論されるようなＩＯＬを挿入することを可能にする。開口１０１０は、鋭い縁（例えば本明細書の他の実装例に示されるような）、丸い縁（例えば図１０Ｂおよび１０Ｄに示されるような）などを有していてもよい。曲面は、鋭い面よりも光を伝送し易いことから、丸い縁を含む開口１０１０は、光の屈折を低減し、不要な反射または異常光視（dysphotopsia）を阻害および防止する可能性がある。
【０２５４】
図１０Ｂおよび１０Ｄに示されるように、デバイス１０００は、内部リップ１０１２を含む。内部リップ１０１２は、本明細書に議論されるものと同じ選択肢および／または特徴（例えばリップ９１２に関するもの）を含むことができる。リップ１０１２は、後側部１００２の直近にあり、例えば、後側部１００２から前側部１００４の間のほぼ半分にある平面の後方、および／またはタブ１００６の後方にある。リップ１０１２が本明細書に記載されている他のリップの選択肢を含むことに整合性を与えるため、リップ１０１２は、前側部１００４の直近、中点の直近などにあってもよく、デバイス１０００内に挿入されたＩＯＬに基づくものとすることができる。
【０２５５】
デバイス１０００は、デバイス１０００の外周を一回りする、第１の複数のタブまたは触角１００６と第２の複数のタブまたは触角１００７とを含む。タブ１００６、１００７は、本明細書に議論されるものと同じ選択肢および／または特徴（例えばタブ９０６に関するもの）を含むことができる。複数のタブ１００６、１００７は、接触しておらず、また連続していないと考えられることがある。複数のタブ１００６、１００７は、デバイス１０００の外周を一回りして互いに間隔を空けており、デバイス１０００の対向の２箇所に隆起している。複数のタブは、１箇所、２箇所（例えば図１０Ａ〜１０Ｄに示すような）、３箇所などで隆起していてもよい。複数のタブは、円周上に均等に間隔を空けてもよいし（例えば図１０Ａ〜１０Ｄに示すように）、円周上に不均等に間隔を空けてもよい。複数のタブは、同じタイプのタブ（例えば図１０Ａ〜１０Ｄに示すような）を含んでいても、異なるタイプのタブ（例えば、異なる前方−後方の偏り、形状、素材、開口１００８がないこと、前方−後方の位置、方位、連続性、それらの組み合わせなどを含む）を含んでいてもよい。複数のタブにおけるタブは、同じであっても異なっていても［例えば、異なる前方−後方の偏り（例えば、複数のタブ１００６中のタブ１００６ａ、１００６ｂで示されるような）、形状、素材、開口１００８がないこと、前方−後方の位置、方位、連続性、それらの組み合わせなどを含む］よい。前記タブが円周上に間隔を空けて複数のタブ（例えばタブ１００６、１００７）を含む実装例では、前記タブがデバイスの全周囲を一回りして延伸する場合よりも多くの係合（例えば、さらに大きくすることによって、連続させることによって、それらの組み合わせなど）を与えるように、前記タブが構成されていてもよい。円周上に間隔を空けて複数のタブ１００６、１００７を置くことによって、より少数のタブを使用することで、体積および／または質量が低減されることがあり、このことを、小さな切開部内へ挿入する助けとすることができる（例えば、注射デバイスを通じて内部に詰め込むおよび／または前に進めることをさらに容易にすることによって）。円周上に間隔を空けて複数のタブ１００６、１００７を置くことによって、より少数のタブを使用することで、素材の使用がより少量になるためにコストが低減されることがある。上記に議論されたように、連続したタブは、天然のカプセルバッグにより良好な付着をもたらす、および／またはよりぴったりと合うが、体積および／または質量を増加させる。適用に応じて、タブを含む本明細書に記載のデバイスは、タブを連続して、連続せずに、およびそれらの組み合わせで（例えば、外周の一部にわたってタブを連続して含む）含んでいてもよい。
【０２５６】
タブ１００６，１００７は、概ね短く、丸い縁の長方形の構造として図説されている。他の形状も可能であり、例えばアーチ状（例えば半円形）、細長（例えばデバイス１０００の外へ螺旋を描いた）、末端に特徴がある（例えばループ、フック）などがある。複数のタブ１００６，１００７が、円周上に間隔を空けている際には、デバイス１０００の外周は、さらに多量のタブ１００６、１００７を入れる余裕がある。
【０２５７】
図１０Ａ、１０Ｃおよび１０Ｄに示されるように、デバイス１０００は、ざらざらした表面１０１４を含む。ざらざらした表面１０１４は、細孔（例えば、デバイスの壁の一部にわたって延びている、デバイス１０００の壁全体にわたって延びている、環状、球状、細長、波立ったパターンを持つなど）、表面のきめのパターン、それらの組み合わせなどを含んでいてもよい。ざらざらした表面１０１４は、線維増多を捕捉、係合および／または促進するように構成されてもよい（例えば滑らかとしないことによって）。ざらざらした表面１０１４は、デバイス１０００を成形する間に形成されてもよい（例えば金型に一体化することによって）、および／またはデバイス１０００の成形後に形成されてもよい（例えばレーザー穿孔によって）。デバイス１０００および／または他の人工カプセルデバイスは、タブ１００６、１００７を欠いているか、またはタブフリーであってもよく、ざらざらした表面１０１４は、天然のカプセルバッグとの係合をもたらしてもよく、このことは、線維増多などを可能にする。デバイス１０００は、開口または穴１００８を含むタブ１００６、１００７と、線維増多を可能にするざらざらした表面１０１４とを含んでいてもよく、開口または穴１００８は、デバイス９０８を縫合する際に、それ自体を通じて線維増多の発生を可能にすることなど、役立つことがある。デバイス１０００のざらざらした表面１０１４は、複数のタブ１００６と１００７との間に配置されるが、デバイス１０００のどの部分とも、ざらざらした表面を含んでいてもよく、好ましくは光路に含まず、これらのことは、戦略的に線維増多をもたらすことを可能にする。ざらざらした表面１０１４は、外周を一回りして連続して、円周上に間隔を空けて（例えば図１０Ｃに示されるように）、継ぎ接ぎ状になどとしてもよい。デバイス１０００がタブを含む場合に、タブは、ざらざらした表面を含んでいてもよい。
【０２５８】
図１１Ａ〜１１Ｃおよび１１Ｅは、人工カプセルデバイス１１００のさらに別の例を図説するものであり、ここでは、図１１Ａは側面図であり、図１１Ｂは垂直断面図であり、図１１Ｃは後方の平面図であり、図１１Ｅは前方の側面斜視図である。図１１Ｄは、人工カプセルデバイス１１５０のさらに別の例後方の平面図を示し、このデバイスは、以下にさらに詳細に記載されるように、屈折性部分を除いてデバイス１１００と同様である。人工カプセルデバイス（例えばバッグ、ボウル、筐体、構造体、ケージ、フレーム）１１００は、フランジを含まないか、またはフランジフリーであるが、フランジ（例えばフランジ２０）と組み合わせることも可能である。デバイス１１００は、後側部１１０２および前側部１１０４を含む。
【０２５９】
後側部１１０２は、凸状の中心部分を備える概ね平らの縁を有する。図１１Ｃに示されるように、後側部１１０２の凸状の中心部分は、屈折性部分を含み、この屈折性部分は、デバイス１１００に屈折出力＞０Ｄ（レンズ出力が正であるかまたは集束している）の屈折特性を与える。後側部１１０２は、屈折出力＜０Ｄ（レンズ出力が負であるかまたは分岐している）の凹状の中心部分を含むことができる。図１１Ｃに示されるように、デバイス１１００の屈折性部分は、約６ｍｍの直径１１１６を有する。図１１Ｃに示されるように、同様のデバイス１１５０の屈折性部分は、約８ｍｍの直径１１６６を有する。多くのＩＯＬ光学系が、５．５ｍｍから６ｍｍの間の直径を有するが、これは、ＩＯＬの屈折出力の範囲が、典型的に±３５Ｄであり、ＩＯＬが、上記の屈折出力の範囲にわたって実質的に同じとなるように設計されるためである。その結果、屈折出力の低いＩＯＬであっても、屈折出力の高いＩＯＬと同様の直径を有する。デバイス１１００、１１５０の屈折性部分の直径は、屈折出力値によって制限されず、デバイス１１５０で証明されるように、このことによって、屈折性部分をさらに大きな直径とすることが可能になる。デバイス１１００、１１５０は、ＩＯＬの助けとするために小さな屈折出力値を与えることがあり、このことによって、より小さな屈折出力を有したＩＯＬを使用することが可能となる。その結果得られる総屈折出力は、屈折出力範囲全体に基づいて設計されることがもはやない場合に、そのようなＩＯＬの直径を増加させる可能性がある。デバイス１１００、１１５０は、追加の屈折出力をもたらすＩＯＬをデバイス１１００、１１５０内に挿入しなくとも充分な屈折出力を有する、屈折面を与えることができる。
【０２６０】
図１１Ｂおよび１１Ｄに示すように、前側部１１０４は、開口１１１０を含み、この開口は、本明細書に議論されるようにＩＯＬの挿入を可能にする。開口１１１０は、鋭い縁（例えば本明細書の他の実装例に示されるように）、丸い縁（例えば図１１Ｂおよび１１Ｅに示されるように）などを有していてもよい。鋭い縁は、素材の体積を低減し、より小さな切開を通じてデバイスを挿入することを可能にする。曲面は、鋭い面よりも光を伝送し易いことから、丸い縁を含む開口は、光の屈折を低減し、不要な反射または異常光視を阻害および防止する可能性がある。
【０２６１】
図１１Ｂおよび１１Ｅに示すように、デバイス１１００は、内部リップを欠いているか、または内部リップフリーである。内部リップを欠くことで、体積および／または質量が低減することがあり、このことを、小さな切開部に挿入する助けとすることができる（例えば注射デバイスを通じて内部に押し込むおよび／または前に進めることをさらに容易にすることによって）．内部リップを欠くことで、素材の使用がより少量になるためにコストが低減されることがある。あるいは、デバイス１１００は、内部リップを含んでいてもよい。本出願に記載のデバイスに関して記載された特徴は、互換性がある際には、任意で代替、交換、再編成などをしてもよい。
【０２６２】
デバイス１１００は、デバイス１１００の外周を一回りして、複数のタブまたは触角１１０６を含む。デバイス１１５０は、デバイス１１５０の外周を一回りして、複数のタブまたは触角１１５６を含む。タブ１１０６、１１５６は、本明細書に議論されたもの（例えばタブ９０６、１００６、１００７に関して）と同じ選択肢および／または特徴を含むものとすることができる。複数のタブ１１０６、１１５６は、接触しておらず、また連続するものと考えられることがある。タブ１１０６、１１５６は、前方向および／または後方向に偏りはなく、このことは、偏りのあるタブよりも製造を容易にすることがある。タブ１１０６、１１５６は、本明細書に記載のタブ９０６、１００６、１００７よりも大きい。タブ１１０６、１１５６がさらに大きいならば、天然のカプセルバッグへのデバイス１１００、１１５０の付着を増加させることがあり、および／または線維増多の表面積を増加させることがある。タブ１１０６、１１５６がさらに大きいならば、さらに大きな開口１１０８、１１５８を形成することが可能になることもある。必要に応じてタブを貫いて全体にわたって延びる開口は、小さなタブに生成させることが難しいことがあり、それゆえ、タブ１１０６、１１５６がさらに大きいならば、タブ１１０６、１１５６を貫いて全体に延びるさらに大きな開口１１０８、１１５８を、さらに容易に形成することが可能になることがある。開口１１０８、１１５８がさらに大きいならば、縫合する際に役立つことがある。
【０２６３】
本明細書に記載の人工カプセルデバイスまたは同様の人工カプセルデバイスは、製造業者（例えばＡｌｃｏｎ社のＡｃｒｙＳｏｆのレンズのプラットフォーム、Ａｂｂｏｔｔ  Ｍｅｄｉｃａｌ  Ｏｐｔｉｃｓ社のＴＥＣＮＩＳ  ＺＣＢ００、ＺＫＢ００、ＺＬＢ００、ＺＭＢ００、ＺＣＴ、およびＳｙｍｆｏｎｙ拡張焦点深度レンズ、Ｂａｕｓｃｈ  ａｎｄ  Ｌｏｍｂ社のｅｎＶｉｓｔａ、ＴＲＵＬＩＧＮ、Ａｋｒｅｏｓ、ＳｏｆＰｏｒｔおよびＣｒｙｓａｌｅｎｓ、Ｈｏｙａ  Ｃｏｒｐｏｒａｔｉｏｎ社のｉＳｅｒｔ、Ｅｌｅｎｚａ社のＥＬＥＮＺＡ  Ｓａｐｐｈｉｒｅ、Ｃａｌｈｏｕｎ  Ｖｉｓｉｏｎ社のＣａｌｈｏｕｎ光調整可能レンズなど）、素材（例えばＰＭＭＡ、シリコーン、比較的疎水性のアクリル、比較的親水性のアクリル、他のアクリル、コラマー、それらの組み合わせなどを含む）、生成物のタイプ（例えば無水晶体の、偽水晶体の）、屈折出力（例えば負の、プラナーのおよび正の）、断片の数（例えば１個、２個、３個またはそれ以上）、視調節（例えば視調節型および非視調節型）、サイズ（例えば直径、厚さ）、形状（例えば円盤状、ドーナツ状、対称、および非対称）、触角のタイプおよび質、デリバリシステム、デリバリ履歴、拡張履歴、それらの組み合わせなどに関わらず、現在市販のまたは将来開発される任意のＩＯＬと、互換可能であってもよい。
【０２６４】
上記に記載の潜在的な利点を再び参照すると、本明細書に記載の人工カプセルデバイスまたは同様の人工カプセルデバイスによって、ＩＯＬを置き換えるための選択肢を増すことができる。合併症のリスクが低減したために、医師は、最初の埋め込まれたレンズが失敗した場合に、ＩＯＬの置き換えを実施することをより不本意には思わないことがある。その結果、医師は、最初に埋め込まれたレンズをより適切なレンズに、いっそう進んで置き換えるようになり、それにより良好な結果（例えば最初の結果）がもたらされる。置き換えがなくても、人工カプセルデバイスの屈折性部分によりもたらされるＩＯＬ選択能、および／または人工カプセルデバイスによりもたらされる位置調整能によって、結果（例えば最初の結果）を改善することができる。本明細書に記載のある種の人工カプセルデバイスは、最初の手術後に常時またはほぼ常時、さらに正確な屈折結果をもたらすことができることがある。
【０２６５】
人工カプセルデバイスからＩＯＬを置き換えることは、人工カプセルデバイスなくＩＯＬを置き換えるよりも少ないリスクを伴うことから、医師および患者はまた、時間と共にＩＯＬの置き換えをさらに受け入れることがある。例えば、ＩＯＬの置き換えは、医療上の理由［例えば、生理学的条件の変化（例えば、黄斑変性症の発達、緑内障の視神経症）、屈折上の理由（例えば、角膜ジストロフィーによる角膜出力の変化、以前行った屈折上の角膜切開術に関連のある進行性の遠視シフト）、新しい眼球内技術にアクセスしたいという患者の要望（例えば、動力付き視調節ＩＯＬ、埋め込み可能な眼球内のワイヤレス入力／出力コンピュータ・デバイス）に起因する］について有利である可能性があり、人工カプセルデバイスにおけるＩＯＬの置き換えによって、最初の手術後であっても結果を改善することができるほどに有利である。人工カプセルデバイスからの除去およびその中での配置に起因する合併症のリスクを低減することは、医師および患者が、所望の回数でＩＯＬを交換することを可能にさえする。最初に埋め込まれたＩＯＬが、患者の残りの人生で存続しなければならないか、または置き換えると重篤な合併症のリスクがあるはずである、という懸念を医師が取り去るような際には、ＩＯＬをさらに頻繁に交換するという人工カプセルデバイスに起因する能力は、より早期の段階で手術することを可能にすることもある。このようなＩＯＬの置き換えの処置は、眼鏡やコンタクトレンズなどの取り外し可能な矯正デバイスの代わりとすることが可能でさえある場合がある。
【０２６６】
本明細書に記載の人工カプセルデバイスまたは同様の人工カプセルデバイスは、技術デバイス（例えば装用可能な小型電子技術デバイス）を単独でまたはＩＯＬと組み合わせて眼に挿入し持ち込むことができる、プラットフォームを提供してもよい。本明細書で使用されるように、“技術デバイス”という言い回しは、生体認証測定機能、コンピュータ機能（例えば、ワイヤレス・シグナルを介した直接的なおよび／またはセンサを通じた間接的なデジタル・データ入力、データ解析、入力、および／または出力）、網膜上への画像生成および投写、ならびに／またはインターネット／ＷｉＦｉ能を一般に与え、かつ眼内に機能的に嵌め込むのに充分な小ささを持つ（例えば、約１１ｍｍ以下の直径および約６ｍｍ以下の厚さを有する）いかなるデバイスをも含む広い用語であり、そのうちのいくつかは、装用者に有用な電子機能を実行するために使用することができる。そのようなデバイスの例としては、以下に限定されないが、コンピュータ（例えばＧｏｏｇｌｅ  Ｇｌａｓｓ、Ｍｉｃｒｏｓｏｆｔ  Ｈｏｌｏｌｅｎｓ）、バーチャル・リアリティ・デバイス、拡張リアリティ・デバイス、ヘッドマウント・ディスプレイ（図または画像ディスプレイ、地図ディスプレイなど）、ＷｉＦｉおよび／またはインターネット接続性を有するデバイス、画像受信器（例えばテレビまたは映画），ゲーム・デバイス、プロジェクタ（画像ビューア、画像読み取り器、または画像送信器を含む）、ＧＰＳデバイス、生体認証測定デバイス（例えば、房水グルコース電解質センサ、眼内ＶＥＧＦセンサ、血中グルコースレベルセンサ、電解質センサ、心拍数センサ、基礎代謝速度センサ、温度センサ、ＥＥＧ、ＥＫＧ、眼圧センサ、毛様体筋収縮センサ、動的瞳孔変化センサ）、人工網膜、カメラ機能（例えば静止画像および／または映像の記録）、ならびにｅ−メール送信器または受信器が挙げられる。そのようなデバイスは、装用可能な（例えば、“装用する”というよりも埋め込むことから）、小型の（例えば、ある種のサイズを既に有する場合があることから）、または電子の（例えば、機械で動くものである場合があることから）ものとして特徴付けられるものである必要はないが、やはり本明細書に記載されるような“技術デバイス”である。
【０２６７】
使用中、技術デバイスは、人工カプセルデバイス中にあり、電子デバイスからの出力は、眼を通じて視覚的に出力を見ることを通じて、またはそれ以外（例えば、外部コンピューティング・デバイスへのワイヤレス伝送）のどちらかで、ユーザに与えられる。体外からのデータは、ワイヤレス電磁エネルギー方式で、技術デバイスにおよび／または技術デバイスから伝送することができ、そのような方式としては、以下に限定されないが、Ｂｌｕｅｔｏｏｔｈ、ラジオ・シグナル、ＷｉＦｉ、ならびに／またはアナログおよび／もしくはデジタル式携帯電話方式シグナルなどの現在利用可能な様式が挙げられる。このデータは、加工して、網膜上に投写することができる視覚的な表示の形式で出力してもよく、例えば、どのようにしてＧｏｏｇｌｅ  Ｇｌａｓｓがこの技術を外部デバイスに採用したかなど、デジタル・ヘッドアップ・ディスプレイに関する認識を作り上げている。生体認証データ［例えば、以下に限定されないが、グルコースレベル、電解質レベル、ＶＥＧＦレベル、基礎代謝速度、温度、ＥＥＧ、ＥＫＧ、心拍数、眼圧（例えば緑内障患者または緑内障に罹りそうな者について）、毛様体筋収縮、瞳孔の構成または散大、眼の動き、瞬きの速度、それらの組み合わせなど］を感知するように構成される技術デバイスについては、データを技術デバイスで収集し、データを受信するように構成される外部デバイスに、技術デバイスでワイヤレスに伝送することができる。電子技術または外部デバイスは、データを加工するように構成されてもよい。例えば、伝送する前に、技術デバイスは、プライバシー、セキュリティ、データ移送効率などについてのデータを変換してもよい。外部デバイスは、データを加工するように構成されてもよく、例えば、外部デバイスが、さらに容易に動力源、冷却器などに連結されることがあるためである。外部デバイスは、医療上の決断に利用することができる書式でデータを提供するように構成することができる。データは、装用者および／または医師もしくは他の医療専門家が、例えば、局地的におよび／または安全な（例えばＨＩＰＡＡを遵守した）ネットワークを介して、アクセス可能であってもよい。
【０２６８】
この技術の別の適用は、環境面で能力が試される状況にある人々、例えば諜報員、特殊部隊兵、宇宙飛行士、警察官、および／または消防士による使用とすることができる。様々なセンサ［例えば外部環境センサ（例えば酸素レベル、大気圧、温度、赤外線加熱用）および／または内部生体認証センサ（例えばｆｏｒ酸素レベル、温度、心拍数、心拍リズム、グルコースレベルなど］は、外部コンピューティング・デバイス（例えばスマートフォン）で主に評価され、次いで、眼内レンズに伝送されて、計器盤タイプの配置構成で、網膜上に情報を投写することができる。この情報を使用して、彼らが危険を回避する助けとする、および／または彼らの務めを効果的に実施することができる。本技術はまた、ヘッドアップ・ディスプレイが資することのできるいかなるタスクを実施するのにも有利とすることができ、そのようなタスクとしては、手術（例えば、解剖学的な構造の認識および標識化）、機械修理（例えば、機械部品の認識および標識化）、翻訳（例えば、第１の言語から第２の言語に）、ビジネス上の識別（例えば、ユーザ評定、健康評定などに基づく）、指示、設計などがある。
【０２６９】
概して、血中グルコースが増加するにつれて、房水の光学特性は相応に変化し、そのような変化は、ラマン分光分析、光学偏光分析や他の方法など、複数の方法を通じて光学的に検出可能である。さらに、房水中のグルコース濃度の変化は、システム上またはその中に含まれる他のデバイスと、例えば複数の方法を通じて測定することのできる膨張圧／浸透圧の勾配を介して、相互に作用することがあり、そのような方法としては、コンカナバリンＡ化学に基づく蛍光共鳴エネルギー移動が挙げられる。さらに、システムは、受動型センサと送電器とを含むことができる。この送電器は、複数のセンサをそれらの相対的な距離が相応に変化（増加または減少）するようにシステムに配置することによって、グルコースにより誘導される房水の浸透圧の変化を利用するように構成することができる（例えば、複数のセンサ（２つ以上の蓄電板を使用する可能性がある）を、グルコースレベルが増加するにつれて互いにさらに近付くように、およびグルコースレベルが減少した際にはいっそう離れるように、構成することができる。この相対的な距離は、定量することができ（例えば、キャパシタの電荷の増加または減少に応じて）、データは、二次デバイスに相関して伝送することができる）。電子デバイスの実装例では、血中グルコース・モニターは、房水の光学特性、例えば、屈折指標、光学極性、および／またはｉｎ  ｖｉｖｏでの分光学的特性などをモニターするように構成される光学検出器を含んでいてもよく、その際に、例えば、カメラ、光センサ、分光計、および／または光学偏光計などの光学検出器を使用する。光学偏光計ベースのグルコースセンサを眼の前部内に収容して有する（具体的には、カプセル型人工デバイスの内部に収容している）ことの利点は、角膜の複屈折および動きのアーチファクト、すなわち外部デバイスでの正確な測定法に対する最も重大な２つの障害によって誘導される、アーチファクトを克服することである。別の実施例では、光学検出器（分光分析ユニット）を使用して、グルコース感受性蛍光ユニットで生じる光の波長の変化を測定することができる。房水の光学特性の変化および／またはグルコース感受性蛍光ユニットで誘導される二次変化は、ｉｎ  ｓｉｔｕの電子データおよび／または生データ（例えば画像、ヒストグラムなど）を介して、血中グルコースレベルと相関をとることができ、それらのデータは、その相関をなすように構成されている外部デバイスに伝送することができる。結果は、外部デバイス（例えばスマートフォン、スマートウォッチ）上で利用可能とすることができる、および／または外部デバイスに伝送することができ、その外部デバイスは、血中グルコース値がある特定の閾値を上回るおよび／または下回る場合に、アラームを始動させることができる。血中グルコース値は、糖の摂取、インスリン注射などの必要性をユーザに知らせることができるか、または医師の直接指示する決定された用量応答に基づいてアルゴリズムに従い患者に自動的に投与することのできるインスリンポンプに、直接的に組み込むことができる。眼圧もまた、人工カプセルデバイス内への挿入のために、二次デバイスを通じてｉｎ  ｖｉｖｏで測定することができる。例えば、受動型センサおよび送電器を有する二次デバイスを、人工デバイスの中または上に配置することができる。二次デバイスは、複数のセンサをそれらの相対的な距離が相応に変化（増加または減少）するように二次デバイスに配置することによって、眼圧の変化を利用するように構成することができる（例えば、複数のセンサ（２つ以上の蓄電板を使用する可能性がある）を、眼圧が増加するにつれて互いにさらに近付くように、および眼圧が減少した際にはいっそう離れるように、構成することができる。この相対的な距離は、定量することができ（例えば、キャパシタの電化の増加または減少に応じて）、データは、大気圧を考慮し、差を記録し、データを保存および／または他のデバイスへ伝送する二次デバイスに相関して、伝送することができる）。眼で測定することができる他の身体パラメータとしては、以下に限定されないが、体温、心拍数、黄斑変性症患者のＶＥＧＦレベル、糖尿病性網膜症、および網膜静脈閉塞症が挙げられる。これらの値のうち１つまたは全てを、外部デバイス（例えばスマートフォン、スマートウォッチ）上で、および／または内部ディスプレイシステム（例えばヘッドアップ・ディスプレイ）を介して、視覚化してもよい。これらの技術は、デバイスの反射部分の光学特性に干渉することなく、記載されている人工カプセルデバイス内に収容されるような方法で全て開発することができる。
【０２７０】
技術デバイスは、眼内レンズと組み合わせて使用することができる。例えば、技術デバイスを使用して、眼内レンズの特性（例えば、ＩＯＬの屈折出力、紫外（ＵＶ）または可視光の伝送特性など）および／または人工カプセルデバイスの特性を制御することができる。例えば、技術デバイスを使用して、Ｃａｌｈｏｕｎ調整可能レンズ（例えば、参照により本明細書にその全体を組み込まれる、米国特許第７，９８８，２８５号に記載されるような）、Ｅｌｅｎｚａレンズ（例えば、下記に詳細に記載されるような）などの特性を制御することができる。ＩＯＬと組み合わせて使用する際には、技術デバイスおよびＩＯＬは、技術デバイスがＩＯＬの視線を妨げないように（例えば、技術デバイスが、ＩＯＬを通じてかつ最終的に網膜に伝送された光および画像を、遮断しないかまたは妨げないように）配置されてもよい。技術デバイスは、眼内レンズの外周縁の周囲にあってもよい。例えば、２つの別個のデバイス、すなわち（１）ＩＯＬおよび（２）技術デバイスは、ＩＯＬの外縁にそれぞれ取り付けられていてもよい。別の例では、技術デバイスがＩＯＬの外周縁でＩＯＬと一体となるように、ＩＯＬを製造するか、または適合させることができる。ＩＯＬが約６ｍｍの直径を有する場合、約２ｍｍの幅を有する技術デバイスをＩＯＬの外周縁の周囲に追加してもよく、その結果、ＩＯＬおよび技術デバイスは、約１０ｍｍの総直径を有する。そのようなデバイスは、大小の差を有することができるが、中心部は、光学系として機能させるために、好ましくは少なくとも約１ｍｍであり、デバイス全体（技術デバイスおよび光学系）は、好ましくは、切開部を通じて眼内に埋め込むのに充分な小ささを有する（例えば、デバイス全体は、サイズがＩＯＬと同様であってもよい）。
【０２７１】
図１２Ａ〜１２Ｃは、技術デバイスおよびＩＯＬを含む人工カプセルデバイス例、ならびに人工カプセルデバイス内に技術デバイスおよびＩＯＬを配置させる方式を図説する。図１２Ａは、人工カプセルデバイス１２００の内部にあるリング様の技術デバイス１２０２の断面図を示す。図１２Ａはまた、人工カプセルデバイス１２００中のＩＯＬ１２０２を示す。図１２Ｂは、図１２Ａに示される人工カプセルデバイス１２００の例において使用可能な眼内レンズ１２５０の例の前面図を示し、ここでは、技術デバイス１２５０は、ＩＯＬ１２５０の外縁を囲繞するIOL（例えばＩＯＬ１２５０の光学表面の外縁を囲繞する）．図１２Ｃは、眼内レンズ１２５０の例の上部正面斜視図を示す。光学表面１２６０は、ＩＯＬ１２５０の技術デバイス部品によって遮断されない。技術デバイス１２５０は、データ出力用の部品１２５２、データ入力または受信用の部品１２５４、およびデータ処理用の部品１２５６を含む。
【０２７２】
人工カプセルデバイスは、技術デバイスによって生成する可能性のある僅かな熱または電磁波から、もう片方の眼の内部構造を防御するように構成される素材を含むことができる。そのような素材の例としては、シリコーンおよびシリコーン誘導体、アクリル、アクリル誘導体、コラマー、生体適合性のメタクリレート（例えばＰＭＭＡ）、生体適合性のポリマー、オレフィン（例えばポリプロピレン）、ポリイミド、それらの組み合わせ（例えばシリコーンおよびポリイミド）などが挙げられる。シリコーン、ポリイミド、アクリル、二酸化ケイ素、可撓性のあるガラス、エアロゲル、それらの組み合わせ（例えばシリコーンおよびポリイミド）などの熱遮蔽材を含むデバイスを、伝導による熱移送を阻止または防止するために使用してもよい。ある種のデバイスの寸法は、熱の遮蔽を高めるために増すことができるが、注入可能か否かの問題も考慮されることがある。ポリイミドなどの反射性のおよび／または不透明な素材を使用して、放射による熱移送を阻止または防止してもよい。デバイスは、カプセル状であるため、デバイスは、毛様体を熱から防御する（例えば選択的に防御する）ように構成することができる。実装例によっては、人工カプセルデバイスは、シリコーンとポリイミドとの組み合わせを含んでいてもよい（例えば、ポリイミドをシリコーン上に覆い被せる）。
【０２７３】
人工カプセルデバイスは、素材を含むか、または望まない光の透過から眼の内部を保護するように構成される配置構成を有することができる。例えば，人工カプセルデバイスは、眼の後部をＵＶ光から防御するように設計することができる（例えば、角膜架橋などの処置の間に高濃度で使用される、およびＣａｌｈｏｕｎ光調整可能レンズのＵＶ光補正を通じて発生する屈折変化において使用される、治療用ＵＶ光）。瞳孔は、一般的に、光学系の境界を超えて拡張するため（例えば約６ｍｍ超）、これらの治療を行う間のＵＶ曝露に対する網膜毒性に関する報告があるが、これらのレンズの後面上を被覆ＵＶフィルターは、折り畳みと注入の間にこすり落とされる傾向があり、それゆえ網膜は、被覆が掻き取られた範囲を通じて、および瞳孔縁とＩＯＬのへりとの間の外部境界の周囲を、高線量で透過するＵＶ光に曝されるままとなる。瞳孔よりも大きな（最も狭い幅で約６〜１０．５ｍｍの）人工カプセルデバイスを使用することによって、虹彩の境界とＩＯＬとの間にはギャップがないものとなる。人工カプセルデバイスの他のサイズもまた、ＵＶ上の恩恵をもたらすことができる。眼内レンズ製造の技術分野で周知されている確立された材料および方法を使用して、ＵＶ発色団を、人工カプセルデバイスの素材中へ実質的に組み入れることができるが、そのようにして、この特性は、人工カプセルデバイスの折り畳み、挿入、および／または折り畳みのほどきの間、不意の機械的な除去（例えば掻き取りおよび／または擦り取り）に起因する障害の影響を受けにくいものとなる。
【０２７４】
人工カプセルデバイスは、近ＵＶおよびＵＶ遮断能を有することができ、その能力によって、環境から発散されかつ医療上または屈折の目的で利用される近ＵＶまたはＵＶ光の形態のエネルギーまたは放射線から、眼を保護することができる。眼内レンズは、ＵＶ遮断性の発色団を含む被覆を用いて作製され、その発色団は、上記に記載されるように、埋め込まれた際の掻き取りの問題および他の問題に遭う可能性がある。現在のところ、治療法としてＵＶ光を利用する複数の眼科療法がある。例えば、Ｃａｌｈｏｕｎ光調整可能レンズ（カリフォルニア州、パサデナのＣａｌｈｏｕｎ  Ｖｉｓｉｏｎ，Ｉｎｃ．から入手可）は、適切な露光アルゴリズムを使用して、様々な期間にわたって特定の波長の近ＵＶおよびＵＶ光を標的して適用することを通じて、術後に屈折出力を変えることができる、眼内レンズである。Ｃａｌｈｏｕｎ光調整可能レンズの背面は、ＵＶ遮断層を有するが、そのＵＶ遮断層は、レンズが挿入されると、機械的に損傷される（例えば、こすられるかまたは掻き取られる）傾向があり、そのためＵＶ遮断層を効果のないものとする可能性をもたらし、その結果、近ＵＶまたはＵＶ光の治療が実施されてレンズの出力を術後に調整する際に、患者は、近ＵＶおよびＵＶ放射線曝露に関連する合併症を生じる傾向がある。後部の内容物（毛様体、網膜、視神経など）。Ｃａｌｈｏｕｎレンズ光学系の直径は、６．０ｍｍであり、これは多くの患者にとっては、拡張させた瞳孔よりも小さく、そのため、ＵＶ光は、レンズの縁の傍を通り過ぎることがある。これらの患者にとって、近ＵＶまたはＵＶ光の幅広のビームをレンズに適用することは、合併症に関連があるＵＶ放射線曝露に関連する合併症を、後部の内容物（毛様体、網膜、視神経など）に引き起こす可能性を孕む。この光調整可能レンズが、人工カプセルデバイスの内部に設けられ、人工カプセルデバイスが、拡張された瞳孔よりも大きいかまたははるかに大きく、かつ近ＵＶおよびＵＶ光を遮断する能力を有する場合には、術後の治療中にＵＶ放射線に関連する合併症が生じる確度を減少させることができよう。
【０２７５】
実装例によっては、キャパシタ、一連のキャパシタ、および／または眼の外からデバイスによって（外部からの誘導方法や電波などの他の電磁放射エネルギーなどによって）再充填することができる再充填可能な電池は、技術デバイスに動力を供給してもよい。充電器、ユーザの睡眠中に電池を充電するために、フェイスマスク、枕、マットレス、頭板やベッドリネンなどの寝具デバイス中に；ユーザが屋外にいる間に電池を充電するために、サングラス、ヘッドバンド、もしくは帽子の中に；および／またはユーザが屋内にいる間のために、眼鏡フレームもしくは他の適切なデバイスの中に、組み込むか、取り付けるよう適合させることができよう。好ましくは、直接的に、または電池の充電を通じてのどちらかで、技術デバイスに動力を供給するための電気の移送は、共振誘導型結合方式などの誘導型充電システムを介して行う。例えば、外部デバイスは、誘導コイルを含有することができ、かつ交流の電磁場を生成するために動力源に接続され、技術デバイスは、第２の誘導コイルを含有し、その第２の誘導コイルは、外部デバイスによって生成される交流の電磁場からの動力を利用するように、および動力を電気に変換して電池を充電するように構成される。人工カプセルデバイスは、外部誘導を通じた電池の充電によって生成する熱、または技術デバイスによって生成する熱の排出から、例えば、上記に記載されるようなある種の材料および技術を使用して、虹彩、毛陽小体、毛様体、毛様体突起などの後部構造を防御するように設計することができる。局所的な温度の上昇は、結果として炎症およびぶどう膜炎を生じ、遂には技術デバイスの生体適合性を制限することになりかねない。光学的な透明度を有し熱遮蔽特性を備えた（例えば、シリコーン、シリコーン誘導体、ポリイミド、それらの組み合わせなど、および／または他の適切な物質を含む）人工カプセルデバイスを利用することで、視覚機能に不利な影響を及ぼすことなく、適切な熱遮蔽性を提供することができよう。
【０２７６】
図７４Ａは、眼内レンズ例７４５０の前部側面斜視図を示す。ＩＯＬは、光学系７４５２、光学系７４５２の第１の径方向側部上のバッテリ７４５４、および光学系７４５２の第２の径方向側部上の電子機器７４５６を含む。バッテリ７４５４からエネルギーを供給される電子機器７４５６は、光学系７４５２の光学特性に影響を及ぼすことができる。
【０２７７】
図７４Ｂは、図７４Ａの眼内レンズ７４５０を含有する人工カプセルデバイス例７４００の前部側面斜視図を示す。デバイス７４００は、本明細書に記載される他のデバイスの特性を含んでいてもよく、そのようなデバイスは、例えば、以下に限定されないが、デバイス５８００、６１００、６２００、６３００、６４００、６５００、６６００、６７００、６８００、６９００、７０００、７２００である。デバイス７４００は、第１の遮蔽域７４０２および第２の遮蔽域７４０４を含む。遮蔽域７４０２、７４０４は、昇温する可能性があるデバイス７４５０などのデバイスの一部に熱遮蔽をもたらすように構成される。遮蔽域７４０２、７４０４は、同じであっても異なっていてもよい（例えば、異なる厚さまたは他の寸法（複数可）を有する、異なる素材を含む、異なる形状を含むなど）。実装によっては、遮蔽域７４０２、７４０４は、ポリイミドを含む。
【０２７８】
図７４Ｃは、眼内レンズ例７４６０を含有する人工カプセルデバイス例７４１０の前部側面斜視図を示す。デバイス７４１０は、本明細書に記載される他のデバイスの特性を含んでいてもよく、そのようなデバイスは、例えば、以下に限定されないが、デバイス７４００である。ＩＯＬ７４６０は、例えば、光学系７４６２および電子機器７４６６を含むなど、ＩＯＬ７４５０と同様であるが、バッテリを含まない。デバイス７４１０は、モジュール型バッテリ７４１４を含むか、または含有するように構成されていてもよい（例えば、光路および／または輪郭線の径方向外側に充分な空間を含む）。バッテリ７４１４は、デバイス７４６０から延在する導電線と相互に作用していてもよい。バッテリ７４１４は、再充電可能であってもよい（例えば、例として本明細書に記載されているような電磁誘導充電を使用して）。バッテリ７４１４は、例えば本明細書に記載されるようなアンカリングシステムを使用して、モジュールとして交換されてもよい。デバイス７４６０は、例えば新しいデバイス７４６０のそれぞれがバッテリ７４１４によって動力を供給されるように、モジュールとして交換されてもよい、および／またはバッテリ７４１４は、デバイス７４６０と共に変更されてもよい。
【０２７９】
図７４Ｄは、眼内レンズ例７４７０を含有する人工カプセルデバイス例７４２０の前部側面斜視図を示す。デバイス７４２０は、本明細書に他のデバイス、例えば、以下に限定されないがデバイス７４００の特性を含んでいてもよい。ＩＯＬ７４７０は、ＩＯＬ７４５０と同様であり、例えば、光学系７４７２およびバッテリ７４７４を含むが、電子機器を含まない。デバイス７４２０は、モジュール型電子機器７４１２を含んでいても含有するように構成されていてもよい（例えば、光路および／または輪郭線の径方向外側に充分な空間を含む）。電子機器７４１２は、デバイス７４７０から延在する導電線と相互に作用していてもよい。電子機器７４１２は、例えば本明細書に記載されるようなアンカリングシステムを使用して、モジュールとして交換されてもよく、このンカリングシステムは、光学系７４７２を制御するように構成されている電子機器をアップグレードさせることができる。デバイス７４７０は、例えば新しいデバイス７４７０のそれぞれがバッテリ７４７４によって動力を供給されるように、モジュールとして交換されてもよい、および／またはバッテリ７４１２は、デバイス７４７０に変更されてもよい。
【０２８０】
図７４Ｅは、眼内レンズ例７４８０を含有する人工カプセルデバイス例７４３０の前部側面斜視図を示す。デバイス７４３０は、本明細書に他のデバイス、例えば、以下に限定されないがデバイス７４００の特性を含んでいてもよい。ＩＯＬ７４８０は、ＩＯＬ７４５０と同様であり、例えば、光学系７４８２を含むが、電子機器またはバッテリを含まない。デバイス７４３０は、モジュール型バッテリ７４１４および／またはモジュール型電子機器７４１２を含んでいても含有するように構成されていてもよい（例えば、光路および／または輪郭線の径方向外側に充分な空間を含む）。バッテリ７４１４は、デバイス７４８０から延在する導電線と相互に作用していてもよい。バッテリ７４１４は、再充電可能であってもよい（例えば、例として本明細書に記載されているような電磁誘導充電を使用して）。バッテリ７４１４は、例えば本明細書に記載されるようなアンカリングシステムを使用して、モジュールとして交換されてもよく、このアンカリングシステムは、光学系７４８２を制御するように構成されている電子機器をアップグレードさせることができる。電子機器７４１２は、デバイス７４８０から延在する導電線と相互に作用していてもよい。電子機器７４１２は、例えば本明細書に記載されるようなアンカリングシステムを使用して、モジュールとして交換されてもよく、このアンカリングシステムは、学系７４８２を制御するように構成されている電子機器７４１２をアップグレードさせることができる。デバイス７４８０は、モジュールとして交換されてもよい。新しいデバイス７４８０のそれぞれは、バッテリ７４１４および／または新しいバッテリ７４１４によって動力を供給される。新しいデバイス７４８０のそれぞれは、電子機器７４１２および／または新しい電子機器７４１２によって制御されてもよい。
【０２８１】
実装によっては、デバイス７４１０、７４２０、７４３０は、電子機器、バッテリ、および制御可能な光学系などの電気の構成要素と接続するように構成されている導電線を含んでいてもよい。長方形および正方形として模式的に図示されているが、モジュール型構成要素は、デバイス７４１０、７４２０、７４３０の端部で体積を利用するように適応させてもよい
【０２８２】
本明細書のバーチャルおよび拡張リアリティ・デバイスの議論を再度参照すると、本明細書に記載される人工カプセルデバイスは、１つまたは複数のバーチャルおよび／または拡張リアリティ・デバイスを含有するように構成することができる。実装によっては、デバイスは、概してまたは特有に、遮蔽（例えば、さらに厚いおよび／または異なる素材）を含むことができ、そこにバーチャルおよび／または拡張リアリティ・デバイスが挿入されてもよい。実装によっては、デバイスは、壁、フランジ、支柱、横棒、小穴、開口、スリットなどを含むことができ、それらは、人工カプセルデバイスの挿入とは別に挿入することができるバーチャルおよび／または拡張リアリティ・デバイスと、相互に作用するように構成される。実装によっては、デバイスは、壁、フランジ、支柱、横棒、小穴、開口、スリットなどを含むことができ、それらは、人工カプセルデバイスの挿入とは別に挿入することができるバーチャルおよび／または拡張リアリティ・デバイスを含有するモジュール型遮蔽構造と、相互に作用するように構成される。実装によっては、デバイスは、ヒートシンク（例えば、筐体構造の外側上にフィンを含む）を含むことができる。本明細書に記載されるデバイスの内部に挿入されるかまたはそれと相互に作用するように小型化されるかあるいは最適化されることがある、バーチャルおよび／または拡張型に用いるミニチュアのデバイスまたは構成要素としては、例えば、センサ（例えば、６軸位置センサ、グルコースセンサ、光センサ、動作センサなど）、表示デバイス（例えば、網膜プロジェクタ、立体ディスプレイ、外部光ディマなど）、データ送信および／または受信デバイスなどが挙げられる。そのようなデバイスの可能性のある使用としては、バーチャル・リアリティ（例えば、バーチャル・リアリティに使用されるスクリーンで、透明なレンズと不透明なレンズとの間を移行する方法）、拡張リアリティ（例えば、拡張リアリティ、ゲームなどに用いるヒトのカプセルの内部に埋め込まれるヘッドアップ・ディスプレイ）、企業での用途（例えば、訓練を目的とするヘッドアップ・ディスプレイ）、医療用途（例えば、ヒトのカプセル内に経時放出性の薬物を挿入するための方法；眼に天然に存在する流体を使用する血中グルコースモニタリング；患者のバイタルサイン、デバイスの使用説明、薬物相互作用の警告などを用いて外科医を支援するためのヘッドアップ・ディスプレイ；潜在的な緑内障を早期に警告するための圧力測定；オートフォーカス、光学ズームなどを可能にする液体レンズ）、ゲーム用途（例えば、眼および／または頭の動き、焦点調節、光レベルなどに基づく制御）、指示用途（例えば、現実世界の視覚要素の上位にある、ターンバイターン指示、ビジネス・リスティングなど、方向キューとナビゲーション・キューとを重ね合わせるヘッドアップ・ディスプレイ）、バーチャル網膜ディスプレイ用途（例えば、眼の動きのマッピングと対をなすバーチャル網膜ディスプレイ）などが挙げられる。
【０２８３】
人工カプセルデバイスは、望まない光から網膜を保護するように、光応答性を有するよう設計することができ、このことにより、数多くの使用をもたらすことができよう。
【０２８４】
第１の例では、慢性的な光感受性を有する人が、光透過を永続的に低下させることを望むことがある。これは、内部サングラスのように機能することになる。任意のおよび全ての様々な波長と任意のおよび全ての透過密度とを有した光遮断性発色団を、素材の処方に追加する、素材中へ焼き込む、人工カプセルデバイスに自己拡張性および／もしくは自己含有性の埋め込み物として加えるおよび／または重層するおよび／または結合させることのできるフィルムに含有させる、および／または人工カプセルデバイス内へ／上に吸収／吸着させることができよう。
【０２８５】
第２の例では、光の中では暗くなり、暗闇の中ではより明らかになる／透き通ってゆくデバイス（フォトグレー、フォトブラウン）を眼に有することを望む人がいる可能性がある。調光素材（例えば塩化銀、ハロゲン化銀）は、ＵＶ光の存在または不在に応答して形状および光吸収プロファイルを変え、素材の処方に追加する、素材中へ焼き込む、人工カプセルデバイスに自己拡張性および／もしくは自己含有性の埋め込み物として加えるおよび／または重層するおよび／または結合させることのできるフィルムに含有させる、および／または人工カプセルデバイス内へ／上に吸収／吸着させることができよう。調光素材は、光遮断性発色団と組み合わされてもよい。
【０２８６】
第３の例では、小さな開き口を使用することによって作製することができる、ピンホール効果を活用することが望まれる可能性があり、この小さな開き口は、所与の光学システムの焦点の深度を延ばすことができる。これは、人工カプセルデバイスの中心（およそ）１〜２ｍｍを除いて暗くすることによって達成することができる。この効果は、永続的［例えば、不透明な環状のマスクを含む（例えば、ポリフッ化ビニリデン（ＰＶＤＦ）および炭素ナノ粒子を、屈折性部分の一表面もしくは両表面の中および／もしくは上に埋め込んで含む］、または一過的（例えば、色ずれを生じるフォトグレー、フォトブラウン、および／もしくは液晶技術を使用して、不透明のまたは透過率の減少した環状マスクを作製する）とすることができよう。マスクは、約３ｍｍから約３．５ｍｍ（例えば約３．２５ｍｍ）の外径を有することができよう。マスクは、約１ｍｍから約１．５ｍｍ（例えば約１．３５ｍｍ）の内径を有することができよう。マスクは、約４μｍから約６μｍ（例えば約５μｍ）の厚さを有することができるが、厚さは、マスクの数に基づき変わってもよい。マスクは、複数の微小穿孔を含んでいてもよく、その穿孔は、例えば実質的に光を通過させることを不可能とするか、または回折性の分散を作り出すのには充分小さいが、マスクの可撓性を高めるのに充分な量の素材を取り除くものである。充分な照明がある場合の一過的なピンホールのマスクの様式では、患者は、作り出される一過的なピンホール効果のために、読み取ることが可能となる。少ない照明では、ピンホール効果は、除去されることになる。そのようなデバイスは、近見視力および中間見視力を向上し、焦点深度を増加させ（例えば、少なくとも約１．５Ｄずつ）、かなりの遠見視力を維持し、焦点同士の競合、グレア、ハロー、暗視の問題、複視、ゴースト発生などが生成するのを阻害し、距離のある両眼視能を維持し、および／または両眼のコントラスト感度を維持することができよう。
【０２８７】
図７７Ａ〜図７７Ｉに関連して、虹彩に欠陥を持つ他の患者が、白内障もしくはレンズ置換の手術の時に、またはおそらくは眼内の損傷に続いて後日、人工虹彩を置きたいと考えることがある。人工虹彩は、嵩高いおよび／または埋め込みが難しい可能性がある。本明細書に開示される人工カプセルデバイスは、画定されたおよび／または安定な前方の開口を提供するように構成することができ、その開口上に、人工虹彩を人工カプセルデバイスの上部に嵌合するように配置し、舌部および溝の機構によってそこに取り付けることができよう。人工虹彩は、生体適合性素材から作製することができ、様々なサイズ、形状、および色使いで作製して、サイズ、形状、および所望の瞳孔および虹彩の美容上の外観に適合させることができる。これは、完全もしくは完全に近い無虹彩症であるかまたは虹彩組織を欠損している場合に、全１２時間型の人工虹彩とすることができよう。別の実装は、ほぼ完全な人工虹彩である（１１時間型、１０時間型、９時間型、８時間型、７時間型、６時間型、５時間型、４時間型、３時間型、２時間型、１時間型、またはそれらの任意の組合せもしくはバリエーション）。人工具のサイズにかかわらず、全てが、人工虹彩を人工デバイスに貼り付けるための部品を有することになる。
【０２８８】
図７７Ａ〜図７７Ｉは、本明細書に開示される人工カプセルデバイス５８８０のいずれかに連結されるように構成されている、人工虹彩デバイス例７７００を示す。一実施形態では、人工虹彩デバイスは、虹彩組織の全体または一部を欠損している（例えば、無虹彩症または虹彩離断）患者に埋め込むことができる。人工虹彩デバイス７７００は、患者の光感受性、羞明、グレア、および／または美容上の不具合に対処するように構成することができる。概して、溝の中および／または強膜に固定されるように構成されている人工虹彩デバイスの使用は、場合によっては合併症を生じる可能性があり、および／または適切な嚢の支持を必要とすることがあり、それゆえ、そのような人工虹彩デバイスは、全ての患者に適さないことがある。一実施形態では、人工虹彩デバイス７７００は、手術後の合併症を減少させることができる。なぜなら、デバイス７７００は、取り外し可能に人工カプセルデバイス７７０２に連結されていることから、および／または眼組織への付着を必要としない場合があることから、デバイス７７００は、溝および／または強膜への固定または縫合を必要としないためである。一実施形態では、人工虹彩デバイス７７００は、適切な眼組織の嚢の支持があろうとなかろうと利用することができ、これは、デバイス７７００が、人工カプセルデバイス５８８０によって支持または維持されるように構成することができるためである。
【０２８９】
一実施形態では、人工虹彩デバイス７７００は、生体適合性素材、例えば、シリコーン、シリコーン誘導体、アクリル、アクリル誘導体、ＰＭＭＡ、コラマー、ポリマー、他の生体適合性の光学的に透明な、半透明な、および／または不透明な素材、それらの組み合わせなどを含む。一実施形態では、人工虹彩デバイス７７００は、約または１０ｍｍ未満の円周を含む。実施形態によっては、人工虹彩デバイス７７００の円周は、約もしくは３．０ｍｍ未満、約もしくは３．５ｍｍ未満、約もしくは４．０ｍｍ未満、約もしくは４．５ｍｍ未満、約もしくは５．０ｍｍ未満、約もしくは５．５ｍｍ未満、約もしくは６．０ｍｍ未満、約もしくは６．５ｍｍ未満、約もしくは７．０ｍｍ未満、約もしくは７．５ｍｍ未満、約もしくは８．０ｍｍ未満、約もしくは８．５ｍｍ未満、約もしくは９．０ｍｍ未満、約もしくは９．５ｍｍ未満、約もしくは１０．０ｍｍ未満、約もしくは１０．５ｍｍ未満、約もしくは１１．０ｍｍ未満、約もしくは１１．５ｍｍ未満、約もしくは１２．０ｍｍ未満、約もしくは１２．５ｍｍ未満、約もしくは１３．０ｍｍ未満、約もしくは１３．５ｍｍ未満、約もしくは１４．０ｍｍ未満、または約もしくは１４．５ｍｍ未満である。一実施形態では、人工虹彩デバイス７７００は、光学的に部分的に透明および／または不透明な虹彩部分７７０６を含むことができる。一実施形態では、虹彩部分７７０６は、色および／またはパターンを含むことができる。一実施形態では、虹彩部分７７０６の色および／またはパターンは、ヒトの虹彩と同様の外観を有するように構成することができる。一実施形態では、虹彩部分７７０６は、部分的にのみ着色される、および／または患者の眼の影響される範囲のみにわたるようにパターンを形成される。一実施形態では、虹彩部分７７０６は、全体的に着色される、および／または影響される範囲と影響されない範囲とにわたるようにパターンを形成される。一実施形態では、人工虹彩デバイス７７００は、虹彩組織の欠損が存在する眼の一部にのみにわたるために、全体的には円形ではなく、例えば、図７７Ｄ、図７７Ｅ、図７７Ｆ（１８０度の弧を図示）、図７７Ｇ、図７７Ｈ、図７７Ｉ（９０度の弧を図示）に図示されるように、人工虹彩デバイスは、４５度、９０度、１３５度、１８０度、２２５度、２７０度、または３１５度の弧または環の一部とすることができる。
【０２９０】
一実施形態では、人工虹彩デバイス７７００は、約または４ｍｍ未満の直径の開口７７０４を含む。実施形態によっては、開口７７０４は、約もしくは１ｍｍ未満、約もしくは１．５ｍｍ未満、約もしくは２ｍｍ未満、約もしくは２．５ｍｍ未満、約もしくは３ｍｍ未満、約もしくは３．５ｍｍ未満、約もしくは４ｍｍ未満、約もしくは４．５ｍｍ未満、約もしくは５ｍｍ未満、約もしくは５．５ｍｍ未満、約もしくは６ｍｍ未満、約もしくは６．５ｍｍ未満、約もしくは７ｍｍ未満、約もしくは７．５ｍｍ未満、約もしくは８ｍｍ未満、約もしくは８．５ｍｍ、約もしくは９ｍｍ未満、約もしくは９．５ｍｍ未満、約もしくは１０ｍｍ未満、約もしくは１０．５ｍｍ未満、または約もしくは１１ｍｍ未満の直径を含む。一実施形態では、人工虹彩デバイス７７００は、開口７７０４のところに、光学的に透明な部分を含むことができる。一実施形態では、光学的に透明な部分は、単一の一体型部分となるように、虹彩部分７７０６に関連して一体化している。一実施形態では、光学的に透明な部分は、取り外し可能に虹彩部分７７０６に連結される。一実施形態では、光学的に透明な部分および虹彩部分７７０６は、単一の透明なデバイスの一部であり、そのデバイスでは、虹彩部分７７０６は、着色されているか、または部分的に透明および／または不透明に適応されている。
【０２９１】
一実施形態では、人工デバイス７７００は、円形または実質的には円形の形状を含んでいるが、しかし、他の形状、例えば、正方形、楕円形、長円形、または任意の他の形状などが可能である。一実施形態では、虹彩部分７７０６は、天然のヒト虹彩の形状に似て、円形または実質的に円形である。一実施形態では、人工デバイス７７００は、開口７７０４に向かって湾曲する湾曲部を含む。しかし、他の実施形態では、人工デバイス７７００は、実質的には平面の配置構成を含む。一実施形態では、人工デバイス７７００は、可撓性があり、手術部位によって割り当てられた空間および形状に適応させることができる。一実施形態では、人工デバイス７７００は、インジェクタ装置を通じて眼内に注射するために、巻き取られるように、折り畳まれるように、もしくはその他変形されるように、またはその他眼内に挿入されるように、構成される。一実施形態では、人工虹彩デバイス７７００は、折り畳まれる前の形状に自己拡張するように構成される。一実施形態では、人工虹彩デバイス７７００は、眼に埋め込まれると体液によって拡張されるように、構成される。一実施形態では、人工デバイス７７００は、その形状および／または寸法を維持または実質的には維持するために、外的な圧力および／または眼、体液、眼の動きなどが及ぼす力に耐えるのに充分な堅さおよび／または弾力がある。
【０２９２】
一実施形態では、人工虹彩デバイス７７００は、環状構造７７１２を含む。一実施形態では、環状構造７７１２は、人工虹彩デバイス７７００の後側部および／または外縁および／もしくは内縁および／または中間部分に配置される。一実施形態では、環状構造７７１２は、人工カプセルデバイスに貼り付けられているか、取り付けられているか、嵌め込まれているか、覆い被せているか、組み込まれているか、接着剤で接着されているか、またはその他連結されている。一実施形態では、環状構造７７１２は、楕円形、円形、長円形、またはその他の形状を含むことができる。一実施形態では、円形状の環状構造７７１２は、人工虹彩デバイス７７００を特有の方位に回転することを可能にするために、特に虹彩部分７７０６が弧または部分的に円である際に、有利であることがある。一実施形態では、人工デバイスへの前方の開口と同じまたは同様となるように構成されている楕円形状の環状構造は、環状構造７７１２が人工デバイスを中心に回転するのを防ぎ、それによって、人工虹彩を固定位置に保持するために、有利であることがある。一実施形態では、環状構造７７１２は、人工カプセルデバイス７７０２の前方の開口に施錠式に嵌合するように構成される。一実施形態では、環状構造７７１２は、人工カプセルデバイス７７０２の前方の開口との摩擦嵌合を形成することができる。一実施形態では、環状構造７７１２は、人工カプセルデバイス７７０２の前方の開口に縫合されるか、またはその他固定されるように構成することができる。実施形態では、人工虹彩デバイス７７００は、人工カプセルデバイス７７０２の前方の開口と縫合することができる、および／またはそれとの摩擦嵌合を形成することができる、および／またはその中におよび／もしくはその下に押し込むことができる、１つまたは複数のフランジおよび／またはタブを有する外縁を含むことができる。一実施形態では、１つまたは複数のフランジおよび／もしくはタブは、人工虹彩デバイス７７００のものと同じ素材を含むことができる、ならびに／または１つまたは複数のフランジおよび／もしくはタブは、デバイスを所定の場所に確保することができるポリイミド／プロリーンの触覚タイプの素材を含むことができる。
【０２９３】
ある非限定的な例では、本明細書に記載の人工カプセルデバイスは、１つまたは複数の以下の機能を実施することができよう。すなわち、ワイヤレスのデータを送受信すること、および／または外眼部の動き、瞳孔の動き、毛様体収縮、声を通じた内部もしくは外部の制御、ならびにもしくは他の人工装具からの制御（接触、ガラス、コンピュータ・スクリーン、プロジェクタ）と相互作用することが可能な眼球内の電子技術デバイスに用いるために、屈折特性を有する人工容器の保護をもたらす；眼球内の電子工学技術物に動力を供するように設計された電池貯蔵に用いる、人工容器の保護をもたらす；電動の視調節眼内レンズ（Ｅｌｅｎｚａレンズなど）に用いる、人工容器の保護をもたらす；および／または従来のレンズおよび上記に記載の電動デバイスを含めた眼球内技術物の修復または置き換えに用いる、人工容器の保護をもたらす。
【０２９４】
図１３〜図１５は、眼１３０２内に配置された人工カプセルデバイス１３００の一例を示す。図１３は、人工カプセルデバイス１３００を含む眼１３０２の側面垂直断面図を示す。実装によっては、人工カプセルデバイス１３００は、ＩＯＬ１３０４を受け取るように構成することができる。眼１３０２の解剖学的構造は、強膜１３０６および角膜１３０８を含む最外層を含み、強膜および角膜は、角膜−強膜の接合部または縁１３０９で出会う。虹彩１３１０は、透明な角膜１３０８を通じて目で見ることができ、不透明な虹彩１３１０にある開口である瞳孔１３１２の外径を形成する。房水が、角膜１３０８と虹彩１３１０との間にある。虹彩１３１０および瞳孔１３１２の後ろには、典型的には（例えば、事前の手術または物理的な問題がなければ）、空間１３１６を占める天然のレンズまたは白内障が位置する。天然のレンズは、毛様体１３１１に接続している提靱帯（毛様小帯）１３２０によって、所定の位置に支持されているか、ぶら下げられている。天然のレンズは、天然のカプセル嚢１３１８によって取り囲まれているレンズ繊維を含み、カプセル嚢は、概して薄く透明な膜を含む。毛様体１３１１の前方の空間は、溝１３２２である。硝子体は、眼１３０２の天然のカプセル嚢１３１８と網膜１３１３との間を硝子体液で満たす澄んだゲルである。本明細書に議論されるように、天然のレンズは、様々な理由（例えば、曇っている）のために外科的に除去されることがあり、人工デバイス１３００が、天然のカプセル嚢１３１８に埋め込まれることがある。
【０２９５】
実装によっては、人工デバイス１３００は、筐体構造１３０３に連結されている環状構造１３０１を含む。実装によっては、環状構造１３０１は、天然のカプセル嚢１３１８の円周１３０５または体積を維持するのに充分に強い素材を含む。実装によっては、環状構造１３０１は、非対称である場合がある天然のカプセル嚢１３１８の天然の形状または体積に調整して合わせるのに充分な可撓性を有するように構成される。実装によっては、環状構造１３０１は、摩擦嵌合を介して、人工デバイス１３００を天然のカプセル嚢１３１８内または他の眼領域内に固定するように構成される。例えば、環状構造１３０１は、ポリイミド；眼内レンズの製造で公知の素材、例えばシリコーン（例えば、カリフォルニア州カーピンテリアのＮｕＳｉｌ  Ｔｅｃｈｎｏｌｏｇｙ  ＬＬＣから入手可能なＭＥＤ−６８２０）、コラマー、ＰＭＭＡ、アクリル、およびアクリレートなど；常置される縫合糸に使用される素材、例えばポリプロピレン、ナイロン、ポリテトラフルオロエチレン（ＰＴＦＥ）、およびポリエステルなど；形状記憶素材または温度記憶素材、例えばニチノール、クロムコバルト、および形状記憶ポリマー；それらの組み合わせなどを含むことができる。実装によっては、環状構造１３０１は、親水性のおよび／または疎水性の素材を含む。
【０２９６】
実装によっては、筐体構造１３０３は、天然のカプセル嚢１３１８を力学的に維持しかつ拡張する（例えば、天然のレンズが除去されるより以前の嚢の天然の体積に）のに、および／またはＩＯＬ１３０４もしくは筐体構造１３０３内の他のデバイスを収容するのに、充分な可撓性と強さとを有する素材を含む。例えば，筐体構造１３０３は、ＰＭＭＡ、アクリル、シリコーン、コラマー、ポリマー、他の生体適合性の光学的に透明な素材、それらの組み合わせなどを含むことができる、および／またはそれらから製造することができる。実装によっては、筐体構造１３０３は、親水性素材および／または疎水性素材を含む。
【０２９７】
図１４Ａに示されるように、人工デバイス１３００は、連続したループまたは円である環状構造１３０１を含むことができる。実装によっては、筐体構造１３０３は、環状構造１３０１を筐体構造１３０３の外縁内に嵌め込むおよび／またはオーバーモールドすること（例えば、インサート成形、ダブルショット成形、共射出成形、２回射出成形）によって、環状構造１３０１に連結されている。環状構造１３０１および筐体構造１３０３を互いに結合する（例えば、付着している）ことに比べると、環状構造１３０１を筐体構造１３０３にオーバーモールドすることは、コストを低減し、生産期間を減少させ、および／またはさらに安全確実な連結を提供することができる。筐体構造１３０３の素材（例えば、シリコーン）は、接合点１４０６、１４０８で、環状構造１３０１の一部を囲むかまたは容器に入れるかまたは封入するように構成することができる。実装によっては、筐体構造１３０３は、筐体構造１３０３の前方部分に開口１４１０を含む。実装によっては、開口１４１０は、ＩＯＬ１３０４、および／または開口を通じて筐体構造１３０３に配置される他のデバイスを受け取るように、構成することができる。
【０２９８】
人工デバイス１３００は、有利に、本明細書に開示される他の人工デバイス例よりも少ない質量を含み、嵩の少ないものとすることができる。実装によっては、人工デバイス１３００は、本明細書に開示される他の人工デバイス例よりも小さくかつ頑丈であることから、有利である。例えば、人工デバイス１３００は、構造安定性を増加させて、環状構造１３０１を通じて構造形状および無欠性を自己保持することが可能になるように構成することができ、一方で、また、筐体構造１３０３を構築するのに使用される素材の量を低減することによって、体積が低減される。例えば、人工デバイス１３００は、開放空間１４０２、１４０４を筐体構造１３０３の各側部に含む。人工デバイス１３００は、それによって、直径方向に連続したデバイスよりも少ない素材の体積および質量を含むことができる。実装によっては、開放空間１４０２、１４０４は、環状構造１３０１の周囲および／または開放空間１４０２、１４０４中に、線維増多を生じおよび／または促進することができる。実装によっては、環状構造１３０１の周囲および／または開放空間１４０２、１４０４の中の線維増多は、人工デバイス１３００を眼に固定もしくは係留する、および／または人工デバイス１３００を眼の固定位置に維持する助けとすることができる。実装によっては、人工デバイス１３００の周囲の線維増多は、人工デバイス１３００を眼に縫合する必要性を低減または排除することができる。
【０２９９】
図１４Ｂに示されるように、人工デバイス１３５０は、環状構造（例えば、環状構造１３０１）を欠くかまたは含まないものとすることができる。筐体構造１３５３（例えば、シリコーンを含む）の素材は、天然のカプセル嚢の内部側壁を接合点１４５６、１４５８で並置するように、構成することができる。実装によっては、筐体構造１３５３は、筐体構造１３５３の前方部分に開口１４６０を含む。実装によっては、開口１４６０は、ＩＯＬ１３０４、および／または開口を通じて筐体構造１３５３に配置される他のデバイスを受け取るように、構成することができる。人工デバイス１３５０は、有利に、本明細書に開示される他の人工デバイス例よりも少ない質量を含み、嵩の少ないものとすることができる。人工デバイス１３５０は、デバイス１３５０を支持するように構成されているカプセル状の伸長環など、第２の構成要素と組み合わせることができる。例えば、最初に環を埋め込むことができ、次いで、デバイス１３５０をｉｎ  ｓｉｔｕでその環に連結することができよう。
【０３００】
埋め込みの間、人工デバイス１３００は、概して、折り畳まれるか、人工デバイス１３００の軸１４１２に沿って折り畳むか、または巻き取ることができる。人工デバイス１３００は、巻き取られるかまたは折り畳まれた後、挿入デバイス内またはインジェクタデバイス内に配置することができる。実装によっては、挿入デバイスまたはインジェクタデバイスは、広い第１の端の開口を含み、狭い第２の端の開口で終結するまで次第に狭くなってゆく。実装によっては、広い第１の端の開口は、実質的には楕円の配置構成を含み、狭い第２の端の開口は、アーチ（例えば、実質的には円形、長円形など）の配置構成を含む。実装によっては、広い第１の端部開口は、人工デバイス１３００を受け取るように構成され、人工デバイス１３００は、挿入デバイスまたはインジェクタデバイスの漏斗部分またはテーパ部分を通じて押される際に、狭い第２の端の開口に向かって進むにつれて圧縮される。
【０３０１】
実装によっては、人工デバイス１３００は、折り畳まれたり巻き取られたりすることなく、挿入デバイス内に挿入または圧搾または圧縮される。眼１３０２の天然のカプセル嚢１３１８に挿入デバイスの遠位端を配置した後、挿入デバイス内に埋め込みツールを配置して、挿入デバイスを通じてかつ挿入デバイスから、天然のカプセル嚢１３１８内に、人工デバイス１３００を押し出すことができる。少ない質量を有することによって、具体的には軸１４１２の側方で、人工デバイス１３００を、さらに狭い挿入デバイスを通じて挿入することができるが、これは、人工デバイス１３００を、さらにコンパクトな形状に巻き取るか、折り畳むか、または圧縮することができるためである。さらに狭い挿入デバイスは、眼の切開をさらに小さなものにすることを可能にし、このような切開は、患者にとって有益となることがある。概して、眼の切開が小さいほど、必要な治癒時間は少なくなり、場合によっては、縫合がなくても閉じることがある。
【０３０２】
図１４Ａに示されるように、人工デバイス１３００は、本明細書に開示される人工デバイス例よりも狭い筐体構造１３０３を含む。実装によっては、筐体構造１３０３の配置構成がさらに狭いことは、筐体構造１３０３へのＩＯＬの挿入に有利であることがある。例えば、より狭い筐体構造１３０３は、ＩＯＬ１３０４が筐体構造１３０３内で回転するのを阻止または制限することができる。ＩＯＬ１３０４が筐体構造１３０３内で回転するのを制限、阻止、または防止することによって、外科医または他のユーザは、ＩＯＬ１３０４の位置が長期にわたって実質的に一定であり続けることを実質的に確信することができる。場合によっては、長期にわたるＩＯＬ１３０４の位置の変化は、患者にぼやけたまたは不明瞭な視覚を経験させる原因となることがある。筐体構造１３０３内でＩＯＬ１３０４回転自由度が制限されていることによって、そうでなければ徐々に進展する可能性のある視覚の問題を有利に阻止または防止することができる。例えば、円環状ＩＯＬでは、１度の回転毎におよそ３％の乱視修正の欠損が引き起こされ、そのため、レンズが１５°回転する場合に、修正効果のほぼ半分が失われることがある。場合によっては、外科医または他のユーザは、デバイス１３００に自動的にまたは必然的に配置されているＩＯＬ１３０４が方位を呈するよう、人工デバイス１３００を整列することができる場合に、筐体構造１３０３内でＩＯＬ１３０４を回転させて特定の方位を達成する必要がないことがある。
【０３０３】
図１５〜図１８を参照すると、人工デバイスの筐体構造は、様々な形状および／またはサイズを有することができる。異なる形状および／またはサイズは、異なるタイプのＩＯＬおよび／または他のデバイスを筐体構造内に位置させるよう収容することができることから、様々な形状および／またはサイズを有する筐体構造は有利であることがある。患者によっては、可能な限りコンパクトな筐体構造により恩恵を得ることがある。例えば、コンパクトな筐体構造としては、限定なく、天然でさらに球状もしくは円形もしくは丸い形状を有するか、またはテーパ状のもしくは角のある側部を有する、筐体構造が挙げられる。これらのタイプの状況では、可能な限りコンパクトな筐体構造を有する人工デバイスの埋め込みが、患者の外科的な要請に有利に適応することがある。例えば、患者によっては、より小さな天然のカプセル嚢を有し、コンパクトな筐体構造を有する人工デバイスによって恩恵を受けることがある。
【０３０４】
状況によっては、患者は、人工デバイスの筐体構造に配置される２つ以上のＩＯＬおよび／またはデバイスによる恩恵を受けることがある。これらのタイプの状況では、人工デバイスが、可能な限り多くの収容能をもたらす筐体構造を含むことが有益となる可能性がある。例えば、患者によっては、筐体構造内に配置される２つ以上のＩＯＬを必要とするかまたは望むことがある。それゆえ、２つ以上のＩＯＬもしくはデバイスを筐体構造内に受け取るためのさらにおおきな空間をもたらすには、さらにコンパクトさに欠けかつさらに円筒状である筐体構造を提供することが有益であることがある。ある実装では、１つまたは複数のＩＯＬまたは他のデバイスを、筐体構造のｘ平面、ｙ平面、および／またはｚ平面の特定の位置に配置することを可能にする筐体構造は、有利である。例えば、外科医は、筐体構造の前方部分、または筐体構造の後方部分、または筐体構造の中間部分に、ＩＯＬを有利に配置することができる。
【０３０５】
ある場合、外科医は、筐体構造の所望の部分内にＩＯＬが確実に配置されるようにすることを見出すのが難しいことがある。ある実装では、筐体構造は、筐体構造の内部部分内に隆起または溝を含み、それらは、ＩＯＬが筐体構造内の特定の位置を確実に維持する助けとなることができる。実装によっては、筐体構造は、ピラミッド様の配置構成（例えば、ピラミッド台状の）を含み、この配置構成は、ＩＯＬが筐体構造内のある種の位置を確実に維持する助けとなることができる。例えば、筐体構造は、前方部分で後方部分よりも狭い幅を有することができる。ある種の例では、ＩＯＬまたは他のデバイスは、筐体構造の前方部分の幅が狭いために前方部分のある種の点を通過して移動することを阻止又は防止する、ある直径または幅を有する。筐体構造は、筐体構造の後方部分が筐体構造の前方部分よりも幅が狭いという配置構成を含んでいてもよい。
【０３０６】
図１６は、テーパ状の側部１６０４Ａ、１６０４Ｂを有する筐体構造１６０２を含む人工デバイス１６００を示す。筐体構造１６０２は、テーパ状の側部１６０４Ａ、１６０４Ｂの頂端で環状構造１６０６に連結されている。環状構造１３０１について上記に記載されたように、環状構造１６０６は、筐体構造１６０２に嵌め込むか、取り付けるか、またはその他連結することができる。上記に議論されたように、人工デバイス１６００は、コンパクトな筐体構造が必要とされているある種状況で、有利であることがある。テーパ状の側部１６０４Ａ、１６０４Ｂを有することによって、筐体構造１６０２は、占める体積がさらに少なくなる。このタイプの配置構成は、小さな体積の収容能を持つ天然のカプセル嚢に、またはコンパクトな筐体構造１６０２を有する人工デバイス１６００による恩恵を受けることがある他の状況に、ちょうど適していることがある。人工デバイス１６００は、筐体構造１６０２の特定の位置に、ＩＯＬおよび／または筐体構造１６０２内の他のデバイスを配置するために有利であることがある。例えば、テーパ状の側部１６０４Ａ、１６０４Ｂは、ＩＯＬおよび／または他のデバイスが筐体構造１６０２前方領域および／または後方領域に移動するのを阻止または防止するように構成することができる。図示されないが、本明細書に記載されるように、デバイス１６００の前方端部または前部面または表面は、開口を含んでいてもよく、その開口を通じて、ＩＯＬおよび／または他のデバイスを挿入することができる。開口は、円形(例えば、開口１４１０のような)とすることができ、前面の形状に一致させても他の形状を取ってもよい。本明細書の人工デバイス例の前面の開口の図がないのは、そのようなデバイスの他の態様を明確にするためであり、そのようなデバイスがそのような開口を欠くことを意味する。
【０３０７】
図１７は、概ね円筒状の（例えば、円筒の２つの反対側部に素材がない）配置構成を有する筐体構造１７０２を含む人工デバイス１７００を示し、この構成では、側壁１７０４Ａ、１７０４Ｂが、筐体構造１７０２の前部面１７０８および後部面１７１０のうち少なくとも１つに垂直にまたは実質的に垂直である。上記に議論されたように、筐体構造１７０２が筐体構造１７０２の内部体積または収容能を増加させるか又は最大にする形状で構成されるのに有利であることがあり、一方で、環状構造１７０６および筐体構造１７０２のなし得る恩恵が依然として維持される。収容能を増加させるかまたは最大にすることによって、患者の眼に埋め込まれることがある２つ以上のＩＯＬおよび／または他のデバイスを受け取るように筐体構造１７０２を構成することができる。人工デバイス１７００の配置構成は、大容積の収容能を持つ天然のカプセル嚢を有する患者に有利であることがある。筐体構造１７０２は、天然のカプセル嚢内に追加の空間を占めるように構成することができ、例えば力学的に膨張して天然のカプセル嚢の形状もしくは体積を維持する。実装によっては、筐体構造１７０２は、環状構造１７０６の曲率と同じまたは実質的に同じである曲率を有する側壁１７０４Ａ、１７０４Ｂを含む。実装によっては、筐体構造１７０２は、側壁１７０４Ａ、１７０４Ｂで環状構造１７０６に連結されている。実装によっては、側壁１７０４Ａ、１７０４Ｂは、環状構造１７０６に嵌め込まれているか、取り付けられているか、またはその他連結されている。
【０３０８】
図１８は、前部面１８０８について鈍角のまたは９０°より大きな角度を形成する側壁１８０４Ａ、１８０４Ｂを有する筐体構造１８０２を含む人工デバイス１８００を示し、側壁１８０４Ａ、１８０４Ｂは、筐体構造１８０２の後部面について鋭角のまたは９０°より鋭い前方角を形成する。面１８０４Ａ、１８０４Ｂによって形成される角度は、同じであっても異なっていてもよい。上記に議論されるように、筐体構造１８０２が、ピラミッド様の配置構成、すなわち、筐体構造１８０２の前方部分での幅が筐体構造１８０２の後方部分よりも小さいという配置構成を含むことは有利であることがある。例えば、ある種のＩＯＬおよび／または他のデバイスは、筐体構造１８０２と相互に作用して筐体構造１８０２のある部分内のある点を越えてＩＯＬおよび／または他のデバイスが移動するのを阻止または防止する、直径または幅または他の寸法を含んでいてもよい。例えば、筐体構造１８０２の狭い方の前方部分は、ある寸法を有するＩＯＬおよび／または他のデバイスが、筐体構造１８０２内のある点を越えて前方に移動するのを阻止または防止するように構成することができる。
【０３０９】
実装によっては、外科医または他のユーザは、筐体構造１８０２内での２つ以上のＩＯＬおよび／または他のデバイスを埋め込むことを望むことがある。外科医または他のユーザは、筐体構造１８０２内で第１のＩＯＬまたは他のデバイスを第２のＩＯＬまたはデバイスから間隔を空けて置くことを望む場合がある。上述に適応させるために、第１のＩＯＬまたは他のデバイスは、筐体構造１８０２の後方部分に配置することができるが、筐体構造１８０２の前方部分に向けた移動は阻止され（例えば、幅、直径、またはより小さな前方部分には大きすぎる他の寸法を含むことによって）、また、第２のＩＯＬまたは他のデバイスは、筐体構造１８０２の前方部分に配置することができる（例えば、幅，直径、またはより小さな前方部分に嵌合させるには充分小さな他の寸法）。図１８に示されるように、筐体構造１８０２は、環状構造１８０６に連結することができる。ある種の実装では、環状構造１８０６は、筐体構造１８０２に（例えば、筐体構造１８０２の側壁１８０４Ａ、１８０４Ｂに）嵌め込まれているか、取り付けられているか、またはその他連結されている。ある種の実装では、筐体構造１８０２は、環１８０６の曲率と同じまたは実質的に同じである曲率を有する側壁１８０４Ａ、１８０４Ｂを含む。ある種の実装では、側壁１８０４Ａ、１８０４Ｂは、丸い縁の間は概ね平坦であり、筐体構造１８０２は、筐体構造１８０２の縁の点で環状構造１８０６に取り付けられる。
【０３１０】
図１９〜図２２Ｃは、円形、楕円、またはその他アーチ状の配置構成とは対照的に、正弦曲線またはジグザグまたはうねりのあるまたは波様の環状構造に連結されている筐体構造を含む人工デバイス例を示す。ある実装では、環状構造は、筐体構造の前面に実質的に平行な平面にある。実装によっては、環状構造は、前面に垂直または実質的に垂直な方向に波打つ形状を含む。実装によっては、環状構造は、前面に平行な平面と前面に実質的に垂直な方向との両方に波打つ形状を含む。環状構造は、前面に対し水平方向に、前面に対し鉛直方向に、または前面に対し水平方向および鉛直方向の両方に、正弦曲線の形状を有するように構成することができる。
【０３１１】
環状構造の正弦曲線の形状は、天然のカプセル嚢への環状構造の確保または係留を高めてもよい。例えば、天然のカプセル嚢の形状および寸法は、患者によって大きく変わる。場合によっては、患者の天然のカプセル嚢の形状は、完全には円形でも楕円形でも長円形でもない形状である。場合によっては、天然のカプセル嚢の形状は、不規則および／または非対称である。正弦曲線の形状を有する環状構造は、曲がって、天然のカプセル嚢の形状に合わせることができ、不規則な天然のカプセル嚢の形状内への配置の改善をもたらすことができる。ある実装では、正弦曲線波の先端または頂端または径方向外側の部分は、天然のカプセル嚢を係合させるように構成される。正弦曲線の環状構造の形状は、実質的に規則的であっても（例えば、図１９〜図２２Ｃに示されるように）変わってもよい。例えば、頂端によっては、他の頂端よりも大きな直径を有していてもよい。別の例として、前方方向に偏っている頂端があってもよいし、後方方向に偏っている頂端があってもよい。別の例では、屈曲を含む頂端があってもよいし、コイルまたは環を含む頂端があってもよい（例えば、図２１〜２２Ｃに示されるように）。ある実装では、実質的に円形または楕円形または長円形の配置構成を有する環状構造は、天然のカプセル嚢の不規則および／または非対称の形状に、正弦曲線の形状を有する環状構造のようにうまく合わせることができないことがある。
【０３１２】
実装によっては、環状構造の正弦曲線の形状は、筐体構造の周囲に環状構造を形成するコイル構造に置換することができる。
【０３１３】
図１９は、正弦曲線の環状構造１９０６および筐体構造１９０２を含む人工デバイス例１９００を示す。筐体構造１９０２は、前面１９１２に開口１９１０を含むことができる。本明細書の他の例に記載されるような開口１９１０は、そこを通じてＩＯＬまたは他のデバイス（例えば、技術デバイス）を筐体構造１９０２に配置させるためにＩＯＬまたは他のデバイスを受け取るように、構成することができる。実装によっては、環状構造１９０６は、筐体構造１９０２に連結されているように構成される。図１９に示されるデバイス例１９００では、環状構造１９０６は、部分１９０８Ａ、１９０８Ｂで筐体構造１９０２内に嵌め込まれており、そのため、環状構造１９０６が筐体構造１９０２によって部分的に被包されている。ある実装では、環状構造１９０６は、筐体構造１９０２に取り付けられているか、または連結されている。ある実装では、筐体構造１９０６は、筐体構造１９０２の内部部分に取り付けられている。ある実装では、環状構造１９０６は、筐体構造１９０２の外部部分に取り付けられている。環状構造１９０６は、波打っていなくても実質的にアーチ状でもよく、その場合、環状構造１９０６は、筐体構造１９０２に連結されるように、例えば製造の複雑性を減少させるように構成される。環状構造１９０６では、さらに多くの素材を筐体構造１９０２に位置１９０８Ａ、１９０８Ｂで係合するために、正弦曲線の形状が続いていてもよい。環状構造１９０６は、筐体構造１９０２に位置１９０８Ａ、１９０８Ｂで係合して、例えば特定の方位で所定の場所に固定するために、異なる正弦曲線の形状を有していてもよい。
【０３１４】
図２０は、人工デバイス２０００の一例を示す。実装によっては、人工デバイス２０００は、環状構造２００６に連結されている筐体構造２００２を含む。図１９の人工デバイス１９００とは対照的に、人工デバイス２０００は、軸２０１０に沿った幅よりもはるかに長い長さ、またははるかに大きい長さ対幅の比率を、軸２００８に沿って有した、縦長の筐体構造２００２を有するように構成することができる。上に記載されるように、ＩＯＬおよび／または他のデバイスが筐体構造２００２に配置されるよう適応させるために、軸２００８に縦長の筐体構造２００２を有した人工デバイス２０００を有することは有利であることがある。軸２００８に縦長の筐体構造２００２は、天然のカプセル嚢内に追加の空間を有利に占めることがあり、その結果、筐体構造２００２は、天然のカプセル嚢に天然の形状を力学的に拡張および／または維持するのにさらによく適していることがあるが、軸２０１０での寸法がさらに小さいことで、挿入のためのデバイス２０００の体積を減少させることができる。筐体構造２００２は、軸２０１０に長くなるように構成することができる。上記に議論されたように、軸２００８よりも軸２０１０に沿って広い、またはその逆である筐体構造２００２は、いっそう広い直径または幅または他の寸法を有するＩＯＬおよび他のデバイスを受け取るように、構成することができる。実装によっては、人工デバイス２０００は、軸方向２００８および軸方向２０１０の両方に長くする（例えば、丸みのある四角の形状を有する）ことができる。
【０３１５】
図２１〜図２２Ｂは、環状構造２１０６、２２０６に連結されている筐体構造２１０２、２２０２をそれぞれ含む、人工デバイス例２１００、２２００、２２５０を示す。実装によっては、環状構造２１０６、２２０６は、小穴２１０８Ａ、２１０８Ｂ、２１０８Ｃ、２１０８Ｄを含む。ある実装では、小穴２１０８Ａ、２１０８Ｂ、２１０８Ｃ、２１０８Ｄは、縫合糸を受け取って、外科医または他のユーザが環状構造２１０６を天然のカプセル嚢、虹彩、毛様体、強膜、または他の眼組織に縫合することが可能になるように構成することができる。実装によっては、小穴２１０８Ａ、２１０８Ｂ、２１０８Ｃ、２１０８Ｄは、小穴２１０８Ａ、２１０８Ｂ、２１０８Ｃ、２１０８Ｄ内で線維増多の形成を可能にしておよび／または促進して、天然のカプセルの人工デバイス２１００、２２００、２２５０を縫合または係留するように構成することができる。ある実装では、小穴２１０８Ａ、２１０８Ｂ、２１０８Ｃ、２１０８Ｄを含む人工デバイス２１００、２２００、２２５０は、患者の眼に長い間人工デバイス２１００、２２００、２２５０が埋め込まれている状況で、有利であることがある。眼は、老化するにつれて、形状および弾力性が変わる。小穴２１０８Ａ、２１０８Ｂ、２１０８Ｃ、２１０８Ｄは、外科医などが縫合によって環状構造２１０６、２２０６を眼に縫合するために使用することを可能にし、有利に、適正に、これらの変化を通じて人工デバイス２１００、２２００、２２５０を患者の眼に縫合することがある。環状構造２１０６、２２０６を眼に縫合することによって、人工デバイス２１００、２２００、２２５０は、眼が老化のために形状および／または弾力性を変えるにつれて眼の中の異なる位置に移動するのを、阻止または防止することができる。小穴２１０８Ａ、２１０８Ｂ、２１０８Ｃ、２１０８Ｄは、外部の点またはループまたはコイルまたは環２１０６で少なくとも３６０°である屈曲を含んでいてもよく、その屈曲は、頂端でばね力を増加させることができ、ばね力は、天然のカプセル嚢との適合を高めることができる。
【０３１６】
図２２Ａは、人工デバイス２２００の一例を示す。実装によっては、人工デバイス２２００は、少なくとも２つの環部分２２０６Ａ、２２０６Ｂに連結されている筐体構造２２０２を含む。環状構造２１０６が筐体構造２１０２に嵌め込まれているデバイス２１００とは対照的に、環部分２２０６Ａ、２２０６Ｂは、筐体構造２２０２に実質的に嵌め込まれないように、筐体構造２２０２に接合点２２１０Ａ、２２１０Ｂ、２２１０Ｃ、２２１０Ｄで取り付けるか連結することができる。実装によっては、筐体構造２２０２は、縁部分２２０８Ａ、２２０８Ｂの実質的な全長に沿って環部分２２０６Ａ、２２０６Ｂを含まないか、または欠いているか、または含有しない、縁部分２２０８Ａ、２２０８Ｂを含むことができる。実装によっては、縁部分２２０８Ａ、２２０８Ｂは、縁部分２２０８Ａ、２２０８Ｂの全長を越えて環部分２２０６Ａ、２２０６Ｂに嵌め込まれないかまたは連結されないことによって、さらに容易に折り畳まれるように構成される。環部分２２０６Ａ、２２０６Ｂは、同じであっても、異なっていても、例えば異なる形状、素材、寸法、屈曲のタイプ、それらの組み合わせなどを含んでいてもよい。環部分２２０６Ａ、２２０６Ｂは、眼における特有の方位について構成されていてもよい（例えば、環部分２２０６Ａが中間にある、環部分２２０６Ａが背側にあるなど）。
【０３１７】
実装によっては、縁部分２２０８Ａ、２２０８Ｂは、眼の天然のカプセル嚢により及ぼされる力の下で筐体構造２２０２が崩壊するのを阻止または防止するのに充分な力学的な構造的支持を含む。例えば、縁部分２２０８Ａ、２２０８Ｂは、１つまたは複数の一段高い隆起領域を、縁部分２２０８Ａ、２２０８Ｂの長さに沿って含んでいてもよい。上記に議論されたように、人工デバイス２２００の構築に利用される質量および／または素材の量を減少させることによって、小さな直径を持つ挿入ツール内に人工デバイス２２００が挿入されるよう、デバイス２２００を縦軸２２１２に沿って巻き取るかまたは折り畳むことを可能にすることができる。小さな直径を有する挿入ツールを利用することによって、外科医または他のユーザは、眼に約３．５ｍｍ未満、約３．４ｍｍ未満、約３．３ｍｍ未満、約３．２ｍｍ未満、約３．１ｍｍ未満、約３ｍｍ未満、約２．９ｍｍ未満、約２．８ｍｍ未満、約２．７ｍｍ未満、約２．６ｍｍ未満、約２．５ｍｍ未満、約２．４ｍｍ未満、約２．３ｍｍ未満、約２．２ｍｍ未満、約２．１ｍｍ未満、約２ｍｍ未満、約１．９ｍｍ未満、または約１．８ｍｍ未満の切開部を作製することができる。
【０３１８】
図２２Ｂは、人工デバイス２２５０の一例を示す。実装によっては、人工デバイス２２５０は、少なくとも２つの環部分２２５６Ａ、２２５６Ｂに連結される筐体構造２２５２を含む。筐体構造２１０２の一部の全長を越えて環状構造２１０６が嵌め込まれているデバイス２１００とは対照的に、および環部分２２０６Ａ、２２０６Ｂが実質的には筐体構造２２０２に嵌め込まれないように、環部分２２０６Ａ、２２０６Ｂが接合点２２１０Ａ、２２１０Ｂ、２２１０Ｃ、２２１０Ｄで筐体構造２２０２に取り付けられているかまたは連結されているデバイス２２００とは対照的に、デバイス２２５０は、端部アンカー２２６０Ａ、２２６０Ｂ、２２６０Ｃ、２２６０Ｄ（例えば、筐体構造２２５２の端部部分２２５８Ａ、２２５８Ｂ内に）と、および長手方向のアンカー２２６２Ａ、２２６２Ｂ（例えば、筐体構造２２５２の側部部分２２５８Ｃ、２２５８Ｄ内に）のうち少なくとも１つによって、筐体構造２２５２に部分的に嵌め込まれた環部分２２５６Ａ、２２５６Ｂを含む。端部アンカー２２６０Ａ、２２６０Ｂ、２２６０Ｃ、２２６０Ｄは、同じ程度にまたは異なる程度まで、筐体構造２２５２の縁部分２２５８Ａ、２２５８Ｂに延伸することができる。実装によっては、端部アンカー２２６０Ａ、２２６０Ｂ、２２６０Ｃ、２２６０Ｄのうち少なくとも１つは、少なくとも１回は方向を変えるアーチ形状（例えば、「Ｓ」形状）を含む。端部アンカー２２６０Ａ、２２６０Ｂ、２２６０Ｃ、２２６０Ｄの形状は、同じであっても異なっていてもよい。長手方向のアンカー２２６２Ａ、２２６２Ｂは、筐体構造２２５２の側部部分２２５８Ｃ、２２５８Ｄの全長に沿って（例えば、図２２Ｂに示されるように）、または筐体構造２２５２の側部部分２２５８Ｃ、２２５８Ｄの長さに部分的に沿って、延伸することができる。長手方向のアンカー２２６２Ａ、２２６２Ｂは、同じ程度にまたは異なる程度に、筐体構造２２５２の側部部分２２５８Ｃ、２２５８Ｄに沿って延伸することができる。実装によっては、長手方向のアンカー２２６２Ａ、２２６２Ｂのうち少なくとも１つは、少なくとも１回は方向を変える形状（例えば、筐体構造２２５０の長手方向の中央に向かって戻る）を含む。長手方向のアンカー２２６２Ａ、２２６２Ｂの形状は、同じであっても異なっていてもよい。１つまたは複数の端部アンカー２２６０Ａ、２２６０Ｂ、２２６０Ｃ、２２６０Ｄおよび／または長手方向のアンカー２２６２Ａ、２２６２Ｂは、筐体構造２２５２での安全確実な係留をもたらすように構成されている形状（例えば、うねりのある形状、コイル形状、方向交代型の形状など）を含んでいてもよい。端部アンカー２２６０Ａ、２２６０Ｂ、２２６０Ｃ、２２６０Ｄ、および長手方向のアンカー２２６２Ａ、２２６２Ｂは、１つまたは複数の位置に接続されていてもよい。例えば、筐体構造２２５２内へ進入する点に近接して接続される代わりに、またはそのように接続されるのに加えて、端部アンカー２２６０Ａ、２２６０Ｂ、２２６０Ｃ、２２６０Ｄ、および長手方向のアンカー２２６２Ａ、２２６２Ｂは、筐体構造２２５２中で、筐体構造２２５２の縁の内側で接続されていてもよい。
【０３１９】
また、図２２Ｂは、デバイス２２５０の寸法例を示す。筐体構造２２５２の外寸２２７０は、約９ｍｍから約１１ｍｍの間（例えば、約９．５ｍｍから約１０ｍｍｍの間）としてもよい。筐体構造２２５２の内寸２２７２は、約８ｍｍから約１０ｍｍの間（例えば、約９ｍｍ）としてもよい。筐体構造２２５２の外幅２２７４は、約６ｍｍから約８ｍｍの間（例えば、約７ｍｍ）としてもよい。外寸と外幅との比率（例えば、２２７０／２２７４）は、約１．１２５：１から約２：１に間（例えば、約１．４：１）としてもよい。筐体構造２２５２の内幅２２７６は、約６ｍｍから約７ｍｍの間（例えば、約６．５ｍｍ）としてもよい。前側部の開口の長さまたは幅２２７８は、約５ｍｍから約７ｍｍの間（例えば、約６ｍｍ）としてもよい。本明細書に議論されるように、開口は、円形以外の形状と、そのような形状に従って適切な寸法とを有していてもよい。デバイス２２５０の外幅２２８０（例えば、筐体構造２２５２および環部分２２５６Ａ、２２５６Ｂを含む）は、約９ｍｍから約１１ｍｍの間（例えば、約９．５ｍｍから約１０ｍｍの間）としてもよい。筐体構造２２５２と環部分２２５６Ａ、２２５６Ｂの最外部との距離２２８２は、約１ｍｍから約２ｍｍの間（例えば、約１．５ｍｍ）としてもよい。デバイス２２５０の側面斜視図である図２２Ｃを参照すると、筐体構造２２５２の外側の厚さまたは深さまたは高さ２２８４は、約２ｍｍから約３ｍｍの間（例えば、約２．５ｍｍ）としてもよい。
【０３２０】
図２３〜図２５は、前方の環状構造２３０４および後方の環状構造２３０２に連結されている筐体構造２３０１を含む、人工デバイス２３００の一例を示す。実装によっては、前方の環状構造２３０４は、筐体構造２３０１の前方部分に連結され、後方の環状構造２３０２は、筐体構造２３０１の後方部分に連結されている。実装によっては、環状構造２３０４、２３０２は、筐体構造２３０１の他の範囲に連結することができる。例えば、前方の環状構造２３０４は、筐体構造２３０１の前方部分の前方縁から僅かに後方に配置することができ、後方の環状構造２３０２は、筐体構造２３０１の後方部分の後方縁から僅かに前方に配置することができる。上に記載されたように、環状構造２３０４、２３０２は、筐体構造２３０１に嵌め込むことができるか、または環状構造２３０４、２３０２は、他のいくつかの方式で、筐体構造２３０１に取り付けるかもしくは連結することができる。実装によっては、筐体構造２３０１は、筐体構造２３０１の前面に開口２４０４を含むことができる。実装によっては、開口２４０４は、それを通じて、筐体構造２３０１内に配置されるＩＯＬ２３０３または他のデバイスを受け取るように構成することができる。
【０３２１】
図２３に示されるように、環状構造２３０４、２３０２が天然のカプセル嚢１３１８の円周１３０５の平面に平行または実質的に平行に配向されるように、人工デバイス２３００を、天然のカプセル嚢１３１８に配置されるよう構成することができる。図２３に示されるように、人工デバイス２３００は、環状構造２３０４、２３０２が、前方−後方の方向２３１２に配向するようには配置されない。しかし、実装によっては、環状構造２３０４、２３０２が、前方−後方の方向２３１２配向することができるように、人工デバイスを構成することができる。環状構造２３０４、２３０２が、前方−後方の方向に配置される場合、環状構造２３０４、２３０２は、さらに小さな楕円であり、かつ図２３に示される環状構造の直径よりも少ない寸法を有するように構成されてもよい、および／または天然のカプセル嚢１３１８の上部領域２３１１および下部領域２３１０の実質的に近く（例えば、環状構造２３０４、２３０２が光路にないように、瞳孔の径方向外側に）に配置されてもよい。実装によっては、環状構造２３０４、２３０２は、天然のカプセル嚢１３１８の天然の形状を力学的に拡張および／または維持するために、およびカプセル嚢１３１８が崩壊するのを阻止または予防するために、充分な力学的な力を人工デバイス２３００に与えるように、有利に構成することができる。実装によっては、環状構造２３０４、２３０２は、天然のカプセル嚢１３１８で筐体構造２３０１を縫合する際に役立てることができる。
【０３２２】
実装によっては、環状構造２３０４、２３０２は、筐体構造２３０１形状および／またはサイズを維持する際に役立てることができる、および／または天然のカプセル嚢１３１８によってまたはその上に及ぼされる力に起因して、筐体構造２３０１が少なくとも部分的にまたは完全に崩壊する（例えば、径方向内側に収縮する）のを阻止または防止することができる。実装によっては、環状構造２３０４、２３０２は、天然のカプセル嚢１３１８に埋め込むために、人工デバイス２３００を巻き取り、挿入ツール内に挿入した後に、人工デバイス２３００を拡張された配置構成に戻す（例えば、自己拡張させる）際に役立てることができる。上記に議論されたように、人工デバイス２３００は、本明細書に開示される他の例に比べて少ない質量および筐体素材を含むことから、有利なデザインである。人工デバイス２３００は、少ない質量と素材とを有するほど、さらにコンパクトな形状に巻き取ってさらに小さな挿入ツールに置くことができ、それによって、眼の切開部をさらに小さくすることが可能になる。
【０３２３】
図２６〜図３０は、筐体構造２６０８を含む人工デバイス２６００の一例を示す。筐体構造２６０８は、筐体構造２６０８の前方部分で前方の環状構造２６０６に連結されており、筐体構造２６０８の後方部分２６１２で後方の環状構造２６０２に連結されており、筐体構造の前方部分と筐体構造の後方部分との間の筐体構造２６０８の中間部分で中間の環状構造２６０４に連結されている。筐体構造２６０８の中間部分は、筐体構造２６０８の前方部分と後方部分との実質的な中点にあってもよいし、筐体構造２６０８の前方部分に近接していてもよいし、または筐体構造２６０８の後方部分に近接していてもよい。実装によっては、前方および後方の環状構造２６０６、２６０２は、実質的に同じ直径または寸法を含み、一方、中間の環状構造２６０４は、後方および前方の環状構造２６０６、２６０２の直径または寸法よりも大きな直径または寸法を含む。実装によっては、環状構造２６０２、２６０４、２６０６のそれぞれは、実質的には同じ直径または寸法を含む。実装によっては、前方の環状構造２６０６、後方の環状構造２６０２、および中間の環状構造２６０４のそれぞれは、互いに異なる直径または寸法を含む。
【０３２４】
実装によっては、人工デバイス２６００は、天然のカプセル嚢１３１８内に、天然のカプセル嚢１３１８の円周１３０５の平面に平行または実質的に平行な平面に配置される。図２６に示されるように、人工デバイス２６００は、前方−後方の方向に配置されない。実装によっては、人工デバイス２６００は、前面２６１４に開口２７０２を含む。実装によっては、開口２７０２は、それを通じて、ＩＯＬ２６１０、および／または筐体構造２６０８に配置される他のデバイスを受け取るように構成される。
【０３２５】
実装によっては、筐体構造２６０８に連結されている３つの環状構造２６０２、２６０４、２６０６は、人工デバイス２６００を天然のカプセル嚢１３１８内にさらに良好に固定することができ、例えばそれは、人工デバイス２６００が、天然のカプセル嚢１３１８の内部表面に接触することができる表面が増加することに起因する。実装によっては、環状構造２６０２、２６０４、２６０６は、天然のカプセル嚢１３１８のまたはその上の力の下で、天然のカプセル嚢１３１８の天然の形状を拡張および維持し、かつ天然のカプセル嚢１３１８が崩壊するのを阻止または防止するための、さらに大きな力学的な力を与えるように構成することができる。実装によっては、３つの環状構造２６０２、２６０４、２６０６は、天然のカプセル嚢１３１８内に追加の体積および空間を占め、天然のカプセル嚢１３１８の天然の形状を拡張および維持するように構成することができる。
【０３２６】
図２９および図３０は、人工デバイス２９００の一例を示す。人工デバイス２９００は、筐体構造２９０１に連結されている３つの環状構造２９０２、２９０４、２９０６を含むという点で、人工デバイス２６００と同様である。３つの環状構造２９０２、２９０４、２９０６はまた、複数の接続構造または筋交い２９０８を通じて互いに接続されている。実装によっては、接続構造２９０８は、３つの環状構造２９０２、２９０４、２９０６の位置および／または構造を安定化または維持するように構成されている。実装によっては、３つの環状構造２９０２、２９０４、２９０６を安定化することによって、人工デバイス２９００が、天然のカプセル嚢の天然の形状および／またはサイズをさらに良好に力学的に拡張および維持することを、可能にすることができる。接続構造２９０８は、天然のカプセル嚢の力の下で、筐体構造２９０１が崩壊するのを阻止または防止する際に役立てることができる。本明細書に開示される人工デバイスの他の例と同様に、筐体構造２９０１は、ＩＯＬ２９１２、および／または筐体構造２９０１の他のデバイスを受け取るように構成することができる。接続構造２９０８は、まっすぐなバー、コイル、正弦曲線の構造、他の適切な形状、それらの組み合わせなどを含んでいてもよい。接続構造２９０８は、実質的には前方−後方の方向に配向していてもよいし、三角形の支持体のように円周方向に角があってもよいし、直径差を占めるように径方向に角があってもよいし、それらの組み合わせなどであってもよい。環２９０２と２９０４との間の接続構造２９０８は、環２９０２、２９０４の間に接続構造２９０８が配されて整列されていてもよいし（例えば、同じ円周上の位置に）、環２９０２、２９０４の間に接続構造２９０８が配されて整列されていなくてもよいし（例えば、異なる円周上の位置に）、それらの組み合わせであってもよい。人工デバイス２９００は、環２９０２、２９０６を接続する接続構造を含んでいてもよい。接続構造２９０８は、環状構造２９０２、２９０４、２９０６として同じ素材を含んでいてもよいし（例えば、製造および／または連結をさらに容易にする）、または、環状構造２９０２、２９０４、２９０６として異なる素材を含んでいてもよい（例えば、接続構造２９０８に使用するための剛性を有するなど、素材を支持にさらに適したものとすることを可能にする）。
【０３２７】
図３１〜図３３は、人工デバイス３１００の一例を示す。人工デバイス３１００は、前方の環状構造３１０２および後方の環状構造３１０４に連結されている、筐体構造３１０６を含む。環状構造３１０２、３１０４は、接合点３１１４、３１１６で互いに接続する。接合点３１１４、３１１６は、環状構造３１０２、３１０４の円周の周りに、実質的に均等に間隔を空けて並べるか、もしくは向かい合わせとするか、または環状構造３１０２、３１０４の円周の周りに、非対称に間隔を空けて並べることができる。接合点をさらに少なくする（例えば１つ）かまたはさらに多くする（例えば２つを超える）ことも可能である。実装によっては、前方の環状構造３１０２は、筐体構造３１０６の前方部分に連結され、後方の環状構造３１０４は、筐体構造３１０６の後方部分に連結される。実装によっては、環状構造３１０２、３１０４は、筐体構造３１０６に接続されており、互いに平行または実質的に平行な平面上にある。筐体構造３１０６に接続されていない環状構造３１０２、３１０４の部分は、接合点３１１４、３１１６で互いに交差している。実装によっては、環状構造３１０２、３１０４は、連続した一体型の構造である。実装によっては、環状構造３１０２、３１０４は、共に連結または融合されて環状構造３１０２、３１０４を形成する、２つ、３つまたはそれを超える構成要素を含む。
【０３２８】
実装によっては、接合点３１１６、３１１４で接続されている環状構造３１０２、３１０４は、人工デバイス３１００に、より良い構造的な支持と無欠性とを与えることができる。構造的な無欠性を強化することによって、人工デバイス３１００は、天然のカプセル嚢１３１８をより良好に力学的に維持および／または拡張するように、構成することができる。接続されている環状構造３１０２、３１０４によってもたらされている構造的な無欠性は、天然のカプセル嚢１３１８の力の下で筐体構造３１０６が崩壊するのを阻止または防止する助けとすることができる。実装によっては、人工デバイス３１００上に及ぼされる力に応じて環状構造３１０２，３１０４が径方向内または外に曲がるように、環状構造３１０２、３１０４は、ばね様になるように構成することができる。これに関連して、環状構造３１０２、３１０４は、天然のカプセル嚢１３１８の形状をより良好に保持するように構成することができる、および／または人工デバイス３１００が天然のカプセル嚢１３１８または眼の中で回転する傾向を阻止または防止または緩和するように構成することができる。
【０３２９】
図３４および図３５は、人工デバイス３４００、３５００の例をそれぞれ示す。図３４を参照すると、人工デバイス３４００は、環状構造３４０６に連結されている筐体構造３４０２を含む。実装によっては、筐体構造３４０２は、それを通じて、ＩＯＬ３４０６、および／または筐体構造３４０２に配置される他のデバイスを受け取るように構成されている、開口３４０１を含む。実装によっては、筐体構造３４０２は、人工デバイス３４００が弧またはアーモンド形の切り抜き部分３４０８、３４１０を含むように、砂時計の配置構成を有するよう構成されている。筐体構造３４０２の砂時計の形状が、ＩＯＬ３４０６の触角３４１４Ａ、３４１４Ｂのそれぞれの遠位部分３４１２Ａ、３４１２Ｂを、筐体構造３４０２内の様々な位置に動かすことを可能にすることがあることから、人工デバイス３４００は、有利である。例えば、ＩＯＬ３４０６は、触角３４１４Ａ、３４１４Ｂのそれぞれの遠位先端３４１２Ａ、３４１２Ｂが弧縁部分３４１６Ａ、３４１６Ｂにそれぞれ接触するまで、反時計回りに回転させることができる。ＩＯＬ３４０６は、時計回りに回転するのを阻止または防止することができ、回転の確実性をもたらす。あるいは、ＩＯＬ３４０６は、別の（例えば、反対の）位置へ時計回りに回転させることができよう。ＩＯＬ３４０６は、触角３４１４Ａ、３４１４Ｂが、異なる形状である場合に、異なる回転をさせてもよい。
【０３３０】
筐体３４０２に配置されているＩＯＬ３４０６の回転の融通性と確実性とを与えることによって、外科医または他のユーザは、ＩＯＬ３４０６をより良く眼に配置し、患者のために良好または最良のパフォーマンスまたは結果を達成することができる。図３５を参照すると、人工デバイス３５００は、開示されるものと同様の回転の融通性を人工デバイス３４００に与えることができる。実装によっては、人工デバイス３５００は、環状構造３５０４に連結されている筐体構造３５０２を含む。筐体構造３５０２は、翼部分３５０８、３５１０を含むことができる。実装によっては、翼部分３５０８、３５１０は、ＩＯＬ３５０６の触角３５０６、３５０７の遠位部分３５１２Ａ、３５１２Ｂをそれぞれ受け取るように構成される。翼部分３５０８、３５１０は、球根状の端部（例えば、図３５に示されるような）を含んでいてもよいし、点もしくは鈍端部に向けて先細いものであってもよいし、触角３５０６、３５０７と相互に作用するのに適した任意の他の形状を有していてもよい。外科医または他のユーザは、ＩＯＬ３５０６を眼内により良く配置して、患者のために良好または最良のパフォーマンスまたは結果を達成するために、ＩＯＬ３５０６を反時計回りの方向に、例えば触角３５０６、３５０７が翼部分３５０８、３５１０と係合または相互に作用するまで、回転させることができる。一実施形態では、翼部分３５０８、３５１０はまた、筐体構造３５０２とさらに近位に係合するように設計され、実質的には人工デバイス３５００の体積を減少させてもよい。一実施形態では、人工デバイスは、ＩＯＬに嵌合させて形成することができる。人工デバイスのこの配置構成は、適用の際に、前記人工デバイス３５００内で前記ＩＯＬ３５０６もしくは触角３５０６、３５０７、もしくは遠位部分３５１２Ａ、３５１２Ｂを回転させることが可能な、または数多くの追加の技術を含有することが可能な能力がなくても、別のＩＯＬ３５０６を単に収容することが可能な人工デバイス３５００に限定されることがある。一実施形態では、そのようなデバイスの周辺の輪郭は、従来のＩＯＬ３５０６の形状に実質的に従うように構成することができる。さらに、そのような実装には、環状構造が存在していても存在していなくてもよい。
【０３３１】
図３６は、環状構造３６０３に連結されている筐体構造３６０１を含む人工デバイス３６００を示す。実装によっては、筐体構造３６０１は、筐体構造３６０１の後方部分３６０６に開口を含む。実装によっては、筐体構造の後方部分３６０６は、レンズ構造３６０２を受け取るように構成することができる。本明細書に記載されるように、レンズ構造３６０２は、屈折レンズとして役割を果たすことができ、この屈折レンズは、外科医または他のユーザが、適切なＩＯＬを選択し、ＩＯＬを筐体構造３６０１に配置して、患者に良好または最良のパフォーマンスまたは結果を達成するための、基準点を提供する。実装によっては、筐体構造３６０１は、筐体構造３６０１の前方部分３６０８に第２の開口を含む。本明細書に記載されるように、前方部分３６０８の第２の開口は、それを通じて、ＩＯＬ３６０４、および／または筐体構造３６０１に配置される他のデバイス受け取るように構成することができる。
【０３３２】
別個のレンズ構造を含むことによって、人工デバイス３６００は、さらに具体的には筐体構造３６０１は、デバイスに対して質量が低減することがあるため、一体化または連結されている屈折の後方部分を含む人工デバイス３６００が、有利であることがある。筐体構造３６０１の質量が少ない場合、人工デバイス３６００は、挿入ツール内に配置するためにさらにコンパクトな方式で、巻き取るかまたは折り畳むことができる。外科医または他のユーザは、さらに小さな切開部を使用するさらに小さな挿入ツールを利用することが可能である場合がある。外科医または他のユーザは、天然のカプセル嚢中に各構成要素が存在するままで、人工デバイス３６００をレンズ３６０２に連結することができ、それは例えば、切開部を通じて順番にデリバリされた後などである。構成要素が拡張状態に拡張（例えば、自己拡張）した後、外科医またはユーザは、後方部分３６０６の開口内にレンズ３６０２を配置することができる。外科医は、筐体構造３６０１（例えば、環状構造３６０３と組み合わせて）および後方セグメント３６０２を依然として支持しつつ、後方の嚢切開を作製してもよく、それによって、デバイス３６００を挿入するための手順を手動操作で実行することの容易さを高めるか、またはその困難さを低減することができ、硝子体の脱出を阻止または防止することができる。デバイス３６００を、フェムト秒レーザーと連動させて使用して、後方の嚢切開を作製してもよい。後方の嚢切開を作製した後、後嚢の物質を眼から除去することができ、それにより、後嚢の混濁化の発達を阻止または防止することができ（例えば、永久に）、嚢収縮を介したＩＯＬの位置の長期間にわたるシフトを阻止または防止することができる可能性がある。筐体構造３６０１が挿入される前または後に、人工カプセルデバイス３６００のレンズ３６０２を挿入することができよう。
【０３３３】
実装によっては、摩擦嵌合を使用して、レンズ３６０２は、後方部分３６０６で開口に連結されるように構成することができる。実装によっては、レンズ３６０２は、縫合またはレンズ３６０２を後方部分３６０６に取り付けるための他の機構を通じて、後方部分３６０６で開口に連結される。本明細書に他の例で記載されるように、人工デバイス３６００は、筐体構造３６０１の前方部分３６０８に開口を含んでいてもよい。実装によっては、前方部分３６０８の開口は、それを通じて、ＩＯＬ３６０４、および／または筐体構造３６０１に配置させるための他のデバイスを受け取るように、構成することができる。
【０３３４】
図３７Ａおよび図３７Ｂは、人工デバイス３７００の一例を示す。人工デバイス３７００は、複数のタブ３７０３を含む筐体構造３７０１を含む。実装によっては、筐体構造３７０１は、別個のレンズ３７０２を受け取るために、筐体構造３７０１の後方部分に開口３７０４を含む。実装によっては、筐体構造３７０１は、筐体構造３７０１の前方部分３７０８に開口３７０６を含む。実装によっては、前方部分３７０８の開口３７０６は、それを通じて、ＩＯＬ、および／または筐体構造３７０１に配置させるための他のデバイスを受け取るように構成することができる。
【０３３５】
図３８Ａ〜図３８Ｂは、人工デバイス３８００の例を示す。人工デバイス３８００は、環状構造３８０３Ａ、３８０３Ｂに連結されている筐体構造３８０１を含む。実装によっては、筐体構造３８０１は、筐体構造３８０１の後方部分３８０８に開口３８０４を含む。実装によっては、開口３８０４は、レンズ構造３８０２を受け取るように構成される。実装によっては、筐体構造３８０１は、筐体構造３８０１の前方部分３８１０に開口３８０６を含む。実装によっては、開口３８０６は、それを通じて、ＩＯＬ、および／または筐体構造３８０１に配置させるための他のデバイスを受け取るように構成することができる。
【０３３６】
別個の後方の光学系を含む複数の構成要素の人工カプセルデバイスのアセンブリの実装によっては、後方の光学系は、後方の光学系のない筐体構造に連結されていてもよい（例えば、部分的な屈折出力を提供するように構成されている、後方の開口、屈折によらずに出力される膜、または屈折により出力される光学系を含む代わりに）。例えば、筐体構造は、１つまたは複数の開口またはスリットを含んでいてもよく、後方の光学系は、リップを有する支柱を含むことがあり、その逆もまた同様であってもよいし、それらの組み合わせとしてもよい。実装によっては、開口および支柱のパターンは、例えば確実に質を制御するために、独自の鍵と鍵穴の配置構成としてもよい。後方の光学系は、筐体構造（例えば、その後ろまたはその前）から別個に挿入することができ、このことは、各注射中の素材の体積を低減することができ、切開部のサイズを低減する。支柱が開口を通じて挿入される際に、リップは、後方の光学系が筐体構造から外れるのを阻止または防止することができる。所望に応じて、後方の光学系は、例えば開口を通じてリップを押し込むことによって、交換することができ、それによって、望まれる可能性のある種々の光学系（例えば、多焦点の、円環状の、さらに高出力の、さらに低出力のものなど）へ融通させることを可能にすることができる。実装によっては、パターンは、特有の巻線密度、らせん幅などを有したねじ山（例えば、光学系の外部のねじ山および開口の内部のねじ山、またはその逆）を有することがある。
【０３３７】
図３９は、人工デバイス３９００の一例を示す。実装によっては、人工デバイス３９００は、環状構造３９０３（例えば、ポリイミドループ構造を含む）に連結されている実質的に平面の筐体構造３９０１を含む。環状構造３９０３は、本明細書に記載される特徴（例えば、アーチまたは正弦曲線の形状、筐体構造３９０１との連結または係留）を含んでいてもよい。実装によっては、実質的には平面の筐体構造３９０１は、反射部分３９０４を含む。本明細書に開示される他の例とは異なり、人工デバイス３９００は、ＩＯＬ、および／または実質的に平面の筐体構造３９０１に配置するための他のデバイスを受け取るようには構成されない。むしろ、実質的に平面の筐体構造３９０１は、反射部分３９０４を天然のカプセル嚢１３１８内に保持するように構成される。
【０３３８】
本明細書に記載される人工デバイス内にある筐体構造の後方の反射部分と同様に、天然のカプセル嚢１３１８に埋め込むためのＩＯＬ３９０２を決定または選択する際の参照の点として、反射部分３９０４を、外科医または他のユーザは使用することができる。三次元的な筐体構造がない場合、それ以上の質量および素材を人工デバイス３９００から排除することができるため、人工デバイス３９００が有利であることがある。人工デバイス３９００から追加的な質量および素材が排除される場合、挿入ツール内に挿入するためにさらにコンパクトな形式に。デバイスを巻き取るかまたは折り畳むことができる。配置構成がさらにコンパクトに折り畳まれると、外科医は、さらに小さな直径を持つ挿入ツールを利用することができ、さらに小さな切開部を眼に作製することができる。筐体構造３９０１は、硝子体液に接触するための障壁を提供すること、電子機器および他の構造体を収容することなど、本明細書に記載される他の利点をさらに提供してもよい。
【０３３９】
図４０は、人工デバイス４０００の一例を示す。デバイス４０００は、実質的には構成が嚢拡張リングに類似している。人工デバイス４０００は、ワイヤ・フレーム４００４を含む。ワイヤ・フレーム４００４は、眼内で生体適合性である単一の素材または素材の組合せを含むか、またはそれから作製することができ、そのような素材としては、以下に限定されないが、ＰＭＭＡ、アクリル、シリコーン、コラマー、ニチノール、ナイロン、ポリプロピレン、ポリイミド、ＰＴＦＥ、ポリエステル、それらの組み合わせなどが挙げられる。実装によっては、ワイヤ・フレーム４００４は、天然のカプセル嚢１３１８を複数回周回するように構成されている丸まった形状を含み、これによって、前嚢と後嚢とを容量的に隔離させることができると共に、毛様小帯が弱っている場合、裂けている場合、損傷している場合、および／またはない場合に、カプセル嚢に安定性を与える。実装によっては、ワイヤ・フレーム４００４は、天然のカプセル嚢１３１８中で拡大して、天然のカプセル嚢１３１８のサイズを力学的に拡大および／または維持するように構成される。実装によっては、人工デバイス４０００は、ＩＯＬ４００２、および／または天然のカプセル嚢１３１８に埋め込むための他のデバイスを受け取るように構成される。実装によっては、人工デバイス４０００のワイヤ・フレーム４００４は、光路に干渉しないような方式で丸まっている。実装によっては、人工デバイス４０００の筐体構造を欠いていることは、人工デバイス４０００から質量および素材を省くことを有利に可能にすることがある。質量および素材がさらに少なくなることによって、人工デバイス４０００を、挿入ツール内にさらにコンパクトに巻き取り折り畳むことができる。さらにコンパクトな形態を有することにより、外科医がさらに小さな直径の挿入ツールを利用することが可能にすることができ、および／または外科医または他のユーザがさらに小さな切開部を眼に作製することを可能にすることができる。人工デバイス４０００は、硝子体液との接触の障壁を与えること、電子機器および他の構造を収容することなど、本明細書に記載される他の利点をさらに提供することがある。実装によっては、人工デバイス４０００は、屈折面を含む。
【０３４０】
図４１は、人工デバイス４１００の一例を示す。人工デバイス４１００は、筐体構造４１０２を含む。外側の環状構造４１０４および内側の環状構造４１０６。実装によっては、外側の環状構造４１０４は、眼の溝１３２２Ａ、１３２２Ｂに配置されるように構成される（例えば、フランジ２０について本明細書に記載されるように）。実装によっては、内側の環状構造４１０６は、天然のカプセル嚢１３１８に配置されるように構成される。実装によっては、外側の環状構造４１０４を溝１３２２Ａ、１３２２Ｂに配置することによって、筐体構造４１０２を天然のカプセル嚢１３１８にしっかりと配置することができることから、人工デバイス４１００は、有利であることがある。実装によっては、外側の環状構造４１０４は、人工デバイス４１００の筐体構造４１０２が天然のカプセル嚢１３１８の中でまたはそこから移動するのを阻止または防止するように、構成することができる。筐体構造４１０２の位置を維持することによって、人工デバイス４１００を、眼が時間と共に変化したとしても、眼に固定位置で維持することができる。実装によっては、内側の環状構造４１０６は、天然のカプセル嚢１３１８の天然の体積を力学的に拡大および／または維持するように構成することができる。実装によっては、筐体構造４１０２は、前面で、開口を通じて、ＩＯＬ４１０８、および／または筐体構造４１０２に配置するための他のデバイスを受け取るように構成することができる。
【０３４１】
図４２は、人工デバイス４２００の一例を示す。人工デバイス４２００は、１つまたは複数の環状構造４２０３に連結されている筐体部分４２０１を含む。実装によっては、筐体構造４２０１は、前方部分４２０４を含む。本明細書に開示される他の例にあるものとは異なり、前方部分４２０４は、開口を含まず、むしろ反射部分を含む。実装によっては、筐体部分４２０１は、後方部分４２０８を含む。本明細書に開示される他の例にあるものとは異なり、後方部分４２０８は、反射部分を含まず、むしろＩＯＬ４２０６、および／または筐体構造４２０１に配置するための他のデバイスを受け取るのに用いる開口を含む。実装によっては、人工デバイス４２００は、ＩＯＬ４２０２と組み合わされて望遠鏡または物体の可視性を拡大するための装置のような役割を果たすことができることから、人工デバイス４２００は有利であることがある。物体を拡大させるために、人工デバイス４２００を利用して、ＩＯＬ４２０２と、筐体構造４２０１内に配置される前方部分４２０４および／またはＩＯＬ４２０６にある反射部分との間に、空間を生成する。
【０３４２】
図４３Ａは、人工カプセルデバイス４３００の一例の前部側面斜視図を示す。デバイス４３００は、前側部４３０２、後側部４３０４、および前側部４３０２と後側部４３０４との間に延在する側壁４３０６を含む。前側部４３０２は、開口４３０８を含む。後側部４３０４は、任意選択的に屈折面４３１０を含む。実装によっては、人工デバイス４３００は、前側部４３０２、後側部４３０４、および側壁４３０６を含む筐体構造４３１２に連結されている環状構造４３２０を含む。実装によっては、環状構造４３２０は、天然のカプセル嚢の円周を維持するのに充分に強固な素材を含む。実装によっては、環状構造４３２０は、非対称である場合がある天然のカプセル嚢の天然の形状に調整して合わせるのに充分な可撓性を有するように構成される。実装によっては、環状構造４３２０は、天然のカプセル嚢または他の眼領域内に、摩擦嵌合を介して、人工デバイス４３００をしっかりと固定するように構成される。例えば、環状構造４３２０は、ポリイミド；眼内レンズの製造で公知の素材、例えばシリコーン、コラマー、ＰＭＭＡ、アクリル、およびアクリレートなど；常置される縫合糸に使用される素材、例えばポリプロピレン、ナイロン、ポリテトラフルオロエチレン（ＰＴＦＥ）、およびポリエステルなど；形状記憶素材または温度記憶素材、例えばニチノール、クロムコバルト、および形状記憶ポリマー；それらの組み合わせなどを含むことができる。実装によっては、環状構造４３２０は、親水性素材および／または疎水性素材を含む。
【０３４３】
実装によっては、環状構造４３２０は、少なくとも２つの環部分４３２０Ａ、４３２０Ｂを含む。環状構造２１０６が筐体構造２１０２の一部分の全長にわたって嵌め込まれているデバイス２１００のように、環状構造４３２０は、アンカー４３２０Ｃ、４３２０Ｄによって、筐体構造４３１２の少なくとも一部分に嵌め込まれる。アンカー４３２０Ｃ、４３２０Ｄは、環部分４３２０Ａ、４３２０Ｂの間に延在する第１の部分４３２２Ａと、筐体構造４３１２の側部部分に沿った第２の部分４３２２Ｂとを含む。第１の部分４３２２Ａおよび第２の部分４３２２Ｂは、同じもしくは同様の特性、または少なくとも１つの異なる特性（例えば、素材、組成物、寸法、断面の形状、それらの組み合わせなど）を含んでいてもよい。アンカー４３２０Ｃ、４３２０Ｄおよび環部分４３２０Ａ、４３２０Ｂは、同じもしくは同様の特性、または少なくとも１つの異なる特性（例えば、素材、組成物、寸法、断面の形状、それらの組み合わせなど）を含んでいてもよい。図２２Ｂの任意選択的な変形物として議論される際に、長手方向のアンカー４３２２Ｂは、筐体構造４３１２の側部部分の長さに沿って部分的に延在する。図４３Ｂを参照すると、長軸に沿ってアンカー部分４３２２Ｂが空けている距離４３３０は、約２ｍｍから約４ｍｍの間（例えば、約２ｍｍ、約２．５ｍｍ、約３ｍｍ、約３．５ｍｍ、約４ｍｍ、そのような値の間の範囲など）である。長手方向のアンカー４３２２Ｂは、筐体構造４３１２の側部部分の全長に沿って、様々な程度、変化方向などで、側部部分に沿って延在することがある。
【０３４４】
環状構造４３２０は、径方向内側の窪み４３２４と径方向外側の峰または頂端４３２６との交互の並列を含む、うねりのあるまたは正弦曲線の形状を含む。図１９〜図２２Ｃについて記載されるように、正弦曲線の形状を有する環状構造４３２０は、曲がって、天然のカプセル嚢の形状に合わせることができ、それによって、不規則な天然のカプセル嚢の形状内での配置の改善をもたらすことができる。ある実装では、正弦曲線波の径方向外側の先端または頂端の部分４３２７は、天然のカプセル嚢に係合するように構成される。図１９〜図２２Ｃの任意選択的な変形物として議論される際に、正弦曲線の環状構造４３２０の形状は、他の頂端４３２６よりも大きな直径を有する複数の頂端４３２６を含む。ある実装では、実質的に円形または楕円形または長円形の配置構成を有する環状構造は、正弦曲線の形状を有する環状構造のように、天然のカプセル嚢の不規則および／または非対称の形状に合わせることができないことがある。
【０３４５】
環部分４３２０Ａ、４３２０Ｂは、穴または開き口または開口または小穴４３２８を含む。開口４３２８は、例えば、眼にデバイス４３００を縫合するために使用されてもよい。図４３Ａおよび図４３Ｂに示される開口４３２８は、環状構造４３２０中にわたって幅広く延在するが、環状構造４３２０中にわたって部分的に延在することができる。開口４３２８は、デバイス４３００を縫合する際の一助となったり、それを通じて線維増多を可能にしたりしてもよい。環状構造４３２０は、さらに多数または少数の開口４３２８、異なる位置の開口４３２８（例えば、窪み４３２４で、他の頂端４３２６で）などを含んでいてもよい。開口４３２８は、例えば、フォトエッチングおよび／またはレーザー・ミリングポリイミドによって形成されてもよい。
【０３４６】
図４３Ｂは、図４３の人工カプセルデバイス例４３００の前方平面図を示す。人工カプセルデバイス４３００は、線４３Ｃ−４３Ｃに沿った長軸と、線４３Ｄ−４３Ｄに沿った短軸とを有する。図４３Ｃは、図４３Ｂの線４３Ｃ−４３Ｃに沿った図４３Ａの人工カプセルデバイス例４３００の断面図を示す。図４３Ｄは、図４３Ｂの線４３Ｄ−４３Ｄに沿った図４３Ａの人工カプセルデバイス例４３００の断面図を示す。
【０３４７】
図４３Ｂ〜図４３Ｄは、デバイス４３００の寸法例を示す。外側の、またはある状況下でのデバイス４３００の最大直径４３５０は、約９ｍｍから約１１ｍｍの間（例えば、約９ｍｍ、約９．５ｍｍ、約１０ｍｍ、約１０．５ｍｍ、約１１ｍｍ、そのような値の間の範囲など）としてもよい。前側部４３０２の開口４３０８の長軸に沿った長さ４３５２は、約７ｍｍから約８ｍｍの間（例えば、約７ｍｍ、約７．５ｍｍ、約８ｍｍ、そのような値の間の範囲など）としてもよい。前側部４３０２の開口４３０８の短軸に沿った長さ４
３５４は、約６ｍｍから約７ｍｍ（例えば、約６ｍｍ、約６．５ｍｍ、約７ｍｍ、そのような値の間の範囲など）としてもよい。図４３Ａ〜図４３Ｄに示される開口４３０８は、長さ４３５４よりも長い長さ４３５２を有する細長形であるが、筐体構造４３１２ほどの細長ではない。実装によっては、開口４３０８は、円形である、より細長である、より細長ではない、および／またはまっすぐの部分を含んでいてもよい。後側部４３０４の屈折面４３１０の直径は、約４ｍｍから約６ｍｍの間（例えば、約４ｍｍ、約４．５ｍｍ、約５ｍｍ、約５．５ｍｍ、約６ｍｍ、そのような値の間の範囲など）としてもよい。
【０３４８】
環部分４３２０Ａの開口４３２８から環部分４３２０Ｂの開口４３２８の間の短軸に沿った距離４３５６は、約７ｍｍから約８ｍｍの間（例えば、約７ｍｍ、約７．２５ｍｍ、約７．５ｍｍ、約７．７５ｍｍ、約８ｍｍ、そのような値の間の範囲など）の間としてもよい。環部分４３２０Ａの開口４３２８から環部分４３２０Ｂの開口４３２８の間の長軸に沿った距離４３５８は、約４ｍｍから約５ｍｍの間（例えば、約４ｍｍ、約４．２５ｍｍ、約４．５ｍｍ、約４．７５ｍｍ、約５ｍｍ、そのような値の間の範囲など）としてもよい。本明細書に記載される寸法は、強膜壁の周囲について、デバイス４３００の位置に影響を及ぼすことがある。例えば、デバイス４３００を強膜壁に縫合するために穴４３２８が使用される場合、穴４３２８は、好ましくは対称の安定な固定点を提供するために、好ましくは互いに間隔が空いているかまたは充分に離れている。
【０３４９】
デバイス４３００が、眼への挿入のために長軸に沿って折り畳まれる際に、屈折面４３１０は、短軸に沿って伸展することができる。実装によっては、屈折面４３１０は、少なくとも約１１０％、約１２０％、約１３０％、約１４０％、約１５０％、約１６０％、約１７０％、約１８０％、約１９０％、約２００％、またはそれよりも多く伸展することができる。実装によっては、屈折面４３１０は、約１１０％から約６００％の間［例えば、約１１０％、約１２０％、約１３０％、約１４０％、約１５０％、約１６０％、約１７０％、約１８０％、約１９０％、約２００％、約２５０％、約３００％、約３５０％、約４００％、約４５０％、約５００％、約５５０％、約６００％、そのような値の間の範囲、約１１０％未満（例えば、約０％から約１１０％の間）、約２００％超、約３００％超、約４００％超、約５００％超、約６００％超など］に伸展することができる。デバイス４３００が折り畳まれていない（例えば、自己拡張している）際に、環状構造４３２０もまた、そのうねりがまっすぐとなるために、伸展することができる。破線４３６０によって示される環部分４３２０Ａ、４３２０Ｂの間の取り付け点間の弧の長さは、約７．７ｍｍである。環部分４３２０Ａ、４３２０Ｂそれぞれの外縁の長さは、約１０．４６ｍｍである。環部分４３２０Ａ、４３２０Ｂは、長軸に沿って筐体構造の弧を超える長さに伸展することができ、それにより、環状構造４３２０が筐体構造４３１２から引っ張り出される危険性が低減される。
【０３５０】
直径５ｍｍを有する反射部分４３１０の曲率半径は、３０ジオプトリーの等凸レンズについては約６．３９ｍｍの間である。曲率半径は、さらに大きなまたは小さなジオプトリー、異なる直径を有する反射部分４３１０、非等凸レンズなどによって異なっていてもよい。屈折面４３１０の径方向外側の後側部４３０４および側壁４３０６の壁の厚さは、約０．１ｍｍから約０．４ｍｍの間（例えば、約０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。実装によっては、側壁４３０６は、後方の壁よりも厚くても薄くてもよい。デバイス４３００の前側部４３０２と後側部４３０４との間の厚さ４３６６は、約２ｍｍから約３ｍｍの間（例えば、約２ｍｍ、約２．２５ｍｍ、約２．５ｍｍ、約２．７５ｍｍ、約３ｍｍ、そのような値の間の範囲など）としてもよい。屈折点または設計上の特徴と後側部４３０４との間の厚さ４３６８、４３７０は、厚さ４３６６より短くてもよく、これは、それらが後側部４３０４にさらに近いためである。例えば、前側部４３０２は、厚さ４３６６が厚さ約４３６８よりも約０．２ｍｍ大きくなるように、約０．２ｍｍの厚さ４３７４を有するリップ４３１４を含んでいてもよい。他のリップ４３１４の厚さ４３７４にすることもまた可能であり、例えば壁および／または側部壁の厚さと同じであっても異なっていてもよい。別の例としては、前側部４３０２は、径方向内側のテーパを含んでいることがあり、テーパの始まり（例えば、そこでは、側壁４３０６がデバイス４３００の縦軸に概ね平行である）とリップ４３１４との間の厚さ４３７０は、約０．２５ｍｍであることがあり、その結果、厚さ４３６６は、厚さ４３６８よりも大きく約０．４５ｍｍとなる。屈折面４３１０の端部と前側部４３０４との間の厚さ４３７２は、厚さ４３６６よりも大きいことがあり、これは、屈折面４３１０が後側部４３０４の壁の外側に延在するためである。例えば、屈折面４３１０は、厚さ４３７２が厚さ４３６６よりも大きな約０．５０９ｍｍとなるように、約０．５０９ｍｍ突き出ていることがあり、ジオプトリー値、レンズのタイプ、レンズの直径などによって変わることがある。
【０３５１】
環状構造４３２０は、約０．１ｍｍから約０．１５ｍｍ（例えば、約０．１ｍｍ、約０．１１ｍｍ、約０．１２ｍｍ、約０．１２５ｍｍ、約０．１３ｍｍ、約０．１４ｍｍ、約０．１５ｍｍ、そのような値の間の範囲など）の厚さ４３７６を有していてもよい。環状構造４３２０と後側部４３０４との間の距離は、例えばおおよその中点で測定される場合、約０．２５ｍｍから約２．５ｍｍの間（例えば、約０．２５ｍｍ、約０．５ｍｍ、約０．７５ｍｍ、約１ｍｍ、約１．２５ｍｍ、約１．５ｍｍ、約１．７５ｍｍ、約２ｍｍ、約２．５ｍｍ、そのような値の間の範囲など）であってもよい。環状構造４３２０の縦の配置は、前側部４３０２または後側部４３０４にさらに近接していてもよく、例えば天然のカプセル嚢との予想される相互作用に基づく。
【０３５２】
図４３Ｅは、人工カプセルデバイスシステム４３９９の一例の前部側面斜視図を示す。図４３Ｆは、図４３Ｅの人工カプセルデバイスシステム例４３９９の前方平面図を示す。図４３Ｇは、図４３Ｅの人工カプセルデバイスシステム例４３９９の図４３Ｆの線４３Ｇ−４３Ｇに沿った断面図を示す。図４３Ｈは、図４３Ｅの人工カプセルデバイスシステム例４３９９の側面図を示す。システム４３９９は、人工カプセルデバイス４３０１および眼内レンズ４３７１を含む。
【０３５３】
眼内レンズ４３７１は、反射部分４３７５から径方向外側に延在する触角４３７３を含む。次いで、触角４３７３は、反射部分４３７５から径方向外側にかつ間隔が空くように、反射部分４３７５と概ね同軸に曲がる。システム４３９９は、他のタイプの眼内レンズ４３７１を含んでいてもよく、そのようなレンズとしては、以下に限定されないが、球状、非球面、波面、凸状、凹状、多焦点（回折性、屈折性、帯状）、円環状、遠近調節性（調節性）、紫外（ＵＶ）フィルタリング、回折性の色収差低減レンズ；および任意の正のジオプトリー値（例えば＋３５Ｄ以上を含む）から任意の負のジオプトリー値（例えば−３５Ｄ以下を含む）までに及ぶ光学出力を有し、任意のプリズム出力（６０プリズム・ジオプトリー以上を含む）を含む、光調整可能レンズ（紫外光調整可能なフェムト秒位相ラッピングの）が挙げられる。システム４３９９は、人工カプセルデバイスの屈折レンズと連動して動作するように設計された光学システムの構成要素を含んでいてもよく、この構成要素は、望遠鏡などの多重偽水晶体光学システムを作り出すことができるか、または複数の屈折の質（例えば、乱視、球面収差、焦点深度延長、および／または多焦点性）の改善をもたらすことができる。
【０３５４】
人工カプセルデバイス４３０１は、線４３Ｇ−４３Ｇに沿った長軸と、線４３Ｇ−４３Ｇに直交している短軸とを有する。デバイス４３０１は、前側部４３０３、後側部４３０５、および前側部４３０３と後側部４３０５との間に延在する側壁４３０７を含む。前側部４３０３は、開口４３０９を含む。後側部４３０５は、任意選択的に屈折面４３１１を含む。実装によっては、人工デバイス４３０１は、前側部４３０３、後側部４３０５、および側壁４３０７を含む筐体構造４３１３に連結されている、環状構造  ４３２１を含む。眼内のデバイス４３７１は、側壁４３０７の内部表面４３７９に接する。デバイス４３０１は、内部リップを持たないか、または欠いている。
【０３５５】
側壁４３０７は、外表面４３７７と内表面４３７９とを有する。デバイスの側壁４００、１０００、１１００、１１５０、１２５０、２２５０、２３００、２９００、３１００、４３００のように、例えば、側壁４３０７は、後面４３０５から前方へ延在するまっすぐな壁を形作る第１の部分と、前面４３０３の開口４３０９に向かって径方向内側に先細りしている第２の部分とを含む。  第１および第２の部分は、移行点４３８１によって特定されてもよいし、その部分の特性（例えば、形状、機能など）に基づき特定されてもよい。側壁４３０７のまっすぐな壁を形作る部分は、デバイス４３０１の縦軸に平行または実質的に平行であってもよい。側壁４３０７のまっすぐな壁を形作る部分は、デバイス４３０１の後面の平面部分に直交または実質的に直交していてもよい。側壁４３０７のまっすぐな壁を形作る部分は、開口４３０９に直交または実質的に直交していてもよい。側壁４３０７のまっすぐな壁を形作る部分は、デバイス４３０１の空洞の空間を増やすことができる。この空間は、眼内レンズ、他の光学デバイス、薬物溶出デバイス、電子デバイスなどに使用することができる。デバイス４３０１は、様々な品目を眼内に挿入するための、および除去さえするためのプラットフォームを提供する。
【０３５６】
実装によっては、凸状または双テーパ状の側壁を含む人工カプセルデバイス（例えば、デバイス１０、１１０、２１０、９００にあるような）は、ＩＯＬが前方へ動くのを阻止または防止するように構成されている内部リップを含む。実施形態によっては、内部リップは、デバイスの後方端部に近接している。実施形態によっては、デバイスは、特定のタイプのＩＯＬ、特定のタイプの触角、および／またはＩＯＬのジオプトリー値と相互に作用するように構成されてもよい。
【０３５７】
実装によっては、環状構造４３２１は、天然のカプセル嚢の円周を維持するのに充分に強力な素材を含む。実装によっては、環状構造４３２１は、非対称である場合がある天然のカプセル嚢の天然の形状に調整して合わせるのに充分な可撓性を有するように構成される。実装によっては、環状構造４３２１は、摩擦嵌合を介して、天然のカプセル嚢または眼領域内に人工デバイス４３０１をしっかりと固定するように構成される。例えば、環状構造４３２１は、ポリイミド；眼内レンズの製造で公知の素材、例えばシリコーン、コラマー、ＰＭＭＡ、アクリル、およびアクリレートなど；常置される縫合糸に使用される素材、例えばポリプロピレン、ナイロン、ポリテトラフルオロエチレン（ＰＴＦＥ）、およびポリエステルなど；形状記憶素材または温度記憶素材、例えばニチノール、クロムコバルト、および形状記憶ポリマー；それらの組み合わせなどを含むことができる。実装によっては、環状構造４３２１は、親水性素材および／または疎水性素材を含む。
【０３５８】
実装によっては、環状構造４３２１は、環部分４３２１Ａ、４３２１Ｂを含む。環部分の他の数にすることもまた可能である（例えば、１個、３個、４個など）。環状構造４３２１は、アンカー４３２１Ｃ、４３２１Ｄによって、筐体構造４３１３の少なくとも一部分に嵌め込まれる。アンカー４３２１Ｃ、４３２１Ｄは、環部分４３２１Ａ、４３２１Ｂの間に延在する第１の部分４３２３Ａと、筐体構造４３１３の側部部分に沿った第２の部分４３２３Ｂとを含む。第１の部分４３２３Ａおよび第２の部分４３２３Ｂは、同じもしくは同様の特性、または少なくとも１つの異なる特性（例えば、素材、組成物、寸法、断面の形状、それらの組み合わせなど）を含んでいてもよい。アンカー４３２１Ｃ、４３２１Ｄおよび環部分４３２１Ａ、４３２１Ｂは、同じもしくは同様の特性、または少なくとも１つの異なる特性（例えば、素材、組成物、寸法、断面の形状、それらの組み合わせなど）を含んでいてもよい。図２２Ｂの任意選択的な変形物として議論される際に、長手方向のアンカー４３２３Ｂは、筐体構造４３１３の側部部分の長さに沿って部分的に延在する。長手方向のアンカー４３２３Ｂは、筐体構造４３１３の側部部分の全長に沿って、様々な程度、変化方向などで側部部分に沿って延在することがある。
【０３５９】
環状構造４３２１は、径方向内側の窪み４３２５と径方向外側の峰または頂端４３２７との交互の並列を含む、うねりのあるまたは正弦曲線の形状を含む。図１９〜図２２Ｃおよび図４３Ａ〜図４３Ｄについて記載されるように、正弦曲線の形状を有する環状構造４３２１は、曲がって、天然のカプセル嚢の形状に合わせることができ、それのよって、不規則な天然のカプセル嚢の形状内での配置の改善をもたらすことができる。ある実装では、正弦曲線波の径方向外側の先端または頂端の部分４３２７は、天然のカプセル嚢に係合するように構成される。正弦曲線の環状構造４３２１の形状は、他の頂端４３２７よりも大きな直径を有する複数の頂端４３２７を含む。ある実装では、実質的に円形または楕円形または長円形の配置構成を有する環状構造は、正弦曲線の形状を有する環状構造のように、天然のカプセル嚢の不規則および／または非対称の形状に合わせることができないことがある。
【０３６０】
環部分４３２１Ａ、４３２１Ｂは、穴または開き口または開口または小穴４３２９を含む。開口４３２９は、例えば、眼にデバイス４３０１を縫合するために使用されてもよい。図４３Ｅおよび図４３Ｆに示される開口４３２９は、環状構造４３２１中にわたって幅広く延在するが、環状構造４３２１中にわたって部分的に延在することができる。開口４３２９は、デバイス４３０１を縫合する際の一助となったり、それを通じて線維増多を可能にしたりしてもよい。環状構造４３２１は、さらに多数または少数の開口４３２９、異なる位置の開口４３２９（例えば、窪み４３２５で、他の頂端４３２７で）などを含んでいてもよい。開口４３２９は、例えば、フォトエッチングおよび／またはレーザー・ミリングポリイミドによって形成されてもよい。
【０３６１】
デバイス４３０１の寸法例は、そのうちいくつかが下記に示され、デバイス４３００の寸法例、その改良、および／または本明細書に記載される他のデバイスと同じであっても同様であってもよい。外側の、またはある状況下でのデバイス４３０１の最大直径４３５１は、約９ｍｍから約１１ｍｍの間（例えば、約９ｍｍ、約９．５ｍｍ、約１０ｍｍ、約１０．５ｍｍ、約１１ｍｍ、そのような値の間の範囲など）としてもよい。長軸に沿った前側部４３０３の開口４３０９の長さは、約７ｍｍから約８ｍｍの間（例えば、約７ｍｍ、約７．５ｍｍ、約８ｍｍ、そのような値の間の範囲など）としてもよい。短軸に沿った前側部４３０３の開口４３０９の長さは、約６ｍｍから約７ｍｍの間（例えば、約６ｍｍ、約６．５ｍｍ、約７ｍｍ、そのような値の間の範囲など）としてもよい。開口４３０９は、細長（例えば、長軸に沿う方でさらに長い）、円形、および／または他の形状としてもよい。後側部４３０５の屈折面４３１１の直径は、約４ｍｍから約６ｍｍの間（例えば、約４ｍｍ、約４．５ｍｍ、約５ｍｍ、約５．５ｍｍ、約６ｍｍ、そのような値の間の範囲など）としてもよい。
【０３６２】
環部分４３２１Ａの開口と環部分４３２１Ｂの開口４３２９との間の短軸に沿った距離は、約７ｍｍから約８ｍｍの間（例えば、約７ｍｍ、約７．２５ｍｍ、約７．５ｍｍ、約７．７５ｍｍ、約８ｍｍ、そのような値の間の範囲など）としてもよい。環部分４３２１Ａの開口４３２９と環部分４３２１Ｂの開口４３２９との間の長軸に沿った距離は、約４ｍｍから約５ｍｍ（例えば、約４ｍｍ、約４。２５ｍｍ、約４。５ｍｍ、約４。７５ｍｍ、約５ｍｍ、そのような値の間の範囲など）としてもよい。本明細書に記載される寸法は、強膜壁の周囲について、デバイス４３０１の位置に影響を及ぼすことがある。例えば、デバイス４３０１を強膜壁に縫合するために穴４３２９が使用される場合、穴４３２９は、好ましくは対称の安定な固定点を提供するために、好ましくは互いに間隔が空いているかまたは充分に離れている。
【０３６３】
デバイス４３０１が、眼への挿入のために長軸に沿って折り畳まれる際に、屈折面４３１１は、短軸に沿って伸展することができる。実装によっては、屈折面４３１１は、少なくとも約１１０％、約１２０％、約１３０％、約１４０％、約１５０％、約１６０％、約１７０％、約１８０％、約１９０％、約２００％、またはそれよりも多く伸展することができる。実装によっては、屈折面４３１１は、約１１０％から約６００％の間［例えば、約１１０％、約１２０％、約１３０％、約１４０％、約１５０％、約１６０％、約１７０％、約１８０％、約１９０％、約２００％、約２５０％、約３００％、約３５０％、約４００％、約４５０％、約５００％、約５５０％、約６００％、そのような値の間の範囲、約１１０％未満（例えば、約０％から約１１０％の間）、約２００％超、約３００％超、約４００％超、約５００％超、約６００％超など］に伸展することができる。デバイス４３０１が折り畳まれていない（例えば、自己拡張している）際に、環状構造４３２１もまた、そのうねりがまっすぐとなるために、伸展することができる。環部分４３２１Ａ、４３２１Ｂは、長軸に沿って筐体構造の弧を超える長さに伸展することができ、それにより、環状構造４３２１が筐体構造４３１３から引っ張り出される危険性が低減される。
【０３６４】
屈折面４３１１の径方向外側の後側部４３０５および側壁４３０７の壁の厚さは、約０．１ｍｍから約０．４ｍｍの間（例えば、約０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。実装によっては、側壁４３０７は、後方壁よりも厚くても薄くてもよい。前側部４３０３と側部４３０５との間のデバイス４３０１の厚さは、約２ｍｍから約３ｍｍの間（例えば、約２ｍｍ、約２．２５ｍｍ、約２．５ｍｍ、約２．７５ｍｍ、約３ｍｍ、そのような値の間の範囲など）としてもよい。
【０３６５】
環状構造４３２１は、約０．１ｍｍから約０．１５ｍｍの間（例えば、約０．１ｍｍ、約０．１１ｍｍ、約０．１２ｍｍ、約０．１２５ｍｍ、約０．１３ｍｍ、約０．１４ｍｍ、約０．１５ｍｍ、そのような値の間の範囲など）の厚さを有していてもよい。環状構造４３２１と後側部４３０５との間の距離は、例えばおおよその中点で測定される場合、約０．２５ｍｍから約２．５ｍｍの間（例えば、約０．２５ｍｍ、約０．５ｍｍ、約０．７５ｍｍ、約１ｍｍ、約１．２５ｍｍ、約１．５ｍｍ、約１．７５ｍｍ、約２ｍｍ、約２．５ｍｍ、そのような値の間の範囲など）としてもよい。環状構造４３２１の長軸方向の位置は、前側部４３０３または後側部４３０５にさらに近接していてもよく、例えば天然のカプセル嚢との予想される相互作用に基づく。
【０３６６】
図５７Ａは、人工カプセルデバイス４３０１を含むキット例５７００の分解斜視図である。図５７Ｂは、図５７Ａのキット例の上面図である。図５７Ｃは、図５７Ｂの線５７Ｃ−５７Ｃに沿った図５７Ａのキット例の断面図を示す。図５７Ｄは、図５７Ｂの線５７Ｄ−５７Ｄに沿った図５７Ａのキット例の断面図を示す。図５７Ｅは、図５７Ｂの線５７Ｅ−５７Ｅに沿った図５７Ａのキット例の断面図を示す。デバイス４３０１について本明細書に説明および記載されているものの、キット５７００は、本明細書に記載されるデバイス、他の人工デバイス、眼内レンズ、他のタイプのインプラント、体液、器具などのうちいずれかを含んでいてもよい。キットは、ケース５７０２および蓋５７０４を含む。
【０３６７】
図５７Ｆは、デバイス４３０１を保持している図５７Ａのキット例５７００の構成要素である基板５７０２の上面図である。ケース５７０２は、丸い長方形の形状を含む。実装によっては、ケース５７０２は、デバイス４３０１に対応するかまたはそれを思い起こさせる形状（例えば、環状構造４３２１のないもの）を含む。
【０３６８】
ケース５７０２は、空洞５７０６を含む。空洞５７０６は、図５７Ｃ〜図５７Ｅの断面図に見ることができ、質量を減らし、素材の使用量を減らしてコストを節約し、スタッキング・インターロックを与え、グリップを与え、および／または他の可能な利点をもたらすことができる。
【０３６９】
ケース５７０２の上部表面は、識別表示５７０８である。表示５７０８は、デバイス４３０１に関する情報、例えばジオプトリー値、シリアル番号、外径、屈折面の直径、厚さ、製造業者、形状、素材など）を含むことができる。表示５７０８は、一緒にグループとする、デバイス４３０１の周囲、ケース５７０２の様々な表面上、蓋５７０４上に置く、などとしてもよい。
【０３７０】
ケース５７０２は、上部表面から延在する蓋の嵌合構造を含む。蓋の嵌合構造は、第１の部分５７１０および第２の部分５７１１を含む。第１の部分５７１０は、ギャップ５７１２によって第２の部分５７１１から間隔を空けている。第１の部分５７１０および第２の部分５７１１のそれぞれは、複数の円錐台状の支柱５７１４を含む。図５７Ｂに最良に見られるように、支柱５７１４は、デバイス４３０１をしっかりと保持する一助とすることができる。さらに数多くのもしくは数少ない支柱、または他の形状（例えば、弧）が使用されてもよい。支柱は、筐体４３１３（例えば、図５７Ｂに示されるように）、環状構造４３２１、開口４３２９、および／またはデバイス４３０１の他の部分、および／または他のデバイスと相互に作用するように構成されてもよい。例えば、デバイス４３０１の外径が１０ｍｍであれば、支柱５７１４の内縁は、１０ｍｍよりも僅かに大きくてもよい（例えば、約１０．０１ｍｍから約１１ｍｍ）。
【０３７１】
図５７Ｅに最良に見られるように、第１の部分５７１０および第２の部分５７１１のそれぞれは、外向きに突出するリップ５７１８を形成する切り抜き部分５７１６を含む、Ｃ形状のまたは（Ｃ形状に上向きに突出している壁を含む。蓋５７０４は、内向きに突出するリップ５７２２をそれぞれが含む、複数の歯５７２０を含む。リップ５７２２は、リップ５７１８と相互に作用して基板５７０２に蓋５７０４を固定するように構成され、その固定は、蓋５７０４をリップ５７２２と共にギャップ５７１２に配置し、リップ５７２２がリップ５７１８の下となるまで時計回りに回転することによって生じる。歯５７２０は、リップ５７２２に径方向の可撓性を与えることがある、および／またはリップ５７２２の場所の識別を与えることがある。実装によっては、蓋５７０４は、歯５７２０を欠いているが、リップ５７２２を含む。基板５７０２は、部分５７１０、５７１１の他のセグメント上に切り抜き部分５７１６を含んで、例えば、反時計回りの方向に捻ることにより、基板５７０２に蓋５７０４をかみ合わせることを可能にすることがある。
【０３７２】
蓋５７０４は、外向きに突出している複数のタブ５７２４を含む、中空の概ね円形の本体を含む。タブ５７２４は、グリップ面を与える。さらに数の多いまたは少ないタブ５７２４、および／または様々な形状を有するタブ５７２４を使用することができる。タブ５７２４は、基板５７０２上の形状に対応して、例えば、固着された状態を示すことがある。実装によっては、蓋５７０４は、タブ５７２４を欠いている。あるそのような実施形態では、蓋５７０４は、粗くなった縁面を含んでいてもよい。実装によっては、蓋５７０４は、環状構造４３２１があってもなくても、デバイス４３０１、例えばデバイス４３０１の外縁に相当する形状を含む。デバイスがタブを含む実装によっては、蓋５７０４のタブ５７２４は、デバイスのタブに相当する（例えば、持続性、偏り、開口などを示す）。
【０３７３】
蓋５７０４は、複数の開口５７２６および中心の開口５７２８を含む。開口５７２６、５７２８は、デバイス４３０１の滅菌（例えば、エチレンオキシドを使用して）を、例えば空洞５７０６を通じて可能にすることができる。開口５７２６は、筐体４３１３の形状、環状構造４３２１、および／またはデバイス４３０１の他の特徴をユーザが見ることを可能にすることがある。蓋５７０４は、部分的または全体的に不透明としてもよい。開口５７２８は、デバイス４３０１の屈折面をユーザが見ることを可能にすることがある。例えば、基板５７０２および蓋５７０４のぞれぞれは、屈折面（例えば、空洞５７０６を介した基板５７０２、および開口５７２８を介した蓋５７０４）に対して開いていてもよい
。
【０３７４】
図５７Ｂは、キット５７００の寸法例を示す。基板５７０２は、約２０ｍｍから約１００ｍｍの間（例えば、約２０ｍｍ、約４０ｍｍ、約５０ｍｍ、約６０ｍｍ、約６６ｍｍ、約７０ｍｍ、約７５ｍｍ、約１００ｍｍ、そのような値の間の範囲など）の長さ５７３０を有していてもよい。基板５７０２は、約２０ｍｍから約３０ｍｍの間（例えば、約２０ｍｍ、約２２ｍｍ、約２４ｍｍ、約２５ｍｍ、約２５．４ｍｍ、約２６ｍｍ、約２７ｍｍ、約３０ｍｍ、そのような値の間の範囲など）の幅５７３２を有していてもよい。基板５７０２の短い方の端からギャップ５７１２の中間の位置までの長さ５７３４は、約１０ｍｍから約２０ｍｍの間（例えば、約１０ｍｍ、約１２ｍｍ、約１４ｍｍ、約１５ｍｍ、約１５。２ｍｍ、約１６ｍｍ、約２０ｍｍ、そのような値の間の範囲など）としてもよい。基板５７０２の短い方の端は、第１の曲率半径５７３６および第２の曲率半径５７３８を有していてもよい。第１の曲率半径５７３６は、約２ｍｍから約１０ｍｍの間（例えば、約２．５ｍｍ、約３ｍｍ、約４ｍｍ、約５ｍｍ、約５．１ｍｍ、約６ｍｍ、約７．５ｍｍ、約１０ｍｍ、そのような値の間の範囲など）としてもよい。第１の曲率半径５７３６は、約２０ｍｍから約３０ｍｍの間（例えば、約２０ｍｍ、約２２ｍｍ、約２４ｍｍ、約２５ｍｍ、約２５．４ｍｍ、約２６ｍｍ、約２７ｍｍ、約３０ｍｍ、そのような値の間の範囲など）としてもよい。
【０３７５】
図５７Ｃは、キット５７００のさらに別の寸法例を示す。基板５７０２の上部表面と蓋５７０４の最上部表面との間の距離または厚さ５７４０は、約５ｍｍから約２０ｍｍの間（例えば、約５ｍｍ、約７．５ｍｍ、約１０ｍｍ、約１１ｍｍ、約１１．６ｍｍ、約１２ｍｍ、約１５ｍｍ、約２０ｍｍ、そのような値の間の範囲など）としてもよい。下端部から上部表面までの基板５７０２の厚さは、約２ｍｍから約８ｍｍの間（例えば、約２ｍｍ、約３ｍｍ、約４ｍｍ、約４．８ｍｍ、約５ｍｍ、約６ｍｍ、約７ｍｍ、約８ｍｍ、そのような値の間の範囲など）としてもよい。
【０３７６】
図５８Ａは、人工カプセルデバイス５８００の一例の前部側面斜視図を示す。デバイス５８００は、前側部５８０２、後側部５８０４、および前側部５８０２と後側部５８０４との間に延在する側壁５８０６を含む。前側部５８０２は、開口５８０８を含む。後側部５８０４は、任意選択的に屈折面５８１０を含む。屈折面５８１０は、約４ｍｍから約９ｍｍの間（例えば、約４ｍｍ、約５ｍｍ、約６ｍｍ、約７ｍｍ、約８ｍｍ、約９ｍｍ、そのような値の間の範囲など）の直径を有していてもよい。
【０３７７】
実装によっては、人工デバイス５８００は、前側部５８０２、後側部５８０４、および側壁５８０６を含む筐体構造５８１２に連結されている、環状構造５８２０（例えば、環状構造部分５８２０Ａ、５８２０Ｂ、５８２０Ｃ、５８２０Ｄを含む）を含む。実装によっては、環状構造５８２０は、天然のカプセル嚢の円周を維持するのに充分に強固な素材を含む。実装によっては、環状構造５８２０は、非対称である場合がある天然のカプセル嚢の天然の形状に調整するかまたは合わせるのに充分に可撓性があるように構成される。実装によっては、環状構造５８２０は、摩擦嵌合を介して、天然のカプセル嚢内または他の眼領域に、人工デバイス５８００をしっかりと固定するように構成される。例えば、環状構造５８２０は、ポリイミド；眼内レンズの製造で公知の素材、例えばシリコーン、コラマー、ＰＭＭＡ、アクリル、およびアクリレートなど；常置される縫合糸に使用される素材、例えばポリプロピレン、ナイロン、ポリテトラフルオロエチレン（ＰＴＦＥ）、およびポリエステルなど；形状記憶素材または温度記憶素材、例えばニチノール、クロムコバルト、および形状記憶ポリマー；それらの組み合わせなどを含むことができる。実装によっては、環状構造５８２０は、親水性素材および／または疎水性素材を含む。環状構造５８２０は、同じもしくは同様の特性、または異なる少なくとも１つの特性（例えば、素材、組成物、寸法、断面の形状、それらの組み合わせ、開き口の存在、開き口の特性など）を有していてもよい。
【０３７８】
実装によっては、環状構造５８２０は、４つの環部分または触角５８２０Ａ、５８２０Ｂ、５８２０Ｃ、５８２０Ｄを含む。他の数の環部分もまた可能である（例えば、１、２、３など）。環部分５８２０Ａ、５８２０Ｂ、５８２０Ｃ、５８２０Ｄは、径方向外側に延在するアーム５８２１および開き口区画５８２７を含む。アーム５８２１は、単一の曲率半径もしくは複数の曲率半径を有していても、まっすぐなもしくは変化する方向であっても、うねりのあるもしくは正弦曲線の形状を有していても（例えば、デバイス４３００、４３０１など、径方向内側の窪みと径方向外側の峰または頂端との交互の並列を含む）、および／またはその他であってもよい。環状構造５８２０は、筐体構造５８１２上の点の間を連続していないものであって、素材をさらに少なく使用して、デバイス５８００にさらに少ない体積および／または質量を与えてもよく、それによって、デバイス５８００を小さな切開部内にさらに容易に挿入することが可能になる。より少ない素材を使用することによって、より少ない素材が使用されるために、コストが減少することがある。アーム５８２１は、個々に動くことができ、それによって、筐体構造上の点の間を連続する環状構造よりも大きな可撓性を提供することができる。
【０３７９】
２つの端部で筐体構造に連結されている環形状を有する（例えば、デバイス４３００にあるように）、伸展可能な筐体構造（例えば、損傷することなく約２００％まで伸展可能であるＭＥＤ−６８２０シリコーンを含む）および伸展不能な環状構造（例えば、ポリイミドを含む）をデバイスが含む実装では、例えばデリバリ用シリンジまたはインジェクタ・カートリッジを通じて、デバイスを装填するかまたは進めることに起因する伸展力によって、伸展不能な環状構造が壊されるかまたは引き裂かれることがある。デバイス５８００の環状構造５８２０は、環状構造５８２０および／または筐体構造５８１２が引き裂かれることを阻止または防止することができる。
【０３８０】
環部分５８２０Ａ、５８２０Ｂ、５８２０Ｃ、５８２０Ｄは、個々に筐体構造５８１２に係留され、２つの端部では筐体構造５８１２に連結されず、それゆえ、伸展力は、各環部分５８２０Ａ、５８２０Ｂ、５８２０Ｃ、５８２０Ｄに依存せず、かつ各環部分について概ね一方向性である。個々に係留されていること、または互いに連結されていないことによって、デバイスが折り畳まれてインジェクタを通じて進められる際に、環状構造の素材に皺が生じる可能性を阻止または防止することもできる。
【０３８１】
伸展の程度は、端部部分からデバイス５８００の中心に向かって急激に増加させることができる。環部分５８２０Ａ、５８２０Ｂ、５８２０Ｃ、５８２０Ｄのそれぞれは、デバイス５８００の側部部分に、端部部分の間にかつ端部部分に近接して係留されている。端部部分に近接して環部分５８２０Ａ、５８２０Ｂ、５８２０Ｃ、５８２０Ｄに係留することによって、環部分５８２０Ａ、５８２０Ｂ、５８２０Ｃ、５８２０Ｄがそれらの固定点で受ける伸展の程度が減少する。
【０３８２】
環部分５８２０Ａ、５８２０Ｂ、５８２０Ｃ、５８２０Ｄのアーム５８２１の湾曲部は、デバイス５８００の壁の外側の範囲の開かれた位置に、天然のカプセル嚢を維持するように構成されてもよい。アーム５８２１の湾曲部は、円形筐体構造を有していたり円形環状構造を有していたりなどの本明細書に記載される他のデバイスと同様かまたは同じ有効径５８４２を維持することができる。デバイス５８００の設計によって、例えば、比較的厚いかまたは嵩高い反射部分５８１０が既に存在し、かつ伸展力が最も高い、筐体構造の素材および／または環状構造の素材を中心に含む他のデバイスに比べて、素材の体積が減少する。長軸の中心近くにあるデバイス５８００の構造素材の体積を低減することにより、小さな切開部のサイズを通じてデバイス５８００を嵌合させることを可能にすることができる。
【０３８３】
環部分５８２０Ａ、５８２０Ｂ、５８２０Ｃ、５８２０Ｄは、穴または開き口または開口または小穴５８２８を含む開き口区画５８２７を含む。開口５８２８は、例えば、眼にデバイス５８００を縫合するために使用されてもよい。図５８Ａ、図５８Ｂ、および図５８Ｅに示される開口５８２８は、開き口区画５８２７中にわたって幅広く延在するが、開き口区画５８２７中にわたって部分的にのみ延在することができる。開口５８２８は、デバイス５８００を縫合する際の一助となったり、それを通じて線維増多を可能にしたりしてもよい。環状構造５８２０は、さらに多数または少数の開口５８２８、異なる位置の開口５８２８（例えば、筐体構造５８１２と開き口区画５８２７との間のアーム５８２１に沿って）などを含んでいてもよい。開口５８２８は、例えば、フォトエッチングおよび／またはレーザー・ミリングポリイミドによって形成されてもよい。
【０３８４】
アンカー４３２０Ｃ、４３２０Ｄによって、環状構造４３２０が少なくとも筐体構造４３１２の一部分に嵌め込まれているデバイス４３００のように、環状構造５８２０は、アンカー５８２２によって、筐体構造５８１２の少なくとも一部分に嵌め込まれている。デバイス５８００では、環部分５８２０Ａ、５８２０Ｂ、５８２０Ｃ、５８２０Ｄのそれぞれは、第１の方向に（例えば、環部分５８２０Ｂから環部分５８２０Ｄに向かって）延在する第１のアンカー部分５８２２Ａと、第１の方向とは異なる第２の方向に（例えば、筐体構造５８１２の側部部分に沿って；環部分５８２０Ｂから環部分５８２０Ａに向かって）延在する第２の部分５８２２Ｂとを含む、アンカー５８２２を含む。第１のアンカー部分５８２２Ａと第２のアンカー部分５８２２Ｂとは、同じもしくは同様の特性、または少なくとも１つの異なる特性（例えば、素材、組成物、寸法、断面の形状、それらの組み合わせなど）を含んでいてもよい。アンカー部分５８２２は、同じもしくは同様の特性、または少なくとも１つの異なる特性（例えば、素材、組成物、寸法、断面の形状、それらの組み合わせなど）を含んでいてもよい。アンカー５８２２と環状構造５８２０の径方向外側への突起または触角とは、同じもしくは同様の特性、または少なくとも１つの異なる特性（例えば、素材、組成物、寸法、断面の形状、それらの組み合わせなど）を含んでいてもよい。図２２Ｂの端部アンカー２２６０について議論される際に、長手方向のアンカー５８２２Ａは、筐体構造５８１２の端部部分の長さに沿って部分的に延在する。長手方向のアンカー５８２２Ａは、筐体構造５８１２の端部部分の全長に沿って、様々な程度、変化方向などにより側部部分に沿って、延在することがある。図２２Ｂの任意選択的な変形物として議論される際に、長手方向のアンカー５８２２Ｂは、筐体構造５８１２の側部部分の長さに沿って部分的に延在する。長手方向のアンカー５８２２Ｂは、筐体構造５８１２の側部部分の全長に沿って、様々な程度、変化方向などにより側部部分に沿って、延在することがある。実装によっては、環部分５８２０Ａ、５８２０Ｂ、５８２０Ｃ、５８２０Ｄのうち少なくとも１つは、少なくとも１つの他のアンカー部分５８２２とは異なるアンカー部分５８２２を含んでいてもよい。
【０３８５】
デバイス５８００は、任意選択的に、側壁５８０６の径方向外側に延在する膨出部５８１６を含む。図５８Ａ〜図５８Ｅに示されるデバイス５８００は、各端部部分上に膨出部５８１６を含む。筐体構造５８１２は、膨出部５８１６（例えば、筐体構造５８１２と一体化されている膨出部５８１６）を含んでいてもよい。実装によっては、環状構造５８２０が鋳型に置かれ、環状構造５８２０の周囲に筐体構造５８１２がオーバーモールドされる。膨出部５８１６は、筐体構造５８１２に連結されていてもよい。膨出部５８１６は、筐体構造５８１２と同じ素材を含んでいても、筐体構造５８１２とは異なる素材を含んでいてもよい。膨出部５８１６は、アンカー５８２２が側壁５８０６と実質的に径方向に一列に整列することを可能にすることがある。膨出部５８１６は、環状構造５８２０が係留して、例えば、プライマーがあってもなくても環状構造５８２０の一方または両方の側部で壁の厚さ（例えば、約０．２ｍｍ）を維持するような、追加の素材を提供してもよい。膨出部５８１６は、筐体構造５８１２の素材が環部分５８２０のアンカー部分５８２２を取り囲む（例えば、完全に取り囲む）ことを可能にしてもよく、それによって、筐体構造５８１２の弱い範囲および／または不連続な範囲が生じるのを避けることができる。デバイス５８００は、筐体構造５８１２の縁部分全体に沿って、さらにアンカー部分５８２２Ａの終端部を超えて延在する、膨出部５８１６を含む。実装によっては、デバイスは、アンカー部分５８２２Ａの終端部を僅かに超えて延在する膨出部５８１６を含む。
【０３８６】
デバイス５８００は、任意選択的に後部フィン５８２４を含む。図５８Ａ〜図５８Ｅに示されるデバイス５８００は、２つの後部フィン５８２４を含む。後部フィン５８２４は、屈折面５８１０の直径に沿って、かつ人工デバイス５８００の長軸と一直線に、整列される。実装によっては、複数の後部フィン５８２４（例えば、２、３、４、５、６、またはそれ以上のフィン５８２４）が、円周上に補われてもよい（例えば、約１８０°毎、約１２０°毎、約９０°毎、約７２°毎、約６０°毎など）。実装によっては、複数の後部フィン５８２４（例えば、２、３、４、５、６、またはそれ以上のフィン５８２４）のうち少なくともいくつかまたは全てが、整列されていなくてもよい。後部フィン５８２４は、デバイス５８００の長軸に沿って整列される。実装によっては、後部フィン５８２４が、デバイス５８００の短軸に沿って整列されていてもよい。実装によっては、後部フィン５８２４は、デバイス５８００の軸に沿って（例えば、長軸および／または短軸についての角度で）整列されていなくてもよい。筐体構造５８１２は、後部フィン５８２４（例えば、筐体構造５８１２と一体化されている後部フィン５８２４）を含んでいてもよい。後部フィン５８２４は、筐体構造５８１２に連結されている。後部フィン５８２４は、筐体構造５８１２と同じ素材を含んでいても、筐体構造５８１２とは異なる素材を含んでいてもよい。後部フィン５８２４は、屈折面５８１０の径方向外側にある筐体構造５８１２の後方端部５８０４から、天然のカプセル嚢の後面を隔てる助けとなることがある。屈折面５８１０の径方向外側にある筐体構造５８１２の後方端部５８０４から、天然のカプセル嚢の後面を隔てることによって、屈折面５８１０の径方向外側に体液を流出させることが可能となることがあり、このことは、混濁化を低減する一助となる場合がある。屈折面５８１０の径方向外側にある筐体構造５８１２の後方端部５８０４から、天然のカプセル嚢の後面を隔てることによって、残渣のフィブリンをいくらか捕捉しているかまたは炎症性の沈着物を内部に含有している粘弾性物質を、保持する機会を低減する場合がある。
【０３８７】
フィン５８２４がデバイス５８００の長軸と一列に整列されている実施形態では、デバイス５８００を、戦略的に眼に整列させることができる。例えば、眼が乱視である場合、屈折面５８１０が円環状レンズを含むデバイス５８００を使用して、デバイス５８００が適正に方向付けられれば少なくとも部分的に乱視を修正することができる（例えば、急勾配軸の角膜を有するもの）。実装によっては、フィン５８２４のうち少なくとも１つを異なるものとして（例えば、異なる形状、寸法など）、デバイス５８００の上部または下部を標示することができる。中に挿入されているＩＯＬを任意に回転して方向付けることを可能にするデバイスでは、円環状ＩＯＬを回転させることができる。デバイス５８００は、切り縮めた側部を含み、それによって体積を低減し、場合によっては、中に挿入されているＩＯＬの回転を有利に制限する。デバイス５８００を整列して、デバイス５８００に含有される円環状屈折面５８１０および／または円環状ＩＯＬを整列することによって、ＩＯＬの回転の制限、体積の低減、および乱視の修正の恩恵を有利にもたらすことができる。
【０３８８】
図５８Ｂは、図５８Ａの人工カプセルデバイス例５８００の前方平面図を示す。人工カプセルデバイス５８００は、線５８Ｃ−５８Ｃに沿った長軸および線５８Ｄ−５８Ｄに沿った短軸を有する。図５８Ｃは、図５８Ｂの線５８Ｃ−５８Ｃに沿った図５８Ａの人工カプセルデバイス例５８００の断面図を示す。図５８Ｄは、図５８Ｂの線５８Ｄ−５８Ｄに沿った図５８Ａの人工カプセルデバイス例５８００の断面図を示す。図５８Ｂ−５８Ｄは、デバイス５８００の寸法例を示す。
【０３８９】
図５８Ａに見られるように、しかしおそらくは図５８Ｃおよび図５８Ｄに最良に見られるように、環状構造５８２０は、デバイス５８００の長手方向の中線の前方の位置で筐体構造５８１２から延び、それによって、前嚢と後嚢とが融合するのを阻止または防止する場合がある。フィン５８２４もまた、前嚢と後嚢とを空間的に隔てて、前嚢と後嚢とが融合するのを阻止または防止する助けとなることがある。
【０３９０】
筐体構造５８１２の外径５８４０は、膨出部５８１６を含み、約９ｍｍから約１１ｍｍの間（例えば、約９ｍｍ、約９．５ｍｍ、約１０ｍｍ、約１０．５ｍｍ、約１１ｍｍ、そのような値の間の範囲など）としてもよい。筐体構造５８１２の短軸に沿った厚さ５８５４は、膨出部５８１６を含み、約６ｍｍから約８ｍｍの間（例えば、約６ｍｍ、約６．２５ｍｍ、約６．５ｍｍ、約６．７５ｍｍ、約７ｍｍ、約７．２５ｍｍ、約７．５ｍｍ、約７．７５ｍｍ、約８ｍｍ、そのような値の間の範囲など）としてもよい。外側の、またはある状況下でのデバイス５８００の最大直径５８４２は、例えば環状構造５８２０を延長したものに相当し、約９ｍｍから約１２ｍｍの間（例えば、約９ｍｍ、約９．５ｍｍ、約１０ｍｍ、約１０．３ｍｍ、約１０．５ｍｍ、約１１ｍｍ、約１２ｍｍ、そのような値の間の範囲など）としてもよい。実装によっては、１０ｍｍを超える直径は、天然のカプセル嚢に外側へ及ぼす力を与えて嚢を引き裂くことがあり、それゆえ、約１０ｍｍ以下の直径が好ましいことがある。
【０３９１】
長軸に沿った前側部５８０２の開口５８０８の長さ５８７０は、約６ｍｍから約８ｍｍの間（例えば、約６ｍｍ、約６．５ｍｍ、約７ｍｍ、約７．５ｍｍ、約８ｍｍ、そのような値の間の範囲など）としてもよい。短軸に沿った前側部５８０２の開口５８０８の長さ５８５８は、約５ｍｍから約７ｍｍの間（例えば、約５ｍｍ、約５．５ｍｍ、約６ｍｍ、約６．５ｍｍ、約７ｍｍ、そのような値の間の範囲など）としてもよい。図５８Ａ〜図５８Ｄに示される開口５８０８は、細長く、長さ５８５８よりも大きな長さ５８７０を有するが、筐体構造５８１２ほどには細長ではない。実装によっては、長軸の開口長と短軸の開口長との比率は、約１：２から２：１の間（例えば、１：２、２：３、３：４、４：５、５：６、６：７、７：８、８：９、９：１０、１０：９、９：８、８：７、７：６、６：５、５：４、４：３、３：２、２：１、そのような値の間の範囲など）である。例えば、長軸の開口長は、短軸の開口長よりも短くてもよい。実装によっては、開口５８０８は、円形であっても、いっそう細長くても、いっそう細長さに欠けても、および／またはまっすぐな部分を含んでいてもよい。開口５８０８が大きいほど、さらに多くの光をデバイス５８００の屈折面５８１０および／またはＩＯＬに通すことを可能にする場合があり、その結果、光が前面を屈折して異常光視症（ｄｙｓｐｈｏｔｏｐｓｉａ）を生じる可能性が低くなる。
【０３９２】
長軸の向かい合う側部上の環部分５８２０の開口５８２８の中心間の距離５８５６は、約８ｍｍから約１０ｍｍの間（例えば、約８ｍｍ、約８。２５ｍｍ、約８。５ｍｍ、約８。７５ｍｍ、約９ｍｍ、約９．２５ｍｍ、約９．５ｍｍ、約９．７５ｍｍ、約１０ｍｍ、そのような値の間の範囲など）としてもよい。短軸の向かい合う側部上の環部分５８２０の開口５８２８の中心間の距離５８４６は、約２ｍｍから約４ｍｍの間（例えば、約２ｍｍ、約２．２５ｍｍ、約２．５ｍｍ、約２．７５ｍｍ、約３ｍｍ、約３．２５ｍｍ、約３．５ｍｍ、約３．７５ｍｍ、約４ｍｍ、そのような値の間の範囲など）としてもよい。開口５８２８の直径５８４４は、約０．２ｍｍから約０．３ｍｍ（例えば、約０．２ｍｍ、約０．２５ｍｍ、約０．３ｍｍ、そのような値の間の範囲など）としてもよい。開口５８２８の直径５８４４は、同じであっても異なっていてもよい。本明細書に記載される寸法は、強膜壁の周囲について、デバイス５８００の位置に影響を及ぼすことがある。例えば、デバイス５８００を強膜壁に縫合するために穴５８２８が使用される場合、穴５８２８は、好ましくは対称の安定な固定点を提供するために、好ましくは互いに間隔が空いてい
るかまたは充分に離れている。
【０３９３】
デバイス５８００が、眼への挿入のために長軸に沿って折り畳まれる際に、屈折面５８１０は、短軸に沿って伸展することができる。実装によっては、屈折面５８１０は、少なくとも約１１０％、約１２０％、約１３０％、約１４０％、約１５０％、約１６０％、約１７０％、約１８０％、約１９０％、約２００％、またはそれよりも多く伸展することができる。実装によっては、屈折面５８１０は、約１１０％から約６００％の間［例えば、約１１０％、約１２０％、約１３０％、約１４０％、約１５０％、約１６０％、約１７０％、約１８０％、約１９０％、約２００％、約２５０％、約３００％、約３５０％、約４００％、約４５０％、約５００％、約５５０％、約６００％、そのような値の間の範囲、約１１０％未満（例えば、約０％から約１１０％の間）、約２００％超、約３００％超、約４００％超、約５００％超、約６００％超など］に伸展することができる。
【０３９４】
環状構造５８２０は、約０．１ｍｍから約０．１５ｍｍの間（例えば、約０．１ｍｍ、約０．１１ｍｍ、約０．１２ｍｍ、約０．１２５ｍｍ、約０．１３ｍｍ、約０．１４ｍｍ、約０．１５ｍｍ、そのような値の間の範囲など）の厚さ５８６０を有していてもよい。環状構造５８２０と後側部５８０４との間の距離５８６２は、例えばおおよその中点で測定される場合、約０．２５ｍｍから約２．５ｍｍの間（例えば、約０．２５ｍｍ、約０．５ｍｍ、約０．７５ｍｍ、約１ｍｍ、約１．２５ｍｍ、約１．５ｍｍ、約１．７５ｍｍ、約２ｍｍ、約２．５ｍｍ、そのような値の間の範囲など）であってもよい。環状構造５８２０の長手方向の配置は、前側部５８０２または後側部５８０４にさらに近接していてもよく、例えば天然のカプセル嚢との予想される相互作用に基づく。環部分５８２０Ａ、５８２０Ｂ、５８２０Ｃ、５８２０Ｄのうち少なくとも１つは、環部分５８２０Ａ、５８２０Ｂ、５８２０Ｃ、５８２０Ｄのうち他の少なくとも１つとは異なる長手方向の位置を有していてもよい。
【０３９５】
屈折面５８１０の径方向外側にある後側部５８０４の壁の厚さ５８６４は、約０．１ｍｍから約０．４ｍｍの間（例えば、約０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。実装によっては、側壁５８０６は、後方の壁よりも厚くても薄くてもよい。後部フィン５８２４は、約０．０５ｍｍから約０．２ｍｍの間（例えば、約０．０５ｍｍ，０。１ｍｍ、約０．１５ｍｍ、約０．２ｍｍ、約０．２５ｍｍ、約０．３ｍｍ、約０．３５ｍｍ、約０．４ｍｍ、そのような値の間の範囲など）の距離５８７２で後方の壁から突き出ていてもよい。前側部５８０２と後側部５８０４との間のデバイス５８００の厚さ５８６６は、約２ｍｍから約３ｍｍの間（例えば、約２ｍｍ、約２．２５ｍｍ、約２．５ｍｍ、約２．７５ｍｍ、約３ｍｍ、そのような値の間の範囲など）としてもよい。リップ５８１４の下の前側部５８０２と後方の壁の内側との間のデバイス５８００の厚さ５８６８は、約２ｍｍから約３ｍｍの間（例えば、約２ｍｍ、約２．２５ｍｍ、約２．５ｍｍ、約２．７５ｍｍ、約３ｍｍ、そのような値の間の範囲など）としてもよい。
【０３９６】
後部フィン５８２４は、屈折面５８１０から約０．０５ｍｍから約０．２ｍｍの間（例えば、約０．０５ｍｍ，０。１ｍｍ、約０．１５ｍｍ、約０．２ｍｍ、約０．２５ｍｍ、約０．３ｍｍ、約０．３５ｍｍ、約０．４ｍｍ、そのような値の間の範囲など）の間隔または距離５８４８で、間を空けていてもよい。後部フィン５８２４は、約０．５ｍｍから約２ｍｍの間（例えば、約０．５ｍｍ、約０．６ｍｍ、約０．７ｍｍ、約０．８ｍｍ、約０．９ｍｍ、約１ｍｍ、約１．２５ｍｍ、約１．５ｍｍ、約１．７５ｍｍ、約２ｍｍ、そのような値の間の範囲など）の厚さ５８５０を有していてもよい。後部フィン５８２４は、約０．０５ｍｍから約０．２ｍｍの間（例えば、約０．０５ｍｍ、０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）の厚さ５８５２を有していてもよい。間隔５８４８、長さ５８５０、厚さ５８５２、および／または距離５８７２は、例えば、屈折面５８１０の特性（例えば、ジオプトリー値をさらに大きくするには距離５８７２をさらに大きくする）に基づいて変わることがある。
【０３９７】
図５８Ｅは、人工カプセルデバイス例５８８０の前方平面図を示す。デバイス５８８０は、環状構造５８２０を除いてデバイス５８００と同様である。アーム５８８１は、アーム５８２１とは異なっていてもよく、開き口区画５８８２は、開き口区画５８２７とは異なっていてもよく、および／または穴５８８３は、穴５８２８とは異なっていてもよい。デバイス５８８０の環部分との比較のために、デバイス５８００の環部分５８２０Ｃを仮想線で示す。
【０３９８】
開口５８８３の直径５８４５は、約０．３ｍｍから約０．４ｍｍの間（例えば、約０．３ｍｍ、約０．３５ｍｍ、約０．４ｍｍ、そのような値の間の範囲など）としてもよい。開口５８８３の直径５８４５は、同じであっても異なっていてもよい。直径５８４５は、直径５８４４よりも小さくてもよい。直径の差は、約０．０５ｍｍから約０．２ｍｍの間（例えば、約０．０５ｍｍ，０。１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。開口５８８３が大きいほど、それを通じた線維増多のためのさらに大きな表面積を与える場合がある。開き口区画５８８２の直径５８７４は、約０．４ｍｍから約０．８ｍｍの間（例えば、約０．４ｍｍ、０．５ｍｍ、約０．６ｍｍ、約０．７ｍｍ、約０．８ｍｍ、そのような値の間の範囲など）としてもよい。直径５８７４は、例えばさらに大きな開口５８８３に適応させるために、デバイス５８００の開き口区画５８２７の直径よりも大きなものとしてもよい。
【０３９９】
開口５８８３が大きいほど、起こりうるデバイス５８００の強膜への強膜固定術に際して、縫合がさらに容易になることがある、および／または縫合（例えば、ＰＴＦＥを含む）をしっかりと保持することがより良くできる場合がある。例えば、ある一縫いは、デバイス５８００の下を進んで第１の開口５８３３を通ってもよく、別の一縫いは、デバイス５８００の上部を超えて第２の開口５８３３（例えば、長軸の同じ側にある開口）を通り、デバイス５８００の下を進んで第３の開口５８３３（例えば、第２の開口と同じ短軸の側にある開口）を通り、デバイス５８００の上部を越えて第４の開口５８３３（例えば、第３の開口と同じ長軸の側にある開口）を通ることがあり、硝子体切除術後の硝子体中央部腔を通過する。縫い（複数可）が通過すれば、縫い緩みを低減させることができ、直線結びを使用して３−１−１式の縫合の位置決め結びを行うことができ、ケルマン結びなどを使用して、強膜への縫合を固定してもよい。結び目を強膜切開の内部に押し込んでもよい。デバイス５８００の強膜への取り付けが可能であることは、特に好都合である場合があり、例えば、手術による外傷、意図せぬ眼の外傷、先天的な毛様小帯の脆さなどに起因して、嚢の支持を全て失っている対象にとっては、好都合である場合がある。
【０４００】
開口５８８３が少なくとも約０．３５ｍｍの直径を有する実施形態では、開口５８８３は、外科医がＬｅｓｔｅｒ  ＩＯＬマニピュレータなどの標準的なＩＯＬ配置ツールに開口５８８３を係合するのに充分な大きさを有し、このツールは、９０°までの角を有し、かつ０．２ｍｍから０．２５ｍｍの間の直径を有する先端を含むことがある。
【０４０１】
長軸の向かい合う側部上の環部分の開口５８８３の中心間の距離５８５７は、約８ｍｍから約１０ｍｍの間（例えば、約８ｍｍ、約８．２５ｍｍ、約８．５ｍｍ、約８．７５ｍｍ、約９ｍｍ、約９．２５ｍｍ、約９．５ｍｍ、約９．７５ｍｍ、約１０ｍｍ、そのような値の間の範囲など）としてもよい。
【０４０２】
距離５８５７は、距離５８５６よりも短くてもよく、このことは、開口５８８３の中心が、開口５８２８の中心からデバイス５８００の筐体構造５８１２よりも、デバイス５８８０の筐体構造に近いことを示している。開き口区画５８８２は、デバイス５８００と同じく径方向に延びていることがあるが、開き口区画５８８２および開口５８８３のサイズが大きいほど、径方向内側に延在することがあり、その結果、開口の中心も内側になる。距離の差は、約０．０５ｍｍから約０．２ｍｍの間（例えば、約０．０５ｍｍ，０。１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。短軸の向かい合う側部上の環部分の開口５８８３間の距離は、デバイス５８００と同じであっても異なっていてもよい。
【０４０３】
本明細書に記載される寸法は、強膜壁の周囲について、デバイス５８８０の位置に影響を及ぼすことがある。例えば、デバイス５８８０を強膜壁に縫合するために穴５８８３が使用される場合、穴５８８３は、好ましくは対称の安定な固定点を提供するために、好ましくは互いに間隔が空いているかまたは充分に離れている。
【０４０４】
図５８Ｆは、人工カプセルデバイス例５８８５の前方平面図を示す。デバイス５８８５は、環状構造を除いてデバイス５８８０、５８８０と同様である。アーム５８８６は、アーム５８２１および／もしくはアーム５８８１とは異なっていてもよく、開き口区画５８８７は、開き口区画５８２７および／もしくは開き口区画５８８２とは異なっていてもよく、ならびに／または穴５８８８は、穴５８２８および／もしくは穴５８８３と異なっていてもよい。デバイス５８８５の環部分との比較のために、デバイス５８００の環部分５８２０Ｃを幻像で示す。
【０４０５】
ある状況外の、またはその状況下のデバイス５８８５の最大直径５８４３、例えば環状構造の延伸に相当するものを、約１０ｍｍから約１３ｍｍの間（例えば、約１０ｍｍ、約１０．５ｍｍ、約１１ｍｍ、約１１．５ｍｍ、約１２ｍｍ、約１２．５ｍｍ、約１３ｍｍ、そのような値の間の範囲など）としてもよい。筐体構造は、デバイス５８００の筐体構造５８１２と同じ寸法としてもよく、このことは、最大直径の変化が環状構造の延伸に起因することを示す。デバイス５８８５は、天然のカプセル嚢により良く適合する（例えば、平均直径よりも大きな天然のカプセル嚢に張力をもたらす、および／または天然のカプセル嚢中の安定性を増す）さらに大きな最大直径を与えることができ、また、その一方で、少ない素材を筐体構造に使用することによる利点（例えば、より小さな切開部のサイズを通じて挿入するなど）を維持する。
【０４０６】
開口５８８８の直径５８４５は、開口５８８３の直径５８４５と同じにしてもよい、および／または開き口区画５８８７の直径５８７４は、開き口区画５８８２の直径５８７４と同じにしてもよい。
【０４０７】
短軸の向かい合う側部にある、環部分の開口５８８８の中心間の距離５８４７は、約３ｍｍから約５ｍｍの間（例えば、約３ｍｍ、約３．２５ｍｍ、約３．５ｍｍ、約３．７５ｍｍ、約４ｍｍ、約４．２５ｍｍ、約４．５ｍｍ、約４．７５ｍｍ、約５ｍｍ、そのような値の間の範囲など）としてもよい。長軸の向かい合う側部にある、環部分の開口５８８８の中心間の距離５８５９は、約９ｍｍから約１１ｍｍの間（例えば、約９ｍｍ、約９．２５ｍｍ、約９．５ｍｍ、約９．７５ｍｍ、約１０ｍｍ、約１０．２５ｍｍ、約１０．５ｍｍ、約１０．７５ｍｍ、約１１ｍｍ、そのような値の間の範囲など）としてもよい。
【０４０８】
距離５８４７は、距離５８４６よりも大きくてもよく、このことは、開口５８２８の中心同士が離れているよりも、開口５８８８の中心同士がさらに離れていることを示す。開き口区画５８８７は、例えばアーム５８８６の様々な角度および／または曲率に起因して、デバイス５８００の場合よりも径方向に延びている。距離の差は、約０．０５ｍｍから約０．２ｍｍの間（例えば、約０．０５ｍｍ、０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。
【０４０９】
距離５８５９は、距離５８５６および／または距離５８５７よりも大きくてもよく、このことは、開口５８２８の中心からデバイス５８００の筐体構造５８１２まで、および開口５８８３の中心からデバイス５８８０の筐体構造までよりも、開口５８８８の中心が、デバイス５８８５の筐体構造からさらに離れていることを示す。開き口区画５８８７は、例えばアーム５８８６の様々な角度および／または曲率に起因して、デバイス５８００の場合よりも径方向に延びている。距離の差は、約０．０５ｍｍから約０．２ｍｍの間（例えば、約０．０５ｍｍ、０．１ｍｍ、約０．１５ｍｍ、約０．２ｍｍ、約０．２５ｍｍ、約０．３ｍｍ、約０．３５ｍｍ、約０．４ｍｍ、そのような値の間の範囲など）としてもよい。
【０４１０】
本明細書に記載される寸法は、強膜壁の周囲について、デバイス５８８５の位置に影響を及ぼすことがある。例えば、デバイス５８８５を強膜壁に縫合するために穴５８８８が使用される場合、穴５８８８は、好ましくは対称の安定な固定点を提供するために、好ましくは互いに間隔が空いているかまたは充分に離れている。
【０４１１】
図５８Ｇは、人工カプセルデバイスシステム例５８９０の前方平面図を示す。人工カプセルデバイスシステム５８９０は、人工カプセルデバイス５８８０および眼内レンズ５８９２を含む。眼内レンズ５８９２は、反射部分５８９６から径方向外側に延在する触角５８９４を含む。次いで、触角５８９４は、反射部分５８９６から径方向外側にかつ間隔が空くように、反射部分５８９６と概ね同軸に曲がる。システム５８９０は、他のタイプの眼内レンズ５８９２を含んでいてもよく、そのようなレンズとしては、以下に限定されないが、球状、非球面、波面、凸状、凹状、多焦点（回折性、屈折性、帯状）、円環状、遠近調節性（調節性）、紫外（ＵＶ）フィルタリング、および回折性の色収差低減レンズ；および任意の正のジオプトリー値（例えば＋３５Ｄ以上を含む）から任意の負のジオプトリー値（例えば−３５Ｄ以下を含む）までに及ぶ光学出力を有し、任意のプリズム出力（６０プリズム・ジオプトリー以上を含む）を含む、光調整可能レンズ（紫外光調整可能なフェムト秒位相ラッピングの）が挙げられる。システム５８９０は、人工カプセルデバイスの屈折レンズと連動して動作するように設計された光学システムの構成要素を含んでいてもよく、この構成要素は、望遠鏡などの多重偽水晶体光学システムを作り出すことができるか、または複数の屈折の質（例えば、乱視、球面収差、焦点深度延長、および／または多焦点性）の改善をもたらすことができる。
【０４１２】
本明細書に記載される人工カプセルデバイスは全て、１つまたは複数の構成要素を含む複雑な屈折システムの作製をもたらすことができる。例えば、円環状レンズを含む屈折面は、球、もしくは球および乱視を修正できる場合がある、ならびに／または多焦点の視覚を作り出せる場合がある。人工カプセルデバイスは、球状および／もしくは円環状のレンズの代わりに、またはそれに加えて、他の光学構成要素を含むことができる。複数の構成要素は、以前では不可能であったレベルに視覚を微調整することができる。例えば、人工カプセルデバイスの屈折面は、球を修正することができる。そして、次いで、乱視、球面収差、多焦点性、および／または色収差は、さらに屈折面の上部にレンズを積み重ねることによって、よりいっそう修正することができる。光学系が光調整可能な素材を含有する場合、光学出力は、外部の光アプリケーションを通じて変えることができる。人工カプセルデバイスの内部にある複数の他のレンズによって、複雑な光学システムを作製することができる。別の例としては、望遠鏡を作製し、黄斑変性などの重篤な網膜病変を有する対象で、像を拡大することができる。実装によっては、例えば、カリフォルニア州サラトガのＶｉｓｉｏｎＣａｒｅ  Ｏｐｈｔｈａｌｍｉｃ  Ｔｅｃｈｎｏｌｏｇｉｅｓから入手可能な望遠鏡インプラント、望遠鏡の原理を介して拡大を作り出す二重レンズシステムなどを、人工カプセルデバイスに含有させることができる。例えば、人工カプセルデバイスに、強い凹形を示すレンズを含ませることができ、強い凸形を示すレンズを、毛様体溝または人工カプセルデバイスに配置することができる。対象が変化に適応できないかまたは耐えられない場合、アセンブリを、全体的に元の状態に戻すことができる。デバイスは、Ｎｄ：ＹＡＧレーザー後嚢切開の後であっても、ＩＯＬなどの構成要素、追加の構成要素、望遠鏡インプラントなどを除去することを可能とし、硝子体に対する遮蔽を提供する。人工カプセルデバイスによってもたらされる「プラグ・アンド・プレイ」の能力によって、例えば、生理学的変化および技術的なアップデートに基づき、様々な時間で様々な視野の調整を生じさせることができる。人工カプセルデバイスは、プリズムを含むことができ（例えば、屈折面はプリズムを含むことができる）、それによって、損傷している網膜から像がシフトする場合がある（例えば、ＡＲＭＤまたは他の黄斑症の患者において）。調整されていない眼を有する対象では、プリズムを、二重の視野を解消する助けとすることができる。［０３１６］デバイス４００、１０００、１１００、１１５０、１２５０、２２５０、２３００、２９００、３１００、４３００、４３０１、の側壁のように、例えば、デバイス５８００、５８８０、５８８５の側壁５８０６は、後面５８０４から前方へ延在するまっすぐな壁を形作る第１の部分と、前面５８０２の開口５８０８に向かって径方向内側に先細りしている第２の部分とを含む。第１および第２の部分は、移行点によって特定されてもよいし、その部分の特性（例えば、形状、機能など）に基づき特定されてもよい。側壁５８０６のまっすぐな壁を形作る部分は、デバイス５８００の縦軸に平行または実質的に平行��あってもよい。側壁５８０６のまっすぐな壁を形作る部分は、後面の平面部分に直交または実質的に直交していてもよい（例えば、反射部分５８１０の径方向外側に）。側壁５８０６のまっすぐな壁を形作る部分は、開口５８０８に直交または実質的に直交していてもよい。側壁５８０６のまっすぐな壁を形作る部分は、デバイス５８００の空洞の空間を増やすことができる。この空間は、眼内レンズ、他の光学デバイス、薬物溶出デバイス、電子デバイスなどに使用することができる。デバイス５８００は、本明細書に記載される他のデバイスのように、様々な品目の眼内への挿入、およびさらに除去のためのプラットフォームを提供し、空洞空間の増加は、さらに多くの物体に対するプラットフォームを提供する。
【０４１３】
図５８Ｈ〜５８Ｌは、様々な数の環部分を含む人工カプセルデバイス例の前方平面図を示す。図５８Ｈでは、デバイス５８８０１は、長軸の向かい合う側部上および短軸の向かい合う側部上に、２つの環部分５８２０１Ａ、５８２０１Ｂを含む。図５８Ｉでは、デバイス５８８０２は、長軸の向かい合う側部上および短軸の同じ側部上に、２つの環部分５８２０２Ａ、５８２０２Ｂを含む。図５８Ｊでは、デバイス５８８０３は、長軸の同じ側部上および短軸の向かい合う側部上に、２つの環部分５８２０３Ａ、５８２０３Ｂを含む。図５８Ｋでは、デバイス５８８０４は、１つの環部分５８２０４を含む。図５８Ｌでは、デバイス５８８０５は、３つの環部分５８２０５Ａ、５８２０５Ｂ、５８２０５Ｃを含み、その場合、環部分５８２０５Ａ、５８２０５Ｂは、長軸の同じ側部上および短軸の向かい合う側部上にあり、環部分５８２０５Ａ、５８２０５Ｃは、長軸の向かい合う側部上および短軸の向かい合う側部上にあり、環部分５８２０５Ｂ、５８２０５Ｃは、長軸の向かい合う側部上および短軸の同じ側部上にある。他の環部分の数および配置構成もまた可能である。１つの環状構造を長軸の側部上に含むいくつかの実装では、環状構造のアームはさらに長くてもよく、短軸の他方の側部上で筐体構造まで延在しているか、またはさらにそこに隣接しているものの、そこには係留されていないことを含む。
【０４１４】
図６１Ａは、人工カプセルデバイス例６１００の前部側面斜視図を示す。図６１Ｂは、図６１Ａの人工カプセルデバイス例６１００の前方平面図を示す。図６１Ｃは、図６１Ａの人工カプセルデバイス例６１００の側面図を示す。デバイス６１００は、筐体構造６１１２に開口６１２６Ａ、６１２６Ｂを含む。開口６１２６Ａは、開口６１２６Ｂと同じあっても異なっていてもよい。挿入されているデバイス（例えば、眼内レンズまたは他のデバイス）は、デバイス６１００の筐体構造６１１２の内部にあってもよく、および／または開口６１２６Ａ、６１２６Ｂのうち１つまたは両方を通じて、空いているカプセルの陥凹部に突き出ていてもよい。開口６１２６Ａ、６１２６Ｂは、挿入されているデバイス、例えば、回転（例えば、乱視の修正のための）を必要とするレンズを含むデバイスの回転を可能にすることがある。開口６１２６Ａ，６１２６Ｂは、挿入されている薬物デリバリプラットフォーム（以下に限定されないが、従来のプラットフォームおよび従来のものではないプラットフォーム、遺伝子改変細胞の培養物、生物薬剤、モノクローナル抗体、および／またはタンパク質産生インプラントが挙げられる）から、開口６１２６Ａ、６１２６Ｂのうち１つまたは両方を通じて、天然のカプセル嚢内へ、および硝子体または後方の区分内へ、医薬（以下に限定されないが、医薬剤、生物薬剤、モノクローナル抗体、遺伝子治療、および遺伝子ベクター、放射線治療、化学療法剤、遺伝子改変細胞の培養生成物の形態の治療薬剤が挙げられる）のデリバリを可能にすることがある。開口６１２６Ａ、６１２６Ｂは、例えば、望ましくは視軸または瞳孔の開き口の外部に保持されるバッテリ、マイクロチップ、または他の不明な技術断片を格納するために、筐体構造６１１２の空きの空間へ接近することを可能にすることがある。
【０４１５】
図６１Ａ〜６１Ｃに示される開口６１２６Ａ、６１２６Ｂは、環状構造部分６１２０Ａと６１２０Ｂとの間および環状構造部分６１２０Ｃと６１２０Ｄとの間にそれぞれある。他の開口の位置、量、および形状も可能である。例えば、デバイス６１００はさらに、または代替的に、環状構造部分６１２０Ａと６１２０Ｃとの間および／または環状構造部分６１２０Ｂと６１２０Ｄとの間に、開口を含む。デバイス６１００は、１つの開口のみ、２つの開口のみ、または２つを超える開口を含んでいてもよい。デバイス６１００は、環状構造部分６１２０Ａと６１２０Ｂとの間に第１の複数の開口を、および／または環状構造部分６１２０Ｃと６１２０Ｄとの間に第２の複数の開口を含んでいてもよい。開口６１２６Ａ、６１２６Ｂより小さな複数の開口は、デバイス６１００の構造的な無欠性を増加させることがあり、および／または筐体構造６１１２の空洞内へレンズ上皮細胞が成長するのを阻害することがあり、その一方で、本明細書に記載される潜在的な利点のうち少なくとも１つをさらに提供する。
【０４１６】
開口６１２６Ａ、６１２６Ｂは、鏡像の楕円の開口であるものとして示されているが、他の形状も可能である（例えば、多角形の（例えば、長方形の）、アーチ状の（例えば、円形、長円、楕円の）、スリット、それらの組み合わせなど）。例えば、開口６１２６Ａ、６１２６Ｂは、縦軸と整列された一連の筋交い６１５２（例えば、図６１Ｄのデバイス６１５０の開口６１７６Ｂについて示されるような）、および／または一連の三角形の筋交いを有する、楕円の開口を含んでいることがある。
【０４１７】
開口６１２６Ａ、６１２６Ｂは、筐体構造６１１２の形成中に（例えば、成型プロセスの一部として）形成されてもよい、および／または筐体構造６１１２の形成後に（例えば、レーザーによる、化学的な、または物理的な除去プロセスによって）形成されてもよい。実装によっては、筐体構造６１１２は、開口６１２６Ａ、６１２６Ｂの周囲に、異なる素材を含んでいてもよい（例えば、シリコーンを含む筐体構造６２１２とポリイミドを含む開口周辺材）。実装によっては、筐体構造６１１２は、開口６１２６Ａ、６１２６Ｂの周囲に、より厚い素材を含んでいてもよい。（例えば、他のデバイスが開口６１２６Ａ、６１２６Ｂに係留されることになる場合に、開口６１２６Ａ、６１２６Ｂを補強するために）。実装によっては、筐体構造６１１２は、開口６１２６Ａ、６１２６Ｂの周囲に、より薄い素材を含んでいてもよい（例えば、素材の除去および／または開口の形成を容易にするために）。
【０４１８】
図６２Ａは、人工カプセルデバイス例６２００の前部側面斜視図を示す。図６２Ｂは、図６２Ａの人工カプセルデバイス例６２００の前方平面図を示す。図６２Ｃは、図６２Ａの人工カプセルデバイス例６２００の側面図を示す。デバイス６２００は、筐体構造６２１２に開口６２２６Ａ、６２２６Ｂ、６２２６Ｃ、６２２６Ｄを含む。開口６２２６Ａ、６２２６Ｂ、６２２６Ｃ、６２２６Ｄのそれぞれは、開口６２２６Ａ、６２２６Ｂ、６２２６Ｃ、６２２６Ｄのうち他のものと同じであってもよい。開口６２２６Ａ、６２２６Ｂ、６２２６Ｃ、６２２６Ｄのうち少なくとも１つは、他の開口６２２６Ａ、６２２６Ｂ、６２２６Ｃ、６２２６Ｄのうち少なくとも１つとは異なっていてもよい。開口６２２６Ａ、６２２６Ｂ、６２２６Ｃ、６２２６Ｄは、上記に記載された開口６１２６Ａ、６１２６Ｂよりも小さく、デバイス６２００の構造的な無欠性を増加させることがあり、および／または筐体構造６２１２の空洞内へレンズ上皮細胞が成長するのを阻害することがある。開口６２２６Ａ、６２２６Ｂ、６２２６Ｃ、６２２６Ｄは、挿入されている薬物デリバリプラットフォームから、開口６２２６Ａ、６２２６Ｂ、６２２６Ｃ、６２２６Ｄのうち１つ、複数、または全てを介して、天然のカプセル嚢内へ、および硝子体または後方の区分内へ、医薬のデリバリを可能にすることがある。開口６２２６Ａ、６２２６Ｂ、６２２６Ｃ、６２２６Ｄは、例えば、望ましくは視軸または瞳孔の開き口の外部に保持されるバッテリ、マイクロチップ、または他の不明な技術断片を格納するために、筐体構造６２１２の空きの空間へ接近することを可能にすることがある。図６２Ａ〜図６２Ｃに示される開口６２２６Ａ、６２２６Ｂ、６２２６Ｃ、６２２６Ｄは、環状構造部分６２２０Ａ、６２２０Ｂ、６２２０Ｃ、６２２０Ｄの後方にそれぞれある。他の開口の位置、量、および形状も可能である。例えば、デバイス６２００は、１つの開口のみ、２つの開口のみ、３つの開口のみ、４つの開口のみ、または４つを超える開口を含んでいてもよい。開口６２２６Ａ、６２２６Ｂ、６２２６Ｃ、６２２６Ｄは、環状構造部分６２２０Ａ、６２２０Ｂ、６２２０Ｃ、６２２０Ｄの後方以外の位置にあってもよい。デバイス６２００は、環状構造部分６２２０Ａ、６２２０Ｂ、６２２０Ｃ、６２２０Ｄの後方、または別の位置に、複数の開口を含んでいてもよい。開口６２２６Ａ、６２２６Ｂ、６２２６Ｃ、６２２６Ｄは、鏡像の円形の開口であるものとして示されているが、他の形状も可能である（例えば、多角形の（例えば、長方形の）、アーチ状の（例えば、円形、長円、楕円の）、スリット、それらの組み合わせなど）。開口６２２６Ａ、６２２６Ｂ、６２２６Ｃ、６２２６Ｄは、固定点を与えることがあり、例えば、その固定点は、別のデバイスがデバイス６２００のカプセルの中またはデバイス６２００の外側に保持されるように、突起部と相互に作用する。開口６２２６Ａ、６２２６Ｂ、６２２６Ｃ、６２２６Ｄは、筐体構造６２１２の形成中に（例えば、成型プロセスの一部として）形成されてもよい、および／または筐体構造６２１２の形成後に（例えば、レーザーによる、化学的な、または物理的な除去プロセスによって）形成されてもよい。実装によっては、筐体構造６２１２は、開口６２２６Ａ、６２２６Ｂ、６２２６Ｃ、６２２６Ｄの周囲に、異なる素材を含んでいてもよい（例えば、シリコーンを含む筐体構造６２１２と、ポリイミドを含む開口周辺材）。実装によっては、筐体構造６２１２は、開口６２２６Ａ、６２２６Ｂ、６２２６Ｃ、６２２６Ｄの周囲に、より厚い素材を含んでいてもよい（例えば、他のデバイスが開口６２２６Ａ、６２２６Ｂ、６２２６Ｃ、６２２６Ｄに係留されることになる場合に、開口６２２６Ａ、６２２６Ｂ、６２２６Ｃ、６２２６Ｄを補強するために）。実装によっては、筐体構造６２１２は、開口６２２６Ａ、６２２６Ｂ、６２２６Ｃ、６２２６Ｄの周囲に、より薄い素材を含んでいてもよい（例えば、素材の除去および／または開口の形成を容易にするために）。
【０４１９】
図６３Ａは、人工カプセルデバイス例６３００の前部側面斜視図を示す。図６３Ｂは、図６３Ａの人工カプセルデバイス例６３００の前方平面図を示す。図６３Ｃは、図６３Ａの人工カプセルデバイス例６３００の側面図を示す。デバイス６３００は、筐体構造６３１２に開口６３２６Ａ１、６３２６Ｂ１、６３２６Ｃ１、６３２６Ｄ１、６３２６Ａ２、６３２６Ｂ２、６３２６Ｃ２、６３２６Ｄ２を含む。図６３Ａ〜図６３Ｃに示される開口６３２６Ａ１、６３２６Ｂ１、６３２６Ｃ１、６３２６Ｄ１は、環状構造部分６３２０Ａ、６３２０Ｂ、６３２０Ｃ、６３２０Ｄの後方にそれぞれある。図６３Ａ〜図６３Ｃに示される開口６３２６Ａ２、６３２６Ｂ２、６３２６Ｃ２、６３２６Ｄ２は、環状構造部分６３２０Ａ、６３２０Ｂ、６３２０Ｃ、６３２０Ｄの前方にそれぞれある。実装によっては、開口６３２６Ａ１、６３２６Ｂ１、６３２６Ｃ１、６３２６Ｄ１は、天然のカプセル嚢への良好な接近を可能にすることがある（例えば、医薬を伝送するために）。実装によっては、開口６３２６Ａ２、６３２６Ｂ２、６３２６Ｃ２、６３２６Ｄ２は、前方の切開部から接近するのが容易である場合がある。他の開口の位置、量、および形状も可能である。例えば、デバイス６３００は、１つの開口のみ、２つの開口のみ、３つの開口のみ、４つの開口のみ、５つの開口のみ、６つの開口のみ、７つの開口のみ、８つの開口のみ、または８つを超える開口を含んでいてもよい。開口６３２６Ａ１、６３２６Ｂ１、６３２６Ｃ１、６３２６Ｄ１は、環状構造部分６３２０Ａ、６３２０Ｂ、６３２０Ｃ、６３２０Ｄの後方以外の位置にあってもよい。開口６３２６Ａ２、６３２６Ｂ２、６３２６Ｃ２、６３２６Ｄ２は、環状構造部分６３２０Ａ、６３２０Ｂ、６３２０Ｃ、６３２０Ｄの前方以外の位置にあってもよい。デバイス６３００は、環状構造部分６３２０Ａ、６３２０Ｂ、６３２０Ｃ、６３２０Ｄの後方に複数の開口を、環状構造部分６３２０Ａ、６３２０Ｂ、６３２０Ｃ、６３２０Ｄの前方または別の位置に複数の開口を、含んでいてもよい。開口６３２６Ａ１、６３２６Ｂ１、６３２６Ｃ１、６３２６Ｄ１および開口６３２６Ａ２，６３２６Ｂ２，６３２６Ｃ２，６３２６Ｄ１は、鏡像の円形の開口であるものとしてそれぞれ示されているが、他の形状も可能である（例えば、多角形の（例えば、長方形の）、アーチ状の（例えば、円形、長円、楕円の）、スリット、それらの組み合わせなど）。開口６３２６Ａ１、６３２６Ｂ１、６３２６Ｃ１、６３２６Ｄ１、６３２６Ａ２、６３２６Ｂ２、６３２６Ｃ２、６３２６Ｄ２のそれぞれは、開口６３２６Ａ１、６３２６Ｂ１、６３２６Ｃ１、６３２６Ｄ１、６３２６Ａ２、６３２６Ｂ２、６３２６Ｃ２、６３２６Ｄ２のうち他のものと同じであってもよい。開口６３２６Ａ１、６３２６Ｂ１、６３２６Ｃ１、６３２６Ｄ１、６３２６Ａ２、６３２６Ｂ２、６３２６Ｃ２、６３２６Ｄ２のうち少なくとも１つは、他の開口６３２６Ａ１、６３２６Ｂ１、６３２６Ｃ１、６３２６Ｄ１、６３２６Ａ２、６３２６Ｂ２、６３２６Ｃ２、６３２６Ｄ２のうち少なくとも１つとは異なっていてもよい。開口６３２６Ａ１、６３２６Ｂ１、６３２６Ｃ１、６３２６Ｄ１、６３２６Ａ２、６３２６Ｂ２、６３２６Ｃ２、６３２６Ｄ２は、上記に記載された開口６１２６Ａ、６１２６Ｂよりも小さく、デバイス６３００の構造的な無欠性を増加させることがあり、および／または筐体構造６３１２の空洞内へレンズ上皮細胞が成長するのを阻害することがある。開口６３２６Ａ１、６３２６Ｂ１、６３２６Ｃ１、６３２６Ｄ１、６３２６Ａ２、６３２６Ｂ２、６３２６Ｃ２、６３２６Ｄ２は、挿入されている薬物デリバリプラットフォームから、開口６３２６Ａ１、６３２６Ｂ１、６３２６Ｃ１、６３２６Ｄ１、６３２６Ａ２、６３２６Ｂ２、６３２６Ｃ２、６３２６Ｄ２のうち１つ、複数、または全てを介して、天然のカプセル嚢内へ、および硝子体または後方の区分内へ、薬物のデリバリを可能にすることがある。開口６３２６Ａ１、６３２６Ｂ１、６３２６Ｃ１、６３２６Ｄ１、６３２６Ａ２、６３２６Ｂ２、６３２６Ｃ２、６３２６Ｄ２は、例えば、望ましくは視軸または瞳孔の開き口の外部に保持されるバッテリ、マイクロチップ、または他の不明な技術断片を格納するために、筐体構造６３１２の空きの空間へ接近することを可能にすることがある。開口６３２６Ａ１、６３２６Ｂ１、６３２６Ｃ１、６３２６Ｄ１、６３２６Ａ２、６３２６Ｂ２、６３２６Ｃ２、６３２６Ｄ２は、固定点を与えることがあり、例えば、その固定点は、別のデバイスがデバイス６３００のカプセルの中またはデバイス６２００の外側に保持されるように、突起部と相互に作用する。開口６３２６Ａ１、６３２６Ｂ１、６３２６Ｃ１、６３２６Ｄ１、６３２６Ａ２、６３２６Ｂ２、６３２６Ｃ２、６３２６Ｄ２は、筐体構造６３１２の形成中に（例えば、成型プロセスの一部として）形成されてもよい、および／または筐体構造６２１２の形成後に（例えば、レーザーによる、化学的な、または物理的な除去プロセスによって）形成されてもよい。実装によっては、筐体構造６３１２は、開口６３２６Ａ１、６３２６Ｂ１、６３２６Ｃ１、６３２６Ｄ１、６３２６Ａ２、６３２６Ｂ２、６３２６Ｃ２、６３２６Ｄ２の周囲に、異なる素材を含んでいてもよい（例えば、シリコーンを含む筐体構造６３１２と、ポリイミドを含む開口周辺材）。実装によっては、筐体構造６３１２は、開口６３２６Ａ１、６３２６Ｂ１、６３２６Ｃ１、６３２６Ｄ１、６３２６Ａ２、６３２６Ｂ２、６３２６Ｃ２、６３２６Ｄ２の周囲に、より厚い素材を含んでいてもよい（例えば、他のデバイスが開口６３２６Ａ１、６３２６Ｂ１、６３２６Ｃ１、６３２６Ｄ１、６３２６Ａ２、６３２６Ｂ２、６３２６Ｃ２、６３２６Ｄ２に係留されることになる場合に、開口６３２６Ａ１、６３２６Ｂ１、６３２６Ｃ１、６３２６Ｄ１、６３２６Ａ２、６３２６Ｂ２、６３２６Ｃ２、６３２６Ｄ２を補強するために）。実装によっては、筐体構造６３１２は、６３２６Ａ１、６３２６Ｂ１、６３２６Ｃ１、６３２６Ｄ１、６３２６Ａ２、６３２６Ｂ２、６３２６Ｃ２、６３２６Ｄ２の周囲に、より薄い素材を含んでいてもよい（例えば、素材の除去および／または開口の形成を容易にするために）。
【０４２０】
図６４Ａは、人工カプセルデバイス例６４００の前部側面斜視図を示す。図６４Ｂは、図６４Ａの人工カプセルデバイス例６４００の前方平面図を示す。図６４Ｃは、図６４Ａの人工カプセルデバイス例６４００の側面図を示す。デバイス６４００は、筐体構造６４１２に開口６４２６Ａ、６４２６Ｂ、６４２６Ｃ、６４２６Ｄを含む。開口６４２６Ａ、６４２６Ｂ、６４２６Ｃ、６４２６Ｄのそれぞれは、開口６４２６Ａ、６４２６Ｂ、６４２６Ｃ、６４２６Ｄのうち他のものと同じであってもよい。開口６４２６Ａ、６４２６Ｂ、６４２６Ｃ、６４２６Ｄのうち少なくとも１つは、他の開口６４２６Ａ、６４２６Ｂ、６４２６Ｃ、６４２６Ｄのうち少なくとも１つとは異なっていてもよい。開口６４２６Ａ、６４２６Ｂ、６４２６Ｃ、６４２６Ｄは、上記に記載された開口６１２６Ａ、６１２６Ｂよりも小さく、デバイス６４００の構造的な無欠性を増加させることがあり、および／または筐体構造６４１２の空洞内へレンズ上皮細胞が成長するのを阻害することがある。開口６４２６Ａ、６４２６Ｂ、６４２６Ｃ、６４２６Ｄは、挿入されている薬物デリバリプラットフォームから、開口６４２６Ａ、６４２６Ｂ、６４２６Ｃ、６４２６Ｄのうち１つ、複数、または全てを介して、天然のカプセル嚢内へ、および硝子体または後方の区分内へ、医薬のデリバリを可能にすることがある。開口６４２６Ａ、６４２６Ｂ、６４２６Ｃ、６４２６Ｄは、例えば、望ましくは視軸または瞳孔の開き口の外部に保持されるバッテリ、マイクロチップ、または他の不明な技術断片を格納するために、筐体構造６４１２の空きの空間へ接近することを可能にすることがある。開口６４２６Ａ、６４２６Ｂ、６４２６Ｃ、６４２６Ｄは、固定点を与えることがあり、例えば、その固定点は、別のデバイスがデバイス６５００のカプセルの中またはデバイス６５００の外側に保持されるように、突起部と相互に作用する。図６４Ａ〜図６４Ｃに示される開口６４２６Ａ、６４２６Ｂ、６４２６Ｃ、６４２６Ｄは、環状構造部分６４２０Ａ、６４２０Ｂ、６４２０Ｃ、６４２０Ｄのそれぞれ前方にある。実装によっては、開口６４２６Ａ、６４２６Ｂ、６４２６Ｃ、６４２６Ｄは、前方の切開部から接近することを可能にすることがある。他の開口の位置、量、および形状も可能である。例えば、デバイス６４００は、１つの開口のみ、または４つを超える開口を含んでいてもよい。開口６４２６Ａ、６４２６Ｂ、６４２６Ｃ、６４２６Ｄは、環状構造部分６４２０Ａ、６４２０Ｂ、６４２０Ｃ、６４２０Ｄの前方以外の位置にあってもよい。デバイス６４００は、環状構造部分６４２０Ａ、６４２０Ｂ、６４２０Ｃ、６４２０Ｄの前方、または別の位置に、複数の開口を含んでいてもよい。開口６４２６Ａ、６４２６Ｂ、６４２６Ｃ、６４２６Ｄは、鏡像の円形の開口であるものとして示されているが、他の形状も可能である（例えば、多角形の（例えば、長方形の）、アーチ状の（例えば、円形、長円、楕円の）、スリット、それらの組み合わせなど）。実装によっては、デバイス６４００の後面は、開口６４２６Ａ、６４２６Ｂ、６４２６Ｃ、６４２６Ｄのうち１つ、複数、または全てと長手方向に整列されている開口（例えば、図６４Ａに示される開口６４２６Ｅ）を含む。
【０４２１】
実装によっては、開口６４２６Ｅおよび他のそのような開口は、１つまたは複数の利点をもたらすことができる。開口６４２６Ｅは、デバイス６４００の埋め込みの後、例えば前方−後方に体液が流れるままにすることによって、体液またはあり得るものとして残渣の粘弾性素材が捕捉されるのを阻止または防止してもよい。開口６４２６Ｅは、デバイス６４００中に薬物を含有して、眼の後方の区分（例えば、硝子体，網膜，脈絡膜）に届けることを可能にしてもよい。開口６４２６Ｅは、黄斑変性を治療するために、デバイス６４００に含有されている抗ＶＥＧＦ注射剤（例えば、ラニビズマブ（例えば、Ｇｅｎｅｎｔｅｃｈから得られるルセンティス（登録商標））、アフリベルセプト（例えば、Ｒｅｇｅｒｎｅｒｏｎ  Ｐｈａｒｍａｃｕｅｔｉｃａｌｓから得られるアイリーア（登録商標））、または細胞から生産される抗ＶＥＧＦ（例えば、Ｎｅｕｒｏｔｅｃｈより）を徐放して、眼の後方の区分（例えば、硝子体，網膜，脈絡膜）に届けることを可能にしてもよい。開口６４２６Ｅは、例えば前方を減圧する間に、後方から前方への圧力の勾配が殆どないか全くないように、サイズを調整されてもよい。実装によっては、天然のカプセル嚢の後方部分が、開口６４２６Ｅに対応する点で開いており、後方の区分と前方の区分との連絡を促して医薬剤の拡散の一助となることがある。カプセルの開口および開口６４２６Ｅは、開口６４２６Ｅを通じて硝子体が脱出する可能性が低くなるように、充分にサイズの小さなものとしてもよい。
【０４２２】
開口６４２６Ａ、６４２６Ｂ、６４２６Ｃ、６４２６Ｄは、筐体構造６４１２の形成中に（例えば、成型プロセスの一部として）形成されてもよい、および／または筐体構造６４１２の形成後に（例えば、レーザーによる、化学的な、または物理的な除去プロセスによって）形成されてもよい。実装によっては、筐体構造６４１２は、開口６４２６Ａ、６４２６Ｂ、６４２６Ｃ、６４２６Ｄの周囲に、異なる素材を含んでいてもよい（例えば、シリコーンを含む筐体構造６４１２と、ポリイミドを含む開口周辺材）。実装によっては、筐体構造６４１２は、開口６４２６Ａ、６４２６Ｂ、６４２６Ｃ、６４２６Ｄの周囲に、より厚い素材を含んでいてもよい（例えば、他のデバイスが開口６４２６Ａ、６４２６Ｂ、６４２６Ｃ、６４２６Ｄに係留されることになる場合に、開口６４２６Ａ、６４２６Ｂ、６４２６Ｃ、６４２６Ｄを補強するために）。実装によっては、筐体構造６４１２は、６４２６Ａ、６４２６Ｂ、６４２６Ｃ、６４２６Ｄの周囲に、より薄い素材を含んでいてもよい（例えば、素材の除去および／または開口の形成を容易にするために）。
【０４２３】
図６５Ａは、人工カプセルデバイス例６５００の前部側面斜視図を示す。図６５Ｂは、図６５Ａの人工カプセルデバイス例６５００の前方平面図を示す。図６５Ｃは、図６５Ａの人工カプセルデバイス例６５００の側面図を示す。デバイス６５００は、筐体構造６５１２にスロットまたはスリット６５２６Ａ１、６５２６Ｂ１、６５２６Ｃ１、６５２６Ｄ１、６５２６Ａ２、６５２６Ｂ２、６５２６Ｃ２、６５２６Ｄ２を含む。デバイス６５００が折り畳まれていない状態である際に、スリット６５２６Ａ１、６５２６Ｂ１、６５２６Ｃ１、６５２６Ｄ１、６５２６Ａ２、６５２６Ｂ２、６５２６Ｃ２、６５２６Ｄ２は、概して、作動するまで閉じていてもよい。例えば、スリットに加わる圧力（例えば、そこを通じて挿入されるデバイス由来などの物理的な圧力、体液の圧力）が、スリットをこじ開けることがある。別の例としては、スリットが、少量の薬物、タンパク質、体液などの流れるままとすることがある。スリット６５２６Ａ１、６５２６Ｂ１、６５２６Ｃ１、６５２６Ｄ１、６５２６Ａ２、６５２６Ｂ２、６５２６Ｃ２、６５２６Ｄ２は、例えばスクイーズタイプの小銭入れのように、相反する力を加えることによって開かれてもよい。
【０４２４】
図６５Ａ〜図６５Ｃに示されるスリット６５２６Ａ１、６５２６Ｂ１、６５２６Ｃ１、６５２６Ｄ１は、環状構造部分６５２０Ａ、６５２０Ｂ、６５２０Ｃ、６５２０Ｄの後方にある。図６５Ａ〜図６５Ｃに示されるスリット６５２６Ａ２、６５２６Ｂ２、６５２６Ｃ２、６５２６Ｄ２は、環状構造部分６５２０Ａ、６５２０Ｂ、６５２０Ｃ、６５２０Ｄの前方にある。図６５Ａ〜図６５Ｃに示されるスリット６５２６Ａ１、６５２６Ａ２、６５２６Ｃ１、６５２６Ｃ２は、環状構造部分６５２０Ａと６５２０Ｃとの間の円周上にある。図６５Ａ〜図６５Ｃに示されるスリット６５２６Ｂ１、６５２６Ｂ２、６５２６Ｄ１、６５２６Ｄ２は、環状構造部分６５２０Ｂと６５２０Ｄとの間の円周上にある。他のスリットの位置、量、および形状も可能である。例えば、デバイス６５００は、１つのスリットのみ、２つのスリットのみ、３つのスリットのみ、４つのスリットのみ、５つのスリットのみ、６つのスリットのみ、７つのスリットのみ、８つのスリットのみ、または８つを超えるスリットを含んでいてもよい。スリット６５２６Ａ１、６５２６Ｂ１、６５２６Ｃ１、６５２６Ｄ１は、環状構造部分６５２０Ａ、６５２０Ｂ、６５２０Ｃ、６５２０Ｄの後方以外の位置にあってもよい。スリット６５２６Ａ２、６５２６Ｂ２、６５２６Ｃ２、６５２６Ｄ２は、環状構造部分６５２０Ａ、６５２０Ｂ、６５２０Ｃ、６５２０Ｄの前方以外の位置にあってもよい。デバイス６５００は、環状構造部分６５２０Ａ、６５２０Ｂ、６５２０Ｃ、６５２０Ｄの後方に複数のスリットを、環状構造部分６５２０Ａ、６５２０Ｂ、６５２０Ｃ、６５２０Ｄの前方または別の位置に複数のスリットを含んでいてもよい。  スリット６５２６Ａ１、６５２６Ｂ１、６５２６Ｃ１、６５２６Ｄ１およびスリット６５２６Ａ２、６５２６Ｂ２、６５２６Ｃ２、６５２６Ｄ１は、鏡像の直線状の開口であるものとしてそれぞれ示されているが、他の形状も可能である（例えば、多角形、アーチ状、それらの組み合わせなど）。スリット６５２６Ａ１、６５２６Ｂ１、６５２６Ｃ１、６５２６Ｄ１、６５２６Ａ２、６５２６Ｂ２、６５２６Ｃ２、６５２６Ｄ２のそれぞれは、スリット６５２６Ａ１、６５２６Ｂ１、６５２６Ｃ１、６５２６Ｄ１、６５２６Ａ２、６５２６Ｂ２、６５２６Ｃ２、６５２６Ｄ２のうち他のものと同じであってもよい。スリット６５２６Ａ１、６５２６Ｂ１、６５２６Ｃ１、６５２６Ｄ１、６５２６Ａ２、６５２６Ｂ２、６５２６Ｃ２、６５２６Ｄ２のうち少なくとも１つは、他のスリット６５２６Ａ１、６５２６Ｂ１、６５２６Ｃ１、６５２６Ｄ１、６５２６Ａ２、６５２６Ｂ２、６５２６Ｃ２、６５２６Ｄ２のうち少なくとも１つとは異なっていてもよい。スリット６５２６Ａ１、６５２６Ｂ１、６５２６Ｃ１、６５２６Ｄ１、６５２６Ａ２、６５２６Ｂ２、６５２６Ｃ２、６５２６Ｄ２は、上記に記載されたスリット６１２６Ａ、６１２６Ｂよりも小さく、デバイス６５００の構造的な無欠性を増加させることがあり、および／または筐体構造６５１２の空洞内へレンズ上皮細胞が成長するのを阻害することがある。スリット６５２６Ａ１、６５２６Ｂ１、６５２６Ｃ１、６５２６Ｄ１、６５２６Ａ２、６５２６Ｂ２、６５２���Ｃ２、６５２６Ｄ２は、挿入されている薬物デリバリプラットフォームから、スリット６５２６Ａ１、６５２６Ｂ１、６５２６Ｃ１、６５２６Ｄ１、６５２６Ａ２、６５２６Ｂ２、６５２６Ｃ２、６５２６Ｄ２のうち１つ、複数、または全てを介して、天然のカプセル嚢内へ、および硝子体または後方の区分内へ、医薬のデリバリを可能にすることがある。スリット６５２６Ａ１、６５２６Ｂ１、６５２６Ｃ１、６５２６Ｄ１、６５２６Ａ２、６５２６Ｂ２、６５２６Ｃ２、６５２６Ｄ２は、例えば、望ましくは視軸または瞳孔の開き口の外部に保持されるバッテリ、マイクロチップ、または他の不明な技術断片を格納するために、筐体構造６５１２の空きの空間へ接近することを可能にすることがある。スリット６５２６Ａ１、６５２６Ｂ１、６５２６Ｃ１、６５２６Ｄ１、６５２６Ａ２、６５２６Ｂ２、６５２６Ｃ２、６５２６Ｄ２は、固定点を与えることがあり、例えば、その固定点は、別のデバイスがデバイス６５００のカプセルの中またはデバイス６５００の外側に保持されるように、突起部と相互に作用する。開口６５２６Ａ１、６５２６Ｂ１、６５２６Ｃ１、６５２６Ｄ１、６５２６Ａ２、６５２６Ｂ２、６５２６Ｃ２、６５２６Ｄ２は、筐体構造６５１２の形成中に（例えば、成型プロセスの一部として）形成されてもよい、および／または筐体構造６５１２の形成後に（例えば、レーザーによる、化学的な、または物理的な除去プロセスによって）形成されてもよい。実装によっては、筐体構造６５１２は、スリット６５２６Ａ１、６５２６Ｂ１、６５２６Ｃ１、６５２６Ｄ１、６５２６Ａ２、６５２６Ｂ２、６５２６Ｃ２、６５２６Ｄ２の周囲に、異なる素材を含んでいてもよい（例えば、シリコーンを含む筐体構造６５１２と、ポリイミドを含む開口周辺材）。実装によっては、筐体構造６５１２は、スリット６５２６Ａ１、６５２６Ｂ１、６５２６Ｃ１、６５２６Ｄ１、６５２６Ａ２、６５２６Ｂ２、６５２６Ｃ２、６５２６Ｄ２の周囲に、より厚い素材を含んでいてもよい（例えば、他のデバイスがスリット６５２６Ａ１、６５２６Ｂ１、６５２６Ｃ１、６５２６Ｄ１、６５２６Ａ２、６５２６Ｂ２、６５２６Ｃ２、６５２６Ｄ２に係留されることになる場合に、スリット６５２６Ａ１、６５２６Ｂ１、６５２６Ｃ１、６５２６Ｄ１、６５２６Ａ２、６５２６Ｂ２、６５２６Ｃ２、６５２６Ｄ２を補強するために）。実装によっては、筐体構造６５１２は、スリット６５２６Ａ１、６５２６Ｂ１、６５２６Ｃ１、６５２６Ｄ１、６５２６Ａ２、６５２６Ｂ２、６５２６Ｃ２、６５２６Ｄ２の周囲に、より薄い素材を含んでいてもよい（例えば、素材の除去、スリットの形成、およびスリットの開通を容易にするために）。
【０４２５】
図６６Ａは、人工カプセルデバイス例６６００の前部側面斜視図を示す。図６６Ｂは、図６６Ａの人工カプセルデバイス例６６００の前方平面図を示す。図６６Ｃは、図６６Ａの人工カプセルデバイス例６６００の側面図を示す。デバイス６６００は、筐体構造６６１２にスリット６６２６Ａ１、６６２６Ｂ１、６６２６Ｃ１、６６２６Ｄ１、６６２６Ａ２、６６２６Ｂ２、６６２６Ｃ２、６６２６Ｄ２を含む。図６６Ａ〜図６６Ｃに示されるスリット６６２６Ａ１、６６２６Ｂ１、６６２６Ｃ１、６６２６Ｄ１は、環状構造部分６６２０Ａ、６６２０Ｂ、６６２０Ｃ、６６２０Ｄの後方にある。図６６Ａ〜図６６Ｃに示されるスリット６６２６Ａ２、６６２６Ｂ２、６６２６Ｃ２、６６２６Ｄ２は、環状構造部分６６２０Ａ、６６２０Ｂ、６６２０Ｃ、６６２０Ｄの前方にある。図６６Ａ〜図６６Ｃに示されるスリット６６２６Ａ１、６６２６Ａ２、６６２６Ｂ１、６６２６Ｂ２、６６２６Ｃ１、６６２６Ｃ２、６６２６Ｄ１、６６２６Ｄ２は、環状構造部分６６２０Ａ、６６２０Ｂ、６６２０Ｃ、６６２０Ｄのアンカー部分に近接して円周上にそれぞれある。他のスリットの位置、量、および形状も可能である。例えば、デバイス６６００は、１つのスリットのみ、２つのスリットのみ、３つのスリットのみ、４つのスリットのみ、５つのスリットのみ、６つのスリットのみ、７つのスリットのみ、８つのスリットのみ、または８つを超えるスリットを含んでいてもよい。スリット６６２６Ａ１、６６２６Ｂ１、６６２６Ｃ１、６６２６Ｄ１は、環状構造部分６６２０Ａ、６６２０Ｂ、６６２０Ｃ、６６２０Ｄの後方以外の位置にあってもよい。スリット６６２６Ａ２、６６２６Ｂ２、６６２６Ｃ２、６６２６Ｄ２は、環状構造部分６６２０Ａ、６６２０Ｂ、６６２０Ｃ、６６２０Ｄの前方以外の位置にあってもよい。デバイス６６００は、環状構造部分６６２０Ａ、６６２０Ｂ、６６２０Ｃ、６６２０Ｄの後方に複数のスリットを、環状構造部分６６２０Ａ、６６２０Ｂ、６６２０Ｃ、６６２０Ｄの前方または別の位置に複数のスリットを、含んでいてもよい。スリット６６２６Ａ１、６６２６Ｂ１、６６２６Ｃ１、６６２６Ｄ１およびスリット６６２６Ａ２、６６２６Ｂ２、６６２６Ｃ２、６６２６Ｄ１は、鏡像の円形の開口であるものとしてそれぞれ示されているが、他の形状も可能である（例えば、多角形、アーチ状、それらの組み合わせなど）。スリット６６２６Ａ１、６６２６Ｂ１、６６２６Ｃ１、６６２６Ｄ１、６６２６Ａ２、６６２６Ｂ２、６６２６Ｃ２、６６２６Ｄ２のそれぞれは、スリット６６２６Ａ１、６６２６Ｂ１、６６２６Ｃ１、６６２６Ｄ１、６６２６Ａ２、６６２６Ｂ２、６６２６Ｃ２、６６２６Ｄ２の他のものと同じであってもよい。スリット６６２６Ａ１、６６２６Ｂ１、６６２６Ｃ１、６６２６Ｄ１、６６２６Ａ２、６６２６Ｂ２、６６２６Ｃ２、６６２６Ｄ２のうち少なくとも１つは、他のスリット６６２６Ａ１、６６２６Ｂ１、６６２６Ｃ１、６６２６Ｄ１、６６２６Ａ２、６６２６Ｂ２、６６２６Ｃ２、６６２６Ｄ２のうち少なくとも１つとは異なっていてもよい。スリット６６２６Ａ１、６６２６Ｂ１、６６２６Ｃ１、６６２６Ｄ１、６６２６Ａ２、６６２６Ｂ２、６６２６Ｃ２、６６２６Ｄ２は、上記に記載されたスリット６１２６Ａ，６１２６Ｂよりも小さく、デバイス６６００の構造的な無欠性を増加させることがあり、および／または筐体構造６６１２の空洞内へレンズ上皮細胞が成長するのを阻害することがある。スリット６６２６Ａ１、６６２６Ｂ１、６６２６Ｃ１、６６２６Ｄ１、６６２６Ａ２、６６２６Ｂ２、６６２６Ｃ２、６６２６Ｄ２は、挿入されている薬物デリバリプラットフォームから、スリット６６２６Ａ１、６６２６Ｂ１、６６２６Ｃ１、６６２６Ｄ１、６６２６Ａ２、６６２６Ｂ２、６６２６Ｃ２、６６２６Ｄ２のうち１つ、複数、または全てを介して、天然のカプセル嚢内へ、および硝子体または後方の区分内へ、医薬のデリバリを可能にすることがある。スリット６６２６Ａ１、６６２６Ｂ１、６６２６Ｃ１、６６２６Ｄ１、６６２６Ａ２、６６２６Ｂ２、６６２６Ｃ２、６６２６Ｄ２は、例えば、望ましくは視軸または瞳孔の開き口の外部に保持されるバッテリ、マイクロチップ、または他の不明な技術断片を格納するために、筐体構造６６１２の空きの空間へ接近することを可能にすることがある。スリット６６２６Ａ１、６６２６Ｂ１、６６２６Ｃ１、６６２６Ｄ１、６６２６Ａ２、６６２６Ｂ２、６６２６Ｃ２、６６２６Ｄ２は、固定点を与えることがあり、例えば、その固定点は、別のデバイスがデバイス６６００のカプセルの中またはデバイス６６００の外側に保持されるように、突起部と相互に作用する。スリット６６２６Ａ１、６６２６Ｂ１、６６２６Ｃ１、６６２６Ｄ１、６６２６Ａ２、６６２６Ｂ２、６６２６Ｃ２、６６２６Ｄ２は、筐体構造６６１２の形成中に（例えば、成型プロセスの一部として）形成されてもよい、および／または筐体構造６６１２の形成後に（例えば、レーザーによる、化学的な、または物理的な除去プロセスによって）形成されてもよい。実装によっては、筐体構造６６１２は、スリット６６２６Ａ１、６６２６Ｂ１、６６２６Ｃ１、６６２６Ｄ１、６６２６Ａ２、６６２６Ｂ２、６６２６Ｃ２、６６２６Ｄ２の周囲に、異なる素材を含んでいてもよい（例えば、シリコーンを含む筐体構造６６１２と、ポリイミドを含むスリット周辺材）。実装によっては、筐体構造６６１２は、スリット６６２６Ａ１、６６２６Ｂ１、６６２６Ｃ１、６６２６Ｄ１、６６２６Ａ２、６６２６Ｂ２、６６２６Ｃ２、６６２６Ｄ２の周囲に、より厚い素材を含んでいてもよい（例えば、他のデバイスがスリット６６２６Ａ１、６６２６Ｂ１、６６２６Ｃ１、６６２６Ｄ１、６６２６Ａ２、６６２６Ｂ２、６６２６Ｃ２、６６２６Ｄ２に係留されることになる場合に、スリット６６２６Ａ１、６６２６Ｂ１、６６２６Ｃ１、６６２６Ｄ１、６６２６Ａ２、６６２６Ｂ２、６６２６Ｃ２、６６２６Ｄ２を補強するために）。実装によっては、筐体構造６６１２は、スリット６６２６Ａ１、６６２６Ｂ１、６６２６Ｃ１、６６２６Ｄ１、６６２６Ａ２、６６２６Ｂ２、６６２６Ｃ２、６６２６Ｄ２の周囲に、より薄い素材を含んでいてもよい（例えば、素材の除去、スリットの形成、およびスリットの開通を容易にするために）。
【０４２６】
本明細書に記載される筐体構造の開口およびスリットを使用して、固定点、すなわち筐体構造を通じる経路(例えば、デバイスの外部のバッテリからデバイスの内部の電子機器までのワイヤまたはリードのための)を提供することができ、そのため、他のデバイス(複数可)は、デバイスのカプセルの中またはデバイスの外側に保持される。他のデバイスは、電子デバイス、医薬デリバリシステムなどを含むことができる。実装によっては、デバイスは、他のデバイスの要素と相互に作用するように構成される、１つまたは複数の内部および／または外部の突起部を含む。
【０４２７】
図６７Ａは、人工カプセルデバイス例６７００の前部側面斜視図を示す。図６７Ｂは、図６７Ａの人工カプセルデバイス例６７００の前方平面図を示す。図６７Ｃは、図６７Ａの人工カプセルデバイス例６７００の側面図を示す。デバイス６７００は、環状構造部分６７２０Ａ、６７２０Ｂ、６７２０Ｃ、６７２０Ｄを含む。環状構造部分６７２０Ａ、６７２０Ｂ、６７２０Ｃ、６７２０Ｄは、開口６７２８Ａ１、６７２８Ｂ１、６７２８Ｃ１、６７２７Ｄ１をそれぞれ含み、それらの開口は、他の環状構造部分の開口について、本明細書に議論される利点のうち１つまたは複数を提供することがある。デバイス６７００は、開口または小穴または鳩目６６２８Ａ２、６６２８Ｂ２、６６２８Ｃ２、６６２８Ｄ２、６６２８Ａ３、６６２８Ｂ３、６６２８Ｃ３、６６２８Ｄ３をさらに含む。開口６６２８Ａ２、６６２８Ｂ２、６６２８Ｃ２、６６２８Ｄ２は、それぞれ環状構造部分６７２０Ａ、６７２０Ｂ、６７２０Ｃ、６７２０Ｄの径方向外側にあり、それらに連結されている。開口６６２８Ａ２、６６２８Ｂ２、６６２８Ｃ２、６６２８Ｄ２は、それぞれ環状構造部分６７２０Ａ、６７２０Ｂ、６７２０Ｃ、６７２０Ｄの径方向内側にあり、それらとは隔たっている。他の開口の位置、量、および形状も可能である。例えば、デバイス６７００は、１つの開口のみ、２つの開口のみ、３つの開口のみ、４つの開口のみ、５つの開口のみ、６つの開口のみ、７つの開口のみ、８つの開口のみ、９つの開口のみ、１０個の開口のみ、１１個の開口のみ、１２個の開口のみ、または１２個を超える開口を含んでいてもよい。開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３のそれぞれは、開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３のうち他のものと同じであってもよい。開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３のうち少なくとも１つは、他の開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３のうち少なくとも１つとは異なっていてもよい。開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３は、固定点を与えることがあり、例えば、その固定点は、別のデバイスがデバイス６７００の外部に保持されるように突起部と相互に作用する。それによって、天然のカプセル嚢、毛様小帯、毛様体筋、強膜壁などの眼の部分を縫合する、および／または上皮細胞を成長させてそこを通じて線維増多を生じる、などとなる。デバイス６７００を眼の天然のカプセル嚢に配置した後に、他のデバイスを、開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３のうち１つまたは複数に連結することができる。デバイス６７００を配置した後に他のデバイス（複数可）を連結することは、例えば、デバイス６７００を眼に配置する前に他のデバイス（複数可）をデバイス６７００に連結または一体形成するのとは対照的に、本明細書に記載されるようなさらに小さな開口を通じてデバイス６７００を注入することを可能にすることがある。他のデバイス（複数可）を連結することは、例えば、他のデバイス（複数可）をデバイス６７００に連結または一体形成するのとは対照的に、種々の他のデバイスを使用することを可能にすることがある。実装によっては、他のデバイス（複数可）が除去されてもよく、置換または他のデバイスが、後の手順の間に任意選択的に連結されてもよい。実装によっては、他のデバイス（複数可）は、時間と共に吸収されてもよく、置換または他のデバイスが、後の手順の間に任意選択的に連結されてもよい。開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３の位置によって、筐体構造６８１２の径方向外側にある天然のカプセル嚢の体積において他のデバイスを機能的に使用することが可能になることがある。開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３は、デバイス６７００の形成中に（例えば、成型プロセスの一部として）形成されてもよい、および／またはデバイス６７００の形成後に（例えば、レーザーによる、化学的な、または物理的な除去プロセスによって）形成されてもよい。実装によっては、筐体構造６７１２は、開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３の周囲の素材とは異なる素材を含んでいてもよい（例えば、シリコーンを含む筐体構造６７１２と、ポリイミドを含む開口周辺材）。
【０４２８】
図６８Ａは、人工カプセルデバイス例６８００の前部側面斜視図を示す。図６８Ｂは、図６８Ａの人工カプセルデバイス例６８００の前方平面図を示す。図６８Ｃは、図６８Ａの人工カプセルデバイス例６８００の側面図を示す。デバイス６８００は、環状構造部分６８２０Ａ、６８２０Ｂ、６８２０Ｃ、６８２０Ｄを含む。デバイス６８００は、環状構造部分６８２０Ａ、６８２０Ｂの後方かつそれらの間の円周上にスライド式保持器６８３０Ａを、環状構造部分６８２０Ｃ、６８２０Ｄの後方かつそれらの間の円周上にスライド式保持器６８３０Ｂを、さらに含む。スライド式保持器６８３０Ａは、保持空洞６８３２Ａを形成する上方または前方部分および下方または後方部分を含み、スライド式保持器６８３０Ｂは、保持空洞６８３２Ｂを形成する上方または前方部分および下方または後方部分を含む。環状構造部分の間の位置によって、筐体構造６８１２の径方向外側にある天然のカプセル嚢の体積において他のデバイスを機能的に使用することが可能になることがある。他のスライド式保持器の位置、量、および形状も可能である。例えば、デバイス６８００は、１つのスライド式保持器のみ、２つのスライド式保持器のみ、または２つを超えるスライド式保持器を含んでいてもよい。実装によっては、スライド式保持器は、蟻継形の保持空洞、例えば、他のデバイスの蟻継形の突起部と相互に作用するように構成される空洞を含む。
【０４２９】
スライド式保持器６８３０Ａ、６８３０Ｂは、他のデバイスのスロット突起部を受けるように構成される。例えば、図６８Ｄは、スライド式保持器６８３０Ｂと相互に作用する他のデバイス６８５０の一例を概略的に示す。１つまたは複数のデバイスが、スライド式保持器６８３０Ａ、６８３０Ｂのうち一方または両方と相互に作用してもよい（例えば、スライド式保持器６８３０Ａ、６８３０Ｂのうち一方またはどちらかの端部からスライドさせる）。デバイス例６８５０は、スロット突起部６８５２及び径方向外側に突出している部分６８５４を含む。突出している部分６８５４は、どのバラエティーの形状及びサイズを取っていてもよい。デバイス６８００を眼の天然のカプセル嚢に配置した後に、デバイス６８５０を、構造６８３０Ｂの保持空洞内にスライドさせることができる。デバイス６８００を配置した後にデバイス６８５０を連結することは、例えば、デバイス６８００を眼に配置する前にデバイス６８５０をデバイス６８００に連結または一体形成するのとは対照的に、本明細書に記載されるようなさらに小さな開口を通じてデバイス６８００を注入することを可能にすることがある。デバイス６８５０を連結することは、例えば、デバイス６８５０をデバイス６８００に連結または一体形成するのとは対照的に、種々の他のデバイス６８００を使用することを可能にすることがある。実装によっては、他のデバイスが除去されてもよく（例えば、スライド式保持器の側部をスライドさせて出すことによって、スライド式保持器の素材が弾力性を持つ場合には径方向に引っ張り出すことによって、など）、置換または他のデバイスが、後の手順の間に任意選択的に連結されてもよい。
【０４３０】
スライド式保持器６８３０Ａ、６８３０Ｂは、デバイス６８００の形成中に（例えば、成型プロセスの一部として）形成されてもよい、および／またはデバイス６８００の形成後に（例えば、レーザーによる、化学的な、または物理的な除去プロセスによって）形成されてもよい。実装によっては、筐体構造６８１２は、スライド式保持器６８３０Ａ、６８３０Ｂとは異なる素材を含んでいてもよい（例えば、シリコーンを含む筐体構造６８１２と、ポリイミドを含むスライド式保持器６８３０Ａ、６８３０Ｂ）。スライド式保持器６８３０Ａ、６８３０Ｂは、環状構造部分６８２０Ａ、６８２０Ｂ、６８２０Ｃ、６８２０Ｄと一体化していても別々であってもよい。
【０４３１】
図６９Ａは、人工カプセルデバイス例６９００の前部側面斜視図を示す。図６９Ｂは、図６９Ａの人工カプセルデバイス例６９００の前方平面図を示す。図６９Ｃは、図６９Ａの人工カプセルデバイス例６９００の側面図を示す。デバイス６９００は、環状構造部分６９２０Ａ、６９２０Ｂ、６９２０Ｃ、６９２０Ｄを含む。デバイス６９００は、環状構造部分６９２０Ａ、６９２０Ｂの後方かつそれらの間の円周上にスライド式保持器６９３０Ａを、環状構造部分６９２０Ｃ、６９２０Ｄの後方かつそれらの間の円周上にスライド式保持器６９３０Ｂを、さらに含む。スライド式保持器６９３０Ｂは、環状構造部分６９２０Ｃの径方向内側に第１の部分を、環状構造部分６９２０Ｄの径方向内側に第２の部分を含み、ここで、第１の部分および第２の部分は、保持空洞６９３２Ｂを形成する。環状構造部分の間の位置によって、筐体構造６９１２の径方向外側にある天然のカプセル嚢の体積において他のデバイスを機能的に使用することが可能になることがある。他のスライド式保持器の位置、量、および形状も可能である。例えば、デバイス６９００は、１つのスライド式保持器のみ、２つのスライド式保持器のみ、または２つを超えるスライド式保持器を含んでいてもよい。実装によっては、スライド式保持器は、蟻継形の保持空洞、例えば、他のデバイスの蟻継形の突起部と相互に作用するように構成される空洞を含む。
【０４３２】
スライド式保持器６９３０Ａ、６９３０Ｂは、他のデバイスのスロット突起部を受けるように構成される。例えば、図６９Ｄは、スライド式保持器６９３０Ｂと相互に作用する他のデバイス６９５０の一例を概略的に示す。１つまたは複数のデバイスが、スライド式保持器６９３０Ａ、６９３０Ｂのうち一方または両方と相互に作用してもよい（例えば、スライド式保持器６９３０Ａ、６９３０Ｂのうち一方またはどちらかの端部からスライドさせる）。デバイス例６９５０は、スロット突起部６９５２及び径方向外側に突出している部分６９５４を含む。突出している部分６９５４は、どのバラエティーの形状及びサイズを取っていてもよい。デバイス６９００を眼の天然のカプセル嚢に配置した後に、デバイス６９５０を、構造６９３０Ｂの保持空洞内にスライドさせることができる。デバイス６９５０を前方から後方にスライドさせることは、例えば、デバイス６８５０を側部からスライドさせるよりも、特に後の手順において、物理的に難しくはない場合がある。デバイス６９００を配置した後にデバイス６９５０を連結することは、例えば、デバイス６９００を眼に配置する前にデバイス６９５０をデバイス６９００に連結または一体形成するのとは対照的に、本明細書に記載されるようなさらに小さな開口を通じてデバイス６９００を注入することを可能にすることがある。デバイス６９５０を連結することは、例えば、デバイス６９５０をデバイス６９００に連結または一体形成するのとは対照的に、種々の他のデバイス６９５０を使用することを可能にすることがある。実装によっては、他のデバイス（複数可）が除去されてもよく（例えば、スライド式保持器の側部をスライドさせて出すことによって、スライド式保持器の素材が弾力性を持つ場合には径方向に引っ張り出すことによって、など）、置換または他のデバイスが、後の手順の間に任意選択的に連結されてもよい。実装によっては、他のデバイス（複数可）は、時間と共に吸収されてもよく、置換または他のデバイスが、後の手順の間に任意選択的に連結されてもよい。
【０４３３】
スライド式保持器６９３０Ａ、６９３０Ｂは、デバイス６９００の形成中に（例えば、成型プロセスの一部として）形成されてもよい、および／またはデバイス６９００の形成後に（例えば、レーザーによる、化学的な、または物理的な除去プロセスによって）形成されてもよい。実装によっては、筐体構造６９１２は、スライド式保持器６９３０Ａ、６９３０Ｂとは異なる素材を含んでいてもよい（例えば、シリコーンを含む筐体構造６９１２と、ポリイミドを含むスライド式保持器６９３０Ａ、６９３０Ｂ）。スライド式保持器６９３０Ａ、６９３０Ｂは、環状構造部分６９２０Ａ、６９２０Ｂ、６９２０Ｃ、６９２０Ｄと一体化していても別々であってもよい。
【０４３４】
図７０Ａは、人工カプセルデバイス例７０００の前部側面斜視図を示す。図７０Ｂは、図７０Ａの人工カプセルデバイス例７０００の前方平面図を示す。図７０Ｃは、図７０Ａの人工カプセルデバイス例７０００の側面図を示す。デバイス７０００は、環状構造部分７０２０Ａ、７０２０Ｂ、７０２０Ｃ、７０２０Ｄを含む。環状構造部分７０２０Ａ、７０２０Ｂ、７０２０Ｃ、７０２０Ｄは、開口７０２８Ａ、７０２８Ｂ、７０２８Ｃ、７０２７Ｄをそれぞれ含み、それらの開口は、他の環状構造部分の開口について、本明細書に議論される利点のうち１つまたは複数を提供することがある。デバイス７０００は、内部の開口または小穴または鳩目７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊをさらに含む。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、デバイス７０００の筐体構造７０１２のカプセルの中にある。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、環状構造部分７
０２０Ａ、７０２０Ｂ、７０２０Ｃ、７０２０Ｄと同じ素材から形成されてもよい（例えば、一体化している）。他の開口の位置、量、および形状も可能である。例えば、デバイス７０００は、１つの内部開口のみ、２つの内部開口のみ、３つの内部開口のみ、４つの内部開口のみ、５つの内部開口のみ、６つの内部開口のみ、７つの内部開口のみ、８つの内部開口のみ、９つの内部開口のみ、１０個の内部開口のみ、または１０個を超える内部開口を含んでいてもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、筐体構造７０１２の端部から内側に延在するものとして示されるが、これらの開口は、筐体構造７０１２の側部から内側に、および／または筐体構造７０１２から外側に、延在していてもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、環状構造部分７０２０Ａ、７０２０Ｂ、７０２０Ｃ、７０２０Ｄと長手方向に整列もしくは並列していても、環状構造部分７０２０Ａ、７０２０Ｂ、７０２０Ｃ、７０２０Ｄの前方および／または環状構造部分７０２０Ａ、７０２０Ｂ、７０２０Ｃ、７０２０Ｄの後方であってもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊのそれぞれは、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊのうち他のものと同じであってもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊのうち少なくとも１つは、他の開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊのうち少なくとも１つとは異なっていてもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、固定点を与えることがあり、例えば、その固定点は、別のデバイスがデバイス７０００の内部に保持されるように、突起部と相互に作用する。デバイス７０００を眼の天然のカプセル嚢に配置した後に、他のデバイスを、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊのうち１つまたは複数に連結することができる。デバイス７０００を配置した後に他のデバイス（複数可）を連結することは、例えば、デバイス７０００を眼に配置する前に他のデバイス（複数可）をデバイス７０００に連結または一体形成するのとは対照的に、本明細書に記載されるようなさらに小さな開口を通じてデバイス７０００を注入することを可能にすることがある。他のデバイス（複数可）を連結することは、例えば、他のデバイス（複数可）をデバイス７０００に連結または一体形成するのとは対照的に、種々の他のデバイスを使用することを可能にすることがある。実装によっては、他のデバイス（複数可）が除去されてもよく、置換または他のデバイスが、後の手順の間に任意選択的に連結されてもよい。実装によっては、他のデバイス（複数可）は、時間と共に吸収されてもよく、置換または他のデバイスが、後の手順の間に任意選択的に連結されてもよい。開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊは、デバイス７０００の形成中に（例えば、成型プロセスの一部として）形成されてもよい、および／またはデバイス７０００の形成後に形成されてもよい。実装によっては、筐体構造７０１２は、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊの周囲に、異なる素材を含んでいてもよい（例えば、シリコーンを含む筐体構造７０１２と、ポリイミドを含む開口周辺材）。
【０４３５】
図７１Ａは、人工カプセルデバイスに連結するためのデバイス例７１４０の斜視図を示す。デバイス７１４０は、第１の取り付け部分７１４２および第２の機能部分７１４４を含む。図７１Ａに示される第１の取り付け部分７１４２は、ヘアピン構造を含む。ヘアピン構造７１４２は、第２の機能部分７１４４から延在し、次いで、第２の機能部分７１４４に向けて折り返して戻る。図７１Ａに示されるように、ヘアピン構造７１４２は、およそ２７０°で折り返し、次いで１８０°で３回反転して、ヘアピンのようなうねりを形成する。第１の折り返しを、後の折り返しよりも大きくしてもよい。ヘアピン構造７１４２は、折り返しをさらに数少なく含んでいてもよく、そのようなものとしては、２７０°よりも小さい場合がある単独の折り返しが挙げられる。第２の機能部分７１４４は、薬物溶出デバイスを含んでいてもよい。例えば、第２の機能部分７１４４は、医薬ペレットを保持するように構成されているケージを含んでいてもよい。医薬は、ケージの側壁を通じて溶出してもよい。ケージは、開口７１４６を含んでいてもよく、例えば医薬ペレットの挿入および／または除去を可能にする。実装によっては、第２の機能部分７１４４は、様々なタイプの医薬デバイス、電子デバイスなどを含む。
【０４３６】
図７１Ｂは、実施例図７１Ａのデバイス例７１４０と人工カプセルデバイスの部分例７１３８との連結例を示す。部分７１３８は、例えば、デバイス６７００の開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊ、または他の開口もしくは取り付け構造と同様としてもよい。ヘアピン構造７１４２の最後尾を、開口７１３８を通じて挿入し、開口７１３８が第１の折り返しに近接するまでスライドさせる。それによって、デバイス７１４０を定位置に固定することができる。実装によっては、複数のデバイスを、単一の開口７１３８に直接的に連結することができる。実装によっては、複数のデバイスを、単一の開口７１３８に連結することができ、例えば、第１のデバイス７１４０を開口７１３８に係留し、次いで、少なくとも１つの他のデバイスをアンカー構造７１４２に係留する（例えば、アンカー構造７１４２の軸方向の様々な位置に沿って）。
【０４３７】
図７１Ｃは、デバイス例７１５０と人工カプセルデバイス部分例７１３８との連結例を示す。デバイス７１５０は、第１の取り付け部分７１５２と、第１の取り付け部分７１５２から延在する第２の機能部分（示さず）とを含む。第１の取り付け部分７１５２は、カラビナ構造７１５２を含む。カラビナ構造７１５２は、Ｃ形状のフレーム７１５３およびゲート７１５４を含む。ゲート７１５４は、ヒンジ７１５５でフレーム７１５３に連結される。開いた配置構成では、ゲート７１５４がフレーム７１５３の内側に回転し、ゲート７１５４の端部７１５６とフレーム７１５３の端部７１５７との間に開口またはギャップ７１５８が形成され、フレーム７１５３を開口７１３８内に配置することが可能になる。閉じた配置構成では、ゲート７１５４が外側に回転して、ギャップ７１５８が除去され、ゲート７１５４の端部７１５６とフレーム７１５３の端部７１５７とが接触して、フレーム７１５３が開口７１３８からスライドして出るのを阻止または防止する。フレーム７１５３は、Ｃ形状以外の形状を含んでいてもよい。ゲート７１５５は、実質的に線形以外の形状を含んでいてもよい。実装によっては、端部７１５６、７１５７は、閉じた位置（例えば、相補的な形状を含む）で、相互作用を増強するように構成される。第２の機能部分は、薬物溶出デバイスを含んでいてもよく、そのデバイスは、例えば、図７１Ａおよび図７１Ｂの第２の機能部分７１４４と同様である。部分７１３８は、例えば、デバイス６７００の開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊ、または他の開口もしくは取り付け構造と同様としてもよい。実装によっては、複数のデバイスを、単一の開口７１３８に直接的に連結することができる。実装によっては、複数のデバイスを、単一の開口７１３８に連結することができ、例えば、第１のデバイス７１５０を開口７１３８に係留し、次いで、少なくとも１つの他のデバイスをカラビナ構造７１５２に係留する。
【０４３８】
図７１Ｄは、デバイス例７１６０と人工カプセルデバイスの部分例７１３８との連結例を示す。デバイス７１６０は、第１の取り付け部分７１６２および第２の機能部分７１６６を含む。第１の取り付け部分７１６２は、第２の機能部分７１６６から部材７１６５により延在する。第１の取り付け部分７１６２は、矢尻構造７１６２を含む。矢尻構造７１６２は、点７１６３と、点７１６３から離れた方向を指す逆とげ７１６４とを含む。矢尻構造７１６２は、点７１６３の第１の方向では、少なくとも部分的に変形可能である場合があり、点７１６３から離れた第２の方向では、概して変形不能である場合がある。
【０４３９】
第２の機能部分７１６６は、薬物溶出デバイス、例えば図７１Ａおよび図７１Ｂの第２の機能部分７１４４と同様のものを含んでいてもよい。部分７１３８は、例えば、デバイス６７００の開口６７２８Ａ１、６７２８Ｂ１、６７２８Ｃ１、６７２８Ｄ１、６７２８Ａ２、６７２８Ｂ２、６７２８Ｃ２、６７２８Ｄ２、６７２８Ａ３、６７２８Ｂ３、６７２８Ｃ３、６７２８Ｄ３、開口７０３８Ａ、７０３８Ｂ、７０３８Ｃ、７０３８Ｄ、７０３８Ｅ、７０３８Ｆ、７０３８Ｇ、７０３８Ｈ、７０３８Ｉ、７０３８Ｊ、または他の開口もしくは取り付け構造と同様としてもよい。点７１６３は、逆とげ１７６４が開口７１３８の向こう側に至るまで、開口７１３８を通じて挿入され、それによって、デバイス７１６０を定位置に固定することができる。
【０４４０】
本明細書に記載されるデバイスのうち１つまたは複数と適合する薬物または医薬の例は、限定されない。薬剤、生物剤、モノクローナル抗体、化学療法剤、放射線照射、および／または遺伝子（例えば、幹細胞）治療の眼内でのデリバリについて、さらに別の、かつさらに創造的な解決策を開発してもよい。本明細書に記載されるいくつかのデバイスは、将来を考慮して設計され、そのような設計は、眼の前部の空きの空間（例えば、光路の外側のデバイスの内部容積）を保持または保護することによるものである。これは、病的な状態、屈折性の状態、美観上の状態などの治療のために、制御分布デバイスを設置する可能性があるためである。この空間には、前部（角膜、縁、または強膜溝）の接近を介してアクセスすることが容易であるため、上記の医薬デリバリ・デバイスの設置、改変、交換、置換，および／または除去を有利に可能にすることができ、有効性の持続期間が有限であるインプラントに、長期の実効性がもたらされる。
【０４４１】
ビマトプロストＳＲ（Ａｌｌｅｒｇａｎ，Ｉｎｃ．から得られるルミガン（登録商標））は、有効な(例えば、緑内障および／または眼内圧亢進の治療のために、首尾良く眼圧を低下させることが示されている)経時放出性薬物の一例であるが、不可逆的であり(例えば、眼から除去することができない、および／または救援療法が必要とされる可能性がある)、実行は現実的ではない。薬物ペレットを、小さな針を通して眼の前房内に配し(例えば、前房内注射)、隔離することなく、前部の内部に浮かべて漂わせておく有害事象は、内皮細胞の欠損、白内障の形成、虹彩炎、およびインプラント(薬物および／または媒体)中の構成要素の１つに対するアレルギー反応を含む可能性がある。美容上のまたは美観上の効果のある薬物を使用してもよい。例えば、ビマトプラストのさらに高容量のバージョンが、睫毛成長用の漿液として、Ａｌｌｅｒｇａｎによって販売されているが、これは、インプラントの形態に開発されたものであってもよい。他の非限定的な医薬の例としては、フルオシノロンアセトニドのインプラント（ジョージア州アルファレッタのＡｌｉｍｅｒａ  Ｓｃｉｅｎｃｅｓ，Ｉｎｃ．から得られるＩｌｕｖｉｅｎ（登録商標））、およびデキサメタゾンの硝子体内インプラント（Ａｌｌｅｒｇａｎ，Ｉｎｃ．から得られるＯｚｕｒｄｅｘ（登録商標））が挙げられる。これらの例では、硝子体腔内に注入され、移動を制御されることなく硝子体中に浮かべられたステロイド・インプラントは、緩やかに溶解する。ステロイドはまた、従来から、ステロイド(トリアムシノロンなど)の懸濁液のボーラスとして硝子体内に注入されていた。そのようなボーラスは、視覚障害を引き起こすことがあり、これは、薬物の懸濁液が、視野の大部分を覆う白い不透明なもやを形成する場合があるためである。長期間のデリバリのために設計される薬物インプラントは、外科的に埋め込まれる担体を備えて開発されることもある。例えば、ＣＭＶ網膜炎の治療のためのガンシクロビルの硝子体内インプラント（Ａｕｒｉｔｅｃ  Ｐｈａｒｍａｃｅｕｔｉｃａｌｓ，Ｉｎｃ．から得られるＶｉｔｒａｓｅｒｔ（登録商標））、およびフルオシノロンアセトニド（Ｂａｕｓｃｈ＆Ｌｏｍｂ  Ｉｎｃ．から得られるＲｅｔｉｓｅｒｔ（登録商標））はどちらも、担体内にある緩やかに溶解することの可能な薬物として設計されている。このような担体は、強膜を通じて硝子体内に外科的に直接埋め込まれるはずのものであり、強膜への縫合による固定を要する。これらは、眼科外科の熟練医であっても実施するのが技術的に容易ではなく、網膜剥離、感染、および失明など、関連する病的な状態をもたらす。
【０４４２】
ロードアイランド州カンバーランドのＮｅｕｒｏｔｅｃｈ  Ｐｈａｒｍａｃｅｕｔｉｃａｌｓ，Ｉｎｃ．は、強膜に縫合されるように設計された、被包化細胞療法用のインプラント（ＮＴ−５０３）を開発中である。Ｎｅｕｒｏｔｅｃｈのインプラントは、肝細胞培養物を含有し、この培養物は、血管内皮成長因子（ＶＥＧＦ）のトラップとして機能するタンパク質を産生するように改変されている。細胞培養物は、眼内で利用可能な栄養を通じて生かされ、埋め込み可能な生物薬生産工場として有効に作用する。
【０４４３】
図７５Ａは、人工カプセルデバイスシステム例７５００の前方平面図を示す。システム７５００は、人工カプセルデバイス７５０１（例えば、デバイス５８００、本明細書に記載される他のデバイスなどの特徴を有する）を含む。例えば、デバイス７５０１は、医薬が前房内および／または後房内に流れることを可能にする開口を含んでいてもよい。デバイス７５０１は、医薬デリバリデバイスと相互に作用するように構成される、係留構造７５０２を含む。係留構造７５０２は、第１の棒または棹またはバーまたはレール７５０２Ａ、および第１の棒または棹またはバーまたはレール７５０２Ｂを含む。第１のレール７５０２Ａをよりよく説明するために、図７５Ａに、システム７５００を、第２のレール７５０２Ｂと相互に作用する１つの医薬デリバリデバイス７５０４を含むものとして示す。しかし、システム７５００は、２つの薬物デリバリデバイス７５０４（例えば、後方の光学系７５１０のそれぞれの側方に１つ）を、または複数の医薬デリバリデバイス（例えば、後方の光学系７５１０の一方の側方に複数）を、含む可能性がある。第１のレール７５０２Ａは、デバイス７５０１の筐体構造に係留され、図７５Ａに示されるように左方へと延び、自由端を左の側部に有する。第１のレール７５０２Ａは、環状構造部分と同じ素材を含んでいてもよい、および／または環状構造部分と一体化していてもよい。第１のレール７５０２Ａは、レール７５０２Ｂと同じ（例えば、鏡像（例えば、両方とも右に係留されている）であっても逆向き（一致するが、レール７５０２Ｂは左に係留されている）など）であってもよい。第１のレール７５０２Ａは、レール７５０２Ｂとは異なっていてもよい。例えば、第１のレール７５０２Ａは、第２のレ−ル７５０２Ｂとは異なる特性（例えば、長さ、断面積（例えば、直径）、側方の位置、固定点、形状、素材など）を有していてもよい。実装によっては、デバイス７５０１は、光学系７５１０の一方の側部に複数のレールを含む。例えば、デバイス７５０１は、左から右へと横に延在する第１のレールと、右から左へと横向きに延在する第２のレールとを、含んでいてもよい。デバイス７５０１は、さらにまたは代わりに、光学系７５１０の左および／または右の側部に、１つまたは複数のレールを含んでいてもよい。デバイス７５０１は、嚢切開時に配置されてもよい。実装によっては、システム７５００は、ＩＯＬを含有していない医薬デリバリシステムとして使用されてもよい。
【０４４４】
図７５Ｂは、図７５Ａの人工カプセルデバイスシステム７５００の医薬デリバリデバイス例７５０４の前方平面図を示す。医薬デリバリデバイス７５０４は、薬物を含有するかまたは含有するように構成される、殻またはケージ７５０８を含む。実装によっては、ケージ７５０８は、デバイス７５０１で体液（例えば、前房の体液）と相互に作用するように構成されるメッシュ構造を含む。実装によっては、医薬は、タンパク質を不用な生成物として供給するように構成される細菌培養物を含んでいてもよい。あるそのような実装では、細菌は、前房体液から栄養分を引き出すことがある。実装によっては、ケージ７５０８は、薬物がデバイス７５０１に流れ出すのを可能にするように構成される、選択膜（例えば、浸透膜）を含む。ケージ７５０８の詳細は、医薬によって変わる。医薬デリバリデバイス７５０４は、デバイス７５０１内にＩＯＬの前および／または後ろで挿入されてもよい。医薬デリバリデバイス７５０４は、デバイス７５０１内への挿入のために折り畳まれ、次いで、デバイス７５０１のカプセルの中でほどけてもよい（例えば、自己拡張し、折り畳まれていない）。医薬デリバリデバイス７５０４は、第２のレール７５０２Ｂと相互に作用するように構成される複数のチューブまたはダクトまたはパイプまたはスリーブ７５０６Ａ、７５０６Ｂ、７５０６Ｃを含む。図７５Ａの右側のレール７５０２Ｂの自由端は、第１のスリーブ７５０６Ａの開口端内に挿入され、第１のスリーブ７５０６Ａを通り、第２のスリーブ７５０６Ｂの開口端内に入り、第２のスリーブ７５０６Ｂを通り、第３のスリーブ７５０６Ｃの開口端内に入り、第３のスリーブ７５０６Ｃを通ることができ、これは例えば、医薬デリバリデバイス７５０４を時計回りに回転させることによって行われる。レール７５０２Ｂは、医薬デリバリデバイス７５０４がデバイス７５０１に移動するのを阻止または防止するが、これは例えば、スリーブ７５０６Ａ、７５０６Ｂ、７５０６Ｃがデバイス体７５０８に連結されており、動きを阻止されるためである。さらに多数またはさらに少数のスリーブも可能である。実装によっては、スリーブ以外の特徴を、レールと相互に作用するように構成することができる。
【０４４５】
ケージ７５０８は、デバイス７５０１内への挿入後に医薬の挿入を可能にするように構成される開口またはスリットを含んでいてもよい。例えば、ケージ７５０８は、空で挿入されてもよく、次いで、薬物が、開口またはスリットを通じて挿入され、その後、医薬デリバリデバイス７５０４から移動するのを阻止または防止されてもよい。実装によっては、ケージ７５０８は、第１の薬物インプラントと共に内部に挿入されてもよく、その薬物が有効性を失えば、第１の薬物インプラントと同じまたは異なる第２の薬物インプラントが挿入されてもよい。実装によっては、医薬デリバリデバイス７５０４が除去されてもよく（例えば、反時計回りに回転して、スリーブ７５０６Ａ、７５０６Ｂ、７５０６Ｃからレール７５０２Ｂを外すことによって）、第２の医薬デリバリデバイス７５０４がデバイス７５０１に挿入されてもよい。実装によっては、第１の医薬デリバリデバイス７５０４が留まる一方で、第２の医薬デリバリデバイス７５０４がデバイス７５０１に挿入されてもよい（例えば、レール７５０２Ａと相互に作用するか、またはレール７５０２Ｂとも相互に作用する）。例えば、投薬量の低下のために有効性が時間と共に減少することなく、第１の医薬デリバリデバイス７５０４中の医薬の充分な恩恵を実現することがある（例えば、全ての活性成分（複数可）が枯渇する）。
【０４４６】
図７５Ｃは、人工カプセルデバイスシステムの別の医薬デリバリデバイス例７５１４の前方平面図を示す。デバイス７５１４は、ケージ７５０８と、棒または棹またはバーまたはレール７５１６とを含む。レール７５１６は、人工カプセルデバイスの１つまたは複数のチューブまたはダクトまたはパイプまたはスリーブ（例えば、システム７５００の逆）と相互に作用するように構成されていてもよい。実装によっては、人工カプセルデバイスの第１の側部は、レールを含み、人工カプセルデバイスの第２の側部は、複数のスリーブを含む。
【０４４７】
図７５Ｄは、人工カプセルデバイスシステム別の医薬デリバリデバイス例７５５０の前部側面斜視図を示す。デバイス７５５０は、フレームワーク７５５２、第１のケージ７５５４Ａ、および第２のケージ７５５４Ｂを含む。フレームワーク７５５２は、１つの環（例えば、図７５Ｄに示されるような）、複数の環（例えば、上部の環、下部の環、中間部の環、ケージ７５５４Ｂの範囲の部分的な環）、環同士の間の筋交い、壊れた環（例えば、挿入のための可撓性を与える）、それらの組み合わせなどを含んでいてもよい。フレームワーク７５５２は、人工カプセルデバイスの空洞内に挿入されると、元の形状に戻ることが可能であるかまたはそのように構成される、可撓性のある素材を含んでいてもよい。例えば、フレームワーク７５５２は、ポリイミド、ポリアミド、ＰＬＬＡ、ＰＬＧＡ、超弾性の合金（例えば、ニチノール、クロム−コバルト）などを含んでいてもよい。ケージ７５５４Ａ、７５５４Ｂは、例えば、ケージ７５０８と同様としてもよい。デバイス７５５０は、１つのケージのみ、２つのケージのみ、または２つを超えるケージを含んでいてもよい。ケージ７５５４Ａ、７５５４Ｂの一方または両方は、例えば、フレームワーク７５５２のレールを、スリーブを通して縫い付けることによって、フレームワーク７５５２に連結されてもよい（例えば、図７５Ａおよび図７５Ｂに関して記載されるように）。ケージの一方または両方は、例えば、接着剤、溶接、化学的接着、絡合、それらの組み合わせなどによって、フレームワーク７５５２に連結されてもよい。デバイス７５５０は、人工カプセルデバイス内に挿入することが可能であるかまたはそのように構成され、人工カプセルデバイスは、デバイス７５５０と相互に作用するように構成される何らかの特徴を必ずしも含む必要はない。フレームワークは、前方の開口の径方向外側にある人工カプセルデバイスの空洞内で自己拡張して、デバイス７５５０を定位置に係留してもよい。デバイス７５５０は、例えば、ケージ７５５４Ａ、７５５４Ｂの医薬が枯渇した後に、人工カプセルデバイスから除去することができる。第２のデバイス７５５０が、第１のデバイス７５５０の除去後に挿入されてもよい。実装によっては、複数のデバイス７５５０（例えば、さらに厚さが少なく、形状が異なり、嵌め合わさるように構成されることのある、デバイス７５５０を有するなど）が、人工カプセルデバイス内に挿入されてもよい。
【０４４８】
図７５Ｅは、図７５Ｄの医薬デリバリデバイス７５５０を含む、人工カプセルデバイスシステム例７５６０の前部側面斜視図を示す。デバイス７５５０は、人工カプセルデバイス内に挿入されている。ケージ７５５４Ａ、７５５４Ｂは、視軸の外側にあり、例えば、後方の屈折面の一部または全体によって、少なくとも部分的に画定される。人工カプセルデバイスは、空洞から離してデバイス７５５０を係合するように構成される特別な特徴を有する必要はない。実装によっては、人工カプセルデバイスは、デバイス７５５０と相互に作用するように構成されるリップ、支柱などを含んでいてもよい。実装によっては、フレームワーク７５５２の形状は、人工カプセルデバイスの側方断面の形状または空洞の容積に対応するかまたは実質的に対応して、例えばケージ７５５４Ａ、７５５４Ｂに利用することが可能な内部容積を増加させるかまたは最大にしてもよい。
【０４４９】
図７６Ａは、人工カプセルデバイス例７６００の前方平面図を示す。理解の一助とするため、ＩＯＬ７６０２（例えば、Ｂａｕｓｃｈ  ａｎｄ  Ｌｏｍｂから得られるＡｋｒｅｏｓ（登録商標）Ａｄａｐｔ  ＡＯ）を保持するデバイス７６００を示す。ＩＯＬ７６０２は、複数の開口または穴または開き口７６０４Ａ、７６０４Ｂ、７６０４Ｃ、７６０４Ｄを含む。デバイス７６００は、複数の棒または円柱または柱または支柱７６０６Ａ、７６０６Ｂ、７６０６Ｃ、７６０６Ｄを含む。支柱７６０６Ａ、７６０６Ｂ、７６０６Ｃ、７６０６Ｄは、開き口７６０４Ａ、７６０４Ｂ、７６０４Ｃ、７６０４Ｄと相互に作用するように構成される。この相互作用は、ＩＯＬ７６０２がデバイス７６００内で回転するのを阻止または防止することがあり、その理由は、例えば、支柱７６０６Ａ、７６０６Ｂ、７６０６Ｃ、７６０６Ｄが、開き口７６０４Ａ、７６０４Ｂ、７６０４Ｃ、７６０４Ｄの内側を支えるためである。デバイス７６００は、支柱７６０６Ａ、７６０６Ｂ、７６０６Ｃ、７６０６Ｄをさらに多数含んでいてもさらに少数含んでいてもよい。例えば、支柱７６０６Ｂ、７６０６Ｄ、支柱７６０６Ａ、７６０６Ｃ、または他の組合せが省略されていてもよい。別の例としては、追加の支柱が、例えば、外側の突起部とＩＯＬ７６０２の光学系との間に形成される丸い凹部の内側に加えられてもよい。概ね円筒状であるものとして図説されているとはいえ、支柱７６０６Ａ、７６０６Ｂ、７６０６Ｃ、７６０６Ｄは、他の形状（例えば、細長である、多角形である、開き口７６０４Ａ、７６０４Ｂ、７６０４Ｃ、７６０４Ｄの形状に適合するように構成されるなど）を取っていてもよい。
【０４５０】
図７６Ｂは、人工カプセルデバイス例７６１０の前方平面図を示す。理解の一助とするため、ＩＯＬ７６１２（例えば、Ｂａｕｓｃｈ  ａｎｄ  Ｌｏｍｂから得られるｅｎＶｉｓｔａ（商標））を保持するデバイス７６１０を示す。ＩＯＬ７６１２は、複数の開口または穴または開き口７６１４Ａ、７６１４Ｂを含む。デバイス７６１０は、複数の棒または円柱または柱または支柱７６１６Ａ、７６１６Ｂを含む。支柱７６１６Ａ、７６１６Ｂは、開き口７６１４Ａ、７６１４Ｂと相互に作用するように構成される。この相互作用は、ＩＯＬ７６１２がデバイス７６１０内で回転するのを阻止または防止することがあり、その理由は、例えば、支柱７６１６Ａ、７６１６Ｂが、開き口７６１４Ａ、７６１４Ｂの内側を支えるためである。デバイス７６１０は、支柱７６１６Ａ、７６１６Ｂをさらに多数含んでいてもさらに少数含んでいてもよい。例えば、支柱７６１６Ａまたは支柱７６１６Ｂが省略されていてもよい。別の例としては、追加の支柱が、例えば、ＩＯＬ７６１２の触角の内側に加えられてもよい。概ね円筒状であるものとして図説されているとはいえ、支柱７６１６Ａ、７６１６Ｂは、他の形状（例えば、細長である、多角形である、開き口７６１４Ａ、７６１４Ｂなどの形状に適合するように構成されるなど）を取っていてもよい。
【０４５１】
図７６Ｃは、人工カプセルデバイス例７６２０の前方平面図を示す。図７６Ｄは、人工カプセルデバイス例７６３０の前方平面図を示す。理解の一助とするため、ＩＯＬ７６２２（例えば、Ｂａｕｓｃｈ  ａｎｄ  Ｌｏｍｂから得られるＡｋｒｅｏｓ（登録商標）ＭＩＣＳ）を保持するデバイス７６２０、７６３０をそれぞれ示す。ＩＯＬ７６２２は、複数の開口または穴または開き口７６２４Ａ、７６２４Ｂ、７６２４Ｃ、７６２４Ｄを含む。デバイス７６２０は、触角の径方向外側の縁に、複数の棒または円柱または柱または支柱７６２６Ａ、７６２６Ｂ、７６２６Ｃ、７６２６Ｄを含む。支柱７６２６Ａ、７６２６Ｂ、７６２６Ｃ、７６２６Ｄは、開き口７６２４Ａ、７６２４Ｂ、７６２４Ｃ、７６２４Ｄと相互に作用するように構成される。この相互作用は、ＩＯＬ７６２２がデバイス７６２０内で回転するのを阻止または防止することがあり、その理由は、例えば、支柱７６２６Ａ、７６２６Ｂ、７６２６Ｃ、７６２６Ｄが、開き口７６２４Ａ、７６２４Ｂ、７６２４Ｃ、７６２４Ｄの内側を支えるためである。デバイス７６２０は、支柱７６２６ＡＡ、７６２６ＡＢ、７６２６ＡＣ、７６２６ＡＤをさらに多数含んでいてもさらに少数含んでいてもよい。例えば、支柱７６２６Ｂ、７６２６Ｄ、支柱７６２６Ａ、７６２６Ｃ、または他の組合せが省略されていてもよい。別の例としては、例えば、ＩＯＬ７６２２の触角同士の間で頂端同士が相互に作用するよう構成されるように、追加の支柱が加えられてもよい。図７６Ｃでは概ね円筒状であるものとして図説されているとはいえ、支柱７６２６Ａ、７６２６Ｂ、７６２６Ｃ、７６２６Ｄは、他の形状（例えば、細長である、多角形である、開き口７６２４Ａ、７６２４Ｂ、７６２４Ｃ、７６２４Ｄの形状に適合するように（例えば、デバイス７６３０の支柱７６３６Ａ、７６３６Ｂ、７６３６Ｃ、７６３６Ｄのように）構成される、など）を取っていてもよい。
【０４５２】
図７６Ｅは、人工カプセルデバイス例７６４０の前方平面図を示す。理解の一助とするため、ＩＯＬ７６４２（Ａｂｂｏｔｔ  Ｍｅｄｉｃａｌ  Ｏｐｔｉｃｓから得られるＴｅｃｎｉｓ（登録商標）Ｔｏｒｉｃ）を保持するデバイス７６４０を示す。ＩＯＬ７６４２は、複数の丸い凹部７６４４Ａ、７６４４Ｂを含む。デバイス７６４０は、複数の棒または円柱または柱または支柱７６４６Ａ、７６４６Ｂを含む。支柱７６４６Ａ、７６４６Ｂは、開き口７６４４Ａ、７６４４Ｂと相互に作用するように構成される。実装によっては、丸い凹部７６４４Ａ、７６４４Ｂは、支柱７６４６Ａ、７６４６Ｂの周りにパチンと嵌め合わせることができる。この相互作用は、ＩＯＬ７６４２がデバイス７６４０内で回転するのを阻止または防止することがあり、その理由は、例えば、支柱７６４６Ａ、７６４６Ｂが凹部７６４４Ａ、７６４４Ｂの内側を支えるためである。デバイス７６４０は、さらに多数またはさらに少数の支柱７６４６Ａ、７６４６Ｂを含んでいてもよい。例えば、支柱７６４６Ａまたは支柱７６４６Ｂが省略されていてもよい。別の例としては、追加の支柱が加えられてもよい。概ね円筒状であるものとして図説されているとはいえ、支柱７６４６Ａ、７６４６Ｂは、他の形状（例えば、細長である、多角形である、開き口７６４４Ａ、７６４４Ｂの形状に適合するように構成されるなど）を取っていてもよい。
【０４５３】
図７６Ｆは、人工カプセルデバイス例７６５０の前方平面図を示す。理解の一助とするため、ＩＯＬ７６５２（例えば、Ａｌｃｏｎから得られるＡｃｒｙＳｏｆ（登録商標）ＩＱ円環状）を保持するデバイス７６５０を示す。ＩＯＬ７６５２は、注目すべき開口または凹部を含まない。デバイス７６５０は、複数の棒または円柱または柱または支柱７６５６Ａ、７６５６Ｂ、７６５６Ｃ、７６５６Ｄを含む。支柱７６５６Ａ、７６５６Ｂ、７６５６Ｃ、７６５６Ｄは、ＩＯＬ７６５２の触角と相互に作用するように構成される。この相互作用は、ＩＯＬ７６５２がデバイス７６５０内で回転するのを阻止または防止することがあり、その理由は、例えば、支柱７６５６Ａ、７６５６Ｂ、７６５６Ｃ、７６５６Ｄが触角の側部を支えるためである。デバイス７６５０は、さらに多数またはさらに少数の支柱７６５６Ａ，７６５６Ｂ，７６５６Ｃ，７６５６Ｄを含んでいてもよい。例えば、支柱７６５６Ａ、７６５６Ｂ、支柱７６５６Ｃ、７６５６Ｄ、または他の組合せが省略されていてもよい。別の例としては、追加の支柱が加えられてもよく、例えば、触角および／またはＩＯＬ７６５２の光学部分の他の部分と作用するように構成されてもよい。概ね円筒状であるものとして図説されているとはいえ、支柱７６５６Ａ、７６５６Ｂ、７６５６Ｃ、７６５６Ｄは、他の形状（例えば、細長である、多角形である、触角の特徴の形状に適合するように構成されるなど）を取っていてもよい。
【０４５４】
例示的なＩＯＬの特徴と相互に作用するように構成されるいくつかの例示的な人工カプセルデバイスの特徴が、本明細書に明示的に示されており、他の筐体の形状、棒、開口、遮蔽域、それらの組み合わせなどは、デバイスに含有されることがある他のＩＯＬまたは他のデバイスに適している場合がある。
【０４５５】
図７２Ａは、人工カプセルデバイス例７２００の前部側面斜視図を示す。デバイス７２００は、内部構造またはヘアピン７２３８Ａ、７２３８Ｂ、７２３８Ｃ、７２３８Ｄを含む。ヘアピン７２３８Ａ、７２３８Ｂ、７２３８Ｃ、７２３８Ｄは、デバイス７２００の筐体構造７２１２のカプセルの中にある。図７２Ｂは、図７２Ｂの人工カプセル７２００デバイス例の部分例７０３８の拡大した側面図を示し、ヘアピン７２３８Ａ、７２３８Ｂ、７２３８Ｃ、７２３８Ｄのうち１つを表す。ヘアピン７２３８は、アンカー部分７２４０を含み、それは例えば、ヘアピン７２３８を筐体構造７２１２に係留するように構成されている。ヘアピン７２３８は、アンカー部分７２４０から径方向内側に延在し、次いで折り返して径方向外側に延在する、ピン部分７０４２をさらに有する。図７２Ｂに示されるように、ヘアピン７０３８は、およそ２７０°で折り返し、次いで１８０°で３回反転して、ヘアピンのようなうねりを形成する。ヘアピン構造７２３８は、折り返しをさらに数少なく含んでいてもよく、そのようなものとしては、２７０°よりも小さい場合がある単独の折り返しが挙げられる。図７２Ｂは、ヘアピン７２３８と他のデバイス７２５０（何らかの生体適合性素材の外側に形成された容器を含んでいる可能性があり、以下に限定されないが外科縫合用素材、例えば絹、プロリーン、ゴアテックス（ｇｏｒｔｅｘ）、ナイロン、バイクリルなどが挙げられる）のループ構造７２５２との相互作用を示す。ループ構造７２５２は、ヘアピン７２３８の径方向内側の延在部に近接して配置し、径方向内側にスライドして第１の折り返しに近接させることができ、それによって、デバイス７２５０を定位置内に固定することができる。実装によっては、複数の他のデバイスを単独のヘアピン７２３８に連結することができ、例えば、全てを第１の折り返しに近接して係留するか、または径方向内側の延在部の軸方向の様々な位置に沿って係留することができる。ヘアピン７２３８は、他のタイプの取り付け構造、例えば図７１Ａおよび図７１Ｂのヘアピン構造７１４２、図７１Ｃのカラビナ７１５０、図７１Ｄの矢尻構造７１６２などに適合していてもよい。
【０４５６】
ヘアピン７２３８Ａ、７２３８Ｂ、７２３８Ｃ、７２３８Ｄは、環状構造部分７２２０Ａ、７２２０Ｂ、７２２０Ｃ、７２２０Ｄと同じ素材から形成されてもよい（例えば、一体化している）。他の開口の位置、量、および形状も可能である。例えば、デバイス７２００は、１つのヘアピンのみ、２つのヘアピンのみ、３つのヘアピンのみ、４つのヘアピンのみ、または４つを超えるヘアピンを含んでいてもよい。ヘアピン７２３８Ａ、７２３８Ｂ、７２３８Ｃ、７２３８Ｄは、筐体構造７２１２の端部から内側に延在するものとして示されるが、ヘアピンは、筐体構造７２１２の側部から内側に（例えば、図７２Ａのヘアピン７２３８Ｅ、７２３８Ｆのように）、および／または筐体構造７２１２から外側に、延在していてもよい。ヘアピン７２３８Ａ、７２３８Ｂ、７２３８Ｃ、７２３８Ｄのそれぞれは、ヘアピン７２３８Ａ、７２３８Ｂ、７２３８Ｃ、７２３８Ｄのうち他のものと同じであってもよい。ヘアピン７２３８Ａ、７２３８Ｂ、７２３８Ｃ、７２３８Ｄのうち少なくとも１つは、他のヘアピン７２３８Ａ、７２３８Ｂ、７２３８Ｃ、７２３８Ｄのうち少なくとも１つとは異なっていてもよい。ヘアピン７２３８Ａ、７２３８Ｂ、７２３８Ｃ、７２３８Ｄは、固定点を与えることがあり、例えば、その固定点は、別のデバイスがデバイス７２００の内部に保持されるように、突起部と相互に作用する。デバイス７２００を眼の天然のカプセル嚢に配置した後に、他のデバイスを、ヘアピン７２３８Ａ、７２３８Ｂ、７２３８Ｃ、７２３８Ｄのうち１つまたは複数に連結することができる。デバイス７２００を配置した後に他のデバイス（複数可）を連結することは、例えば、デバイス７２００を眼に配置する前に他のデバイス（複数可）をデバイス７２００に連結または一体形成するのとは対照的に、本明細書に記載されるようなさらに小さな開口を通じてデバイス７２００を注入することを可能にすることがある。他のデバイス（複数可）を連結することは、例えば、他のデバイス（複数可）をデバイス７２００に連結または一体形成するのとは対照的に、種々の他のデバイスを使用することを可能にすることがある。実装によっては、他のデバイス（複数可）が除去されてもよく、置換または他のデバイスが、後の手順の間に任意選択的に連結されてもよい。実装によっては、他のデバイス（複数可）は、時間と共に吸収されてもよく、置換または他のデバイスが、後の手順の間に任意選択的に連結されてもよい。ヘアピン７２３８Ａ、７２３８Ｂ、７２３８Ｃ、７２３８Ｄは、デバイス７２００の形成中に（例えば、成型プロセスの一部として）形成されてもよい、および／またはデバイス７２００の形成後に形成されてもよい。実装によっては、筐体構造７２１２は、ヘアピン７２３８Ａ、７２３８Ｂ、７２３８Ｃ、７２３８Ｄの周囲に、異なる素材を含んでいてもよい（例えば、シリコーンを含む筐体構造７２１２と、ポリイミドを含むヘアピン７２３８Ａ、７２３８Ｂ、７２３８Ｃ、７２３８Ｄ）。
【０４５７】
図５８Ａに見られるがおそらくは図５８Ｃおよび図５８Ｄに最も良好に見られるように、環状構造５８２０は、デバイス５８００の長手方向の中線の前方の位置で、筐体構造５８１２から延在する。これにより、前嚢と後嚢との間に仕切りが形成されることがあり、この仕切りは、デバイス５８００が使用される際に、遠近調節（視調節）をもたらす役割を果たす可能性がある。
【０４５８】
図５９Ａは、人工カプセルデバイス例５９００の側面図を示す。デバイス５９００は、下記にさらに詳細に記載するように、遠近調節（視調節）を与えることができる。デバイス５９００は、筐体構造５９１２、環状構造５９２０、および屈折面５９１０を含む。環状構造５９２０は、例えば、環状構造５８２０と同様としてもよい。実装によっては、環状構造５９２０は、デバイス５９００を眼の一部、例えば天然のカプセル嚢、毛様小帯、毛様体筋などに縫合することを可能にすることができる。屈折面５９１０は、例えば、屈折面５８１０と同様としてもよい。筐体構造５９１２は、例えば、筐体構造５８１２と同様としてもよい。筐体構造５９１２の端部部分は、屈折面５９１０の中心平面の中心平面の後方でアーチ状となって、外部の力（例えば、カプセルによる力）がない際に、屈折面５９１０を比較的前方の位置（例えば、屈折面５８１０に比べて）に配置していてもよい。筐体構造は、角度、距離、および／またはパーセンテージによって測ることのできる弧の度合い５９３０を有することがある。実装によっては、弧の程度５９３０は、約１０°から約５０°の間（例えば、約１０°、約２０°、約２５°、３０°、約３５°、約４０°、約５０°、そのような値の間の範囲など）である。
【０４５９】
デバイス５９００は、屈折面５９１０から隔てられた開口５９０８を含む。屈折面５９１０が、開口５９０８の比較的安定な配置からの距離により少なくとも部分的に測定されることがある長手方向または前方−後方の様々な位置にあることで、様々な効果的なレンズの出力が得られる。
【０４６０】
図５９Ｂおよび図５９Ｃは、図５９Ａの人工カプセルデバイス例５９００の使用の方法例を示す。デバイス５９００は、水晶体超音波吸引の後に、天然のカプセル嚢に配置されている。天然のカプセル嚢は、毛様小帯５９４２に囲まれており、毛様小帯は、毛様体筋５９４０に結合している。天然の眼では、毛様体筋５９４０は、径方向内側に収縮して近くの物体に焦点を合わせ（視調節または視調節された状態）、それによって毛様小帯５９４２が弛緩し、レンズが弛緩して長手方向に拡張することが可能となる。そして、近くの物体に焦点を合わせていない時には（非視調節または視調節されていない状態）、毛様体筋５９４０が径方向外側に弛緩し、それによって毛様小帯５９４２がぴんと張り、天然のレンズが長手方向に圧縮される。レンズ形状を変更するとレンズ出力が変わり、それによって焦点能力が与えられる。
【０４６１】
図５９Ｂでは、毛様体筋５９４０が収縮状態にあり、毛様小帯５９４２が視調節のために弛緩している。ぴんと張っている毛様小帯５９４２からの力がなければ、デバイス５９００は、実質的には図５９Ａに示される形状をとることができる。屈折面５９１０は、開口５８０８から距離５９４６によって隔てられており、それによって第１の有効なレンズ出力が与えられる。図５９Ｃでは、毛様体筋５９４０が弛緩または静止状態にあり、毛様小帯５９４２が視調節のためにぴんと張っている。矢印５９４８で示される、ぴんと張った毛様小帯５９４２からの外向きの力は、デバイス５９００を径方向外側に伸展させ、その結果、筐体構造５９１２の弧が減少する。筐体構造５９１２の弧が減少することにより、屈折面５９１０は、矢印５９５２で示されるように後方へ動く。屈折面５９１０の位置は、開口５９０８から距離５９５４によって隔てられており、それによって第１の有効レンズ出力よりも少ない第２の有効レンズ出力が与えられる。対象が近くの物体に焦点を合わせる場合、毛様体筋５９４０が収縮して、矢印５９５０で示されるように毛様小帯５９４２を弛緩させ、矢印５９４４で示されるように屈折面５９１０を前方へ動かし、それによって、有効レンズ出力が増加することになる。デバイス５９００の有効レンズ出力は、そのようにして、天然の視調節の間に調整することが可能である。天然のレンズにあるようにレンズ形状および実際のレンズ出力が変更されるというよりも、同じ解剖学的構造が、屈折面５９１０の位置およびデバイス５９００の有効レンズ出力を変えるように作用する。
【０４６２】
図６０Ａ〜図６０Ｎは、図５８Ｅの人工カプセルデバイス例５８８０を装填および排出する方法の例を示す。図６０Ａは、ケース６００２、例えばケース５７０２と類似したケース中にあるデバイス５８８０を示す。ケース６００２は、第１の部分６０１０および第２の部分６０１１を含む。第１の部分６０１０は、第２の部分６０１１からギャップ６０１２によって隔てられている。第１の部分６０１０および第２の部分６０１１はそれぞれ、複数の円錐台状の支柱６０１４を含む。デバイス５８８０は、支柱６０１４の径方向内側にある。図６０Ｂおよび図６０Ｃでは、鉗子６００４（例えば、ニュージャージー州プレインズボロのＭｉｌｔｅｘ，Ｉｎｃ．からのＣｕｍｍｉｎｇ  Ｃｒｙｓｔａ  Ｌｅｎｓ  Ｆｏｒｃｅｐｓ）を使用して、ケース６００２からデバイス５８８０を除去している。ギャップ６０１２によって、鉗子６００４の一方の腕がデバイス５８８０の下に到達することが可能となる。図６０Ｄ〜図６０Ｆでは、デバイス５８８０が、インジェクタ６００６（例えば、スイス、ヴォルフハルデンのＭｅｄｉｃｅｌ  ＡＧからのＡｃｃｕｊｅｃｔ  ２．６  ＢＬ（ｂａｃｋ  ｌｏａｄ））内に装填されている。鉗子６００４によりデバイス５８８０が保持され続けつつ、デバイス５８８０はインジェクタ６００６の空洞内に装填される。インジェクタ６００８は、デバイス５８８０を装填後に固定するためのスナップロック機構６００８を含む。図６０Ｄおよび図６０Ｅでは、機構６００８が開いている。図６０Ｆでは、機構６００８がスナップ留めされて閉じている。図６０Ｄはまた、インジェクタ６００６の遠位先端６０１６を示す。
【０４６３】
図６０Ｇ〜図６０Ｍは、矢印６０１９で示されるように、プランジャ６０１８を長手方向に進めることによってインジェクタ６００６の遠位先端６０１６から排出されているデバイス５８８０を示す。デバイス５８８０が、遠位先端６０１６に向かって先細になっているインジェクタ６００６を通じて進むにつれて、デバイス５８８０は長手方向に伸展する。図６０Ｇでは、デバイス５８８０の環部分同士の間の距離６０２０が、第１の伸展のレベルを表す。図６０Ｈでは、デバイス５８８０の環部分同士の間の距離６０２２が、第２の伸展のレベルを表す。距離６０２２は、距離６０２０よりも長い（描図のように約７３％長い）。図６０Ｉでは、デバイス５８８０がインジェクタ６００６の遠位先端６０１６を出始めようとする直前で、デバイス５８８０の環部分同士の間の距離６０２４が第３の伸展のレベルを表す。距離６０２４は、距離６０２０（描図のように約２８７％長い）および距離６０２２（描図のように約６５％長い）よりも長い。デバイス５８８０がインジェクタ６００６のテーパを通じて進むにつれて、デバイス５８８０の伸展は指数関数的となる。様々な素材、様々なインジェクタなどを使用することによって、様々な程度の伸展を達成してもよい。
【０４６４】
図６０Ｊでは、デバイス５８８０が、インジェクタ６００６の遠位先端６０１６を出始めている。デバイス５８８０は、インジェクタ６００６から放たれると、自己拡張して、折り畳まれる前の形状を再びとり始めている（図６０Ａを参照）。図６０Ｊから図６０Ｍの一続きは１秒もかけずにでき、図６０Ｌから図６０Ｍに示される自己拡張または弾性を伴うスプリングバックは、ほぼ知覚されないほどに速やかである。
【０４６５】
図６０Ｎでは、インジェクタ６００６が撤去されている。デバイス５８８０が眼の天然のカプセル嚢にあった場合、ユーザは、Ｌｅｓｔｅｒ  ＩＯＬマニピュレータなどの標準的なＩＯＬ配置ツールを用いて、環部分の開口を係合し、例えば特定の回転軸に沿ってフィンを整列させてもよい。
【０４６６】
図４Ｂ〜図４Ｇおよび動物試験手順の例の記載を再び参照すると、図４４Ａ〜図５４Ｅは、同じように行われた動物試験の結果の写真である。５頭のウサギでは、図４Ｇ〜４Ｉに示されかつ上記に記載されるように、各ウサギの右眼内には、人工カプセルデバイス４００と、次いでＩＯＬ（ＡｃｒｙＳｏｆ  ＳＮ６０ＡＴ、Ａｌｃｏｎ製の一体成型の疎水性アクリルＩＯＬ）とが挿入され、各ウサギの左眼内には、ＩＯＬのみが挿入された。人工カプセルデバイスおよびＩＯＬの眼に用いる手順は、上記に記載されており、ＩＯＬのみの眼に用いる手順は、人工カプセルデバイスのステップを除いて実質的に同じである。
【０４６７】
図４４Ａおよび図４４Ｂは、動物試験の結果であり、ある特徴を強調するために注記を付している。場所、陰影、彩色などは、デバイスの場所、照明、解剖学的構造などのバリエーションに基づき変えることができるため、図４４Ａおよび図４４Ｂは、本明細書に記載の種々の写真において識別された特徴を読み手が識別することを可能にするために、いくぶん冗長に示されている。図４５Ａ〜図５４Ｃでは、各図について４枚の写真が、異なる照明条件、焦点、角度などを用いて示され、眼の条件を説明する少なくとも１つの図が提供されている。しかし、各図の写真は、同時（例えば１週間後、２週間後、３週間後、または４週間）の同じ眼のものである。
【０４６８】
図４４Ａは、図４９Ｂ（上部左の写真）の注記付きのバージョンであり、前嚢切開部４４０２（短いダッシュで示される）、ＩＯＬの屈折面４４０４（長いダッシュで示される）、ＩＯＬを含有する人工カプセルデバイスの前方の開口４４０６（中程度のダッシュで示される）、およびＩＯＬの触角４４０８を説明する。図４４Ｂは、図４９Ａ（上部右の写真）の注記付きのバージョンであり、前嚢切開部４４１２（短いダッシュで示される）、ＩＯＬの屈折面４４１４（長いダッシュで示される）、ＩＯＬを含有する人工カプセルデバイスの前方の開口４４１６（中程度のダッシュで示される）、およびＩＯＬの触角４４１８を説明する。対照（例えば、本質的にＩＯＬからなる）として使用される眼の写真は、人工カプセルデバイスの前方の開口を示していない。
【０４６９】
ウサギの眼は、強度に炎症を生じ、その程度は、ウサギにおける各週が、人におけるおよそ６か月となる。ウサギにおける４週間、すなわち各図のセットのうち後ろの２セットの写真（例えば“Ｄ”および“Ｅ”）では、ヒトにおけるおよそ２年後での効果と実質的に同等である。
【０４７０】
図４５Ａ〜図４５Ｅは、１番目のウサギの右眼についての動物試験の結果である。図４５Ａは、１週間後であり、図４５Ｂは、２週間後であり、図４５Ｃは、３週間後であり、図４５Ｄおよび４５Ｅは、４週間後である。図４５Ａ〜図４５Ｅは、前嚢切開部４５０２、ＩＯＬの屈折面４５０４、ＩＯＬを含有する人工カプセルデバイスの前方の開口４５０６、およびＩＯＬの触角４５０８を図説する。ＩＯＬの触角４５０８は、いくつかの図には見えていない。但し、ＩＯＬは外見上では放射状に広がって触角の始点を形成しており、その任意の可視部分に関する他の図および／または位置に基づけば、触角の位置が想定されることがある。
【０４７１】
上記に記載されるように、天然のカプセルバッグは、白内障手術後に慢性の変化を生じるが、それは、天然のカプセルバッグに残った上皮細胞が存在し成長を続けることに大きく起因するものと考えられる。天然のカプセルバッグ全体が、次第に線維性となり、被包形成が持続する場合には、時間と共に、小帯断裂および有効レンズ位置への変化が起こることがある。天然のカプセルバッグの著しい混濁形成は、Ｎｄ：ＹＡＧレーザー後嚢切開術によって治療されることがある。図４５Ａ〜図４５Ｃは、人工カプセルデバイスの使用によって、上皮細胞の遊走および増殖が首尾よく媒介されたことを示す。４週間後でさえ、天然のカプセルバッグは、実質的にＰＣＯフリーであり、このことは、同じ時間の間の同じウサギの左眼を示す図４６Ａ〜図４６Ｄとの比較によって最も良好に見られる。特に理由を付けようとする訳ではないものの、出願人は、天然のカプセルバッグの天然の空間または体積を充填するかまたは実質的に充填する人工カプセルデバイスは、ＰＣＯを阻害または防止するものと考えている。
【０４７２】
図４５Ｂは、人工カプセルデバイスでおよそ９時の位置に、小さな裂け目４５１０を示す。この小さな欠陥は、人工カプセルデバイスを含有する他の４つの眼には存在せず、かつ慢性の問題であるものと考えられるが、この欠陥を伴ってさえ、人工カプセルデバイスを含有する眼には、炎症刺激または混濁形成が明示されなかった。人工カプセルデバイスを含有する眼は、硝子体にいくらかの炎症刺激を示した。
【０４７３】
図４５Ｅは、ゼンメリング（Ｓｏｅｍｍｅｒｉｎｇ）輪４５１２およびＩＯＬの後表面上の素材４５１４を示す。ゼンメリング輪４５１２は、レンズ上皮細胞のドーナツ状の集合であり、混濁部が除去された後に形質転換し成長している。これは、天然のレンズの除去後に、間葉系上皮の形質転換の結果として天然のカプセルバッグに発生し、この形質転換は、炎症性メディエータと、カプセル前方とカプセル後方との接触が組み合わされることによって引き起こされたと考えられる。
【０４７４】
図４６Ａ〜図４６Ｅは、１番目のウサギの左眼についての動物試験の結果である。図４６Ａは、１週間後であり、図４６Ｂは、２週間後であり、図４６Ｃは、３週間後であり、図４６Ｄおよび図４６Ｅは、４週間後である。図４６Ａ〜図４６Ｅは、前嚢切開部４６０２、ＩＯＬの屈折面４６０４、およびＩＯＬの触角４６０８を図説する。ＩＯＬの触角４６０８は、いくつかの図には見えていない。但し、ＩＯＬは外見上では放射状に広がって触角の始点を形成しており、その任意の可視部分に関する他の図および／または位置に基づけば、触角の位置が想定されることがある。
【０４７５】
図４５Ａ〜図４５Ｄの右眼と図４６Ａ〜図４６Ｄの左眼との間で第１に容易に識別することのできる違いは、天然のカプセルバッグの著しい線維増多４６１２であり、２週間後のみであっても表れている（図４６Ｂ）。線維増多、すなわちレンズ上皮細胞から筋細胞（または収縮性組織もしくは筋線維芽細胞組織）への上皮系−間葉系遷移は、混濁形成を引き起こす可能性があるおよび／または天然のカプセルバッグの弾性を増す可能性があり、この弾性は収縮を引き起こす可能性がある。それぞれは望ましいものではないが、組み合わせでは、収縮および混濁形成は、眼を通って網膜に達することのできる光の量を減少させる可能性があり、それによって視覚が減少する。
【０４７６】
通常の照光条件下の正常眼は、光を約３ｍｍから約６ｍｍの間で取り込む。明光条件下では、正常眼は、光の取り込みを約１ｍｍから約２ｍｍの間に減少させることがある。低照光条件下では、正常眼は、光の取り込みを約７ｍｍから約８ｍｍに増加させることがある。収縮および線維増多に起因して、図４６Ａ〜図４６Ｄの左眼が光を取り込むことのできる有効径は、約４．１ｍｍであり、このことは、最も良い照光条件を除いて、その眼の視力を著しく減じる。本明細書に示される有効径は、写真に基づく概算ではあるが、視覚障害を示すには充分に正確である。
【０４７７】
図４５Ａ〜図４５Ｄの右眼と図４６Ａ〜図４６Ｄの左眼との間で第２に容易に識別することのできる違いは、ＩＯＬの位置の転位またはシフトである。眼の図の各セットについて最後の図（“Ｅ”）は、総断面であり、ＩＯＬが中心にあることを最もよく示す。人工カプセルデバイスをも含む右眼のＩＯＬは、概して左眼のＩＯＬよりも中心にありかつ後方に位置し、そこでは、ＩＯＬは、崩壊した天然のカプセルバッグと一致してさらに平らである。
【０４７８】
図４６Ｅは、ゼンメリング輪４６１４およびＰＣＯ４６１６の発端を示す。本明細書にさらに詳細に記載されるように、ＰＣＯとは、レンズ上皮細胞の再生によって、天然のカプセルバッグの後方に沿って部分的に不透明な膜が形成されることである。これに対して、捕捉されたフィブリンまたは中に含有される炎症性の沈殿物がいくらか残っている、後表面上の素材、例えば図４５Ｅについて記載されるようなものは、大抵は粘弾性を保つ。
【０４７９】
図４７Ａ〜図４７Ｅは、２番目のウサギの右眼についての動物試験の結果である。図４７Ａは、１週間後であり、図４７Ｂは、２週間後であり、図４７Ｃは、３週間後であり、図４７Ｄおよび図４７Ｅは、４週間後である。図４７Ａ〜図４７Ｅは、前嚢切開部４７０２、ＩＯＬの屈折面４７０４、ＩＯＬを含有する人工カプセルデバイスの前方の開口４７０６、およびＩＯＬの触角４７０８を図説する。ＩＯＬの触角４７０８は、いくつかの図には見えていない。但し、ＩＯＬは外見上では放射状に広がって触角の始点を形成しており、その任意の可視部分に関する他の図および／または位置に基づけば、触角の位置が想定されることがある。ＩＯＬは、人工カプセルデバイスの程よい中心にあり、ＩＯＬの屈折面４７０４および人工カプセルデバイスの前方の開口４７０６の位置によって、見ることができる。図４５Ａ〜図４５Ｄとは対照的に、図４７Ａ〜図４７Ｄ、ならびに図４９Ａ〜図４９Ｄ、図５１Ａ〜図５１Ｄ、および図５３Ａ〜図５３Ｄでは、人工カプセルデバイスが裂けていなかったことを示し、この人工カプセルデバイスは、引裂により第１のウサギの眼での炎症刺激が引き起こされなかったが、概ね好ましいことに平坦である。天然のカプセルバッグは、実質的に線維増多がない。
【０４８０】
図４７Ｅは、ゼンメリング輪４７１２、ＩＯＬの後表面上の素材４７１４、硝子体面で後嚢に取り付けられた素材４７１６、および周縁のＰＣＯの発端４７１８を示す。図４７Ｅはまた、前方硝子体におけるリンパ球４７２０の小さな集塊をいくらか伴う、前方硝子体での軽度の反応を示しており、この反応は低度の硝子体炎が生じたことを示す。
【０４８１】
図４８Ａ〜図４８Ｅは、２番目のウサギの左眼についての動物試験の結果である。図４８Ａは、１週間後であり、図４８Ｂは、２週間後であり、図４８Ｃは、３週間後であり、図４８Ｄおよび４８Ｅは、４週間後である。図４８Ａ〜図４８Ｅは、前嚢切開部４８０２、ＩＯＬの屈折面４８０４、およびＩＯＬの触角４８０８を図説する。ＩＯＬの触角４８０８は、いくつかの図には見えていない。但し、ＩＯＬは外見上では放射状に広がって触角の始点を形成しており、その任意の可視部分に関する他の図および／または位置に基づけば、触角の位置が想定されることがある。図４６Ａ〜４６Ｅにあるように、そして図４７Ａ〜図４７Ｅの右眼とは全く対照的に、図４８Ａ〜図４８Ｅの左眼は、天然のカプセルバッグの著しい線維増多４８１２を明示し、このことは図４８Ｃに最も良好に見られる。図４６Ａ〜図４６Ｅもまた、前嚢切開部４８０２の収縮を示す。収縮および線維増多に起因して、図４８Ａ〜図４８Ｅの左眼が光を取り込むことのできる有効径は、約４．３ｍｍであり、最も良好な照光条件下を除いて、その眼の視力を著しく減じる。
【０４８２】
図４９Ａ〜図４９Ｅは、３番目のウサギの右眼についての動物試験の結果である。図４９Ａは、１週間後であり、図４９Ｂは、２週間後であり、図４９Ｃは、３週間後であり、図４９Ｄおよび４９Ｅは、４週間後である。図４９Ａ〜図４９Ｅは、前嚢切開部４９０２、ＩＯＬの屈折面４９０４、ＩＯＬを含有する人工カプセルデバイスの前方の開口４９０６、およびＩＯＬの触角４９０８を図説する。ＩＯＬの触角４９０８は、いくつかの図には見えていない。但し、ＩＯＬは外見上では放射状に広がって触角の始点を形成しており、その任意の可視部分に関する他の図および／または位置に基づけば、触角の位置が想定されることがある。天然のカプセルバッグは、実質的に線維増多がない。図１８Ｅは、ＩＯＬの後表面上の素材４９１２および周縁のＰＣＯの発端４６１４を示す。
【０４８３】
図５０Ａ〜図５０Ｅは、３番目のウサギの左眼についての動物試験の結果である。図５０Ａは、１週間後であり、図５０Ｂは、２週間後であり、図５０Ｃは、３週間後であり、図５０Ｄおよび図５０Ｅは、４週間後である。図５０Ａ〜図５０Ｅは、前嚢切開部５００２、ＩＯＬの屈折面５００４、およびＩＯＬの触角５００８を図説する。ＩＯＬの触角５００８は、いくつかの図には見えていない。但し、ＩＯＬは外見上では放射状に広がって触角の始点を形成しており、その任意の可視部分に関する他の図および／または位置に基づけば、触角の位置が想定されることがある。全ての左眼の中でも、図５０Ａ〜図５０Ｅは、最も劇的な天然のカプセルバッグの収縮を示し、このことは、前嚢切開部４９０２のサイズによって見ることができる。収縮および線維増多に起因して、図５０Ａ〜図５０Ｅの左眼が光を取り込むことのできる有効径は、約４．２ｍｍであり、最も良好な照光条件下を除いて、その眼の視力を著しく減じる。図５０ＥもまたＰＣＯを示す。
【０４８４】
図５１Ａ〜図５１Ｅは、４番目のウサギの右眼についての動物試験の結果である。図５１Ａは、１週間後であり、図５１Ｂは、２週間後であり、図５１Ｃは、３週間後であり、図５１Ｄおよび図５１Ｅは、４週間後である。図５１Ａ〜図５１Ｅは、前嚢切開部５１０２、ＩＯＬの屈折面５１０４、ＩＯＬを含有する人工カプセルデバイスの前方の開口５１０６、およびＩＯＬの触角５１０８を図説する。ＩＯＬの触角５１０８は、いくつかの図には見えていない。但し、ＩＯＬは外見上では放射状に広がって触角の始点を形成しており、その任意の可視部分に関する他の図および／または位置に基づけば、触角の位置が想定されることがある。図５１Ａ〜図５１Ｅは、人工カプセルデバイスが、天然のカプセルバッグにおいて不十分に中心に配置される場合があったこと、および／または天然のカプセルバッグが収縮したことを示す。しかし、天然のカプセルバッグは、実質的に線維増多がなく、それゆえ、誤った中心への配置および／または収縮は、深刻な問題をもたらさないが、これは、依然として上皮性である天然のカプセルバッグ細胞を、光が、通過する場合があるためである。図５１Ｅは、ＩＯＬの後表面上の素材５１１２を示す。４番目のウサギの右眼もまた、下記にさらに詳細に議論される、人工カプセルデバイスとＩＯＬとの間の周縁に少量のフィブリンを示す。
【０４８５】
図５２Ａ〜図５２Ｅは、４番目のウサギの左眼についての動物試験の結果である。図５２Ａは、１週間後であり、図５２Ｂは、２週間後であり、図５２Ｃは、３週間後であり、図５２Ｄおよび図５２Ｅは、４週間後である。図５２Ａ〜図５２Ｅは、前嚢切開部５２０２、ＩＯＬの屈折面５２０４、およびＩＯＬの触角５２０８を図説する。ＩＯＬの触角５２０８は、いくつかの図には見えていない。但し、ＩＯＬは外見上では放射状に広がって触角の始点を形成しており、その任意の可視部分に関する他の図および／または位置に基づけば、触角の位置が想定されることがある。他のいくつかの左眼のように、図５２Ａ〜図５２Ｅは、著しい線維増多および収縮を示す。収縮および線維増多に起因して、図５２Ａ〜図５２Ｅの左眼が光を取り込むことのできる有効径は、約２．６ｍｍであり、最も良好な照光条件下を除いて、その眼の視力を著しく減じる。図５２ＥもまたＰＣＯを示す。図２１ＥもまたＰＣＯを示す。
【０４８６】
図５３Ａ〜図５３Ｅは、５番目のウサギの右眼についての動物試験の結果である。図５３Ａは、１週間後であり、図５３Ｂは、２週間後であり、図５３Ｃは、３週間後であり、図５３Ｄおよび図５３Ｅは、４週間後である。図５３Ａ〜図５３Ｅは、前嚢切開部５３０２、ＩＯＬの屈折面５３０４、ＩＯＬを含有する人工カプセルデバイスの前方の開口５３０６、およびＩＯＬの触角５３０８を図説する。ＩＯＬの触角５３０８は、いくつかの図には見えていない。但し、ＩＯＬは外見上では放射状に広がって触角の始点を形成しており、その任意の可視部分に関する他の図および／または位置に基づけば、触角の位置が想定されることがある。図４９Ａ〜図４９Ｅのように、図５３Ａ〜図５３Ｅは、天然のカプセルバッグにおける人工カプセルデバイスの中心への良好な配置と線維増多の欠如を示す。図５３Ｅは、ＩＯＬの後表面上の素材５３１２および周縁のＰＣＯ５３１４を示す。
【０４８７】
図５４Ａ〜図５４Ｅは、５番目のウサギの左眼についての動物試験の結果である。図５４Ａは、１週間後であり、図５４Ｂは、２週間後であり、図５４Ｃは、３週間後であり、図５４Ｄおよび図５４Ｅは、４週間後である。図５４Ａ〜図５４Ｅは、前嚢切開部５４０２、ＩＯＬの屈折面５４０４、およびＩＯＬの触角５４０８を図説する。ＩＯＬの触角５４０８は、いくつかの図には見えていない。但し、ＩＯＬは外見上では放射状に広がって触角の始点を形成しており、その任意の可視部分に関する他の図および／または位置に基づけば、触角の位置が想定されることがある。他のいくつかの左眼のように、図５２Ａ〜図５２Ｅは、著しい線維増多および収縮を示す。収縮および線維増多に起因して、図５４Ａ〜図５４Ｅの左眼が光を取り込むことのできる有効径は、約４．５ｍｍであり、最も良好な照光条件下を除いて、その眼の視力を著しく減じる。
【０４８８】
有効径の減少は、なぜＰＣＯが有害であり、好ましくは減少または防止される可能性があるかを示す。上記に記載されるように、Ｎｄ：ＹＡＧレーザーを使用して、天然のカプセルバッグを消散させて不透明な膜を除去しても良い。硝子体を隔てる天然のカプセルバッグが除去された場合、人工カプセルデバイスが不在のＩＯＬに行うＰＣＯ後治療手術の結果、硝子体の前方流出をもたらす可能性がある。慎重なユーザは、眼からＩＯＬを粘弾性切除し、後表面を含む人工カプセルデバイスを眼の中へ設けて、硝子体の流出を阻害または防止することができる場合がある。ＩＯＬの問題が存在するＰＣＯ後の対象の眼は、人工カプセルデバイスを使用して救済可能である場合があり、別の利点および／または使用を与える可能性がある。
【０４８９】
図４５Ａ〜図５４Ｅの動物試験の目標の１つは、人工カプセルデバイスの使用が、ＩＯＬを単独で使用するよりも眼に悪くはないことを示すことである。右眼は、線維増多（例えばほぼ全体的に本来のままである）、ＩＯＬ位置のシフト、および前嚢切開部の収縮が全て実質的になかった。これに対し、左眼は、概して著しい線維増多、ＩＯＬ転位、および嚢切開部の著しい非対照な収縮を示した。動物試験は、人工カプセルデバイスの使用が、少なくともいくつかの本明細書に議論される利点を与えることができることを、経験的に示す。
【０４９０】
前方の開口の縁にある小さな裂け目など、人工カプセルデバイスの僅かな損傷は、Ａｃｃｕｊｅｃｔ  ２．２ｍｍインジェクタを通じて挿入したために発生した可能性がある。天然のカプセルバッグ内へ人工カプセルデバイスを不完全に注入するどのような場合も、注入後、カラーボタンフックを用いて人工カプセルデバイスを操作して、バッグ内の固定を完了する。操作および／またはインジェクタへの強い押圧が、損傷を引き起こした可能性がある。天然のカプセルバッグ内全体へ人工カプセルデバイスを注入することによって（例えば、操作または再配置を行わない）、例えば異なるインジェクタを使用する場合、人工カプセルデバイスが裂けるリスクが減少することがある。
【０４９１】
右眼の硝子体の炎症は、約２週間後に開始し、次いでフォローアップを通じて低下したものだが、人工カプセルデバイスの素材が滅菌処理されていたものの、広範な抽出過程を経なかった結果、非架橋のシロキサンモノマーが時間と共に素材から浸出したことに起因していた可能性がある。滅菌処理および人工カプセルデバイスのパッケージング前に行う抽出、例えば、架橋を促進させるための単回、２回、３回またはそれ以上の抽出（例えば、実質的な全体架橋）は、そのような炎症を減少させることがある。
【０４９２】
人工カプセルデバイスとＩＯＬとの間のフィブリンの形成は、不完全な粘弾性の除去および／またはＩＯＬの背後に捕捉されたままの残りのＯＶＤに起因していた可能性がある。埋め込み後にいっそう積極的に粘弾性を排除すること、粘弾性物質を分散させるのではなく除去することを容易にする場合がある、より粘着性のある粘弾性素材を使用すること、および／またはＯＶＤ除去技術によって、そのようなフィブリンの形成が減少することがある。４週間を通じて、フィブリン物質に変化は殆どなかった。フィブリンはまた、概して左眼の嚢切開縁の位置に観察され、２週間以内に散逸した。
【０４９３】
天然のカプセルバッグの散大または著しい散大は、概して人工カプセルデバイスの存在に関連があった。しかし、例えば、前嚢と人工カプセルデバイスの前表面との間の接触が欠けていたために、ＡＣＯは存在せず、その結果、散大は、否定的な結果とはならなかった。
【０４９４】
右眼、すなわち人工カプセルデバイスがＩＯＬの前に設けられた方は、左眼、すなわちＩＯＬのみが設けられた方と比べて、ゼンメリング輪の形成の大幅な減少を示した。右眼は、左眼と比べて、中心および周縁のＰＣＯの減少を示した。異なる人工カプセルデバイス縁のプロファイル（例えば正方形）、例えば本明細書に記載されるようなものは、ＰＣＯに対しさらに良好な効果をもたらすことがある。試験４週目のＰＣＯは、右眼に０、左眼に２±１とスコアされた（両側Ｐ値＝０．０１；ｔ検定：平均のために２標本を対とした）。ＡＣＯは、右眼には存在が認められず、左眼では軽度であった（０．５または１）。
【０４９５】
中心のＰＣＯは、右眼に０．１±０．２２、左眼に１．２±０．７５とスコアされた（両側Ｐ値＝０．０５；ｔ検定：平均のために２標本を対とした）。周縁のＰＣＯは、右眼に０．８±０．８３、左眼に１．８±０．８３とスコアされ（両側Ｐ値＝０．２３；ｔ検定：平均のために２標本を対とした）、ここでは、ＰＣＯの程度は、ごくわずかなものから中等度のＰＣＯまで様々であった。ゼンメリング輪の形成は、右眼に２．８±０．８３、左眼に８．６±２．１９とスコアされ（両側Ｐ値＝０．００６；ｔ検定：平均のために２標本を対とした）、ここでは、左眼全てが、周辺に皮質物質の急増を伴って、中等度のゼンメリング輪形成を示した。全ての場合に、数が少ないほど良好な結果を示した。全てのパラメータで、人工カプセルデバイスを備えた眼は、人工カプセルデバイスのない眼よりも良好にスコアされた。
【０４９６】
全ての人工カプセルデバイスが、天然のカプセルバッグの内部に充分に固定され、かつ中心に据えられていることが見出された。図４５Ａ〜図４５Ｅでは、ＩＯＬは、人工カプセルデバイスの内部で極めてわずかに偏心していた。２つの左眼で、人工カプセルデバイスの内部に軽度のＩＯＬの偏心（０．５または１）が観察された。
【０４９７】
いずれの左眼にも、厄介な炎症または毒性の徴候はなかった。５つの右眼のうち４つには毒性または炎症の徴候がなかった。図４７Ｅに関連して上記に述べたように、右眼の１つは、軽度の前部硝子体炎を示した。
【０４９８】
ＩＯＬの特性を制御するための技術デバイスの使用について本開示を再度参照すると、図５５Ａは、外部デバイスを使用してＩＯＬの焦点を制御する一例のフローチャートである。ブロック５５００から開始し、外部デバイスは、ブロック５５０２でユーザから入力を受信する。ユーザ入力の一例は、スマートウォッチ、スマートフォンなどの外部デバイス（例えば眼の外部にある）の制御である。実装例によっては、外部デバイスの制御は、第２の外部デバイスを伴う。例えば、一方の手にリングを着けたユーザが、反対の手首に着けたスマートウォッチにタッチして回路を完成させて、シグナルを送信するか（例えば近距離無線通信（ＮＦＣ）を介して）または通信する。実装例によっては、ユーザ動作５５０２は、ユーザの全ての注意（例えばディスプレイへの注意）を必要とはせず、その結果、運転や誰かとの通信などの別の行動からユーザが外れることなく、焦点を制御することができる。例えば、ユーザは、スマートウォッチを一通りタップすることによって、またはデバイス上のＳｉｒｉやＡｎｄｒｏｉｄデバイス上のＯＫ  Ｇｏｏｇｌｅなどの備え付けの音声認識に基づき音声で命令することによって、動作を始めてもよい。実装例によっては、スマートフォン（例えばボリュームボタン）および／またはスマートウォッチ（例えば回転可能なつまみ）の装備を操作することができ、それらによって微調節および／または焦点の調整が可能となる。ＩＯＬを制御するように外部デバイスを構成し、その外部デバイス上で実行するソフトウェア・アプリケーションを動作させることも可能である。
【０４９９】
ブロック５５０２でユーザ入力を受信すると、外部デバイスは、ブロック５５０４で電子メッセージをＩＯＬにワイヤレスで伝送する。ワイヤレス伝送は、Ｂｌｕｅｔｏｏｔｈなどの標準的なワイヤレスのプロトコルや、専用のワイヤレスのプロトコル、例えばセキュリティおよび／または安全性を高めるためのものに従ってもよい。上記に記載されるように、外部デバイスは、単一のデバイスであっても、互いに連動して稼働する一連のデバイスであってもよい。例えば、ブロック５５０４でワイヤレス伝送を発信する外部デバイスは、スマートウォッチであってもよい。別の実施例としては、ブロック５５０４でワイヤレス伝送を発信する外部デバイスは、最初のワイヤレス伝送をスマートウォッチから受信するスマートフォンであってもよい。ワイヤレス伝送は、技術デバイスおよび／またはＩＯＬによって受信されるように構成され、それらの受信器は、ワイヤレス伝送を処理し、焦点調整をもたらすように構成される。
【０５００】
実装例によっては、ワイヤレス伝送は、人工カプセルデバイスの技術デバイスによって受信され、技術デバイスは、次いで、人工カプセルデバイス中で可変焦点型ＩＯＬの操作を制御する。実装例によっては、ワイヤレス伝送は、人工カプセルデバイス中で直接的に、可変焦点型ＩＯＬによって受信される（例えば、人工カプセルデバイスが、適した技術デバイスもしくは任意の技術デバイスを欠いている場合、または、適したＩＯＬに用いる人工カプセルデバイスが使用されない場合）。実装例によっては、ワイヤレス伝送は、人工カプセルデバイスの技術デバイスおよび／または人工カプセルデバイス中の可変焦点型ＩＯＬと通信する別のデバイスによって受信される。例えば、スマートウォッチは、ワイヤレス伝送をスマートフォンに送信してもよく、スマートフォンは、ＩＯＬ、技術デバイスなどによって受信されることがある二次ワイヤレス伝送を発信する。１つまたは複数のワイヤレス伝送が、ネットワーク上で送信されてもよい。眼球内の通信は、ワイヤレスであってもよいし（例えば、同じまたは異なるワイヤレス標準に基づく）、または有線であってもよい（例えば、ＩＯＬ触角の外部と人工カプセルデバイスの内部との間の電気接触に基づく）。
【０５０１】
ワイヤレス伝送または二次ワイヤレス伝送に応答して、ＩＯＬの焦点は、ブロック５５０６で調整される。ブロック５５０６は、破線の輪郭で示されているが、これは、このプロセスが、別のデバイス（例えばＩＯＬ）によって実施されてもよいためである。この焦点は、屈折出力を増加させることによって近くの対象物に向けて調整されてもよい（例えば、ユーザが近くの対象物に焦点を合わせることを可能にするために）、および／または屈折出力を低下させることによって中間視力から遠視力を調整されてもよい（例えば、ユーザが中間および／または遠くの対象物に焦点を合わせることを可能にするために）。
【０５０２】
ブロック５５０４で焦点が調整されることがあるＩＯＬの一例は、Ｅｌｅｎｚａから得られるＥＬＥＮＺＡ  Ｓａｐｐｈｉｒｅである。天然の瞳孔の変化を感知すると、Ｅｌｅｎｚａ  ＩＯＬは、調節するかまたは焦点を合わせることができる。例えば、天然の瞳孔が収斂していることを感知すると、Ｅｌｅｎｚａ  ＩＯＬは、近視になるよう視調節することができる。別の実施例としては、天然の瞳孔が拡張されたことを感知すると、ＩＯＬが、正常視のための調節解除の状態に戻ってもよい。別の実施例としては、天然の瞳孔が拡張されたことを感知すると、ＩＯＬが、中間および／または遠くの対象物を眺めるために焦点を調整するように戻ってもよい。実装例によっては、ブロック５５０６での伝送が、天然の瞳孔の状態に関わらず、視調節に影響を及ぼしてもよい。実装例によっては、ブロック５５０６での伝送は、天然の瞳孔の変化を感知することと組み合わせて、視調節に影響を及ぼしてもよい。
【０５０３】
ブロック５５０４での焦点調整の別の実施例は、人工瞳孔または電子制御の虹彩絞りを含む技術デバイスによるものであり、この虹彩絞りは、眼内への光の伝送を選択的に遮断するように構成される。ブロック５５０６での伝送は、人工瞳孔を指示して収斂および／または拡張させることができる。実装例によっては、人工瞳孔は、虹彩組織を損傷しているかもしくは失っている患者のために、および／または有効開き口サイズを低下させることによって、焦点深度の増加をもたらして過焦点性を作り出すように、有効に機能することができよう。実装例によっては、人工瞳孔は、ユーザが適切な照光中で、遠視力を失うことなく、より良好な近視力および中間視力を達成することを可能にする。これらの屈折性の利益を達成することができる静的デバイスの一例は、Ａｃｕｆｏｃｕｓ  Ｋａｍｒａである。このデバイスは、典型的には角膜中またはＩＯＬ上のどちらかに埋め込まれ、例えば機能性を高めるかまたは最適にすることができる方式では、これまではユーザによる制御が不能であった。実装例によっては、電気ワイヤレス伝送が適用されると、技術デバイスは、カメラの開き口と同様に機能して、視軸に向かって角膜縁から円周方向に閉じる。実装例によっては、電気ワイヤレス伝送が適用されると、技術デバイス中の液晶の分子の配置構成が方向付けられて、縁部を不透明に、すなわち瞳孔収縮の結果と類似したものとする。人工瞳孔は、天然の瞳孔と組み合わせて機能してもよいし、天然の瞳孔とは無関係の有益な屈折効果をもたらしてもよい。実装例によっては、人工瞳孔は、Ｅｌｅｎｚａ  ＩＯＬなどのＩＯＬの視調節と組み合わせて機能してもよい。実装例によっては、人工カプセルデバイスの技術デバイスは、人工瞳孔を含み、この人工瞳孔は、ＩＯＬ、視調節型ＩＯＬと組み合わせて、またはＩＯＬを用いずに、使用されてもよい。
【０５０４】
ブロック５５０４で焦点が調整されることがあるＩＯＬの別の実施例は、Ｃａｌｈｏｕｎ  Ｖｉｓｉｏｎから得られる光調節可能レンズ（ＬＡＬ）であり、それは固定されていない。電気ワイヤレス伝送が適用されると、光は、マクロマーを光重合し、照射範囲で膨張させるよう仕向けられ、その結果、出力の変化を引き起こす。ＩＯＬの焦点は、マイクロソレノイド（例えば、電気ワイヤレス伝送をコイルに加えることによって、屈折面に結合された磁性素材を引き付けるかまたは反発する磁場が作り出される）、ＭＥＭＳ（例えば、電気的なワイヤレス伝送を加えることによって、屈折面に結合された蝶番式の金属素材を引き付ける静電的な帯電が作り出される）などを使用して、変えられてもよい。ＩＯＬ全体またはその一部（例えば屈折面）は、人工カプセルデバイス内で動いてもよく、これによって非調整のＩＯＬに集束機構を与える。
【０５０５】
実装例によっては、ＩＯＬおよび／または技術デバイスは、ワイヤレス通信、コマンド指示、コンピュータ生成メッセージ、などを外部デバイスに送信して、焦点が調整されたことを確定してもよい。焦点調整は、ユーザに目に見える形であってもよいが、そのようなフィードバックは、最初の設定、較正、トラブルシューティングなどの際に助けとなることがある。ある種のそのような実装例では、プロセスは、焦点が調整されたという確認のワイヤレス伝送を外部デバイスによって受信するステップを、任意でさらに含んでいてもよい。
【０５０６】
外部デバイスは、任意で、ＩＯＬおよび／または技術デバイスから他のワイヤレス伝送（例えばバッテリーの低下、エラーコード、ｌｉｍｉｔｓ  ｒｅａｃｈｅｄなど）を受信するように構成されていてもよい。ある種のそのような実装例では、外部デバイス５５０４によるワイヤレス伝送の発信は、ＩＯＬがワイヤレス伝送に従って焦点を合わせることが可能であるということの確認に基づくことがある。外部デバイスは、例えば本明細書にさらに詳細に記載されるような焦点に関すること以外の他のワイヤレス伝送を、ＩＯＬおよび／または技術デバイスから受信するように、任意で構成されてもよい。
【０５０７】
処理は、ブロック５５０８で終了する。ＩＯＬの焦点は、多少の時間が経った後、または外部デバイスからの第２のワイヤレス伝送に応答して、元に戻ることがある（例えば第２のユーザ入力の受信時）。上記で議論された処理のいくつかおよび他の処理は、図５５Ｂ〜図５５Ｆについてさらに詳細に記載されている。
【０５０８】
図５５Ｂは、外部デバイスを使用して電子デバイス（例えば技術デバイスおよび／またはＩＯＬ）を制御するためのシステムの概要である。図説されたフローチャートでは、人工カプセルデバイス５５１０は、技術デバイスを含む。人工カプセルデバイス５５１０は、少なくとも部分的にＩＯＬ５５１２を備える。人工カプセルデバイス５５１０の技術デバイスおよび／またはＩＯＬ５５１２は、第１の外部デバイス５５１４と通信する。第１の外部デバイス５５１４は、例えばスマートフォン、スマートウォッチなどを備えていてもよい。第１の外部デバイス５５１４は、任意で第２の外部デバイス５５１６と通信する。第２の外部デバイス５５１６は、例えばスマートウォッチ（例えばスマートフォンを備えた第１の外部デバイス５５１４と組み合わせて）を備えていてもよい。第２の外部デバイス５５１６は、任意で第３の外部デバイス５５１８と通信する。第３の外部デバイス５５１８は、例えばリング（例えばスマートウォッチを備えた第２の外部デバイス５５１６と組み合わせて）を備えていてもよい。第１の外部デバイス５５１４、第２の外部デバイス５５１６、および第３の外部デバイス５５１８は、単体で、サブコンビネーションで、または全ての組み合わせで、特に、ユーザによる入力を受信し、人工カプセルデバイス５５１０の技術デバイスおよび／またはＩＯＬ５５１２にワイヤレス伝送を発信するよう機能してもよい。外部デバイスを追加すること（例えば第４、第５など）も可能である。
【０５０９】
図５５Ｃは、外部デバイスを使用して電子デバイス（例えば技術デバイスおよび／またはＩＯＬ）を制御する方法例のフローチャートである。ブロック５５２０で開始し、外部デバイスは、ブロック５５２２でユーザから入力を受信する。ブロック５５２２でユーザ入力を受信すると、外部デバイスは、ブロック５５２４で、ユーザ入力を処理する。外部デバイスは、処理モジュール、静的メモリ・モジュール、動的または一時的メモリ・モジュール、電源、ユーザ入力受信モジュール、ワイヤレス伝送発信モジュール、ワイヤレス伝送受信モジュールなどを含んでいてもよい。ブロック５５２４でユーザ入力を処理すると、外部デバイスは、ブロック５５２６で、眼に埋め込まれた電子デバイス（例えば人工カプセルデバイスの技術デバイス、ＩＯＬなど）に伝送するための指示コマンドを生成する。指示コマンドの生成は、ユーザ入力の受信および処理した際に自動で行われてもよいし、ユーザ又は別のデバイスとのさらに別の対話を含んでいてもよい。指示は、例えば、ＩＯＬの焦点を合わせることを含んでいてもよい。ブロック５５２６で指示コマンドが生成されると、外部デバイスは、ブロック５５２８で、眼に埋め込まれた電子デバイス（例えば人工カプセルデバイスの技術デバイス、ＩＯＬなど）から、確認および／または現在ステータスの入力を任意で受信してもよい。指示コマンドの生成および／または電子デバイスからの確認および／もしくは現在ステータスの入力の受信に応じて、この処理が、ブロック５５２２での開始またはブロック５５３０での終了を繰り返してもよい。
【０５１０】
図５５Ｄは、外部デバイスを使用して、電子デバイス（例えば技術デバイスおよび／またはＩＯＬ）を制御する、別の方法例のフローチャートである。図５５Ｂを参照して、例えば、外部デバイスは、第１の外部デバイス（例えばスマートフォン）および第２の外部デバイス（例えスマートウォッチ）を備える。ブロック５５３２で開始し、第２の外部デバイスは、ブロック５５３４で、ユーザから入力を受信する。ブロック５５３４でユーザ入力を受信すると、第２の外部デバイスは、第１の外部デバイスに伝送するために、ユーザ入力（例えば、ボタンの押圧など）を処理してユーザ入力に基づくシグナルを発生するように、構成することができる。第１の外部デバイスは、ブロック５５３６での第２の外部デバイスからのユーザ入力に基づく伝送シグナルを受信するように、構成することができる。第１の外部デバイスは、ユーザ入力を直接的に受信するために、または第２の外部デバイスからのワイヤレス伝送の結果として、第２の外部デバイスと、ワイヤードまたはワイヤレスで通信してもよい。ブロック５５３６でユーザ入力を受信すると、第１の外部デバイスは、ブロック５５３８で、ユーザ入力を処理する。ブロック５５３８でユーザ入力を処理すると、第１の外部デバイスは、ブロック５５４０で、眼に埋め込まれた電子デバイス（例えば人工カプセルデバイスの技術デバイス、ＩＯＬなど）に伝送するための指示コマンドを生成する。指示コマンドの生成は、ユーザ入力を受信し処理した際に自動で行われてもよいし、ユーザ、第２の外部デバイス、別のデバイスなどとのさらに別の対話を含んでいてもよい。指示は、例えば、ＩＯＬの焦点を合わせることを含んでいてもよい。ブロック５５４０で指示コマンドを生成すると、第１の外部デバイスは、ブロック５５４２で、眼に埋め込まれた電子デバイス（例えば人工カプセルデバイスの技術デバイス、ＩＯＬなど）から、確認および／または現在ステータスの入力を任意で受信してもよい。第１の外部デバイスおよび／または第２の外部デバイスは、任意でブロック５５４４で確認および／または現在ステータスの入力を表示してもよい。指示コマンドの生成、電子デバイスからの確認および／もしくは現在ステータスの入力の受信に応じて、この処理が、ブロック５５３４での開始またはブロック５５４６での終了を繰り返してもよい。
【０５１１】
図５５Ｅは、外部デバイスを使用して、電子デバイス（例えば技術デバイスおよび／またはＩＯＬ）を制御する別の方法例のフローチャートである。図５５Ｂを参照して、例えば、外部デバイスは、第１の外部デバイス（例えばスマートフォン）および第２の外部デバイス（例えばスマートウォッチ）を備える。ブロック５５５０で開始して、第２の外部デバイスは、ブロック５５５２でユーザから入力を受信する。ブロック５５５２でユーザ入力を受信すると、第２の外部デバイスは、第１の外部デバイスに伝送するために、ユーザ入力（例えば、ボタンの押圧など）を処理してユーザ入力に基づくシグナルを発生するように、構成することができる。第１の外部デバイスは、ブロック５５５４での第２の外部デバイスからのユーザ入力に基づく伝送シグナルを受信するように、構成することができる。第１の外部デバイスは、ユーザ入力を直接的に受信するために、または第２の外部デバイスからのワイヤレス伝送の結果として、第２の外部デバイスと、ワイヤードまたはワイヤレスで通信してもよい。ブロック５５５４でユーザ入力を受信すると、第１の外部デバイスは、ブロック５５５６で、ユーザ入力を処理する。ブロック５５５６でユーザ入力が処理されると、第１の外部デバイスは、ブロック５５５８で、眼に埋め込まれた電子デバイス（例えば人工カプセルデバイスの技術デバイス、ＩＯＬなど）に伝送するための指示コマンドを生成する。指示コマンドの生成は、ユーザ入力を受信し処理した際に自動で行われてもよいし、ユーザ、第２の外部デバイス、別のデバイスなどとのさらに別の対話を含んでいてもよい。指示は、例えば、ＩＯＬの焦点を合わせることを含んでいてもよい。
【０５１２】
図５５Ｅは、眼に埋め込まれた電子デバイス（例えば人工カプセルデバイスの技術デバイス、ＩＯＬなど）によって実施されることがあるプロセスを表す、破線の横線を含む。電子デバイスは、外部デバイスとは別であってもよく、図５５Ｅに関連して記載されたプロセスは、参照程度の例である。実装例によっては、外部デバイスおよび電子デバイスは、システムまたはキットを形成することが理解されよう。
【０５１３】
電子デバイスは、ブロック５５６０で指示コマンドを受信してもよい。ブロック５５６０で指示コマンドを受信すると、電子デバイスは、ブロック５５６２で指示コマンドを処理してもよい。ブロック５５６２で指示コマンドを処理すると、電子デバイスは、ブロック５５６４で、指示コマンドに基づき電子デバイスのパラメータを調整してもよい。パラメータの調整は、指示コマンドを受信し処理した際に自動で行われてもよく、または、ユーザ、第１の外部デバイス、第２の外部デバイスおよび／もしくは別のデバイスとの対話、パラメータおよび／もしくは別のパラメータの解析などを含んでいてもよい。パラメータは、例えばＩＯＬ焦点（例えばある程度のマスキング、ある程度の駆動、ある程度の回転など）を含んでいてもよい。ブロック５５６４でパラメータを調整すると、電子デバイスは、ブロック５５６６で確認および／または現在ステータス出力を生成してもよい。電子デバイスは、例えば、さらに多くの、さらに少ない、異なる、別々に命令される、などのプロセスを実施してもよく、複数の電子デバイス間（例えば人工カプセルデバイスの技術デバイスおよびＩＯＬ間）の対話を含んでいてもよい。
【０５１４】
第１の外部デバイスは、ブロック５５６８で、眼に埋め込まれた電子デバイスから、確認および／または現在ステータスの入力（出力として生成される）を任意で受信してもよい。第１の外部デバイスおよび／または第２の外部デバイスは、ブロック５５７０で、確認および／または確認および／または現在ステータスの入力を任意で表示してもよい。プロセスは、ブロック５５７２で終了する。
【０５１５】
図５５Ｆは、外部デバイスを使用して、電子デバイス（例えば技術デバイスおよび／またはＩＯＬ）を制御する、別の方法例のフローチャートである。図５５Ｂを参照すると、例えば、外部デバイスは、第１の外部デバイス（例えばスマートフォン）および第２の外部デバイス（例えばスマートウォッチ）を備える。ブロック５５７４で開始して、第２の外部デバイスはブロック５５７６でユーザから入力を受信する。ブロック５５７６でユーザ入力を受信すると、第２の外部デバイスは、第１の外部デバイスに伝送するために、ユーザ入力（例えば、ボタンの押圧など）を処理してユーザ入力に基づくシグナルを発生するように、構成することができる。第１の外部デバイスは、ブロック５５７８での第２の外部デバイスからのユーザ入力に基づく伝送シグナルを受信するように、構成することができる。第１の外部デバイスは、ユーザ入力を直接的に受信するために、または第２の外部デバイスからのワイヤレス伝送の結果として、第２の外部デバイスと、ワイヤードまたはワイヤレスで通信してもよい。
【０５１６】
第１の外部デバイスは、ブロック５５８０でユーザ入力を決定する。第１のユーザ入力の場合、第１の外部デバイスは、ブロック５５８２で、指示コマンドを生成して、近くの対象物に焦点を変える（例えば、ＥｌｅｎｚａのＩＯＬに関連した本明細書に記載されているような近視性調節）。第１のユーザ入力とは異なる第２のユーザ入力の場合、第１の外部デバイスは、ブロック５５８４で、指示コマンドを生成して、中間および／または遠くの対象物に焦点を変える（本明細書に記載されるような例えば正常視または非調節の状態）。明確化のために、ＥｌｅｎｚａのＩＯＬは、眼が調節しようと（焦点を合わせようと）しているサインとして、瞳孔収縮を使用し、レンズは、天然の瞳孔収縮に基づき焦点を変える。すなわち、ＥｌｅｎｚａのＩＯＬは、瞳孔を収縮させず、人工虹彩デバイスを備えていない。実装例によっては、本明細書に記載の指示コマンドは、例えば、ＥｌｅｎｚａのＩＯＬに、天然の瞳孔の収縮を問わず焦点を変更させる。
【０５１７】
実装例によっては、例えばＥｌｅｎｚａのＩＯＬ以外のＩＯＬを使用して、または人工カプセルデバイスの技術デバイスによって、指示コマンドは、例えば、人工瞳孔の収縮または散大を生じることができよう。
【０５１８】
ＥｌｅｎｚａのＩＯＬの焦点調整および人工瞳孔の収縮／散大は、パラメータ変化の例として与えられ、各種の入力に基づく他のパラメータ変化もまた生じる可能性があることが理解されよう。指示コマンドの生成は、ユーザ入力が処理された際に自動で行われてもよいし、またはユーザ（例えば、天然の瞳孔散大を感知することと組み合わされた指示コマンド）、第２の外部デバイス、他のデバイスなどとの対話をさらに含んでいてもよい。実装例によっては、第２の外部デバイスは、ユーザ入力を決定してもよく、第１の外部デバイスは、指示コマンドを受信してもよい。
【０５１９】
ブロック５５８２または５５８４で指示コマンドを生成すると、第１の外部デバイスは、ブロック５５８６で、眼に埋め込まれた電子デバイス（例えば人工カプセルデバイスの技術デバイス、ＩＯＬなど）に指示コマンドを伝送する。指示は、例えば、ＩＯＬの焦点を合わせることを含んでいてもよい。ブロック５５８６で指示コマンドを伝送すると、第１の外部デバイスは、ブロック５５８８で、眼に埋め込まれた電子デバイス（例えば人工カプセルデバイスの技術デバイス、ＩＯＬなど）から、確認および／または現在ステータスの入力を任意で受信してもよい。第１の外部デバイスおよび／または第２の外部デバイスは、ブロック５５９０で、確認および／または現在ステータスの入力を任意で表示してもよい。プロセスは、ブロック５５９２で終了する。
【０５２０】
図５６は、コンピュータ・ハードウェア・システム例を示したブロック図であり、このシステムは、本明細書に開示の電子デバイス制御の１つまたは複数の実装例を実装するためのソフトウェアを実行するように構成される。実装例によっては、上記に記載のハードウェア・システムおよび／またはデバイスは、コンピューティング・システム５６００の形態を取り、これは、１つまたは複数のネットワーク５６１６を介した１つまたは複数のコンピューティング・システム５６１８および／または１つまたは複数のデータ供給源５６２０と通信する、コンピューティング・システムの実装のブロック図である。コンピューティング・システム５６００は、本明細書に記載の１つまたは複数のシステムおよび方法を実装するために使用されてもよい。実装例によっては、コンピューティング・システム５６００は、アクセスを管理するか、またはソフトウェア・アプリケーションを運営するように構成される。図２５は、コンピューティング・システム例５６００を説明するが、コンピューティング・システム５６００のコンポーネントおよびモジュールにおいて提供される機能性が、組み合わされてさらに少数のコンポーネントおよびモジュールとされてもよいし、または追加のコンポーネントおよびモジュールにさらに分けられてもよいことについては認識されよう。
電気システム
【０５２１】
実装例によっては、コンピューティング・システム５６００は、眼に移植された電子デバイスを制御することに関連して、本明細書に記載された１つまたは複数の機能を実行するように構成された電気システム５６０６を含み、このシステムは、上記に記載のいずれかの技術を含む。電気システム５６０６および／または他のモジュールは、下記にさらに議論される中央処理ユニット５６０２によって、コンピューティング・システム５６００上で実行されてもよい。
【０５２２】
概して、本明細書に使用されるような“モジュール”という用語は、ハードウェアまたはファームウェアに具体化される論理、またはソフトウェアの命令の収集体を指し、出口および入口の点を有することがあり、例えば、ＣＯＢＯＬ、ＣＩＣＳ、Ｊａｖａ、Ｌｕａ、ＣやＣ＋＋などのプログラミング言語で書き表される。ソフトウェア・モジュールは、実行可能なプログラムにコンパイルおよびリンクされて、動的リンク・ライブラリにインストールされてもよいし、または、例えばＢＡＳＩＣ、Ｐｅｒｌ、またはＰｙｔｈｏｎなどのプログラミング言語で解釈されてもよい。ソフトウェア・モジュールは、他のモジュールからまたはそれ自体から呼び出し可能であってもよいこと、および／または検知した事象または割り込みに応答して読みだされてもよいことが理解されよう。ソフトウェア命令は、ＥＰＲＯＭなどのファームウェアに埋め込まれてもよい。ハードウェア・モジュールは、ゲートやフリップ・フロップなど、接続された論理ユニットから構成されていてもよいこと、および／またはプログラム可能なゲート・アレイやプロセッサなど、プログラム可能なユニットかた構成されていてもよいことが理解されよう。本明細書に記載のモジュールは、好ましくはソフトウェア・モジュールとして実装されるが、ハードウェアまたはファームウェアに表されてもよい。概して、本明細書に記載のモジュールは、他のモジュールと組み合わされるか、または物理的な統合または記憶があってもサブモジュールに分けられることがある、論理モジュールを指す。
コンピューティング・システム・コンポーネント
【０５２３】
コンピューティング・システム５６００は、中央処理ユニット（ＣＰＵ）５６０２を含むことができ、このＣＰＵは、従来のマイクロプロセッサを含んでいてもよい。コンピューティング・システム５６００は、情報の一時的な記憶に用いるランダムアクセスメモリ（ＲＡＭ）および／または情報の永続的な記憶に用いるリード・オンリー・メモリ（ＲＯＭ）などのメモリ５６０４、およびハードドライブ、ディスクや光学媒体記憶デバイスなどの大容量記憶デバイス５６０８をさらに含む。実装例によっては、コンピューティング・システム５６００のモジュールは、標準ベースのバスシステムを使用して、コンピュータに接続させることができる。実装例によっては、標準ベースのバスシステムとしては、例えばＰｅｒｉｐｈｅｒａｌ  Ｃｏｍｐｏｎｅｎｔ  Ｉｎｔｅｒｃｏｎｎｅｃｔ（ＰＣＩ）、Ｍｉｃｒｏｃｈａｎｎｅｌ、ＳＣＳＩ、Ｉｎｄｕｓｔｒｉａｌ  Ｓｔａｎｄａｒｄ  Ａｒｃｈｉｔｅｃｔｕｒｅ（ＩＳＡ）および拡張型ＩＳＡ（ＥＩＳＡ）構造を挙げることができる。
【０５２４】
コンピューティング・システム５６００は、１つまたは複数の一般的に利用可能な入力／出力（Ｉ／Ｏ）デバイスおよびインターフェース５６１２を含み、そのようなものとしては、例えばキーボード、マウス，タッチパッド、タッチスクリーン、リング、プリンターなどがある。実装例によっては、Ｉ／Ｏデバイスおよびインターフェース５６１２は、ユーザにデータを視覚的に提示することが可能な１つまたは複数のディスプレイ・デバイスを含み、そのようなものとしては、例えばモニターやタッチスクリーンがある。ディスプレイ・デバイスは、例えば、グラフィカル・ユーザ・インターフェース（ＧＵＩ）のプレゼンテーション、アプリケーション・ソフトウェアのデータ、およびマルチメディアによるプレゼンテーションを提供することができる。実装例によっては、Ｉ／Ｏデバイスおよびインターフェース５６１２は、マイクロホン、モーションおよび／またはＮＦＣセンサを含み、それらは、音、声、動作、身振りなどを使用して、ユーザがコンピューティング・システム５６００への入力を生成することを可能にする。図５６では、Ｉ／Ｏデバイスおよびインターフェース５６１２はまた、ネットワーク５６１６へのリンク５６１４を介した、様々な外部デバイスへの通信インターフェースを提供する。コンピューティング・システム５６００はまた、１つまたは複数のマルチメディアデバイス５６１０を含んでいてもよく、そのようなデバイスとしては、例えばスピーカー、ビデオカード、グラフィックス・アクセラレータやマイクロホンがある。
コンピューティング・システム・デバイス／オペレーティング・システム
【０５２５】
コンピューティング・システム５６００は、種々のコンピューティング・デバイス上、例えば専用に設計されたデバイス、サーバ、Ｗｉｎｄｏｗｓサーバ、ＳｔｒｕｃｔｕｒｅＱｕｅｒｙＬａｎｇｕａｇｅサーバ、Ｕｎｉｘサーバ、パーソナル・コンピュータ、メインフレーム・コンピュータ、ラップトップ・コンピュータ、タブレット・コンピュータ、携帯電話、スマートフォン、スマートウォッチ、パーソナル・デジタル・アシスタント、キオスク、オーディオ・プレイヤ、ｅ−読み取りデバイスなどの上でランさせてもよい。コンピューティング・システム５６００は、概してオペレーティング・システム・ソフトウェアによって制御され連動するが、そのようなソフトウェアとしては、ｚ／ＯＳ、Ｗｉｎｄｏｗｓ９５、Ｗｉｎｄｏｗｓ９８、ＷｉｎｄｏｗｓＮＴ、Ｗｉｎｄｏｗｓ２０００、ＷｉｎｄｏｗｓＸＰ、ＷｉｎｄｏｗｓＶｉｓｔａ、Ｗｉｎｄｏｗｓ７、Ｗｉｎｄｏｗｓ８、Ｌｉｎｕｘ、ＢＳＤ、ＳｕｎＯＳ、Ｓｏｌａｒｉｓ、Ａｎｄｒｏｉｄ、ｉＯＳ、ＢｌａｃｋＢｅｒｒｙ  ＯＳや他の適合可能なオペレーティング・システムがある。Ｍａｃｉｎｔｏｓｈシステムでは、オペレーティング・システムは、任意の利用可能なオペレーティング・システムであってもよく、そのようなシステムとしては、ＭＡＣ  ＯＳ  Ｘなどがある。実装例によっては、コンピューティング・システム５６００が。適切なオペレーティング・システムによって制御される。オペレーティング・システムは、例えば、実行するためのコンピュータ・プロセスを制御および計画してもよいし、メモリ管理を実施してもよいし、ファイル・システム、ネットワーク化、およびＩ／Ｏサービスを提供してもよいし、他の事物との間でＧＵＩなどのユーザ・インターフェースを提供してもよい。
ネットワーク
【０５２６】
図５６は、コンピューティング・システム５６００が、任意選択のネットワーク５６１６に係合されていることを図説し、そのようなネットワークは、ＬＡＮ、ＷＡＮやインターネットなどであり、例えば、有線、ワイヤレス、または有線とワイヤレスとの組み合わせの通信リンク５６１４を介する。ネットワーク５６１６は、様々なコンピューティング・デバイスおよび／または他の電子デバイスと、有線またはワイヤレスの通信リンクを介して通信する。図５６では、ネットワーク５６１６は、１つもしくは複数のコンピューティング・システム５６１８ならびに／または１つもしくは複数のデータ供給源５６２０と通信する。
【０５２７】
コンピューティング・システム５６１８および／またはデータ供給源５６２０による、コンピュータ・システム５６００の電気システム５６０６へのアクセスは、ウェブ対応のユーザ・アクセス・ポイントを通じてもよく、そのようなアクセス・ポイントとしては、コンピューティング・システム５６１８またはデータ供給源５６２０のパーソナル・コンピュータ、モバイル・デバイス、携帯電話、スマートフォン、スマートウォッチ、ラップトップ、タブレット・コンピュータ、ｅ−読み取りデバイス、オーディオ・プレイヤや、ネットワーク５６１６に接続することが可能なまた接続するように構成される他のデバイスがある。そのようなデバイスは、ブラウザ・モジュール、またはモジュールとして実装される専用のアプリケーションを有していてもよく、このモジュールは、テキスト、グラフィックス、オーディオ、ビデオ、および他のメディアを使用して、データを提示し、また、ネットワーク５６１６を介してデータと相互作用することを可能にする。
【０５２８】
ブラウザ・モジュールまたは専用のアプリケーションは、全点アドレス可能のディスプレイの組合せとして実装されていてもよく、そのようなディスプレイとしては、陰極線管（ＣＲＴ）、液晶ディスプレイ（ＬＣＤ）、プラズマディスプレイ、または他のタイプおよび／または組合せのディスプレイがある。ブラウザ・モジュールまたは専用のアプリケーションは、入力デバイス５６１２と通信するように実装されてもよく、適切なインターフェースを備えたソフトウェアを含んで、定型化されたスクリーン要素を使用することを通じてユーザがデータにアクセすることを可能にしてもよい。そのようなスクリーン要素としては、例えば、メニュー、ウィンドウ、ダイアログボックス、ツールバー、およびコントロール（例えば、ラジオボタン、チェックボックス、スライディング・スケールなど）がある。ブラウザ・モジュールは、入力および出力デバイス一式と通信して、ユーザからワイヤレス伝送を受信してもよい。
【０５２９】
入力デバイス（複数可）は、キーボード、ローラー・ボール、ペンおよびスタイラス、マウス、リング、スマートウォッチ、ノブ、トラックボール、音声認識システム、または予め指定されたスイッチもしくはボタンを含んでいてもよい。出力デバイス（複数可）は、スピーカー、ディスプレイ・スクリーン、プリンター、または音声合成器を含んでいてもよい。タッチスクリーンは、入力／出力ハイブリッド・デバイスとしての機能を果たしてもよい。実装例によっては、ユーザは、インターネット、ＷＡＮ、もしくはＬＡＮ、または同様のネットワーク上で通信することなく、システム端を介してシステムと相互作用してもよい。
【０５３０】
実装例によっては、システム５６００は、双方向のデータおよびデータベースをオンラインかつリアルタイムでアップロード、ダウンロード、または眺めるために、リモート・マイクロプロセッサとメインフレーム・ホスト・コンピュータとの間に物理的または論理的な関係を含む。リモート・マイクロプロセッサは、クライアント・サーバ・システムまたはメイン・サーバ・システムを含めた、コンピュータ・システム５６００を操作するエンティティによって操作されてもよく、および／または１つもしくは複数のデータ供給源５６２０および／または１つもしくは複数のコンピューティング・システム５６１８によって操作されてもよい。実装例によっては、マイクロ・メインフレーム・リンクに加わるために、ターミナル・エミュレータ・ソフトウェアが、マイクロプロセッサ上で使用されてもよい。
【０５３１】
実装例によっては、コンピュータ・システム５６００を操作するエンティティの内部にあるコンピューティング・システム５６１８が、アプリケーションとして電気システム５６０６に内部でアクセスしてもよいし、ＣＰＵ５６０２によるランを処理してもよい。
ユーザ・アクセス・ポイント
【０５３２】
実装例によっては、ユーザ・アクセス・ポイントまたはユーザ・インターフェースは、パーソナル・コンピュータ、ラップトップ・コンピュータ、タブレット・コンピュータ、ｅ−読み取りデバイス、モバイル・デバイス、携帯電話、スマートフォン、スマートウォッチ、ＧＰＳシステム、Ｂｌａｃｋｂｅｒｒｙ（登録商標）デバイス、ポータブル・コンピューティング・デバイス、サーバ、コンピュータ・ワークステーション、個々のコンピュータのローカル・エリア・ネットワーク、インターネット・キオスク、パーソナル・デジタル・アシスタント、インタラクティブ・ワイヤレス通信デバイス、ハンドヘルド・コンピュータ、組み込みコンピューティング・デバイス、オーディオ・プレイヤなどを含む。
他のシステム
【０５３３】
上記に記載および説明されたシステムに加えて、ネットワーク５６１６は、データ供給源および／または他のコンピューティング・デバイスと通信してもよい。コンピューティング・システム５６００は、１つまたは複数の内部および／または外部のデータ供給源を含んでいても良い。実装例によっては、１つまたは複数のデータ・デポジトリおよびデータ供給源は、ＤＢ２、Ｓｙｂａｓｅ、Ｏｒａｃｌｅ、ＣｏｄｅＢａｓｅ、Ｍｉｃｒｏｓｏｆｔ（登録商標）ＳＱＬ  サーバなどのリレーショナル・データベース、ならびに他のタイプのデータベース、例えばフラット・ファイル・データベース、実体関連データベースやオブジェクト指向データベースなど、および／またはレコード指向のデータベースを使用して、実装されていてもよい。
【０５３４】
図７３Ａは、折り畳まれていない状態の人工カプセルデバイス例７３００の前部側面斜視図を示す。図７３Ｂは、折り畳まれていない状態の図７３Ａの人工カプセルデバイス例７３００の前方平面図を示す。図７３Ｃは、折り畳まれていない状態の図７３Ａの人工カプセルデバイス例７３００の側面図を示す。デバイス７３００は、ギャップ７３０４によって隔てられた複数の区分葉または花弁７３０２を含む。デバイス７３００は、任意選択的に光学系７３１０を含む。図７３Ａおよび図７３Ｃに最も良く見られるように、第１のまたは折り畳まれていない状態または配置構成で、デバイス７３００は、実質的には平らまたは平面または２次元であり、それによって、折り畳まれていない状態で３次元であるデバイスに対する製造の容易さを高めることができる。
【０５３５】
図７３Ｂおよび図７３Ｃを再び参照すると、折り畳まれていない状態のデバイス７３００のある種の寸法例が示されている。実装によっては、デバイス７３００は、花弁を含む直径７３２０を有し、それは約１０ｍｍから約２０ｍｍの間（例えば、約１０ｍｍ、約１１ｍｍ、約１２ｍｍ、約１３ｍｍ、約１４ｍｍ、約１５ｍｍ、約１６ｍｍ、約１７ｍｍ、約１８ｍｍ、約１９ｍｍ、約２０ｍｍ、そのような値の間の範囲など）である。実装によっては、デバイス７３００は、花弁を除く直径７３２２を有し、それは約５ｍｍから約１５ｍｍの間（例えば、約５ｍｍ、約６ｍｍ、約７ｍｍ、約８ｍｍ、約９ｍｍ、約１０ｍｍ、約１１ｍｍ、約１２ｍｍ、約１３ｍｍ、約１４ｍｍ、約１５ｍｍ、そのような値の間の範囲など）である。実装によっては、花弁７３０２の円周幅７３２４は、約２０°から約３０°の間（例えば、約２０°、約２１°、約２２°、約２３°、約２４°、約２５°、約２６°、約２７°、約２８°、約２９°、約３０°、それらの値の間の範囲など）である。実装によっては、ギャップ７３０４の円周幅７３２６は、約２０°から約３０°の間（例えば、約２０°、約２１°、約２２°、約２３°、約２４°、約２５°、約２６°、約２７°、約２８°、約２９°、約３０°、そのような値の間の範囲など）である。実装によっては、花弁７３０２の円周幅７３２６とギャップ７３０４の円周幅７３２８との比率は、約１：２から約２：１の間（例えば、約１：２、約５：８、約２：３、約７：８、約１５：１６、約２５：２６、約１：１、約８：７、約１６：１５、約２６：２５、約３：２、約８：５、約２：１、そのような値の間の範囲など）である。実装によっては、光学系７３１０の直径７３２８は、約４ｍｍから約１０ｍｍの間（例えば、約４ｍｍ、約５ｍｍ、約６ｍｍ、約７ｍｍ、約８ｍｍ、約９ｍｍ、約１０ｍｍ、そのような値の間の範囲など）である。実装によっては、光学系７３１０または花弁７３０２を除いたデバイス７３００の厚さ７３３０は、約０．１ｍｍから約０．５ｍｍの間（例えば、約０．１ｍｍ、約０．１５ｍｍ、約０．２ｍｍ、約０．２５ｍｍ、約０．３ｍｍ、約０．３５ｍｍ、約０．４ｍｍ、約０．４５ｍｍ、約０．５ｍｍ、そのような値の間の範囲など）である。
【０５３６】
折り畳まれていないデバイス７３００は、天然のカプセル嚢への挿入のために折り畳まれることがある。折り畳まれていないデバイス７３００の２次元の性質により、例えば３次元構造に比べて、さらに折り畳むことを可能にすることがあり、それによって、さらに小さな切開部を通じた挿入を可能にすることができる。実装によっては、どの既知のＩＯＬよりも小さな切開部を通じてデバイスを挿入することができる際に、切開部のサイズをＩＯＬのみによって決定してカプセルデバイスに配置する。
【０５３７】
図７３Ｄは、折り畳まれた状態の図７３Ａの人工カプセルデバイス例７３００の前方平面図を示す。図７３Ｅは、折り畳まれた状態の図７３Ａの人工カプセルデバイス例７３００の前部側面斜視図を示す。デバイス７３００が天然のカプセル嚢内に挿入されるにつれて、デバイス折り畳まれていない状態に向けてほどけてもよい。光学系７３１０は、天然のカプセル嚢の後側部に接していてもよい。花弁７３０２は、前方に向けて、次いで径方向内側に折り畳まれ、やがてはそれ自体の上に折り込まれてもよい。折り畳まれたデバイス７３００は、前方の開口７３１２を含み、それを通じてＩＯＬが挿入されてもよい。デバイス７３００は、ＩＯＬを含有するように構成される。
【０５３８】
折り畳まれたデバイス７３００は、本明細書に記載される他の特徴、例えば電子デバイス、タブ、環状構造などを含んでいてもよい。実装によっては、折り畳まれていないデバイス７３００の２次元の性質により、そのような特徴の製造が容易になることがある。例えば、カプセルデバイス７３００の内側になるように構成されるデバイス７３００の第１の側部に、フレックス回路がパターンとして付されていてもよい。別の例としては、カプセルデバイス７３００の外側になるように構成されるデバイス７３００の第２の側部に、環状の触角またはタブがパターンとして付されていてもよい。さらに別の例としては、開口および／または固定点を、デバイス７３００の一方の側または両側に形成することができる。
【０５３９】
本明細書に記載の方法およびデバイスが、様々な改変および代替の形態を受け入れる余地があってもよい一方で、それらの特定の例が、図面に示されていると共に、本明細書に詳細に記載される。しかし、本発明は、開示された具体的な形態または方法に制限されないものの、それとは反対に、本発明は、添付の特許請求の範囲および記載される様々な実装例の趣旨および範囲内に含まれる、あらゆる改変、等価物、代替にわたることを理解するべきである。さらに、実装例または実施形態に関連するいかなる具体的な特徴、態様、方法、特性、特質、質、属性、要素などに関する本明細書の開示も、本明細書に記載のあらゆる他の実装例または実施形態において使用することができる。本明細書に開示のいかなる方法も、特許請求の範囲に記載の順番で実施される必要はない。本明細書に開示の方法は、実践者が取るある種の行動を含んでいてもよい。しかし、その方法は、その行動に関する任意の第三者の教示を、明示的または暗示的、どちらかで含むこともできる。例えば、“人工カプセルデバイス内に眼内レンズを挿入すること”などの行動は、“人工カプセルデバイス内に眼内レンズを挿入することを指示すること”を含む。本明細書に開示の範囲はまた、任意のおよび全ての部分重複、部分範囲およびそれらの組み合わせを包含する。“まで”、“少なくとも”、“超”、“未満”、“間”などの言葉は、特許請求の範囲に記載の数を含む。“約”や“およそ”などの用語に続く数は、特許請求の範囲に記載の数に含まれ、状況に基づいて（例えば、その状況下で合理的にありうる程度に正確であること、例えば±５％、±１０％、±１５％など）、解釈されるべきである。例えば，“約３．５ｍｍ”は、“３．５ｍｍ”を含む。“実質的に”などの用語に続く句は、特許請求の範囲に記載の句を含み、状況に基づいて（例えば、その状況下で合理的にありうる程度の多さであること）、解釈されるべきである。例えば、“実質的に一定”は、“一定”を含む。別段に記述のない限り、測定は全て、温度および圧力を含めて標準的な条件で行う。
【図１】
2019130329.tif 000005
【図２】
2019130329.tif 000006
【図３】
2019130329.tif 000007
【図４Ａ】
2019130329.tif 000008
【図４Ｂ】
2019130329.tif 000009
【図４Ｃ】
2019130329.tif 000010
【図４Ｄ】
2019130329.tif 000011
【図４Ｅ】
2019130329.tif 000012
【図４Ｆ】
2019130329.tif 000013
【図４Ｇ】
2019130329.tif 000014
【図４Ｈ】
2019130329.tif 000015
【図４Ｉ】
2019130329.tif 000016
【図４Ｊ】
2019130329.tif 000017
【図５】
2019130329.tif 000018
【図６】
2019130329.tif 000019
【図７】
2019130329.tif 000020
【図８】
2019130329.tif 000021
【図９Ａ】
2019130329.tif 000022
【図９Ｂ】
2019130329.tif 000023
【図９Ｃ】
2019130329.tif 000024
【図９Ｄ】
2019130329.tif 000025
【図１０Ａ】
2019130329.tif 000026
【図１０Ｂ】
2019130329.tif 000027
【図１０Ｃ】
2019130329.tif 000028
【図１０Ｄ】
2019130329.tif 000029
【図１１Ａ】
2019130329.tif 000030
【図１１Ｂ】
2019130329.tif 000031
【図１１Ｃ】
2019130329.tif 000032
【図１１Ｄ】
2019130329.tif 000033
【図１１Ｅ】
2019130329.tif 000034
【図１２Ａ】
2019130329.tif 000035
【図１２Ｂ】
2019130329.tif 000036
【図１２Ｃ】
2019130329.tif 000037
【図１３】
2019130329.tif 000038
【図１４Ａ】
2019130329.tif 000039
【図１４Ｂ】
2019130329.tif 000040
【図１５】
2019130329.tif 000041
【図１６】
2019130329.tif 000042
【図１７】
2019130329.tif 000043
【図１８】
2019130329.tif 000044
【図１９】
2019130329.tif 000045
【図２０】
2019130329.tif 000046
【図２１】
2019130329.tif 000047
【図２２Ａ】
2019130329.tif 000048
【図２２Ｂ】
2019130329.tif 000049
【図２２Ｃ】
2019130329.tif 000050
【図２３】
2019130329.tif 000051
【図２４】
2019130329.tif 000052
【図２５】
2019130329.tif 000053
【図２６】
2019130329.tif 000054
【図２７】
2019130329.tif 000055
【図２８】
2019130329.tif 000056
【図２９】
2019130329.tif 000057
【図３０】
2019130329.tif 000058
【図３１】
2019130329.tif 000059
【図３２】
2019130329.tif 000060
【図３３】
2019130329.tif 000061
【図３４】
2019130329.tif 000062
【図３５】
2019130329.tif 000063
【図３６】
2019130329.tif 000064
【図３７Ａ】
2019130329.tif 000065
【図３７Ｂ】
2019130329.tif 000066
【図３８Ａ】
2019130329.tif 000067
【図３８Ｂ】
2019130329.tif 000068
【図３９】
2019130329.tif 000069
【図４０】
2019130329.tif 000070
【図４１】
2019130329.tif 000071
【図４２】
2019130329.tif 000072
【図４３Ａ】
2019130329.tif 000073
【図４３Ｂ】
2019130329.tif 000074
【図４３Ｃ】
2019130329.tif 000075
【図４３Ｄ】
2019130329.tif 000076
【図４３Ｅ】
2019130329.tif 000077
【図４３Ｆ】
2019130329.tif 000078
【図４３Ｇ】
2019130329.tif 000079
【図４３Ｈ】
2019130329.tif 000080
【図４４Ａ】
2019130329.tif 000081
【図４４Ｂ】
2019130329.tif 000082
【図４５Ａ】
2019130329.tif 000083
【図４５Ｂ】
2019130329.tif 000084
【図４５Ｃ】
2019130329.tif 000085
【図４５Ｄ】
2019130329.tif 000086
【図４５Ｅ】
2019130329.tif 000087
【図４６Ａ】
2019130329.tif 000088
【図４６Ｂ】
2019130329.tif 000089
【図４６Ｃ】
2019130329.tif 000090
【図４６Ｄ】
2019130329.tif 000091
【図４６Ｅ】
2019130329.tif 000092
【図４７Ａ】
2019130329.tif 000093
【図４７Ｂ】
2019130329.tif 000094
【図４７Ｃ】
2019130329.tif 000095
【図４７Ｄ】
2019130329.tif 000096
【図４７Ｅ】
2019130329.tif 000097
【図４８Ａ】
2019130329.tif 000098
【図４８Ｂ】
2019130329.tif 000099
【図４８Ｃ】
2019130329.tif 000100
【図４８Ｄ】
2019130329.tif 000101
【図４８Ｅ】
2019130329.tif 000102
【図４９Ａ】
2019130329.tif 000103
【図４９Ｂ】
2019130329.tif 000104
【図４９Ｃ】
2019130329.tif 000105
【図４９Ｄ】
2019130329.tif 000106
【図４９Ｅ】
2019130329.tif 000107
【図５０Ａ】
2019130329.tif 000108
【図５０Ｂ】
2019130329.tif 000109
【図５０Ｃ】
2019130329.tif 000110
【図５０Ｄ】
2019130329.tif 000111
【図５０Ｅ】
2019130329.tif 000112
【図５１Ａ】
2019130329.tif 000113
【図５１Ｂ】
2019130329.tif 000114
【図５１Ｃ】
2019130329.tif 000115
【図５１Ｄ】
2019130329.tif 000116
【図５１Ｅ】
2019130329.tif 000117
【図５２Ａ】
2019130329.tif 000118
【図５２Ｂ】
2019130329.tif 000119
【図５２Ｃ】
2019130329.tif 000120
【図５２Ｄ】
2019130329.tif 000121
【図５２Ｅ】
2019130329.tif 000122
【図５３Ａ】
2019130329.tif 000123
【図５３Ｂ】
2019130329.tif 000124
【図５３Ｃ】
2019130329.tif 000125
【図５３Ｄ】
2019130329.tif 000126
【図５３Ｅ】
2019130329.tif 000127
【図５４Ａ】
2019130329.tif 000128
【図５４Ｂ】
2019130329.tif 000129
【図５４Ｃ】
2019130329.tif 000130
【図５４Ｄ】
2019130329.tif 000131
【図５４Ｅ】
2019130329.tif 000132
【図５５Ａ】
2019130329.tif 000133
【図５５Ｂ】
2019130329.tif 000134
【図５５Ｃ】
2019130329.tif 000135
【図５５Ｄ】
2019130329.tif 000136
【図５５Ｅ】
2019130329.tif 000137
【図５５Ｆ】
2019130329.tif 000138
【図５６】
2019130329.tif 000139
【図５７Ａ】
2019130329.tif 000140
【図５７Ｂ】
2019130329.tif 000141
【図５７Ｃ】
2019130329.tif 000142
【図５７Ｄ】
2019130329.tif 000143
【図５７Ｅ】
2019130329.tif 000144
【図５７Ｆ】
2019130329.tif 000145
【図５８Ａ】
2019130329.tif 000146
【図５８Ｂ】
2019130329.tif 000147
【図５８Ｃ】
2019130329.tif 000148
【図５８Ｄ】
2019130329.tif 000149
【図５８Ｅ】
2019130329.tif 000150
【図５８Ｆ】
2019130329.tif 000151
【図５８Ｇ】
2019130329.tif 000152
【図５８Ｈ】
2019130329.tif 000153
【図５８Ｉ】
2019130329.tif 000154
【図５８Ｊ】
2019130329.tif 000155
【図５８Ｋ】
2019130329.tif 000156
【図５８Ｌ】
2019130329.tif 000157
【図５９Ａ】
2019130329.tif 000158
【図５９Ｂ】
2019130329.tif 000159
【図５９Ｃ】
2019130329.tif 000160
【図６０Ａ】
2019130329.tif 000161
【図６０Ｂ】
2019130329.tif 000162
【図６０Ｃ】
2019130329.tif 000163
【図６０Ｄ】
2019130329.tif 000164
【図６０Ｅ】
2019130329.tif 000165
【図６０Ｆ】
2019130329.tif 000166
【図６０Ｇ】
2019130329.tif 000167
【図６０Ｈ】
2019130329.tif 000168
【図６０Ｉ】
2019130329.tif 000169
【図６０Ｊ】
2019130329.tif 000170
【図６０Ｋ】
2019130329.tif 000171
【図６０Ｌ】
2019130329.tif 000172
【図６０Ｍ】
2019130329.tif 000173
【図６０Ｎ】
2019130329.tif 000174
【図６１Ａ】
2019130329.tif 000175
【図６１Ｂ】
2019130329.tif 000176
【図６１Ｃ】
2019130329.tif 000177
【図６１Ｄ】
2019130329.tif 000178
【図６２Ａ】
2019130329.tif 000179
【図６２Ｂ】
2019130329.tif 000180
【図６２Ｃ】
2019130329.tif 000181
【図６３Ａ】
2019130329.tif 000182
【図６３Ｂ】
2019130329.tif 000183
【図６３Ｃ】
2019130329.tif 000184
【図６４Ａ】
2019130329.tif 000185
【図６４Ｂ】
2019130329.tif 000186
【図６４Ｃ】
2019130329.tif 000187
【図６５Ａ】
2019130329.tif 000188
【図６５Ｂ】
2019130329.tif 000189
【図６５Ｃ】
2019130329.tif 000190
【図６６Ａ】
2019130329.tif 000191
【図６６Ｂ】
2019130329.tif 000192
【図６６Ｃ】
2019130329.tif 000193
【図６７Ａ】
2019130329.tif 000194
【図６７Ｂ】
2019130329.tif 000195
【図６７Ｃ】
2019130329.tif 000196
【図６８Ａ】
2019130329.tif 000197
【図６８Ｂ】
2019130329.tif 000198
【図６８Ｃ】
2019130329.tif 000199
【図６８Ｄ】
2019130329.tif 000200
【図６９Ａ】
2019130329.tif 000201
【図６９Ｂ】
2019130329.tif 000202
【図６９Ｃ】
2019130329.tif 000203
【図６９Ｄ】
2019130329.tif 000204
【図７０Ａ】
2019130329.tif 000205
【図７０Ｂ】
2019130329.tif 000206
【図７０Ｃ】
2019130329.tif 000207
【図７１Ａ】
2019130329.tif 000208
【図７１Ｂ】
2019130329.tif 000209
【図７１Ｃ】
2019130329.tif 000210
【図７１Ｄ】
2019130329.tif 000211
【図７２Ａ】
2019130329.tif 000212
【図７２Ｂ】
2019130329.tif 000213
【図７３Ａ】
2019130329.tif 000214
【図７３Ｂ】
2019130329.tif 000215
【図７３Ｃ】
2019130329.tif 000216
【図７３Ｄ】
2019130329.tif 000217
【図７３Ｅ】
2019130329.tif 000218
【図７４Ａ】
2019130329.tif 000219
【図７４Ｂ】
2019130329.tif 000220
【図７４Ｃ】
2019130329.tif 000221
【図７４Ｄ】
2019130329.tif 000222
【図７４Ｅ】
2019130329.tif 000223
【図７５Ａ】
2019130329.tif 000224
【図７５Ｂ】
2019130329.tif 000225
【図７５Ｃ】
2019130329.tif 000226
【図７５Ｄ】
2019130329.tif 000227
【図７５Ｅ】
2019130329.tif 000228
【図７６Ａ】
2019130329.tif 000229
【図７６Ｂ】
2019130329.tif 000230
【図７６Ｃ】
2019130329.tif 000231
【図７６Ｄ】
2019130329.tif 000232
【図７６Ｅ】
2019130329.tif 000233
【図７６Ｆ】
2019130329.tif 000234
【図７７Ａ】
2019130329.tif 000235
【図７７Ｂ】
2019130329.tif 000236
【図７７Ｃ】
2019130329.tif 000237
【図７７Ｄ】
2019130329.tif 000238
【図７７Ｅ】
2019130329.tif 000239
【図７７Ｆ】
2019130329.tif 000240
【図７７Ｇ】
2019130329.tif 000241
【図７７Ｈ】
2019130329.tif 000242
【図７７Ｉ】
2019130329.tif 000243
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
白内障の除去後の眼の天然カプセルバッグに挿入される補綴物カプセルデバイスであって、
眼内埋め込みレンズ（ＩＯＬ）を収容可能な筐体構造であって、
眼内埋め込みレンズの少なくとも挿入、除去及び置換のうち１つが可能な前側開口部を有する平坦な前側部と、
前記前側部と反対側に位置し、屈折面を受けるように構成されている後側開口部と、
前記前側部と前記後側部の間で連続的に伸長し、前記前側部と前記後側部の間において前記筐体構造の一部を完全に囲み、前記前側部と前記後側部とを超えて径方向に突出する側部と、
少なくとも前記前側部、前記後側部及び前記側部により部分的に規定され、眼内埋め込みレンズを収容可能な穴部と、
前記筐体構造を有し、
前記筐体構造は前記眼の前記天然カプセルバッグ内に挿入された際に自己拡張し、
前記筐体構造は前記屈折面から前記天然カプセルバッグ内に、別個に、前記屈折面が前記後側開口部と接触しないように挿入可能であり、取付時に前記屈折面が前記後側開口部と接触することを特徴とする補綴物カプセルデバイス。
【請求項２】
前記屈折面は、−３５Ｄから＋３５Ｄの間の屈折出力を有することを特徴とする請求項１に記載の補綴物カプセルデバイス。
【請求項３】
前記筐体構造は生物学的適合性材料を含むことを特徴とする請求項１に記載の補綴物カプセルデバイス。
【請求項４】
前記筐体構造は角膜切開部を通して注射システムを介して折り畳まれ挿入されるように変形可能であることを特徴とする請求項１に記載の補綴物カプセルデバイス。
【請求項５】
前記筐体構造はシリコーン、シリコーン誘導体、アクリル、アクリル誘導体、コラマー、生体適合性メタクリレート、生体適合性ポリマー、オレフィン又はポリイミドのうちの少なくとも１つを含むことを特徴とする請求項１に記載の補綴物カプセルデバイス。
【請求項６】
前記筐体構造は光学的に透明な素材を有することを特徴とする請求項１に記載の補綴物カプセルデバイス。
【請求項７】
前記筐体構造は、前記筐体構造の直径よりも小さいサイズの切開部を通して嵌合するようにより小さい形状に折り畳むことができることを特徴とする請求項１に記載の補綴物カプセルデバイス。
【請求項８】
前記屈折面は、眼内埋め込みレンズを前記筐体構造内に位置決めするための基準点を提供することを特徴とする請求項１に記載の補綴物カプセルデバイス。
【請求項９】
前記屈折面は、前記筐体構造が眼の中に挿入された後に前記筐体構造に取り付けられることを特徴とする請求項１に記載の補綴物カプセルデバイス。
【請求項１０】
前記補綴物カプセルデバイスの寸法は、白内障が除去された前記眼の前記天然カプセルバッグの寸法と厳密に一致することを特徴とする請求項１に記載の補綴物カプセルデバイス。
【請求項１１】
前記眼内埋め込みレンズは、＋３５Ｄ以上の正のジオプトリー値を有することを特徴とする請求項１に記載の補綴物カプセルデバイス。
【請求項１２】
前記眼内埋め込みレンズは、−３５Ｄ以下の負のジオプトリー値を有することを特徴とする請求項１に記載の補綴物カプセルデバイス。
【請求項１３】
前記眼内埋め込みレンズは、球面、非球面、波面、凸面、凹面、多焦点、トーリック、遠近法、紫外線（ＵＶ）フィルタリング、回折色収差低減レンズ、または光調節レンズのうちの１つまたは複数の特徴を有することを特徴とする請求項１に記載の補綴物カプセルデバイス。
【請求項１４】
１つ以上の人工デバイスを更に備えることを特徴とする請求項１に記載の補綴物カプセルデバイス。
【請求項１５】
前記１つ以上の人工デバイスは、１つ以上の眼内レンズを通して視線と干渉しないことを特徴とする請求項１４に記載の補綴物カプセルデバイス。
【手続補正書】
【提出日】令和1年5月9日(2019.5.9)
【手続補正１】
【補正対象書類名】明細書
【補正対象項目名】０１２２
【補正方法】変更
【補正の内容】
【０１２２】
【図６０Ａ】図５８Ｅの人工カプセルデバイス例を装填および排出する方法の例を示す図である。
【図６０Ｂ】図５８Ｅの人工カプセルデバイス例を装填および排出する方法の例を示す図である。
【図６０Ｃ】図５８Ｅの人工カプセルデバイス例を装填および排出する方法の例を示す図である。
【図６０Ｄ】図５８Ｅの人工カプセルデバイス例を装填および排出する方法の例を示す図である。
【図６０Ｅ】図５８Ｅの人工カプセルデバイス例を装填および排出する方法の例を示す図である。
【図６０Ｆ】図５８Ｅの人工カプセルデバイス例を装填および排出する方法の例を示す図である。
【図６０Ｇ】図５８Ｅの人工カプセルデバイス例を装填および排出する方法の例を示す図である。
【図６０Ｈ】図５８Ｅの人工カプセルデバイス例を装填および排出する方法の例を示す図である。
【図６０Ｉ】図５８Ｅの人工カプセルデバイス例を装填および排出する方法の例を示す図である。
【図６０Ｊ】図５８Ｅの人工カプセルデバイス例を装填および排出する方法の例を示す図である。
【図６０Ｋ】図５８Ｅの人工カプセルデバイス例を装填および排出する方法の例を示す図である。
【図６０Ｌ】図５８Ｅの人工カプセルデバイス例を装填および排出する方法の例を示す図である。
【図６０Ｍ】図５８Ｅの人工カプセルデバイス例を装填および排出する方法の例を示す図である。
【図６０Ｎ】図５８Ｅの人工カプセルデバイス例を装填および排出する方法の例を示す図である。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
白内障の除去後の眼の天然カプセルバッグに挿入される補綴物カプセルデバイスであって、
眼内埋め込みレンズ（ＩＯＬ）を収容可能な筐体構造であって、
眼内埋め込みレンズの少なくとも挿入、除去及び置換のうち１つが可能な前側開口部を有する前側部と、
前記前側部と反対側に位置し、屈折面を受けるように構成されている後側開口部と、
前記前側部と前記後側部の間で連続的に伸長し、前記前側部と前記後側部の間において前記筐体構造の一部を完全に囲み、前記前側部と前記後側部とを超えて径方向に突出する側部と、
少なくとも前記前側部、前記後側部及び前記側部により部分的に規定され、眼内埋め込みレンズを収容可能な穴部と、
前記筐体構造を有し、
前記筐体構造は前記眼の前記天然カプセルバッグ内に挿入された際に自己拡張し、
前記筐体構造は前記屈折面から前記天然カプセルバッグ内に、別個に、前記屈折面が前記後側開口部と接触しないように挿入可能であり、取付時に前記屈折面が前記後側開口部と接触することを特徴とする補綴物カプセルデバイス。
【請求項２】
前記屈折面は、−３５Ｄから＋３５Ｄの間の屈折出力を有することを特徴とする請求項１に記載の補綴物カプセルデバイス。
【請求項３】
前記筐体構造は生物学的適合性材料を含むことを特徴とする請求項１に記載の補綴物カプセルデバイス。
【請求項４】
前記筐体構造は角膜切開部を通して注射システムを介して折り畳まれ挿入されるように変形可能であることを特徴とする請求項１に記載の補綴物カプセルデバイス。
【請求項５】
前記筐体構造はシリコーン、シリコーン誘導体、アクリル、アクリル誘導体、コラマー、生体適合性メタクリレート、生体適合性ポリマー、オレフィン又はポリイミドのうちの少なくとも１つを含むことを特徴とする請求項１に記載の補綴物カプセルデバイス。
【請求項６】
前記筐体構造は光学的に透明な素材を有することを特徴とする請求項１に記載の補綴物カプセルデバイス。
【請求項７】
前記筐体構造は、前記筐体構造の直径よりも小さいサイズの切開部を通して嵌合するようにより小さい形状に折り畳むことができることを特徴とする請求項１に記載の補綴物カプセルデバイス。
【請求項８】
前記屈折面は、眼内埋め込みレンズを前記筐体構造内に位置決めするための基準点を提供することを特徴とする請求項１に記載の補綴物カプセルデバイス。
【請求項９】
前記屈折面は、前記筐体構造が眼の中に挿入された後に前記筐体構造に取り付けられることを特徴とする請求項１に記載の補綴物カプセルデバイス。
【請求項１０】
前記補綴物カプセルデバイスの寸法は、白内障が除去された前記眼の前記天然カプセルバッグの寸法と厳密に一致することを特徴とする請求項１に記載の補綴物カプセルデバイス。
【請求項１１】
前記眼内埋め込みレンズは、＋３５Ｄ以上の正のジオプトリー値を有することを特徴とする請求項１に記載の補綴物カプセルデバイス。
【請求項１２】
前記眼内埋め込みレンズは、&#8722;３５Ｄ以下の負のジオプトリー値を有することを特徴とする請求項１に記載の補綴物カプセルデバイス。
【請求項１３】
前記眼内埋め込みレンズは、球面、非球面、波面、凸面、凹面、多焦点、トーリック、遠近法、紫外線（ＵＶ）フィルタリング、回折色収差低減レンズ、または光調節レンズのうちの１つまたは複数の特徴を有することを特徴とする請求項１に記載の補綴物カプセルデバイス。
【請求項１４】
１つ以上の人工デバイスを更に備えることを特徴とする請求項１に記載の補綴物カプセルデバイス。
【請求項１５】
前記１つ以上の人工デバイスは、１つ以上の眼内レンズを通して視線と干渉しないことを特徴とする請求項１４に記載の補綴物カプセルデバイス。
【外国語明細書】
2019130329000001.pdf